(57)【特許請求の範囲】
【請求項１】
ユーザ局と複数の基地局とを含む時分割多重アクセス通信システムにおいてハンドオフをする方法であって、上記方法は、
時間フレームの第１の時間スロットにおいて、上記ユーザ局と第１の基地局との間で通信するステップと、
上記第１の基地局と通信している上記ユーザ局において、上記第１の時間スロットにおいて送信された複数のメッセージの受信信号品質をモニタすることにより、リンク品質の測定値を得るステップと、
上記リンク品質の測定値を第１のしきい値と比較するステップと、
上記リンク品質の測定値が上記第１のしきい値より低下したときに、上記ユーザ局において、少なくとも１つの他の基地局によって送信された複数のメッセージの受信信号品質をモニタし、上記モニタされた受信信号品質に基づいて、ハンドオフ手順により上記ユーザ局を新たに接続するための第２の基地局を上記複数の基地局から選択するステップと、
次いで、上記リンク品質の測定値を、上記第１のしきい値より低い第２のしきい値と比較するステップと、
上記リンク品質の測定値が上記第２のしきい値より低下したときに、上記ユーザ局において上記選択された第２の基地局へのハンドオフ手順を開始するステップとを含み、
上記ハンドオフ手順は、
第２の時間スロットにおいて、上記ユーザ局で上記第２の基地局からの一般ポーリングメッセージを受信するステップと、
上記第２の時間スロットにおいて上記一般ポーリングメッセージに応答して、上記ユーザ局から上記第２の基地局へ一般ポーリング応答メッセージを送信するステップと、
上記第２の基地局において、上記一般ポーリング応答メッセージを受信するステップと、
上記第２の時間スロットにおいて上記一般ポーリング応答メッセージに応答して、ユーザ局識別子を含む特別ポーリングメッセージを上記第２の基地局から上記ユーザ局へ送信するステップと、
上記ユーザ局において上記特別ポーリングメッセージを受信するステップと、
上記第２の時間スロットにおいて、上記ユーザ局から上記第２の基地局へハンドオフ信号メッセージを送信するステップと、
上記第２の基地局において上記ハンドオフ信号メッセージを受信するステップと、
上記第２の時間スロットにおいて上記ハンドオフ信号メッセージに応答して、上記第２の基地局から上記ユーザ局へハンドオフ肯定応答信号を送信するステップと、
上記ユーザ局において上記ハンドオフ肯定応答信号を受信するステップとを含むハンドオフをする方法。
【請求項２】
上記第１の基地局と上記第２の基地局とは同一である請求項１記載の方法。
【請求項３】
上記第１の基地局と上記第２の基地局とは異なる請求項１記載の方法。
【請求項４】
上記複数の基地局のそれぞれにおいて通信のために割り当てられた時間スロットの利用度を表す情報を、上記ユーザ局において上記各基地局からそれぞれ受信するステップをさらに含む請求項１記載の方法。
【請求項５】
上記選択するステップは、
上記複数の基地局からそれぞれ送信された複数のメッセージの上記モニタされた受信信号品質と、上記時間スロットの利用度とに基づいて、上記複数の基地局のうちの１つを上記ユーザ局の新たな接続先として選択するための基準となる、上記各基地局のハンドオフの性能指数を得るステップと、
最大の性能指数を有する基地局を上記第２の基地局として選択するステップとを含む請求項４記載の方法。
【請求項６】
上記ユーザ局から上記第２の基地局に、上記第１の基地局の基地識別信号を送信するステップと、
上記第１の基地局から上記第２の基地局に進行中の呼を転送するステップとをさらに含む請求項１記載の方法。
【請求項７】
上記進行中の呼を転送するステップは、
上記第２の基地局から基地局コントローラに回線切り換えメッセージを送るステップを含み、上記基地局コントローラは上記第１の基地局と上記第２の基地局に接続され、
上記基地局コントローラにおいて、上記第１の基地局から上記第２の基地局に上記進行中の呼を切り換えるステップと、
上記基地局コントローラから上記第１の基地局に、回線切り換え完了メッセージを送るステップとを含む請求項６記載の方法。
【請求項８】
上記進行中の呼を転送するステップは、
上記第２の基地局から基地局コントローラに回線切り換えメッセージを送るステップを含み、上記基地局コントローラは上記第２の基地局とネットワークとに接続され、
上記基地局コントローラにおいて、上記回線切り換えメッセージを上記ネットワークに互換性があるフォーマットに変換するステップと、
上記ネットワークにおいて、上記第１の基地局から上記第２の基地局に上記進行中の呼を切り換えるステップとを含む請求項６記載の方法。
【請求項９】
上記進行中の呼を転送するステップは、
上記第２の基地局から第１の基地局コントローラに回線切り換えメッセージを送るステップを含み、上記第１の基地局コントローラは上記第２の基地局と第２の基地局コントローラとに接続され、
上記回線切り換えメッセージを上記第２の基地局コントローラに送るステップと、
上記第２の基地局コントローラにおいて、上記回線切り換えメッセージをネットワークに互換性があるフォーマットに変換するステップと、
上記変換された回線切り換えメッセージを上記第２の基地局コントローラから上記ネットワークに送るステップと、
上記ネットワークにおいて、上記第１の基地局から上記第２の基地局に上記進行中の呼を切り換えるステップとを含む請求項６記載の方法。
【請求項１０】
上記ネットワークから上記第２の基地局コントローラに、回線切り換え完了メッセージを送るステップと、
上記第２の基地局コントローラから上記第１の基地局コントローラに、上記回線切り換え完了メッセージを送るステップと、
上記ユーザ局に上記第２の基地局から、特別ポーリングメッセージを送るステップとを含む請求項９記載の方法。
【請求項１１】
ユーザ局と複数の基地局とを有するスペクトル拡散通信システムにおいて第１の基地局から第２の基地局へ通信をハンドオフする方法であって、上記方法は、
メジャータイムフレームの第１のマイナータイムフレームにおいて、ユーザ局と第１の基地局との間でスペクトル拡散通信を用いて通信するステップと、
上記第１の基地局と通信している上記ユーザ局において、上記第１のマイナータイムフレームにおいて送信された複数のメッセージの受信信号品質をモニタすることにより、リンク品質の測定値を得るステップと、
上記リンク品質の測定値を第１のしきい値と比較するステップと、
上記ユーザ局において、上記リンク品質の測定値が上記第１のしきい値より低下したときに、少なくとも１つの他の基地局からの送信の受信信号品質をモニタするステップと、
上記複数の基地局のうちの１つを上記ユーザ局の新たな接続先として選択するための基準となる上記各基地局のハンドオフの性能指数を得て、最大の性能指数を有する基地局を第２の基地局として選択するステップと、
次いで、上記リンク品質の測定値を、上記第１のしきい値より低い第２のしきい値と比較するステップと、
上記ユーザ局において、上記リンク品質の測定値が上記第２のしきい値より低下したときに、上記選択された第２の基地局へのハンドオフ手順を開始するステップとを含み、
上記ハンドオフ手順は、
上記メジャータイムフレームの第２のマイナータイムフレームにおいて、上記ユーザ局で上記第２の基地局からの一般ポーリングメッセージを受信するステップと、
上記第２のマイナータイムフレームにおいて、上記ユーザ局から上記第２の基地局に一般ポーリング応答メッセージを送信するステップと、
上記第２の基地局において、上記一般ポーリング応答メッセージを受信するステップと、
上記第２のマイナータイムフレームにおいて上記一般ポーリング応答メッセージに応答して、ユーザ局識別子を含む特別ポーリングメッセージを上記第２の基地局から上記ユーザ局に送信するステップと、
上記ユーザ局において上記特別ポーリングメッセージを受信するステップと、
それ以後、上記ユーザ局と上記第２の基地局との間で、スペクトル拡散通信を用いて通信するステップとを含む通信をハンドオフする方法。
【請求項１２】
上記性能指数は、上記ユーザ局において上記各基地局から受信された、上記各基地局において通信のために割り当てられた時間スロットの利用度と、上記各基地局からの送信の上記受信信号品質とに基づく請求項１１記載の方法。
【発明の詳細な説明】
【０００１】
【発明の属する技術分野】
この発明は、通信の分野に関し、特に、スペクトル拡散技法を用いた通信システムと移動電話のための無線区間プロトコルに関し、通信システムにおいて通信を確立する方法及び通信をハンドオフする方法に関する。
【０００２】
【従来の技術】
移動体電話システムは、一般に１組の「ユーザ局」（典型的には移動性であり、通信経路の終点である）と、１組の「基地局」（典型的には静止され、通信経路を確立または維持するための中継局）からなる。
【０００３】
【発明が解決しようとする課題】
移動体電話システムにおいて、１つの重要な関心事は、移動局が基地局と簡単に柔軟に速く通信するという能力である。ユーザ局が通信経路を確立するのを待つ必要がないように、ユーザ局と基地局との間の通信プロトコルは、速くなければならない。ユーザ局が、プロトコルを実行するために高価な装置を組み込む必要がないように、プロトコルは簡単でなければならない。合理的に可能な程度の多数の通信環境においてユーザ局が通信経路を確立できるように、プロトコルは柔軟でなければならない。
【０００４】
したがって、移動体電話システムで使用するための簡単で柔軟な無線区間プロトコルを提供することが望ましい。これが特に望ましい種類のシステムは、個人的な通信システム、特に、マイクロセルや他の種類のセルラー通信システムにおいて携帯電話を用いるシステムである。
【０００５】
【課題を解決するための手段】
本発明は、１つの面では、セルラー通信システムにおいて携帯電話を用いるパーソナル・コミュニケーション・システム（Personal Communication System）（ＰＣＳ）などの移動体電話システムとともに使用する簡単で柔軟な無線区間プロトコルを提供する。好ましい実施例は、「ポケット電話」、すなわち、セルラー通信技法を使用できる小型携帯電話を扱うが、本発明は、どのセルラー電話システムすなわち移動体電話システムとも適用できる。プロトコルは、セルラーハンドセットまたは携帯ハンドセットなどのユーザ局が通話を送りまたは受けるため１以上の基地局と通信する方法を定義する。プロトコルは、基地局とユーザ局との間の無線チャンネル機敏性（agility）を提供し、また、基地局の間の通話が進行している間に、確かな音声またはデータリンクおよび基地局の間の通話をハンドオフする能力を提供する。
【０００６】
好ましい実施形態において、各基地局は、１組の「無線チャンネル」を備え、たとえば各無線チャンネルに順に送信して、それらに対しポーリングを行う。各基地局によりサポートされる無線チャンネルを、その基地局の「ポーリングループ」という。ユーザ局は、使用されていない無線チャンネルについての情報を受け取り、基地局の送信を受け取り、基地局への情報を送信する。したがって、各基地局は、ポーリングループにある無線チャンネルと同じ数のユーザ局との通信を同時に維持できる。ユーザ局が使用されていない無線チャンネルで通信をする能力は、プロトコル無線チャンネルを機敏に（agile）する。各基地局は、所定の順序で、その無線チャンネルの各々で連続的に送信する。各々の基地局の送信には、第１ギャップ、ユーザ局送信（もしユーザ局が通信しようとするなら）および第２ギャップが続く。その後、基地局は、次の無線チャンネルで送信をする。基地局の送信、第１ギャップ、ユーザ局送信および第２ギャップを、全体に、「マイナーフレーム」という。各無線チャンネルに対しポーリングをするポーリングループを、「メジャーフレーム」という。
【０００７】
好ましい実施形態では、基地局のクロックとユーザ局のクロックの安定性が、上記の無線チャンネル、ギャップ、マイナーフレームを定める。ユーザ局は、それ自体、マイナーフレームを検出することにより、そして、マイナーフレームの第１ビットシーケンスが検出されたときにユーザ局のクロックを基地局と同期するように調節することにより、基地局のクロックと同期をとることができる。こうして、ユーザ局が基地局からの送信を周期的に受け取ることができるかぎり、ユーザ局と基地局の安定性は、ユーザ局と基地局との同期を保つことができる。いずれかの方向での受信があまりにも長く中断されるならば、基地局のクロックとユーザ局のクロックとは離れてドリフトし、ユーザ局は、基地局からの送信を再び獲得する必要がある。
【０００８】
好ましくは、ハンドオフは、不動作（非動作）時間の間に同じ基地局または競合する基地局からの利用可能な無線チャンネルを連続的にモニターするユーザ局から開始される。ユーザ局は、新しいマイナーフレームにおける通信を確立するため同じポーリングループの中でハンドオフするか、または、異なった基地局のポーリングループの中で新しいマイナーフレームにおける通信を確立するようにハンドオフする。後者の場合、基地局のコントローラは、通話を１つの基地局から他の基地局に移すのを助ける。
【０００９】
本発明は、別の面では、定期的な間隔で、たとえば、各メジャーフレームにおいて１度、ユーザ局のパワーをモニターし調節することにより、ユーザ局における閉ループパワー制御を提供する。ユーザ局のパワーの調節は、セル間の干渉を減少し移動体ハンドセットにおけるセルの寿命を長くするのに役立つ。
【００１０】
本発明の他の面では、可変データレートが提供される。ユーザ局は、１つのメジャーフレームにおける多重のマイナーフレームにおける送信および／または受信によりデータレートを増加でき、または、全メジャーフレームより少ないメジャーフレームにおける送信および／または受信によりデータレートを減少できる。
【００１１】
【発明の実施の形態】
好ましい実施形態において、基地局とユーザ局との間の通信がスペクトル拡散通信を用いて行われることが取り扱われる。同期と通信を確立するための少なくとも３つの方法があり、各方法は、Ｍ−アリ（Ｍ−ａｒｙ：多進符号）技法又は技術を用いる。この技法において、たとえば多重の異なった拡散コードの送信と受信をして、多重データビットを示す受信器により受信された多重の異なった拡散コードの１つを解釈することにより多重ビットのデータが各スペクトル拡散シンボルのために送信される。同期は、（１）米国特許出願第０８／１４６,４９１号（発明者であるＲｏｂｅｒｔ ＧｏｌｄとＲｏｂｅｒｔ Ｃ. Ｄｉｘｏｎにより１９９３年１１月１日に出願され、"ＤＥＳＰＲＥＤＩＮＧ／ＤＥＭＯＤＵＬＡＴＩＮＧ ＤＩＲＥＣＴ ＳＥＱＵＥＮＣＥ ＳＰＲＥＡＤ ＳＰＥＣＴＲＵＭ ＳＩＧＮＡＬＳ"と題する出願（Ｌｙｏｎ ＆ Ｌｙｏｎ事務所、ドケット番号第２００／１５４）、この出願の開示はここでの引用により本明細書に組み込まれる）に開示された自動同期、（２）整合したフィルタとの同期、（３）スライディング（sliding）相関器を用いた復号と逆拡散（despreading）、または、（４）これらの技法の組合せ、たとえば、同期のために整合されたフィルタとスライディング相関器を用いた復号と逆拡散、同期のために整合したフィルタと復号と逆拡散のための自動同期、により達成できる。
【００１２】
図１は、複数の基地局とユーザ局からなる通信システムの図である。
【００１３】
複数のユーザ局１０２の間の通信のための通信システム１０１は、複数のセル１０３を含む。各セルは、基地局１０４を備え、典型的には基地局１０４はセルの中心に位置される。各局（基地局１０４とユーザ局１０２の両方）は、一般に受信器と送信器を備える。好ましくは、ユーザ局１０２と基地局１０４は、後で説明するように、時分割多重アクセス技法（ＴＤＭＡ）または時分割２重技法（ＴＤＤ）を用いて通信する。ここで、特定の時間セグメントすなわちメジャーフレームは、ここの通信のために割り当てられた時間スロットすなわちマイナーフレームに分割される。
【００１４】
図１２は、本発明が機能できる好ましいセルラー環境の図である。１つの地理的領域が、複数のセル１０３に分割される。１つの割り当て周波数と１つの割り当てスペクトル拡散コードとが各セルに関連される。好ましくは、３つの異なった周波数Ｆ１、Ｆ２、Ｆ３が、２つの隣接するセルが同じ割り当て周波数Ｆ１、Ｆ２またはＦ３を持たないように、割り当てられる。そのような周波数再使用パターンの効果は、隣接するセルの間の干渉を最小にすることである。
【００１５】
セル間の干渉を最小にするために、異なった直交スペクトル拡散コードＣ１〜Ｃ６が、図示されるように隣接するセル１１０に割り当てられる。６つの直交スペクトル拡散コードＣ１〜Ｃ６が図１２に示されるけれども、情報に依存して、より少ないまたはより多いスペクトル拡散コードが適当でありうることが考えられる。好ましいセルラー環境についてのこれ以上の情報は、米国特許出願第０７／６８２,０５０号（Ｒｏｂｅｒｔ Ｃ. Ｄｉｘｏｎにより１９９１年４月８日に出願され、”ＴＨＲＥＥ ＣＥＬＬ ＷＩＲＥＬＥＳＳ ＣＯＭＭＵＮＩＣＡＴＩＯＮ ＳＹＳＴＥＭ”と題する出願、その出願の開示はここでの引用により本明細書に組み込まれる）に開示される。
【００１６】
搬送波変調のためのスペクトル拡散の使用は、異なった周波数Ｆ１、Ｆ２およびＦ３を、隣接するセル１０３に割り当てるため、Ｎ＝３の非常に効率的な周波数再使用ファクタを可能にする。同じ搬送波周波数Ｆ１、Ｆ２またはＦ３を用いたセル１０３の間の干渉は、セル１０３を隔てる距離による伝播損失により減少され（同じ周波数Ｆ１、Ｆ２またはＦ３を用いる２つのセル１０３は、相互に離れた２つのセル１０３より少ない）、また、同じ搬送波周波数Ｆ１、Ｆ２またはＦ３を用いるセル１０３のスペクトル拡散処理ゲインにより減少される。
【００１７】
好ましいスペクトル拡散バンド幅は、動作する周波数バンドにより異なる。ＰＣＳのＡ、ＢまたはＣの周波数バンド（それぞれ１５ＭＨｚ幅）で動作するとき、中心周波数Ｆ１、Ｆ２、Ｆ３は、好ましくは、Ａ、ＢまたはＣの周波数バンドの下端から２.５ＭＨｚ、７.５ＭＨｚおよび１２.５ＭＨｚに位置される。
【００１８】
他方、ＰＣＳのＤ、ＥまたはＦの周波数バンドは、それぞれ、５ＭＨｚの幅であり、これは、セルラー環境で使用されるスペクトル拡散信号のための好ましい拡散バンド幅と同じバンド幅である。その結果、１つの搬送波周波数がＤ、ＥまたはＦのバンドの中心におかれ、スペクトル拡散信号が全体の使用可能な周波数を含むので、Ｎ＝１の周波数再使用ファクタが使用される。Ｎ＝１の周波数再使用パターンが使用されるので、セル間の干渉の要求される排除は、スペクトル拡散コードの直交性および／または区分されたアンテナパターンの使用により得られると考えられる。また、他の箇所で説明されるように、干渉する無線チャンネルまたは時間スロットの交換は、セル間の干渉を軽くするために使用できる。
【００１９】
ＰＣＳの未許可（免許されていない）バンド（１０ＭＨｚのバンド幅が１.２５ＭＨｚ幅の個々のチャンネルに分割される）で動作するとき、スペクトル拡散チッピングレートは、約１.２５Ｍｃｐｓに減少される。また、ＴＤＭＡバーストレート、すなわち、各ポーリングループにおけるＴＤＭＡ時間スロット（すなわちマイナーフレーム）の数は、減少されて、セル間の干渉を排除するための要求されるスペクトル拡散処理ゲインを維持する。また、未許可バンドにおける動作のために、非スペクトル拡散ＴＤＭＡ／ＴＤＤ信号変調フォーマットが提供される。
【００２０】
図３は、種々のシステム構成部分を示すネットワークアーキテクチャの図である。
【００２１】
好ましい通信システムは、オブジェクトに基づくソフトウエアアーキテクチャを基に設計され、公衆交換電話ネットワーク、ＡＩＮ、ＧＳＮ、ＩＳ−４１ネットワークインフラ構造を含む種々のネットワークへの接続における柔軟性を与える。また、通信システムがケーブルテレビ分散ネットワークとインターフェイスをとることも考慮される。しかし、そのようなインターフェイスは、交換アーキテクチャ、２方向増幅器、冗長性、および、ケーブルテレビネットワークの同軸部分を使用するため、基地局１０４からのサービスエリアを拡大するための遠隔アンテナサブシステムを、ケーブルテレビネットワークに追加することを要求する。
【００２２】
こうして、全体のシステムは、希望の用途に応じて種々の異なったネットワークとインターフェイスをとる柔軟性を与える。多様なネットへの相互接続を可能にするため、システムは、システムを構成する装置の間で必要な情報を通すための、「ノート（notes）」といわれる、ＩＳＤＮメッセージに基づく内部通信を使用する。これらの「ノート」は、ＩＳＤＮ特定プロトコル自体と混同しないように名付けられる。ネットワークメッセージ（Ｑ.９２１、Ｑ.９３１などに基づく）は、ハードウエアプラットフォームの中での効率的な動作のため、システムにより「ノート」に変換される。
【００２３】
図３において、ユーザ局１０２と通信する複数の基地局を含む好ましいシステムアーキテクチャの種々の構成装置が示される。たとえばローカルエリアデータアクセス（ＬＡＤＡ）ライン（回線）、Ｔ１ライン（回線）または部分的Ｔ１ライン（回線）、ＩＳＤＮのＢＲＩ、ケーブルテレビライン（回線）、光ファイバライン（回線）、デジタル無線、マイクロ波リンク、または個人的ライン（回線）を含む種々のリンク手段１０９のいずれかを介して、各基地局１０４は、基地局コントローラ１０５に接続できる。図３に図解されるように、複数の基地局１０４は、基地局コントローラ１０５に、まず同軸ケーブル１１１に接続され、次に同軸ケーブル１１１がファイバノード１１２で光ファイバケーブル１１３に結合されることにより接続される。光ファイバケーブル１１３は、図示されるように、基地局コントローラ１０５に結合される。
【００２４】
各基地局コントローラ１０５は、種々のネットワークリンク１０８を介して、公衆交換電話ネットワーク（ＰＳＴＮ）、個人通信システム切り換えセンター（ＰＣＳＣ）などのネットワーク１０６に接続される。このネットワークリンク１０８は、リンク手段１０６と同じ基本的輸送手段カテゴリーを含む。また、基地局コントローラ１０５は、Ｘ.２５リンク１１４を介してネットワーク１０６に接続できる。
【００２５】
また、図３のシステムは、ＬＥＣを基にしたＡＩＮアーキテクチャとコンパティブルである「インテリジェント」基地局（ＩＢＳ）１０７の使用を組み込む。ＡＩＮアーキテクチャは、基地局コントローラ１０５のインターフェイスを用いずにネットワークに直接に接続できる。したがって、インテリジェント基地局１０７は、ローカルなハンドオフと切り換えのため基地局コントローラをバイパスし、そのかわりに、これらの機能をネットワーク１０６を介しておこなう。ＡＩＮを基にしたアーキテクチャにおいて、ネットワーク構成要素の間の信号送信は、たとえばＳＳ７とＩＳ−４１を含む標準サンプリングプロトコルを用いて実行できる。
【００２６】
操作において、基地局１０４は、デジタル情報をフォーマットし、基地局コントローラ１０５に送る（または、インテリジェント基地局１０７の場合はネットワーク１０６に直接に送る）。基地局コントローラ１０５は、多重の基地局１０４から入力を集め、基地局１０４の間のハンドオフを助け、ネットワーク１０６への伝達のためチャンネル情報と信号送信情報とを変換しフォーマットする。また、基地局コントローラ１０５は、ローカルキャッシュＶＬＲデータベースを管理でき、基本的操作や、請求、監視、試験などのアドミニストレーション機能、管理機能をサポートできる。各基地局コントローラ１０５は、ネットワーク１０６の制御の下で、関連する基地局１０４のローカルな登録と認証（verification）を管理でき、基地局１０４の状態に関してネットワーク１０６に更新をおこなう。  ネットワーク１０６は、通話の伝達と出て行く通話のために基地局コントローラ１０５と接続する。ネットワーク１０６と基地局コントローラ１０５との接続は、Ｑ.９２１、Ｑ.９３１、Ｑ.９３１の変形を含む、Ｂｅｌｌｃｏｒｅの”Ｇｅｎｅｒｉｃ Ｃ”インターフェイスを利用できる。
【００２７】
インテリジェントな基地局１０７は、公衆電話交換機をへて、登録、通話伝達およびハンドオフのためＩＳＤＮメッセージを使用できる。インテリジェント基地局１０７は、基地局のすべての能力を持ち、さらに、ＢＲＩカード、追加のインテリジェンスおよびローカルなボコーディング（vocoding）を組み込む。ネットワーク１０６とインテリジェント基地局１０７との接続は、Ｑ.９２１、Ｑ.９３１、Ｑ.９３１の変形を含む、Ｂｅｌｌｃｏｒｅの”Ｇｅｎｅｒｉｃ Ｃ”インターフェイスを利用できる。
【００２８】
もしネットワーク１０６がＧＳＭネットワークであるなら、基地局１０４は、定義された”Ａ”インターフェイスと通してネットワーク１０６と接続できる。ＧＳＭの特徴と機能は、末端のユーザに透明な形で、”Ａ”インターフェイスをへて基地局１０４に通され、また基地局１０４から通される。
【００２９】
また、留意されるように、本システムは、ケーブルテレビ分散ネットワークと相互に接続できる。基地局１０４は、標準のケーブルテレビ増幅器の箱の中に取り付けられる程度まで小型化できる。インターフェイスは、アナログの遠隔アンテナシステムとデジタルトランスポート機構を用いて行える。たとえば、ケーブルテレビネットワークからのＴ１とＦＴ１のデジタルマルチプレクサ出力は、インターフェイス、および、デジタルチャンネルをトランスポートするための基本レート（ＢＲＩ）ＩＳＤＮリンクのために使用できる。
【００３０】
セル位置の診断は、基地局１０４の中にあるデジタルリンクでの制御チャンネル、または、いくつかの実行のためにダイアルアップ（dial up）モデムをとおして遠隔でおこなわれる。そのような診断は、基地局１０４の各々の構成ボードにおいておこなえる。さらに、基地局１０４と基地局コントローラ１０５は、遠隔で、監視され、要求されるように更新されたソフトウエアをダウンロードされる。
【００３１】
ユーザ局１０２は、１実施形態では、多重バンドおよび／または多重モードの棹差が可能な移動体ハンドセットからなる。ユーザ局１０２は、多重モードにおいて、スペクトル拡散通信または通常の狭い帯域の通信を行える。ユーザ局１０２は、複数の異なった周波数（許可（免許された）周波数帯域または未許可（免許されていない）周波数帯域）で動作するように設定されるという意味で多重バンドである。
【００３２】
たとえば、ユーザ局１０２は、１８５０Ｈｚと１９９０Ｈｚの間で６２５Ｈｚのステップで任意の周波数で動作するよう設定できる。こうして、各ユーザ局１０２は、２２３の周波数のいずれかで送信または受信するようにプログラムできる周波数シンセサイザを備える。しかし、もしユーザ局１０２が許可されたＰＣＳバンドでのみ動作するなら、プログラム可能な周波数のステップは、５ＭＨｚの増分であり、この場合、第１のチャンネルは、１８５２.５ＭＨｚに中心があり、次のチャンネルは、１８５７.５ＭＨｚに中心があり、以下同様である。もし１９２０ＭＨｚと１９３０ＭＨｚの間の等時性で動作するなら、第１チャンネルは１９２０.６２５ＭＨｚに中心があり、チャンネル間隔は、残りの等時性帯域で１.２５ＭＨｚである。ユーザ局１０２は、１９１０ＭＨｚ〜１９２０ＭＨｚの帯域で動作する必要が無く、この帯域は、非同期の未許可装置のためにとっておかれる。
【００３３】
ユーザ局１０２の多重バンドと多重モードについてのこれ以上の詳細は、米国特許出願第０８／１４６,４９２号（発明者であるＲｏｂｅｒｔ Ｃ. ＤｉｘｏｎとＪｅｆｆｒｅｙ Ｓ. Ｖａｎｄｅｒｐｏｏｌより１９９３年１１月１日に出願され、”ＤＵＡＬ−ＭＯＤＥ ＷＩＲＥＬＥＳＳ ＵＮＩＴ ＷＩＴＨ ＴＷＯ ＳＰＲＥＡＤ−ＳＰＥＣＴＲＵＭ ＣＯＭＭＵＮＩＣＡＴＩＯＮ”と題する出願）、米国特許出願第０８／０５９,０２１号（発明者であるＤｏｕｇｌａｓ Ｇ. Ｓｍｉｔｈ、Ｒｏｂｅｒｔ Ｃ. ＤｉｘｏｎとＪｅｆｆｒｅｙ Ｓ. Ｖａｎｄｅｒｐｏｏｌより１９９３年５月４日に出願され、”ＤＵＡＬ−ＢＡＮＤ ＳＰＲＥＡＤ−ＳＰＥＣＴＲＵＭ ＣＯＭＭＵＮＩＣＡＴＩＯＮ”と題する出願）、米国特許出願第０８／２０６,０４５号（発明者であるＲｏｂｅｒｔ Ｃ. ＤｉｘｏｎとＪｅｆｆｒｅｙ Ｓ. Ｖａｎｄｅｒｐｏｏｌより１９９４年３月１日に出願され、”ＤＵＡＬ−ＭＯＤＥ ＴＲＡＮＳＭＩＴＴＥＲ ＡＮＤ ＲＥＣＥＩＶＥＲ”と題する出願）に見いだされ、これらの出願の開示はここでの引用により本出願に組み込まれる。多重バンドと多重モードの能力により、ユーザ局は、ここに説明した種々の分散システムアーキテクチャの利点を得ることができ、ハードウエアとソフトウエアの最小の調整により種々の異なったネットワークとインターフェイスすることができる。
【００３４】
基地局１０４は、ユーザ局１０３と同様に、上述の多重バンドと多重モードの能力を備えることができる。
【００３５】
フレームフォーマットとメッセージフォーマット．
図１１は、ポーリングループにおけるフレームとメッセージのフォーマットを示す。
【００３６】
１つのセル１０３において、基地局１０４は、そのセル１０３の中のユーザ局１０２についてポーリングを行なう。基地局１０４は、一連のマイナーフレーム２０２からなるメジャーフレーム２０１を繰り返して送信する。ここでわかるように、各マイナーフレーム２０２は、１つのユーザ局１０２のためのポーリング交換からなり、各メジャーフレーム２０１は、セル１０３内のユーザ局１０２の完全なポーリング掃引（sweep）からなる。
【００３７】
好ましい実施形態では、基地局１０４は、１組の無線チャンネル２０３を用いてそのポーリング交換を実行する。各無線チャンネル２０３は、離れた伝送又は送信チャンネル（たとえばＦＭまたはＡＭの符号化のための離れた周波数バンド、スペクトル拡散符号化のための離れた拡散コード、離れた空間的位置、または、基地局１０４とユーザ局１０２の間の通信スロットの他の区間）からなる。好ましい実施形態では、基地局１０４は、１つのメジャーフレーム２０１の中での所定のシーケンスにおける個々のすべての無線チャンネルに対してポーリングをする。
【００３８】
好ましい実施形態において、基地局１０４は１つのメジャーフレーム２０１の中での個々のすべての無線チャンネルに対してポーリングをするが、しかし、本出願の精読の後で、当業者にとって明らかなように、全無線チャンネル２０３が最終的にポーリングされるなら、基地局１０４は、各ユーザ局１０２がどのマイナーフレーム２０２において応答するべきかを決定できる順序で、各メジャーフレームにおいてポーリングを無線チャンネルの１部にだけに限定することもできる。
【００３９】
各マイナーフレーム２０２は、基地局１０４による基地送信２０４、第１ギャップ２０５、ユーザ局１０２によるユーザ送信２０６（もしユーザ局１０２が応答するなら）、および、第２ギャップ２０７からなる。基地送信２０４の間に、通信経路を確立しようとするユーザ局１０２は、基地送信を受信し、無線チャンネルが使用されているか否かを決定できる。もし使用されていないならば、ユーザ局１０２は、そのユーザ送信２０６で応答できる。
【００４０】
１実施形態において、低密度の田園地帯で効率的なサービスを提供するため、より大きなセルにおいて生じるより長い１周（round trip）伝播遅延のため必要となるようにガード（guard）時間を増加することにより、セル半径は、長距離（たとえば１２キロを越える）に拡大できる。大きな半径のセルは、メジャーフレーム２０１あたりのマイナーフレーム２０２の数を（たとえば３２から２５に）少なくすることによりサポートすることができる。そのような大きなセル半径は、通常は低人口密度地帯で配置されるので、メジャーフレーム２０１あたりのマイナーフレーム２０２の数を少なくすることによるセルの受け入れ能力の減少は重大な欠点でない。
【００４１】
好ましい実施形態では、基地送信２０４は、ヘッダフィールド２０７（１６ビットの固定長）、Ｄフィールド２０８（８ビットの固定長）およびＢフィールド２０９（１６０ビットの固定長または可変長）からなる。可変長のＢフィールド２０９を用いた１実施形態において、可変長は、サポートされるべきポーリングループレートとデータレートとによって決定される。たとえば、３０チャンネルのシステムの１つの好ましい実施形態において、Ｂフィールド２０９は、１６０ビットの長さである。
【００４２】
好ましい実施形態では、ユーザ送信２０６は、基地送信２０４と同様なフィールドからなる。
【００４３】
ヘッダフィールド２０７は、発信ビット２１０を含み、この発信ビット２１０は、基地送信２０４において "１”であり、ユーザ送信２０６において "０”である。ヘッダフィールド２０７の他の部分は、基地送信２０４またはユーザ送信２０６それ自体についての情報（たとえば、基地送信２０４とユーザ送信２０６がどのような種類のメッセージからなるか）を示す。また、ヘッダフィールド２０７は、４ビットのＣＳＣコードまたはＣＲＣコード（周期的冗長コード）からなっていてもよい。
【００４４】
Ｄフィールド２０８は、通信リンクが確立された時に基地局１０４とユーザ局１０２の間で通信される制御情報からなる。この制御情報は、たとえば、ＩＳＤＮ "Ｄ”チャンネルを用いて通信される制御情報のように、一般に、基地局１０４とユーザ局１０２の間のＩＳＤＮ通信のために用いられる。Ｄフィールド２０８は、その大きなデータレートにより多くの情報転送を取り扱うＢフィールド２０９と離れているが、Ｂフィールド２０９と同時であるので、Ｄフィールド２０８は、呼び出し、通知（たとえば、音声郵便）、短いメッセージのサービス（ＧＳＭと同様）、または、他のユーザの用途に使用できる。こうして、Ｄフィールド２０８とＢフィールド２０９の同時性は、ユーザ局１０２が「使用中」であってもメッセージ機能を可能にする。
【００４５】
図２１に関して説明される、リンク拡大の間に、Ｄフィールド２０８は、また、基地局１０４と指定されたユーザ局１０２からの通信のためのユーザニックネームを含んでもよい。また、Ｂフィールド２０９は、１６ビットのそれ自体のためのＦＣＷコードまたはＣＲＣコード２１１を含んでもよい（１６０ビットの情報を併せて１７６ビット）。
【００４６】
好ましい実施形態において、３２の無線チャンネルがある。したがって、メジャーフレーム２０１は、シーケンスにおいて３２のマイナーフレーム２０２からなる。こうして、各マイナーフレーム２０２は、約３０７マイクロ秒の長さであり、各無線チャンネル２０３（ＴＤＤシステムまたはＴＤＭＡシステムにおける）は、約６６７マイクロ秒の長さであり、各メジャーフレーム２０１は約２０ミリ秒の長さである。好ましい実施形態において、無線チャンネル２０３あたり１６０ビットが伝送される。こうして、３２チャンネルのシステムは、毎秒約２５６キロビットの全体の２方向データレートを有する。他の時間値は図に示される。
【００４７】
好ましい実施形態では、情報は、３２次コードシフトキー技法を用いて６.４マイクロ秒あたり５ビットのレートで伝送される。こうして、各６.４マイクロ秒で、３２の異なったコードの中の１つが伝送され、５ビットの情報の３２の異なる可能性がある。別の好ましい実施形態では、１６の異なったコードの中の１つが、キャリヤ上の追加の位相ビット（または他の実施形態ではキャリヤ上の１より多い位相ビット）とともに、伝送され、こうして、同様に５ビットの情報の３２の異なる可能性がある。
【００４８】
１実施形態において、マイナーフレーム２０３は、マイナーフレーム２０３のより大きな部分が基地送信２０４またはユーザ送信２０６に用いられるという意味で非対称モードで動作する。いずれかの方向へ（すなわち、基地局１０４からユーザ局１０２へ、または、ユーザ局１０２から基地局１０４へ）の高速データトランスポートは、この非対称モードにおいて、肯定応答および／またはＡＲＱを用いて、あるいは、用いずに、行われる。
【００４９】
上述の非対称モードの１つのサブモードは、放送（同報送信）モードといい、本質的に全体のマイナーフレームが１方向通信に使用される。放送モードでは、１以上の放送サブチャンネルが特殊な放送識別子により同定できる。２５５までの放送チャンネルがそうして同定できる。これらの点対多点の用途において、放送フレームは肯定応答されない。
【００５０】
制御パルス
セルラー環境におけるユーザ局１０２は、好ましくは、隣のセルとの干渉を避けるため送信パワーを制御する手段を備える。固定局の環境では、アンテナ位置、パターンおよび固定局送信パワーが他の固定局との干渉を最小にするように調整される。これとは異なり、移動性のユーザ局１０２を含むセルラー環境の性質により、交差するセル境界でユーザ局の間の対立が起こり得る。これは、ユーザ局１０２におけるパワー制御の必要性を生じる。たとえば、基地局１０４のサービス境界で動作しているユーザ局１０２は、接触を保つため全パワーで送信する必要がある。他方、基地局１０４に比較的近くで動作しているユーザ局１０２は、よい接触を保つため全パワーで送信する必要がない。適切なパワー制御により、ユーザ局１０２は、隣のセル送信と不当に干渉することなく、基地局１０４との十分な接触を維持し、近くのセルでのＲＦチャンネルの再使用を可能にする。また、パワー制御は、マイクロ波固定ユーザとの干渉を減少し、携帯ユニットなどのユーザ局１０２における電池パワーを保存する。
１つの実施形態において、本発明は、各ユーザ局１０２から周期的に送信されるパワー制御パルスの使用によりパワー制御を達成する。図２１を参照してここで説明された通信リンクの確立の後で、制御パルス時間２１３と第３ギャップ２１４が、マイナーフレーム２０２の開始の前にとっておかれ、ここで、ユーザ局１０２は、制御パルス２１５を送信する。制御パルス２１５は、基地局１０４に対し、経路伝送損失とリンクの性質を指す無線チャンネル２０３のパワー測定を与える。各ユーザ局１０２は、一般に、割り当てられた（例えば、ユーザ局１０２により捕捉された）マイナーフレーム２０２において、その制御パルスを送信する。
【００５１】
制御パルス２１５は、基地局１０４により受信され、ユーザ局との間の通信リンクについての情報を決定するために基地局１０４により使用される。たとえば、基地局１０４は、パワーに応答して、制御パルス２１５のエンベロープまたは位相、ユーザ局１０２の方向または距離、および、ユーザ局１０２との通信リンクが有する雑音または多重経路エラーの程度を決定する。
【００５２】
制御パルス２１５の受信に応答して、基地局１０４は、受信信号（パワー制御パルス２１５からの受信パルスと信号雑音比または干渉比を含む）の質を決定する。次に、基地局１０４は、メッセージを送り、ユーザ局１０２に必要ならそのパワーを調整することを知らせる。受信信号の質に基づいて、基地局１０４は、基地局１０４により受信された制御パルス２１５の質が許容可能なしきい値を越えるまで、ユーザ局１０２に、その送信パワーを現在の設定値からある離散値だけ変化（増加または減少）することを命令する。
【００５３】
同様に、もし基地局１０４がユーザ局１０２のパワー設定を知っているなら、基地局１０４は、それ自体のパワーを同様に調整できる。基地局１０４は、そのパワーを各マイナーフレーム２０２について別々に調整できる。
【００５４】
基地局１０４からユーザ局１０２への好ましいパワー制御コマンドパルスは、次の表により符号化できる。
【００５５】
【表１】
0003746457.tif 000002
【００５６】
好ましい値が上記表１に与えられているけれども、パワー制御コマンドのステップの数とパワー調整の差分は、用途とシステムの仕様とに依存して変化する。
【００５７】
パワー制御はこのように望ましいが、いくつかの通常のＴＤＭＡシステムにおける１つの問題は、ポーリングループ（たとえばメジャーフレーム２０１）の長さが長すぎるので、チャンネル損失と損傷を推定するために非常に有用な最新のユーザ送信が可能でないことである。すなわち、ポーリングループ信号の待ち時間は、閉ループパワー制御を妨げることがある。しかし、上述の実施形態では、パワー制御シーケンスが比較的短い時間間隔で効果的に実行でき、これにより、閉ループパワー制御を可能にする。好ましくは、制御パルス２１５、基地送信２０４およびユーザ送信２０６の開始の送信を囲む経過時間が比較的短く保たれるので（たとえば、５００マイクロ秒すなわちメジャーフレーム２０１の時間の約２.５％以下）、システムの応答は、十分に速く、小スケールの多重経路フェーディング効果と伝播影効果を和らげる。
【００５８】
また、基地局１０４は、ユーザ局１０２からの時間遅延を測定するために制御パルスを使用し、これにより、基地局１０４からのユーザ局１０２の距離を推定する。９１１サポートのため、ユーザ局１０２は、緊急事態における粗い位置推定のため複数の基地局１０４に制御パルス２１５を与えることができる。
【００５９】
好ましい１実施形態では、基地局１０４は、ユーザ局１０２との通信リンクでの受信と送信のための複数のアンテナを備え、制御パルス２１５に応答して基地局１０４がとる決定に応答して、受信および／または送信のためのこの複数のアンテナの１つを選択する。基地局１０４は、ユーザ局１０２により送信される制御パルス２１５から最良の受信信号の質に基づいてどのアンテナを使用するかを決定する。制御パルス２１５からの最良の受信信号の質に基づいてどのアンテナを使用するかを基地局１０４が決定するので、ユーザ局１０２は、ユーザ局１０２でアンテナダイバーシティの明示の能力を持っていなくても、アンテナ選択の多様性から利益を得る。制御パルス２１５は、空間的ダイバーシティ制御が各マイナーフレーム２０２の間に更新されることを可能にする。好ましくは、基地局１０４は、ＲＦチャンネル特性がマイナーフレーム２０２の時間の中で変換しないような高速ＴＤＤ技法を使用する。
【００６０】
ユーザ局１０２のための制御パルス２１５に関連する情報は、基地局を支援するハンドオフの場合に、制御トラヒックにおける情報として１つの基地局１０４から他の基地局１０４へ転送される。
【００６１】
ここで留意されるべきことは、ここに説明されるＴＤＭＡシステムにおいて、厳格なＲＦ送信機出力パワーの制御が、ＣＤＭＡシステムにおいて共通に経験される「近-遠」問題の解決のために必要がないことである。制御パルス２１５の目的は、第１に、ユーザ局１０２において電池消費を減少することと、同じまたは隣接するＲＦチャンネルで動作している隣接するセルの間での送信の干渉を最小にすることと、近くの固定マイクロ波ユーザとの干渉を最小にすることである。  また、制御パルス２１５は、マイナーフレーム２０２の中でのＭ次データシンボルの開始を決定するための同期プリアンブルとしても役立つ。長さにおいて制御パルス２１５と同様に、基地局１０４により基地送信２０４などの間に送信されるパワー制御コマンドパルスは、ユーザ局１０２でのパワー出力レベルを調整するためのパワー制御コマンドを与えることに加えて、ユーザ局１０２で同様に同期プリアンブルとして使用される。
【００６２】
基地局出力パワー
１つの基地局１０４が多数のユーザ局１０２（たとえば６４もの多くのユーザ局）とある時間に通信する可能性があり、基地局１０４からのユーザ局１０２の距離の各々は、０近くからセル１０３の半径まで変化する。このため、各マイナーフレームの間に各ユーザ局１０２でほとんど一定の受信パワーレベルを維持するために基地局１０４の送信機のパワーを制御することは実用的でない。基地局１０４での送信機の出力パワー制御は、メジャーフレーム２０１の各マイナーフレーム２０２（たとえばそれぞれ６２５μｓ）の間に送信パワーの大きな変化（たとえば４０ｄＢより大きい）を必要とする。マイナーフレーム２０２の基礎によるマイナーフレーム２０２についてのパワー制御のための別の方法において、基地局１０４での出力パワー制御は、各マイナーフレーム２０２より長い時間間隔で平均化される。
【００６３】
アンテナ特性
本発明の１つの面において、時間分割２重（ＴＤＤ）の反復性は、アンテナダイプレクサ（diplexer）を使用せずに、基地局１０４とユーザ局１０２との双方において送信機能と受信機能のために共通の複数のアンテナを使用することを可能にする。共通のアンテナは、送信と受信の機能が各端末において時間的に分離されているので、送信と受信のために使用できる。さらに、ＴＤＤは同じＲＦ周波数を送信と受信に使用するので、チャンネル特性は、基地局１０４とユーザ局１０２の双方について本質的に同じである。
【００６４】
共通のアンテナの使用は、基地局１０４とユーザ局１０２の端末の設計を簡単化する。さらに、基地局１０４とユーザ局１０２での送信機能と受信機能のための同じＲＦ周波数とアンテナの使用は、基地局１０４の端末とユーザ局１０２の端末との間で相互の伝播経路を与える。この相互性は、基地局１０４とユーザ局１０２の間の２方向経路損失を決定するため、また、ユーザ局１０２から受信しユーザ局１０２へ送信するために基地局１０４のどの空間ダイバーシティアンテナを使用するかを決定するため、基地局１０４がユーザ局１０２により送信された制御パルス２１５のチャンネル音声（sounding）を使用することを可能にする。
【００６５】
用途の種類に依存して、異なった種類のアンテナが基地局１０４で使用できる。低密度の郊外または田園地帯での用途では、全指向性アンテナが最小の基地局１０４で最大のサービス範囲を提供するために使用される。たとえば、約９ｄＢの垂直方向又は縦方向（vertical）ゲインを有する全指向性アンテナが使用できる。この９ｄＢのゲインは、全指向性水平パターンでさえ比較的大きな半径のセルを可能にする。
【００６６】
郊外と低密度の都市地帯では、１２０゜のアジマスビーム幅と９ｄＢの縦ゲインの指向性アンテナが基地局１０４で使用でき、セル１０３は３部分に区分でき、各区分が、十分な負荷のユーザ局１０２（たとえば３２の全２重ユーザ局１０２）を収容する。
【００６７】
また、ＴＤＤの使用は、高ゲインと高指向性のアンテナを要求する用途について基地局１０４での単独の操作される位相アレイアンテナの使用を可能にする。対照的に、ＣＤＭＡシステムとＦＤＭＡシステムにおける同様な使用は、セル１０３内での各ユーザ局１０２に対して同時に操作されるビームを必要とするので、より複雑になり、より費用を要する。
【００６８】
例えば、単一の基地局が広くて人のまばらな地域をカバーできるようにするために、水平の指向性が２０ｄＢまでの所定方向に向けられたアレイアンテナを使用することができる。このようなアンテナは、各マイナーフレーム２０２でセル１０３内の各ユーザ局に順次向けられる。送信と受信の双方に対し同一のアンテナを使用してもよく、既述のように、前方向および逆方向の相互的なリンク伝達特性が得られる。所定方向に向けられたアレイアンテナは、そのビーム経路内の建物や他の障害物から反射される高レベルの遅延クラッタ信号(clutter signal)がユーザ局１０２から受信された信号と干渉しないようにするために、円偏波を利用してもよい。反射された信号は、通常、偏波が反転するため、円偏波アンテナに拒絶される。また、このような高利得の指向性アンテナは、そのアンテナの主ビームの外側から到着するマルチパス成分を拒絶することにより、厳しいマルチパス環境で遅延拡散(delay spread)を低減する、ということに注意すべきである。
【００６９】
一つの実施形態では、ユーザ局１０２は、直線偏波アンテナであってそのアンテナの軸に対して垂直な全方向パターンで２ｄＢの利得が得られる半波長のダイポールアンテナを使用する。1900ＭＨｚの公称周波数において、半波長は約３インチであって、これはハンドセットの外囲器(handset envelop)内によく適合する。
【００７０】
メッセージタイプとプロトコル．
図２１は、メッセージタイプとそれらのメッセージタイプを使用するプロトコルを示している。
【００７１】
好ましい実施形態では、メッセージ（基地送信２０４およびユーザ送信２０６）は３つのタイプ、すなわち一般ポーリングメッセージ３０１、特別ポーリングメッセージ３０２および情報メッセージ３０３のうちの一つである。メッセージがユーザ局１０２から送信されるとき、それは「応答」、例えば、一般ポーリング応答３０４、特別ポーリング応答３０５、および情報応答３０６と呼ばれる。
【００７２】
ユーザ局によるリンクの開始
ユーザ局１０２は、一連のハンドシェーキングのステップにより基地局を「捕捉する」ことができる。一般ポーリングステップ３０７において、基地局１０４は、一般ポーリングメッセージ３０１を無線チャンネル３０２にマイナーフレーム２０２の一部として送出することができる。ユーザ局１０２は、その一般ポーリングメッセージ３０１を受信し、エラー無しで受信した場合かつその場合に限り、一般ポーリング応答３０４を同一の無線チャンネル２０３に送出する。その一般ポーリングメッセージ３０１は、基地ＩＤ３０８を有し、このＩＤは３２ビット長としてユーザ局１０２によって記録することができる。同様に、一般ポーリング応答３０４はユーザＩＤ３０９を有し、このＩＤは３２ビット長として基地局１０４によって記録することができる。この中で述べたように、基地局ＩＤ３０８はハンドオフの間使用することができる。
【００７３】
一般ポーリング応答３０４を受信すると、特別ポーリングステップ３１０において、基地局１０４は、特別ポーリングメッセージ３０２を送信することができ、このメッセージは、基地局１０４により一般ポーリング応答３０４の一部として受信されたユーザＩＤ３０９を有している。この特別ポーリングメッセージ３０２は、ユーザ局１０２がそれを見つけることができる限り、一般ポーリングメッセージ３０１と同一の無線チャンネル２０３に送出してもよいし、他の無線チャンネル２０３に送出してもよい。
【００７４】
ユーザ局１０２はその特定のユーザＩＤを求めて全ての無線チャンネルを監視する。ユーザ局１０２は特別ポーリングメッセージ３０２を受信し、それがエラー無しに同一のＩＤ３０９とともに受信された場合にかつその場合に限り、その特別ポーリング応答３０５を同一の無線チャンネル２０３に送出する。この特別ポーリング応答３０５は、一般ポーリング応答３０４と同一のユーザＩＤ３０９を有している。
【００７５】
しかし、好ましい実施形態において、特別ポーリングメッセージ３０２を冗長であるとして除去してもよい。したがって、そのユーザ局１０２は、一般ポーリング応答３０４に続けて特別ポーリング応答３０５を選ばれた無線チャンネル２０３に送出してもよい。この無線チャンネル２０３は、一般ポーリングメッセージ３０１の情報フィールド２０９の一部において基地局１０４により指定されてもよいし、一般ポーリング応答３０４の情報フィールド２０９の一部においてユーザ局１０２により指定されてもよいし、空いている無線チャンネル２０３に応じてユーザ局１０２により選択されてもよい（例えば、ユーザ局１０２が空いている無線チャンネル２０３を補足してもよい）。これら三つの選択枝のうち最後のものを発明者は好ましいと考えている。
【００７６】
一般ポーリング応答３０４のユーザＩＤと一致するユーザＩＤ３０９を有する特別ポーリング応答３０５を受信すると、リンク確立ステップ３１１において、基地局１０４が情報メッセージ３０３を送信する。このとき、その基地局１０４およびユーザ局１０２は、指定された無線チャンネル上に、通常はその基地局１０４により最初にポーリングされた無線チャンネル２０３上に、通信リンク３１２を確立するが、異なる無線チャンネル２０３上に確立することもある。その基地局１０４は電話回線をその無線チャンネルに接続し、そのユーザ局１０２は電話回線網上で正規の動作を開始することができる（例えば、そのユーザ局１０２が発信音(dial tone)を受信し、番号を回し、電話接続を行い、他の電話操作を実行する)。その基地局１０４とユーザ局１０２は、通信リンクが自発的に終了させられるまで、障害のある通信によりそのユーザ局１０２が基地局１０４を再度捕捉するように促されるまで、または、他の基地局１０４に対するそのユーザ局１０２のハンドオフまで、情報メッセージ３０３および情報応答３０６を交換することができる。
【００７７】
仮に一つ以上のユーザ局１０２が同一のマイナーフレーム２０２内の一般ポーリングメッセージ３０１に応答すれば、用心深いことにその基地局１０４は応答しない。この基地局１０４からの応答の欠如により、関係するユーザ局１０２は、その一般ポーリングメッセージ３０１および一般ポーリング応答３０４を使用して同一の基地局１０４の捕捉を試みる前に、計算された時間間隔だけバックオフする(back off)ように合図される。このバックオフ・タイム(back-off time)はそのユーザＩＤ３０９に基づくようにすることができ、これにより、各ユーザ局１０２は異なる時間長だけ後退して将来の衝突を防止する。
【００７８】
一つの実施形態では、一般ポーリングメッセージは、基地局１０４により、現時点で空いている一つ以上の無線チャンネル２０３に送出される。したがって、当初は、この基地局１０４のパワーアップの際に、無線チャンネル２０３の全てに対するその基地送信は一般ポーリングメッセージ３０１を含んでいる。
【００７９】
基地局によるリンクの開始
着呼ステップ３１３において、着信電話呼が基地局１０４で受信されると、その基地局１０４は、指示された受信ユーザ局１０２のユーザＩＤ３０９とともに特別ポーリングメッセージ３０２を（その一般ポーリングメッセージ３０１およびその一般ポーリング応答３０４を省いて）使用可能な無線チャンネル２０３に送出する。
【００８０】
各ユーザ局１０２は、その特別ポーリングメッセージ３０２を送信されてから予め決められた時間内に受信するために、その特別ポーリングメッセージ３０２を受け取ろうとして各無線チャンネル２０３を繰り返し受信監視する。このようにして、各ユーザ局１０２は、その特別ポーリングメッセージ３０２を受け取るべく受信監視するために順々に各無線チャンネル２０３に対し周期的に受信を行う。  その特別ポーリングメッセージ３０２が受信されると、そのユーザ局１０２は、このメッセージ内のユーザＩＤ３０９をそれ自身のユーザＩＤと比較し、それらが一致すればリンク確立ステップ３１１を続行する。このようにして基地局１０４は、通信範囲内のいずれのユーザ局１０２とも通信リンク３１２を確立することができる。
【００８１】
リンクの拡張と縮小
基地局１０４とユーザ局１０２の間でのデータ伝送レートは、その通信リンクが持続期間中、拡張または縮小してもよい。
【００８２】
一つの実施形態では、基地局１０４は、メジャーフレーム２０１の間ずっと多重情報メッセージ(multiple information message)をそのユーザ局１０２に送信することによりデータ伝送レートを増大させ、本質的に多重マイナーフレーム２０２を単一のユーザ局１０２に割り当てる。これらのより高いデータレートは、「超レート(super rate)」としても知られており、目標とされる情報メッセージ３０３によって実現される。目標とされる情報メッセージ３０３において、その基地局１０４は、Ｄフィールド２０８内のユーザニックネーム２１２を、指定されたユーザ局１０２へ送信されるべきＢフィールド２０９内の情報とともに送信することができる。そのユーザ局１０２は、それに割り当てられたユーザニックネーム２１２を検出すると、その目標とされるメッセージ３０３を受信する。
【００８３】
好ましい実施形態では、ユーザニックネーム２１２は、基地局１０４によりユーザ局１０２へ特別ポーリングメッセージ３０２に入れて送信される。特別ポーリングメッセージ３０２が冗長であるとして除去されている実施形態では、ユーザニックネーム２１２は、基地局１０４によりユーザ局１０２へヘッダフィールド２０７の指定ビットに入れてビットシリアルに送信される。
【００８４】
データ伝送レートは、特定のユーザ局１０２に割り当てられているマイナーフレーム２０２の数に関係するため、例えば８kbpsのステップ幅で増大する。その基地局の全帯域幅まで−−すなわち、３２個の全二重スロットすなわち256kbps（全二重）まで−−単一のユーザ局１０２に割り当て可能と考えられている。
【００８５】
また本発明は、他の態様において基本レートよりも低いデータレートをも提供する（すなわち、メジャーフレーム２０１当たり１つのマイナーフレーム２０２よりも低いつまり８kbpsよりも低い）。このより低いデータレートは、周期的にメジャーフレーム２０１を省くことにより達成される。このようにして、４kbpsや２kbps等というようなデータレートを提供することができる。一つの実施形態では、連続する２４個までのメジャーフレームが省略可能であり、320kbpsという最小データレートが効率よく（すなわち、レート適応化(rate adaptation)を使用せずに)得られる。中間レートまたは更に低いレートは、レート適応を使用することにより得ることができる。
【００８６】
要求あり次第に可変のデータレートを提供する能力は、前述の所定のマイナーフレーム２０２における非対称モードの利用の可能性を含んでおり、幅の広いデータの列、ビデオ、マルチメディア、および放送の用途に対して、効率的で柔軟性のあるデータ路(data conduit)を提供する。例えば、各マイナーフレーム２０２は、マイナーフレーム２０２の期間の過半数が基地送信２０４またはユーザ送信２０６のいずれかに割り当てられる構成が可能であり、または、マイナーフレーム２０２の期間の半分が基地送信２０４およびユーザ送信２０６の双方に割り当てられる対称的な配分の構成が可能である。通常、音声トラフィックは、リンクのいずれのエンドも音声トラフィックを送出できるように対称的な配分を使用している。しかし、データ交換では、通常、一つの方向により多くのデータが送出され、他の方向にはより少ないデータが送出される。例えば、ファックスのデータがユーザ局１０２へ送られている場合、基地送信２０４用のより高いデータレートが有利である。そして、そのデータレートは、説明された構成で対応可能である。更に高いデータレートの用途に対しても、特定の基地局１０４またはユーザ局１０２に単一のメジャーフレーム２０１内における多重マイナーフレーム２０２を割り当てることができる。これらのより高いデータレートのモードは、例えば、強化された音声品質、ビデオデータまたは放送データの用途に対応することができる。
【００８７】
ハンドオフおよびネットワークの保持
一旦、基地局１０４およびユーザ局１０２が通信リンク３１２を確立すると、その確立ステップ３１１の間、ユーザ局１０２は、同一の無線チャンネル２０３または特定の多重無線チャンネル２０３において、全ての情報メッセージ３０３を受信することができ、かつ、全ての情報応答３０６を送出することができる。この構成は、そのメジャーフレーム２０１の残りは他の活動(activities)のためにフリーの状態にしておく。好ましい実施形態では、このような一つの活動は、一つの基地局１０４から他の基地局１０４へのハンドオフを容易にするために、他の基地局１０４に問い合わせを行い、近傍の基地局１０４におけるリンク品質およびチャンネル利用可能度のようなネットワーク情報を保持することである。
【００８８】
好ましい実施形態では、基地局１０４は、ネットワーク情報を一般ポーリングメッセージ３０１および特別ポーリングメッセージ３０２の一部として、チャンネル利用フィールド(channel utilization field)３１４に入れて又は別の方法で送信する。このネットワーク情報は、例えば、近傍の基地局の識別情報、近傍の特定基地局および／または現時点の基地局における空きチャンネルの識別情報または相対量、近傍基地局および／または現時点の基地局に対するリンク品質、ならびに、近傍基地局によって使用される周波数およびスペクトル拡散コードセットを含む。
【００８９】
ネットワーク保持ステップ３１５において、ユーザ局１０２は、近傍の基地局１０４からの一般ポーリングメッセージ３０１および特別ポーリングメッセージ３０２を受信するために、そのユーザ局１０２によって現在使用されている無線チャンネル以外の一つまたは複数の異なる無線チャンネル２０３について受信監視を行う。このユーザ局１０２は、その指定された無線チャンネル２０３で現在の基地局１０４と通信を続け、その基地局１０４からの情報メッセージ３０３に対し必要な応答を行う。しかし、ハンドオフ手続きが下記のように開始されなければ、そのユーザ局１０２は、他の近傍基地局１０４に応答する送信は行わず、したがってそれらの基地局１０４の無線チャンネル２０３を占有しない。
【００９０】
このシステムは、シームレス(seamless)で検出不能のハンドオフのための「切断の前に行われる(make before break)」ハンドオフ、または、新しい接続が確立される前に基地局１０４との全ての通信が維持できなくなる緊急状態における「ハンドオフの前に切断が行われる(break before make)」ハンドオフのいずれかを実行することができる、と考えられている。
【００９１】
「切断の前に行われる」ハンドオフにおいて、基地局１０４とユーザ局１０２との間の通信リンク３１２に障害が多すぎる場合は、そのユーザ局１０２は、それの現時点の基地局１０４を捕捉するのと同様にして近傍基地局１０４のうちの一つを捕捉してもよい。このようなハンドオフ手続きを図１乃至図２３を参照して更に説明する。
【００９２】
図１乃至図２３において、現時点のまたは元の基地局４０５と現時点で通信しているユーザ局１０２は、例えば共通の基地局コントローラ４０７につながれた第１の端末基地局４１０または異なる基地局コントローラ４０８につながれた第２の端末基地局４０６のような異なる基地局１０４に、通信を移すことが望ましいと判定したものとする。第１の端末基地局４１０に対するハンドオフは「イントラ・クラスタ(intra-cluster)」ハンドオフ（クラスタ内ハンドオフ）と呼ばれ、一方、第２の端末基地局４０６に対するハンドオフは「インター・クラスタ(inter-cluster)」ハンドオフ（クラスタ間ハンドオフ）と呼ばれる。以下の説明は第１の端末基地局４１０に対するイントラ・クラスタのハンドオフに焦点を合わせているが、ステップの多くは、インター・クラスタのハンドオフと同様であり、イントラ・クラスのハンドオフとインター・クラスタのハンドオフとの間の顕著な相違点が必要に応じて言及される。
【００９３】
一般に、ハンドオフが適切であるとユーザ局１０２が判断すると、そのユーザ局１０２は、新しいまたは端末の基地局４１０における無線チャンネルを捕捉し、現時点の基地局４０５につながれた基地局コントローラ４０７に通知することにより、着信電話回線を現時点の基地局４０５から新しい基地局４１０へと切り換える。
【００９４】
更に正確に言えば、ユーザ局１０２における受信信号レベルが許容レベルよりも低下すると、ハンドオフ手続きが開始される。そのユーザ局１０２がベアラトラフィック(bearer traffic)をその発信基地局(originating base station)４０５から受信する間に、そのユーザ局１０２はその通信リンク３１２の受信信号品質（例えば、ＲＳＳＩ）を測定する。受信信号品質の値は、現時点のフレームエラー率およびエラーのタイプの測定とともに、全般的なリンク品質を決定する。全般的なリンク品質が第１の閾値（測定閾値）よりも低下すると、そのユーザ局１０２は使用可能な無線チャンネル２０３（すなわち、タイムスロット）を探し始め、まず発信基地局１０４から、次に（適切な周波数とスペクトル拡散コードを使用して）隣接または近傍セル１０３の近接基地局１０４から探す。既述のように、ユーザ局１０２は、隣接基地局１０４の識別に関する情報（スペクトル拡散コードセットおよび周波数を含む）を、トラフィックモードにおいてそのユーザ局１０２にその情報をダウンロードすることにより又はその他の方法により、発信基地局４０５から獲得している。
【００９５】
ユーザ局１０２は、適切な周波数および／またはスペクトル拡散コードセットを使用して可能な新しい無線チャンネル２０３を走査しながら、受信信号品質を測定して記録する。ユーザ局１０２は、全ての基地送信２０４において運ばれるフィールドを読み取り、そのフィールドはその基地局１０４における現時点のタイムスロットの利用を記述している。ユーザ局１０２は、これら二つの情報を使用することにより、発信基地局４０５を含めて、新しい基地局信号の性能指数を作成し、次に、基地局１０４を性能指数により整列させる。この手続きにより、ユーザ局１０２は発信基地局４０５および他の近傍基地局１０４の双方のための利用可能な無線チャンネル２０３の品質を評価できるようになる。
【００９６】
発信基地局４０５のための一つの無線チャンネル２０３（または、場合に応じて複数の無線チャンネル２０３）が隣接または近傍セル１０３におけるいずれの基地局１０４の品質よりも良好な品質を有している場合、以前にそのユーザ局１０２によって使用されているものとは異なる無線チャンネル２０３における発信基地局４０５へのリンクを維持するタイムスロット交換(time slot interchange)（ＴＳＩ）ハンドオフが検討される。
【００９７】
そのリンク品質が第２の閾値レベルよりも低下すれば、ユーザ局１０２は、（非ベアラタイムスロットの間）最高の性能指数を有する基地局１０４からハンドオフ（これは発信基地局４０５についてのハンドオフかもしれない）を要求する。このハンドオフの要求は、無線チャンネル２０３を捕捉し、ハンドオフ・メッセージ・リクエストを送信し、その新しい基地局４１０から肯定応答を待つことにより行われる。このハンドオフを知らせるメッセージは、発信基地局４０５をネットワークに接続する回線の記述を有しており、この記述は呼確立時にユーザ局１０２に渡される。新しい基地局１０４が（肯定応答をすることにより）ハンドオフ・リクエストを受理すれば、その新しい基地局１０４は端末基地局４１０となる。ユーザ局１０２は、このハンドオフ手続きの間において、少なくとも新しい無線チャンネル２０３が捕捉されるまでは、その発信基地局４０５との発信無線チャンネル２０３接続を維持する、ということに注意されたい。
【００９８】
イントラ・クラスタのハンドオフを完了させるために、ハンドオフステップ３１６においてユーザ局１０２は、新しい基地局４１０に古い基地局４０５の基地ＩＤ３０８を送信する。そのとき、この古い基地局４０５および新しい基地局４１０は、通信中のいずれの電話呼の処理を転送してもよい。
【００９９】
更に正確に言えば、その端末基地局４１０は、（前述の）の「ノート(note)」という形式のメッセージをその基地局コントローラ４０７に送信し、元の回線の発信基地局４０５から端末基地局４１０への切り換えを要求する。基地局コントローラ４０７が発信基地局４０５および端末基地局４１０の双方に共通の場合、ハンドオフはイントラ・クラスタ・イベントと呼ばれ、その基地局コントローラ４０７は発信基地局４０５から端末基地局４１０へと回線の橋渡しをする。その後、基地局コントローラ４０７は回線切換完了ノートを発信基地局４０５へ送信し、端末基地局４１０へも送信し、後者にはそのハンドオフ処理の続行を命じる。
【０１００】
インター・クラスタ・ハンドオフの場合、基地局コントローラ４０８は発信基地局１０４および端末基地局４０６の双方には共通ではない。これらのタイプのハンドオフに対しては、イントラ・クラスタ・ハンドオフにおけるように、端末基地局４０６がノート形式のメッセージをその基地局コントローラ４０８に送信し、元の回線の発信基地局４０５から端末基地局４０６への切り換えを要求する。基地局コントローラ４０８は、そのハンドオフ・ノートをネットワーク・ホスト４０９（例えば、ＰＣＳＣ）の信号方式言語(signaling language)に翻訳し、ネットワークレベルでインター・クラスタ・ハンドオフを要求する。
【０１０１】
いくつかのネットワークにおいて、ホストネットワーク４０９は、終端基地局コントローラ(terminating base station controller)４０８からのハンドオフ・リクエストを受理することができず、この場合、中間ステップが使用される。このハンドオフ・リクエストは、Ｘ.２５リンクを経て、発信基地局４０５に接続された基地局コントローラ４０７に送ることができる。その後、発信基地局コントローラ４０７は、そのハンドオフ・リクエストを翻訳し、それをネットワークホスト４０９へと中継する。ネットワークホスト４０９は、発信基地局コントローラ４０７に対し回線切換の肯定応答を行い、その後、そのコントローラ４０７は回線切換完了ノートを端末基地局４０６に送信する。
【０１０２】
端末基地局４０６が回線切換完了ノートを受信すると、その端末基地局４０６は特別ポーリングでユーザ局１０２の呼び出しを開始し、発信基地局４０５はユーザ局１０２に端末基地局４０６へ移るように合図する。ユーザ局１０２がその合図を受け取って端末基地局４０６へ移るか、または、リンクがハンドオフ処理の間に失われると、ユーザ局１０２は、端末基地局４０６に切り換わって特別ポーリングメッセージを探す。ユーザ局１０２が特別ポーリングメッセージを受信すると、そのユーザ局１０２は端末基地局４０６への接続を終了させ、ハンドオフ手続きが終了する。
【０１０３】
仮にユーザ局１０２と発信基地局４０５または終端基地局４０６との間のリンクがいずれかの時点で完全に切断された場合には、ユーザ局１０２は、可能なハンドオフのリスト上で最も品質の高い基地局１０４を探し、その以前の基地局４０５と通信することなくハンドオフを試みる。この能力により、ユーザ局１０２は、正規のハンドオフ手続きが完了可能となる前に元のリンクが切断されるような状態から回復できるようになる。
【０１０４】
イントラ・クラスタのハンドオフは、ベアラチャンネル・トラフィックの再確立を含めて、通常、１０ミリ秒以下から４０ミリ秒までの時間を要する。正常な状態ではハンドオフの時間は一つのポーリングループの間隔よりも短いため、ベアラパケットは割り込みなしでユーザ局１０２まで続く。インター・クラスタのハンドオフの時間は、ホストネットワーク４０９に固有の遅延に部分的に依存し、必ずしも容易には予測できない。
【０１０５】
上述の「移動体指向の」または「移動体中心の」技法のユニークな点は、ユーザ局１０２がセル間のハンドオフについて決定し、一旦代わりの基地局１０４が捕捉されると、基地局コントローラまたはネットワークに回線切換を行うように指示する、ということである。この手法は、ＡＭＰＳや、ＩＳ−５４セルラ、ＧＭＳのようなシステムにおいて使用されているような「ネットワーク指向の」または「ネットワーク中心の」手法とは全く異なるものである。また、移動体中心の手法は、いわゆる「移動体援用ハンドオフ(Mobile Assisted Handoff」（ＭＡＨＯ）とも大きく異なっており、この移動体援用ハンドオフでは、ネットワークが情報を収集してハンドオフ機能の全てまたは大部分を指示し、これにより、ユーザ局１０２を、主に、ハンドオフを依然として指示するネットワークについての付加的な聴音部署(listening post)として利用する。したがって、ＭＡＨＯ技法は、通常、基地局と基地局コントローラと交換機との間で多くの信号伝送およびメッセージ伝送を必要とし、これにより、ハンドオフはここで説明された移動体中心の技法の場合よりも格段に長い時間を要するようになる。
【０１０６】
この移動体中心の手法の大きな利点は、直径が1000フィート未満から20マイルまでの範囲のセルのような極めて小さいまたは極めて大きいセルにおいても、移動体速度のハンドオフ(mobile speed handoffs)（例えば、65MPH）をこの手法は許容できる、ということである。
【０１０７】
また、このシステムは「ハンドオフの前に切断が行われる」というタイプのハンドオフをも実行できる。「ハンドオフの前に切断が行われる」ハンドオフは、突然のシャドウイング(shadowing)が生じる状況、例えば、密集した市街地の高い垂直高の地域においてすばやく角を曲がるときに生じるような、セル範囲の限界近くの厳しい信号遮断（４０ｄＢの低下）により現時点の基地局４０５との接続が失われるときのような状況において、特徴が表れる。このような状況では、ユーザ局１０２は、近傍の利用可能な基地局について前もって作成された「優先度リスト」をチェックして、おそらく新しい周波数および／または新しいタイムスロットで新しい基地局１０４と交信を確立しようとする。ユーザ局１０２は、その制御ロジックの一部として、二重接続が完全に再確立される前に呼の分解(call tear down)が生じるのを防止する「持続(persistence)」パラメタを有することができる。
【０１０８】
真の「困難なハンドオフ(hard handoff)」問題（すなわち、失われた無線チャンネル）は、多くの場合、ユーザ局１０２の能力によって極めて速く処理され、これにより、リンクが失われたときにユーザ局１０２にとって利用可能な情報がないときであっても、発信基地局４０５を再捕捉するか、または、異なる基地局１０４を極めて速く捕捉する。このような緊急の、「ハンドオフの前に切断が行われる」ハンドオフの状況においても、ハンドオフは、通常、１６から２５０ミリ秒の短い時間で達成可能である。これに対し、従来のセルラのアーキテクチャにおいてリンクが完全に失われると、「脱落呼(dropped call)」が生じる。
【０１０９】
ハンドオフの間に生じる一つの問題は、例えば、二つの競合する基地局１０４からの受信信号の測定品質が極めて近いか、または、競合する基地局１０４からの信号の相対的な測定信号品質における変化の速い偏移が環境の影響により引き起こされる期間において、２以上の基地局１０４の間での切り換えが繰り返し試みられる、という状況である。競合する基地局１０４の間での繰り返される切り換えは「スラッシング(thrashing)」と呼ばれることがあり、ネットワークの容量を余分に消費するという望ましくない影響を与える。スラッシングの影響を低減するために、ユーザ局１０２により複数の基地局１０４からのヒステリシス測定を行うことができ、これにより、新しい基地局１０４からの信号の品質が発信基地局４０５の信号の品質を予め決められたマージンだけ越えるまでハンドオフが生じないようにする。このようにして、ネットワークにおける重要な無線チャンネルの資源を失わないようにすることができる。
【０１１０】
まれな場合において、セル１０３が異なるが周波数が同一であるマイナーフレーム２０２における二つのユーザ局１０２が、空間的分離およびコードの分離がビット誤りを防止するのに不十分である伝搬特性に遭遇することがあり、その結果、ユーザ局１０２はそのＲＦリンクの劣化を被り始めるようになる。このような場合、タイムスロット交換（ＴＳＩ）を行うことができ、このＴＳＩにおいて、衝突するユーザ局１０２の一つまたは双方にそれぞれのメジャーフレーム２０１内の異なるマイナーフレーム２０２を割り当てて更なる衝突を解消する。このような手続きは、次のような動的なチャンネル割り当てと等価な時間領域と考えることができる。すなわち、このシステムが、空いている無線チャンネル２０３をユーザ局１０２に割り当てるか、または、そのユーザ局１０２のマイナーフレーム２０２を、地理的に混信から免れている同一セル１０３内の他のユーザ局１０２のマイナーフレームと交換するような、動的なチャンネル割り当てである。
【０１１１】
セキュリティとエラー処理
本発明のプロトコルは、いくつかの方法でエラーから通信を保護する。すなわち、プロトコルのハンドシェーキング、ユーザＩＤの確認、および、基地局の再捕捉による同期である。ハンドシェーキング、確認、および同期は、基地局１０４およびユーザ局１０２の双方を他の任意の無線チャンネルにおける通信中の電話呼の受信から保護する。
【０１１２】
一般ポーリングステップ３０７および特別ポーリングステップ３１０によって提供されるハンドシェーキングは、適切なヘッダを有する適切なメッセージが送信されて受信され、かつそれが適切な順序で行われることを要求する。各メッセージにおいて、ヘッダフィールド２０７（１６ビット）は、ＣＲＣコード２１１（４ビット）によって保護される。すなわち、ヘッダフィールド２０７またはＣＲＣコード２１１におけるエラーは、エラーを指摘し、このプロトコルに一般ポーリングステップ３０７でハンドシェーキングを再開させる。
【０１１３】
ユーザＩＤは２回確認される。すなわち、基地局１０４によって１回、およびユーザ局１０２によって１回確認される。一般ポーリングメッセージ３０１および特別ポーリングメッセージ３０２において、ユーザＩＤ３０９は、ヘッダフィールド２０７に対するＣＲＣコード２１１と同様にして、ＣＲＣコード２１１（１６ビット）により保護されている。ユーザＩＤ３０９またはＣＲＣコード２１１におけるエラーにより、このプロトコルは一般ポーリングステップ３０７でハンドシェーキングを再開する。
【０１１４】
リンク確立ステップ３１１において、送信または受信に割り込み行われたときであっても、基地局１０４およびユーザ局１０２はドリフト(drift)および／または脱同期(desynchronization)から保護される。エラー率に対する閾値を越えると、基地局１０４およびユーザ局１０２は、それぞれ独立に、情報メッセージ３０３および情報応答３０６でのデータの送信を停止させ、再同期のために特別ポーリングステップ３１０に戻る。特別ポーリングメッセージが冗長であるとして削除されている実施形態では、基地局１０４およびユーザ局１０２はヘッダフィールド２０７内の指定ビットにより再同期を決定することができる。
【０１１５】
特別ポーリングステップ３１０では、基地局１０４が特別ポーリングメッセージ３０２を送信し、ユーザ局１０２が、メジャーフレーム２０１を調べて、それ自身のユーザＩＤ３０９に一致するユーザＩＤ３０９を持つ特別ポーリングメッセージを探す。このハンドシェーキングが成功した後、基地局１０４およびユーザ局１０２は、リンク確立ステップ３１１へ戻り、情報メッセージ３０３および情報応答３０６の送信および受信を続行する。
【０１１６】
脱同期から復帰するためのこの技法も「基地局の再捕捉」と呼ばれ、これは、基地局１０４およびユーザ局１０２の双方が通信の再開される前にユーザＩＤ３０９を独立に再確認する、という利点を有している。これにより、基地局１０４およびユーザ局１０２は同期した状態であって、合意された無線チャンネル２０３でのみ通信する、ということが保証される。仮に基地局１０４およびユーザ局１０２が通信リンクを再確立することができなければ、その電話呼は基地局１０４によって終了させられる。
【０１１７】
リンク確立ステップ３１１では、基地局１０４は、また、ユーザＩＤ３０９を情報メッセージ３０３のＤフィールド２０８に入れて送信する。ユーザ局１０２は、基地局１０４およびユーザ局１０２が、それぞれ、適切な無線チャンネル２０３で通信していることを保証するために、ユーザＩＤ３０９をチェックする。このユーザＩＤ３０９が一致しない場合は、上述のように、特別ポーリングステップ３１０へ戻って基地局１０４を再捕捉する。
【０１１８】
プロトコルの柔軟性
上述のプロトコルでは少数の独自のメッセージにより柔軟性が得られる。このプロトコルは、許容される、ポーリング・ループの長さおよび無線チャンネルの数の変化には影響を受けない。したがって、同時使用のユーザの数は、音声圧縮およびデータレートの制約に影響されるが、プロトコルには影響されない。また、このプロトコルでは、与えられた地域におけるユーザ局の数が無制限となるが、同時に存在する呼の数が無線チャンネルの数を越えることができないことが規定されている。基地局の数が無制限となるようにも対応されており、これにより、基地局の配置(base station geography)が利用可能な周波数およびエリア範囲の関数となっており、プロトコルの関数ではない。通信障害が存在する場合に代替の基地局に対して問い合わせおよび捕捉を行う能力は、エリア範囲内の基地局へ呼を送るために基地局ハンドオフを使用できるマイクロセルのネットワークを拡大させる。
【０１１９】
システムの同期
システムの処理能力(system throughput capacity)を最大にするために、地理的領域内の全ての基地局１０４に対するＴＤＭＡフレームの時間は、指定された許容誤差内で同期がとられることが好ましい。例えば、一実施形態では、全ての基地局１０４は６マイクロ秒内で同一フレームの間に送信を開始する。
【０１２０】
Ｔ１、ＩＳＤＮ  ＢＲＩ、またはＰＲＩのようなデジタルネットワークのバックホールシステム(digital network backhaul system)における主要データ・タイミングの標準(primary data timing standard)は、公衆交換回線電話網（ＰＳＴＮ）のタイミングの標準である。データ・プレセッション（データ伝送）がオーバランまたはアンダーランとなるのを防止するために、このようなシステムにおける全ての基地局コントローラ１０５および基地局１０４は、ＰＳＴＮタイミングの標準に対して同期がとられる。
【０１２１】
このシステムのレベルで、ＴＤＭＡフレームのタイミング用の主要基準タイミコントローラ１０５（およびオプションとして各基地局１０４）においてＧＰＳ受信機が使用される。このマーカは１秒毎に基地局コントローラ１０５において捕捉され、結合されている基地局１０４に送信される。基地局コントローラは、隣接セル１０３と干渉する可能性のある所定のセル１０３の任意のメジャーフレーム２０１またはマイナーフレーム２０２を一時的に止めてもよい。
【０１２２】
各基地局１０４は、そのセルまたはセクタに対し基本ＴＤＭＡループタイミング構造(basic TDMA loop timing structure)を提供する。前述のように、コントロールパルス２１５またはパワー制御コマンドの形式での同期プリアンブル(sychronization preamble)が、ユーザ局１０２および基地局１０４により、それぞれ、各マイナーフレーム２０２の冒頭において送信される。４８チップの長さのコード列から成る適正なプリアンブルが受信されると、特定のプリアンブルに合ったデジタル相関器（すなわち、整合フィルタ）が極めて短い（例えば、２チップの期間すなわち400ナノ秒の）内部同期パルスを発生させる。その後、この内部同期パルスは、多重符号(M-ary)シンボルの検出処理の開始に同期させるために使用することができる。
【０１２３】
ＪＴＣへの提案書の抜粋
直後の節は、米国における無線アクセスに関する連合技術委員会(Joint Technical Committee on Wireless Access)に提出された規格提案書(technical standards submissions)および設計仕様書の抜粋を含んでいる。これらの節は、優先権主張の基礎となる米国出願第08/215,306号および第08/284,053号における付録Ａ、ＢおよびＣに含まれていたものである。
【０１２４】
候補となる無線インタフェース手法．
プレゼンテーション．
【０１２５】
１．  序論．
１.１  序文．
オムニポイント(Omnipoint)は、基地局資源および高速ハンドオフを制御するための、革新的な拡散スペクトルＲＦアクセス技術、通信プロトコル、およびアーキテクチャを開発した。オムニポイントのＰＣＳシステムは、ＡＩＮ、ＧＳＭ、ＩＳ−４１およびＡＴＭを基礎とするアーキテクチャに統合することが可能である。
【０１２６】
オムニポイントのＰＣＳシステムは、全機能を備えたＰＣＳである。すなわち全ての範囲、全ての移動性、および、256Kbpsの全二重または512Kbpsの半二重までの高速データに対応している。更に、単一のハンドセットおよび共通無線インタフェース(Common Air Interface)が三つの無線市場、すなわち、認可を受ける又は受けない周波数帯での公衆、ビジネスおよび住居の全てにおいて使用可能である。オムニポイントの手法は、大きくかつ持続的にインフラストラクチャのコストを低減させ、したがって、ＰＣＳの運営者に対し代替手法に対する経済的有利性を長期間提供する。
【０１２７】
このオムニポイントのシステムは、ユーザとセルの分離のためにＣＤＭＡ、ＴＤＭＡおよびＦＤＭＡの特許を組合せたもの(proprietary combination)を使用している。一般に、ユーザは、拡散スペクトルＴＤＭＡ技術の特許(proprietary spread spectrum TDMA technology)によって一つのセル内で分離されており、セルは、ＣＤＭＡだけでなくＦＤＭＡによっても分離されている。また、十分に高速なデータレートを達成するために、したがって高価で電力消費の大きい等価器の使用を必要とせずに従来のＴＤＭＡシステムにおいて一般に可能と考えられているよりもＲＦチャンネル当たりのユーザを多くするために、拡散コード(spreading codes)が使用される。タイムスロット交換（ＴＳＩ）の使用、指向性アンテナ、および、ＲＦ資源とハンドオフの管理に対する独自の移動体中心手法と組み合わされたこれらの技法は、ＰＣＳに必要とされるもの(provisioning of PCS)を極めて低コストで効率的に提供する。
【０１２８】
オムニポイントは、この技法の実験的な試作品として、小型化された基地局だけでなく、ポケット電話および手のひらサイズのデータ装置をも実現している。
オムニポイントのシステムは、市街地において0.3から2.2マイル、郊外地において１から５マイル、より開けた地域では８マイルを越える大きさの屋外セル半径を提供するように構成することができる（このとき、アンテナが適切に構成され、タイムスロット数が低減されているものとする）。１ 現在まで、オムニポイントの基地局は、移動体の速度で移動しているハンドセットのある直径３マイルのセルを有する密集度の低い市街地において試験が行われてきた。ハンドオフは、大型セルおよび小型セルの双方（例えば、1000フィート）において、時速６５マイルの移動状態で実行されている。屋内で使用されるとき、オムニポイントの私的なシステムは、ビジネスおよび住居の双方のユーザにサービスするために必要な特徴、データレートおよび音声品質を提供することができ、したがって、圧縮音声および非常に低い速度のデータを提供できるのみであるセルラおよび他のサービスとは差別化されたＰＣＳを提供することができる。
【０１２９】
オムニポイントは、特に屋外と屋内の双方でサービスを行うシステムを開発しており、想定できる事実上すべてのサイズおよび構成タイプの１００を越える建物内において屋内ＰＣＳシステムを試験する実験を行って成功している。さらに、屋内ユーザの要求を理解するために、オムニポイントは、装置を購入する１８０名のフォーチュン１０００(Fortune 1000)の管理者にインタビューを行っており、１）彼ら自身は無線を前提にしているが、彼らのうちだれも無線の時間制料金(air time charge)を進んで支払おうとはしないこと、および、２）彼らは全て、彼ら自身の基地局の装置を所有しており、それを彼らのＰＢＸに統合していると主張すること、が判明した。これにより、大きな市場への浸透が達成されるべきものであるならば、多くの場所において認可不要の周波数の使用が事実上必要となる。オムニポイントは、顧客が屋外、公衆、移動体の環境において同一のハンドセットを使用できるようになるが、認可を受けないまたは認可を受ける周波数のいずれかにおいて必要となるこの私的な前提に合致した同一のＣＡＩを使用している点において独自性がある。
【０１３０】
１  このＣＡＩは、ＴＤＤのガード時間(guard time)によって必要とされる異なるセルサイズを受け入れるように調整することができる。この提案書で定義された特定の実装は、基本的な３２スロット、８kbpsの全二重の情報レートであり、これは、1.5マイルまで離れた（直径３マイルの）動作に対するガード時間を有している。例えば、３マイルの半径（６マイルの直径）で動作するためには、３０スロットまでの低減が必要となる。１０マイルの半径（２０マイルの直径）は、８kbpsの全二重スロットの数を２５まで減らすことにより対応可能である。定義によって、容量が問題とならない大きいセル半径が使用されるのみであるため、この容量の小さな低減による影響は最小のものとなる。例えば、1.5マイルから１０マイルまで進むことにより、サービスを受ける領域は4300％増大するが、ＲＦチャンネル当たりの容量の低減は22％に過ぎない。
【０１３１】
１.３.４  有線回線品質はＰＣＳの加入者にとって重要な選択事項である．
【０１３２】
ここでの目標は、既存のセルラより優れたＰＣＳの差別化属性であり、特に建物内の用途に対して重要である。オムニポイントは、所望に応じて、有線回線品質の音声に対しては32〜24KbpsのＡＤＰＣＭまたは屋外の移動体の環境に対しては８Kbps（及びより遅い４Kbps）を使用する能力を加入者に提供する。
【０１３３】
１.３.５  要求あり次第に変化する帯域幅
1996年までに、マルチメディアおよびデジタル化されたビデオの用途（特にテレビ電話）が、差別化されたＰＣＳのサービスに対し大きい市場の機会を創り出す。オムニポイントのシステムは、データ、ビデオ、マルチメディアおよび放送の用途に対して64Kbpsの倍数（256Kbpsの全二重回線および512Kbpsの単信回線まで）だけでなく、64Kbpsをも提供する。さらに、ユーザは、データレートを変更して、その用途に必要な最低レートのみを要求することができる。オムニポイントのシステムは、極めて高速な回線の捕捉と解放（50msおよび通常10ms以下）に対応しており、これは低速データだけでなく集中的なパケットデータの効率的な供給をも可能とする。
【０１３４】
注：この提案書において説明された全体のアーキテクチャ、技法、および特定の実装は、同時係属の（査定がなされているものもある）特許の主題である。ＪＴＣのテンプレートでの一定の質問は、特に取り扱いに慎重を要する特許情報(proprietary information)の公表を伴うものであり、したがって、回答は行われず、特に「特許の又は専売の(proprietary)」として言及される。しかし、これは、この文書の残りの部分が特許に関係しないことを意味するものではない。
【０１３５】
コントロールトラフィック．
コントロールトラフィックは特定データのメッセージング又はコールコントロール情報の接続を提供する。コントロールトラフィックは、各タイムスロットに関する顧客"Ｄ"チャンネルを有しながら、下記に詳述するような多数の論理的方法によって設けられることができる。
【０１３６】
ノート．
オムニポイントは、必要なネットワーク構成要素に対してＱ.９３１ＩＳＤＮとＳＳ７によりネットワークインターフェースを提供する。通常、オムニポイントシステムは、多数のネットワークインフラストラクチャーとの相互接続の提供を可能にするオブジェクトを基礎とするソフトウェア構成の周辺に設計される。上記システムは、システム内の構成要素間で必要な情報を通過させるために、（ＩＳＤＮ特定プロトコル自体と混同されないように）"ノート（注意）"と呼ばれるＩＳＤＮメッセージに基づいたメッセージを使用する。ネットワークからのメッセージはシステムによってオムニポイントサブシステム内での効率的な動作のためのオムニポインント"ノート"に変換される。この試みは、ＰＣＳオペレータがどんなネットワークインフラストラクチャーでも適当なビジネス上の目的および所望のサービス記述を満たすように展開する構成を提供する。
【０１３７】
２．最小限のサービス能力．
この節はＰＣＳシステムの必要とする最小限のサービス能力のリストを含む。各項目に対してオムニポイントシステムはこれら特徴のうちどの特徴が認識されるかを示す。
−  直ちに（Ｉ）
−  システム展開過程で（Ｅ）
−  予定しない（Ｎ）
【０１３８】
２.１  最小限の特徴  ＪＴＣ（ＡＩＲ）／９３.０５.１３−１３３Ｒ１．
オムニポイントのアクセスシステムは、ＡＩＮ、アメリカナイズされたＧＳＭ、ＩＳ−４１およびＡＴＭを基礎とするシステムなどの様々のタイプのネットワーク構成に統合されている。特定の特徴／サービスの利用可能性はこのようにＰＣＳＣネットワーク構成がそれを認識するときにより決定される。以下に、それらネットワークのセラー（売り手）によって提案された２個のＰＣＳＣ構成の特徴／サービスの利用可能性のリストを示す。
【０１３９】
【表２】
0003746457.tif 000003
0003746457.tif 000004
【０１４０】
"Ｅ"でマーク付けされた項目はまだ存在しないＰＣＳＣネットワークのサポートを必要とする。例えば、ＡＩＮの場合、"Ｉ"はＡＩＮ 0.0を意味し、"Ｅ・−２"はＡＩＮ 0.2の明細書を反映する。これらサービスを設けるためのオムニポイント無線区間インターフェースを用いた通信経路は現にサポートされている。
【０１４１】
２.１  最小限の特徴−ＪＴＣ（ＡＩＲ）／93.09.22-365．
【０１４２】
【表３】
0003746457.tif 000005
0003746457.tif 000006
【０１４３】
"Ｅ"でマーク付けされた項目はまだ存在しないＰＣＳＣネットワークのサポートを必要とする。例えば、ＡＩＮの場合、"Ｉ"はＡＩＮ 0.0を意味し、"Ｅ・−２"はＡＩＮ 0.2の明細書を反映する。これらサービスを設けるためのオムニポイント無線区間インターフェースを用いた通信経路は現にサポートされている。
【０１４４】
２.１  最小限の音声サービス
【０１４５】
【表４】
0003746457.tif 000007
【０１４６】
"Ｅ"でマーク付けされた項目はまだ存在しないＰＣＳＣネットワークのサポートを必要とする。例えば、ＡＩＮの場合、"Ｉ"はＡＩＮ ０．０を意味し、"Ｅ・−２"はＡＩＮ 0.2の明細書を反映する。これらサービスを提供するためのオムニポイント無線区間インターフェースを用いた通信経路は現にサポートされている。
【０１４７】
２.２  最小限の音声サービス  本文．
オムニポイントシステムはエンドユーザにネットワークに対する無線アクセス用の陸上回線品質の音声サービスを提供する。上記システムは、相互通信型サービス用ＤＴＭＦトーンと保留中の音楽とセルサイト間での受け渡し後でさえそのまま保留しておくための活動的な通話の特徴を含むネットワークの機能性に対してユーザ用即応型動作を行えるように設計されている。
【０１４８】
８Ｋｂｐｓの増加した上記システムによって基地局またはＣＡＩに対して何ら変化なしに（そして将来はより低いボコーダレートでさえ）より高レベルの音声質が提供可能である。従って、もしユーザが例えば３２Ｋｂｐｓを所望すれば、この階層の通話が呼び設定時間にシステムに知らされ、ＣＣＩＴＴ Ｇ.７２６標準ＡＤＰＣＭが実行される。ＣＣＩＴＴ Ｇ.７２６は十分確保される。ＣＣＩＴＴ Ｇ.７２６の６４ＫｂｐｓのＰＣＭもまた所有者８ＫｂｐｓＣＥＬＰアルゴリズムと同様に確保されている。４Ｋｂｐｓなどの低チャンネルレートもまた確保され、ＣＡＩまたは基地局ハードウェアに対して何ら変化なしに、さらに向上することを可能にする。ある条件の下では音声活動検知（ＶＡＤ）"半二重伝送"が確保され、特にＲＦチャンネルでは、音声ユーザの２倍の数まで可能となる。オムニポイントによって提供された音声サービスは、エンドユーザにとって自動車のなかおよび自動車以外の環境においても利用可能となるであろう。4.3.1節参照
【０１４９】
２.３  最小限のデータサービス．
【０１５０】
【表５】
0003746457.tif 000008
【０１５１】
"Ｅ"でマーク付けされた項目はまだ存在しないＰＣＳＣネットワークのサポートを必要とする。これらサービスを提供するためのオムニポイント無線区間インターフェースを用いた通信経路は現にサポートされている。
【０１５２】
２.３  最小限のデータサービス  本文．
２.３.１  ＰＳＴＮデータサービスを用いた相互動作．
フラッシュとＤＴＭＦプロトコルを用いてユーザがアクセス可能な帯域内通信用の設備が提供される。さらに、オムニポイントＣＡＩを越えたデータ伝送が提案された両データチャンネル方式により、２５６Ｋｂｐｓまで前述の全二重伝送と、下記のようなデータモデム用従来の帯域内サポートでサポートされる。
【０１５３】
（１）（例えば）勧告Ｖ．２１、Ｖ．２３、Ｖ．２６に適合するモデムを使用して２４００ｂｉｔ／ｓまでは音声帯域データ特性は、リンクの数が勧告Ｇ．１１３の限界を越えないとの条件で、３２ＫｂｐｓＡＤＰＣＭリンクを越える大きな低下は受けないであろう。
（２）（例えば）勧告Ｖ．２７  ｂｉｓに適合するモデムを使用した４８００ｂｉｔ／ｓでの音声帯域データ性能は、３２ＫｂｐｓＡＤＰＣＭを用いて供給可能であるが、標準６４ＫｂｐｓＰＣＭリンクから予想される以上のさらなる低下は受けないであろう。
（３）１２,０００ bit/s までの速度での音声帯域データは４０ＫｂｐｓＡＤＰＣＭにより供給可能である。４０Ｋｂｐｓを越える１４,４００ bit/s で動作するＶ.33モデムの性能は目下研究中である。
（４）１２,０００ bit/s までのレートで勧告Ｔ.３またはＴ.４によるグループIIまたはグループIIIのファクシミリ装置を有する４０ＫｂｐｓＡＤＰＣＭを使用するときは、いかなる性能低下も予想されない。１４,４００ bit/s で４０ＫｂｐｓＡＤＰＣＭを使用するときのグループIIIファクシミリの性能については目下研究中である。１２,０００ bit/s までのレートで勧告Ｔ.３またはＴ.４によるグループIIのファクシミリ装置を有する３２ＫｂｐｓＡＤＰＣＭを使用するときは、いかなる重大な性能低下も予想されない。
（５）８Ｋｂｐｓ，５６／６４Ｋｂｐｓ，ＩＳＤＮなどの多重、２５６Ｋｂｐｓまでの全二重伝送と５１２Ｋｂｐｓはサポートできる。
【０１５４】
２.３.２．回線交換デジタルデータサービスによる相互動作．
回線モードデジタルデータは無線区間インターフェースを用いてサポートされる。
【０１５５】
上記のように、８Ｋｂｐｓから２５６Ｋｂｐｓ全二重伝送を含めてまで、すべてのＩＳＤＮデータサービスは８Ｋｂｐｓの増分でサポートされる。３２０ bits/s に対するサブ８Ｋｂｐｓレートは１６０ bits/s の増分でサポートされる。より低いレートまたは付与された増分の倍数ではないレートは、レート適応化によりサポートされる。
【０１５６】
８Ｋｂｐｓから５１２Ｋｂｐｓを含めてまで、すべての半二重伝送ＩＳＤＮサービスは８Ｋｂｐｓの増分でサポートされる。３２０ bits/s に対するサブ８Ｋｂｐｓレートは１６０ bits/s の増分でサポートされる。より低いレート又は付与された増分の倍数ではないレートは、レート適応化によりサポートされる。
【０１５７】
使用された特別な相互動作機能（ＩＷＦ）はネットワークまたは特別なネットワークで選ばれた回線交換サービスに依存する。
【０１５８】
２.３.３.  パケット交換データサービスによる相互動作．
上記システムは、動的に可変のデータレートで無線区間全二重同時データ伝送を提供する（上記回線交換デジタルデータサービスによる相互動作参照）。端末入力は、パケットアッセンブラー／ディスアッセンブラー（ＰＡＤ）および／またはこれら装置を用いたＩＷＦと通信するためにデータチャンネルを使用してもよい。Ｘ.25のパケットデータは確保される。従って、低データレートの間、端末はそれの必要な無線区間の帯域幅を減少させるであろう。
【０１５９】
２.３.４.  回線争奪（コンテンション）方式共有アクセス機構．
上記システムは非常に速い回線争奪（コンテンション）プロトコルを有する。チャンネル用回線争奪はこの時点で発生できるので、それはＩＥＥＥ802.3のような撤回手順により解消される。チャンネル争奪および開放用のオーバヘッドは非常に低い（サブ５０msと典型的にはサブ１０ms）であるので、入力に基づく処理はチャンネルを獲得し、回線を適当なＩＷＦモジュールに形成し、そのデータを送信し、チャンネルを非常に素早く開放するであろう。
【０１６０】
２.３.５  特別なデータアプリケーション．
オムニポイントシステムは"アクセスと搬送機構"として設計されているので、上記のように多くの異なった特別なデータのアプリケーションが可能となるであろう。
【０１６１】
２.３.６  データ品質．
ベアラデータでのエラー訂正は上記システムではオプションである。エンドユーザは自動再送信照会（ＡＲＱ）エラー訂正を起動するか又は、例えばデジタル圧縮映像での使用のために、エラー訂正を使用禁止にしておくことが選択できる。ＡＲＱ機構は２フレームのデータ窓を使用する。フレームが転化されるように決定されたときは、標準ＩＳＤＮ１６bit フレームチェックワード（ＦＣＷ）を介して受信機は再送信用送信機と信号で通信する。再送信の試みの数はサービス提供者又は加入者パラメータである。
【０１６２】
上記システムの最大不訂正フレームエラーレートはしきい値受信機感度で１０−２である（４.６.１節参照）。ＡＲＱ訂正を適用した後、しきい値でのフレームエラーレートは：
１０−２／（２１６−１）となり、この値は検知されないフレームエラー１.５３×１０−７である。データを正しく受信する最試みを２回行えば、ｎ＝２ＡＲＱによって訂正された８Ｋｂｐｓデータの潜伏は８０ｍｓである。
【０１６３】
２.３.７ 引き渡しによるデータサービス保全．
データレートおよびインテグリティ（完全性）は引き渡し（ハンドオーバー）前後に保持される。データは引き渡し中に喪失されるかもしれないので、システムはＣＡＩではなく、すなわち、より高レベルのプロトコルを使用してフレームの損失を補正する。
【０１６４】
切り換え時間を含めて基地局コントローラ内引き渡し用の典型的な引き渡し遅延は１０ｍｓより小さい。最大引き渡し時間は、端末基地とのサービスがエラーなしと仮定して、およそ４０ｍｓである。
【０１６５】
２.３.８  ページング．
上記システムは音声またはデータに関する帯域外論理Ｄチャンネルを提供する。このチャンネルは、ベアラチャンネルに対して干渉することなく４００ bit/sのレートで認識されたＩＳＤＮのＤチャンネルサービスを提供する。
【０１６６】
さらに、半二重伝送または全二重伝送のいずれでも、帯域内信号方式はより大きなメッセージ用に使用できる。帯域内信号方式は一時的にユーザレベルのベアラチャンネル通信を置き換える。
【０１６７】
非常に高速度のページングが未確認のデータ放送設備を介して送信可能である。この設備を用いて５１２Ｋｂｐｓのデータが無線区間インターフェースを越えて送信できる。このモードは特定の装置をアドレスしない。ＭＳ常駐のアプリケーションはデータのフォーマットを放送（同報）用フォーマットで翻訳するであろうことが仮定される。
【０１６８】
２.４  機密と認証．
オムニポイントシステムは認証（ユーザと、端末と、サービス提供者との識別を認証する工程）と有効確認（バリデーション）（ユーザおよび／または端末がサービスにアクセスすることを許可されていることを確認する工程）を有する。認証および有効確認の工程は、システム操作者が、許可されたユーザから不正な無線装置や無許可ユーザを、サービスが許可される前に区別することを可能にするであろう。この防止は音声とデータサービスの両方に適用できる。
【０１６９】
オムニポイントシステムは信号方式とユーザ情報（例えば音声とデータ）の機密を保持し、ユーザ識別子と場所の秘密を保持するであろう。オムニポイントシステムはユーザにＰＩＮを導入することを求めることにより無許可使用に対して保護することが可能である。携帯用器具は装置をパワーアップすることにより、ユーザにＰＩＮを要求することを実行しないであろう。この不実行は適当な制御機能により使用禁止状態をサポートできる。オムニポイントのシステムはＳＩＭの使用を可能とする。
【０１７０】
オムニポイントシステムにおいて機密（セキュリティ）と認証をサポートするための最終の方法論が、特に機密と認証に関する合同専門家会議からの工業努力により、またＰＣＳ操作者により決定されるであろう。
【０１７１】
２.５  特徴提供（ユーザインターフェース）．
無線区間インターフェースは堅実な方式でユーザ機能の提供を容易にする。ＭＳはキーパッドの数値入力、機能キーおよび動的なメニューにより特徴を提供する。オムニポイントはキーボード／表示レベルで将来のユーザ特徴活性化の標準化を有する。
【０１７２】
上記システムによって特徴提供用に使用された無線区間インターフェースの信号方式の方法は、ＩＳＤＮ Ｑ.９３１／ＡＮＳＩ Ｔ１.６０７信号方式に基づいている。この信号方式に必要な帯域幅を減少させ、ＲＦリンクの特性との適合を可能とするために、省略形フォーマットが無線区間メッセージ伝送において使用される。これらメッセージはシステム構成において高レベルで適当なＩＳＤＮメッセージに変換される。
【０１７３】
２.６.  同時的音声とデータ．
同時的音声とデータは無線区間インターフェースによって提供される。データと音声は２５６Ｋｂｐｓの全二重伝送レートまたは８Ｋｂｐｓの段階で５１２Ｋｂｐｓ単信方式に混合可能である。これにより、例えば、トル（toll）品質の音声３２ＫｂｐｓＡＤＰＣＭと全二重伝送データの２２４Ｋｂｐｓまで同時的に可能となる。または、例えば、１２８Ｋｂｐｓビデオリンク、マルチメディア画像をコンピュータに伝送する６４Ｋｂｐｓ ＩＳＤＮ Ｂチャンネルと、８個全二重伝送８Ｋｂｐｓ音声会話を同時提供する。また、低レートデータが、追加のタイムスロットを要求することなしにＤチャンネルを越えて同時送信できる。
【０１７４】
２.７  自動音声コーデック（ＣＯＤＥＣ：符号復号化器）の識別．
ボコーダーアルゴリズムの選択は、呼設定時に発呼により行われる。これは欠陥選択用にユーザのＨＬＲデータベースを自動アクセスしリンクの各端末でボコーダーを選択することにより行われるかまたは、加入者が発呼のときにボコーダーを任意に選択できる。
【０１７５】
２.８.  携帯用端末の必要条件．
２.８.１  ダイヤリング．
オムニポイント端末は、北アメリカのダイアルプランを認識するロジックを用いてダイアルされた数字を送信でき、従来の基本動作においてボタンからダイアル数字の送信の必要性を解消している。または、ボタン送信も使用できる。
【０１７６】
２.８.２  ＤＴＭＦ．
無線区間インターフェースを用いる帯域外ＤＴＭＦ信号方式が提供される。ＤＴＭＦトーンは、より高次のアーキテクチャの要素によってトーン中にメッセージのネットワーク会話によって送信されるであろう。ＤＴＭＦトーンは音声ベアラチャンネルによって伝送されないであろう。ＤＴＭＦトーンはＭＳに返信されるであろう。
【０１７７】
２.８.３  スイッチフック・フラッシュ．
オムニポイント端末は、帯域外無線区間インターフェースを用いて信号送信するフラッシュボタンを有し、ネットワークに対してスイッチフック・フラッシュが発生したことを表示する。実際のフックフラッシュはより高次のアーキテクチャの要素によって発生される。
【０１７８】
２.８.４  ホーム／ローミング表示．
オムニポイント端末は“ホーム”登録かまたはビジターの“ローミング”登録かを表示する表示器を有するであろう。この表示器は基地局からの汎用ポールフレームに関連するサービス提供者の認証によって起動されるであろう。
【０１７９】
２.９  可能な特徴サービス．
【０１８０】
【表６】
0003746457.tif 000009
【０１８１】
２.９  可能な特徴サービス  本文．
２.９.１  低および中間速度映像．
８Ｋｂｐｓごとの段階で２５６Ｋｂｐｓまでの全二重伝送映像、８Ｋｂｐｓごとの段階で５１２Ｋｂｐｓまでの半二重伝送映像と２４８Ｋｂｐｓまでの同時映像を有する８Ｋｂｐｓ音声が提供される。ＪＰＥＧとＭＰＥＧ規格が設けられる。
【０１８２】
２.９.２  デジタルデータ１４４Ｋｂｐｓまで．
８Ｋｂｐｓから２５６Ｋｂｐｓを含むまでの全二重伝送ＡII ＩＳＤＮデータサービスは８Ｋｂｐｓの増分によって提供される。３２０ bits/s に対するサブ８Ｋｂｐｓは１６０ bits/s の増分により提供される。より低レートまたは所定の増分の倍数でないレートはレート適応化により提供される。
【０１８３】
８Ｋｂｐｓから８Ｋｂｐｓごとに増加して５１２Ｋｂｐｓを含むまでのすべての半二重伝送ＡII ＩＳＤＮデータサービスは提供される。３２０ bits/s に対するサブ８Ｋｂｐｓは１６０ bits/s の増分により提供される。より低レートまたは所定の増分の倍数でないレートはレート適応化により提供される。
【０１８４】
ＩＳＤＮ ＢＲＩチャンネル形式での１４４Ｋｂｐｓのデジタルレート、すなわち２・６４Ｋｂｐｓ＋１・１６Ｋｂｐｓが提供される。
【０１８５】
２.９.３  知的ネットワーク特徴の提供．
無線区間インターフェースはＡＩＮ機能を提供するために必要なQ.931/T1.607のようなメッセージングを伝送できる。
【０１８６】
２.９.４  パーコールベイシスでの無線サービス提供者の選択．
パーコールベイシス（per-call basis）での特定の無線サービス提供者または私的ネットワークの選択はＣＡＩにより提供される。各サービス提供者は通話の取得段階の間に基地局によって認識される。提供者に対する実際のアクセスは加入者プロフィールと端末でのＳＩＭ情報によって制御される。
【０１８７】
３．  システム記述テンプレート．
３.１  テンプレート項目の記載  分類Ｉ．
【０１８８】
【表７】
0003746457.tif 000010
0003746457.tif 000011
【０１８９】
註２）クロック安定性（送信と受信）は０．０６チップドリフトに相当する６２５μ秒フレーム時間を越える１２．５μ秒の最大ドリフトになるのでオムニポイントシステムには不適用。
【０１９０】
【表８】
0003746457.tif 000012
【０１９１】
註３  オムニポイトデータ伝送システムはＴＤＤとＴＤＭＡを利用して提供される。基地は基礎ループタイミング構造を有し、また容量を最大にするために、同じ地理的な近傍内のすべての基地局は６μ秒の許容を有して同時に開始するように同期されねばならない。オムニポイントは一次タイミングマーケットのために、基地局コントローラ（好ましくは基地局）でＧＰＳを使用する。このマーケットは第２ＵＴＣ上で各２番目ごとに基地局コントローラで捕捉され、バックホール回線下を後続の基地に送信される。この能力はまた、ＱＡ＆Ｍシステムが、隣接のベースエアスロットと干渉しているかもしれない絶対ＣＡＩタイムスロットを、一時的にオフ状態とすることを可能にしている。
【０１９２】
註４  Ｔ１又はＩＳＤＮ ＢＲＩ又はＰＲＩなどのデジタルバックホールでの一次データタイミング基準はＰＳＴＮである。データがオーバラン又はアンダーランに前進することを防止するために、基地局コントローラと基地局はＰＳＴＮに対してデータロック状態であらねばならない。
【０１９３】
註５  近端音響的：
オムニポイント移動局は音響フィードバックを防止するために電子エコーキャンセル技術よりも機構的な絶縁化（孤立化）を効果的に使用する。
【０１９４】
近端電気的：
オムニポイントシステムは基地局コントローラ上のトランスコーダで、ＤＳＰに基づくデジタルエコーキャンセル技術を使用している。このアルゴリズムは５.５ミリ秒までの短時間を有する。
【０１９５】
遠端部電気的：
オムニポイトシステムは基地局コントローラ上のトランスコーダで、ＤＳＰに基づくデジタルエコーキャンセル技術を使用している。このアルゴリズムは５.５ミリ秒までの適応化長時間長を有する。
【０１９６】
【表９】
0003746457.tif 000013
【０１９７】
３.２  テンプレート項目の記述  分類II．
【表１０】
0003746457.tif 000014
【０１９８】
註６  指向性利得アンテナが、より大きなセル構成で他の多重経路効果と同様遅延幅を軽減するために使用される。
註７  システム周波数エラー許容範囲はシステム動作により生じたドップラーずれよりもはるかに大きい。
【０１９９】
４．  システム記述質問書．
４.１  汎用システム発行．
４.１.１  構成．
オムニポイントシステムは下記の４つのネットワーク階層要素、すなわち移動局（ＭＳ）、基地局（ＢＳ）、基地局コントローラ（ＢＳＣ）、とパーソナル通信交換センタ（ＰＣＳＣ）により構成されている。
【０２００】
移動局（ＭＳ）．
移動局（ＭＳ）は加入者端末である。それは引き渡し（ハンドオーバー）時間以上で１個の基地局と交信し、下記事項に対して実施能力がある。
【０２０１】
移動度管理：ほとんどの全移動体システムと違って、オムニポイントＭＳはシステムの引き渡し（ハンドオーバー）動作を制御する。それは他の近くの基地局／セルから受信された信号の品質と同様にそれの現基地局を用いて通信中のベアラ接続の品質を観察することが可能である。もしベアラチャンネルの品質が許容レベル以下に落ちた場合、ＭＳは引き渡し（ハンドオーバー）をよりよいＢＳに開始させるであろう。ＭＳはまたそれの現ＢＳを用いて登録をサポートするとともにＢＳＣの方向づけをして引き渡しの一部としてのＢＳの切り換え動作を行うことが可能である。
【０２０２】
呼制御：ＭＳは発呼要求を開始させ、着呼呼び出しのために周期的に監視することができる。呼び出しの監視は電力消費を軽減するために反復使用により行われる。
【０２０３】
送信：ＭＳは移動体からのパースペクティブ（全方位）から無線区間チャンネルを維持する。それはすべての必要なタイミング、スロット集合体およびエラー回復を実行する。
【０２０４】
認証：ＭＳは加入者秘密キーを有し当該装置を認証するのに必要な演算を行う。
【０２０５】
アプリケーション：ＭＳは適当なダウンロード可能なユーザアプリケーションを実行する。上記アプリケーションはショートメッセージサービス、放送メッセージおよびデータサービスを提供する。さらに、システムデータサービスを使用しているユーザ特別なアプリケーションはまた、ダウンロードされ実行されることが可能である。
【０２０６】
加入者インターフェース：ＭＳは加入者インターフェースとＭＳにおいて特別のダウンロードされたアプリケーションに対するインターフェースを起動する特徴を提供する。
【０２０７】
基地局（ＢＳ）．
基地局（ＢＳ）は無線区間信号を制御しセルコントローラとして動作する優秀な装置である。それは複数のＭＳと基地局コントローラとを交信させる。それは下記の機能を提供する。
【０２０８】
無線資源管理：ＢＳはＴＤＭＡ幅スペクトルトランシーバの無線区間スロットを制御する。ＢＳはこれらスロットをＭＳ初期サービス要求、引き渡し帯域幅要求、特別のサービスニーズおよびＯＡ＆Ｍテストと動作の制限に基づいて割り付ける。さらに、ＢＳは、特定スロット、スーパースロット、および要求された帯域幅を維持するためのサブスロットの割り当てによって責任を負って動作する構成要素である。
【０２０９】
移動度管理：ＢＳは、もし資源が使用可能な場合、ＭＳ引き渡し要求に応答する。ＢＳはネットワークと無線資源をＭＳに割り当て、基地局コントローラに引き渡し切り換えを実行する要求を送信する。ＢＳはまたそれのセル内にＭＳを有する登録を保持する。この登録情報はスタブ又はキャッシュビジターロケーションレジスタ（ＶＲＬ）に保持される。
【０２１０】
タイムスロット交換（ＴＳＩ）：この機能は、干渉が検知された場合、元のセルと再使用のセルにおいて基地局の統計的配置を利用して、移動又は基地局が動作タイムスロットを変えることを可能にする。システムは、要求され使用可能なように、１つのポーリングループ内に非常に速いＴＳＩ（例えば２０ミリ秒以下）を提供する。
【０２１１】
呼制御：ＢＳは無線区間信号方式に解釈し、この通信をその正確な形態からノートとよばれる適当なネットワーク独立型に翻訳する。これらノートは、ネットワークにおいて簡潔な情報をより高位の構成要素に通信している間、ネットワーク潜伏と帯域幅を低減するように設計されている。
【０２１２】
送信：ＢＳはネットワークチャンネルをそれらの対応する無線区間スロットに割り当てることが可能である。ＢＳは入力および出力呼びの両方のこれら供給源を制御する。ネットワーク上での音声接続は圧縮された形態で保持される。ＭＳに対する広範な帯域幅を提供するために複数のネットワークタイムスロットが特定のＭＳに割当てることができる。ＢＳはまた、無線での干渉を監視し、この干渉を最小にするためにそれのスロット利用を調整することができる。さらに、ＢＳはそれのＭＳから信号品質を測定し、ＭＳパワーを制御するとともに、スペースダイバーシティと偏波を用いて適当なアンテナを選択する。
【０２１３】
認証：基地局は与えられたＭＳを認証するために基地局コントローラからのノートに応答する。ＢＳは適当な無線区間信号をＭＳに送信し適当な値と認証応答とを比較する。
【０２１４】
動作、許可および保守：基地局は、課金記録における各接続の計算情報を保持する。この情報は保守統計とともにノートを介して基地局コントローラとより高レベルのエントリに伝送される。ノートはまた保守目的のためにブロック、アンブロックとループバックテストネットワークチャンネルに利用される。ＰＣＳＣはまたＯＡ＆Ｍを提供する。
【０２１５】
基地局コントローラ（ＢＳＣ）．
基地局コントローラ（ＢＳＣ）は、クラスタと呼ばれる基地局の集団の制御およびその機能の切り換え動作を行う優秀な交換機である。それは多重基地局やＰＣＳＣと交信する。基地局コントローラの機能は下記の通りである：
【０２１６】
移動度管理：ＢＳＣはその基地局からの引き渡し（ハンドオーバー）要求を解釈する。もし引き渡し要求がクラスタ内引き渡し、すなわち同一のＢＳＣ上での２個の基地局間であれば、ＢＳＣはＭＳに関連するすべての回線を発生源のＢＳから端末のＢＳに切り換える。引き渡し要求が、発呼のＢＳがなにか他のＢＳＣ上に位置していることを示す場合、引き渡しノートがホストＰＣＳＣに適当な形態に翻訳され、この形態はさらにホストＰＣＳＣに送信される。
【０２１７】
呼制御：ＢＳＣはＭＳのクラスタの配置を行うことができる。ＢＳから送信された登録情報は、配置された地方局スタブビジターロケーションレジスタ（ＶＬＲ）に記録される。
【０２１８】
ＢＳＣ：これは警告動作のときにＭＳを配置するために使用される。ＢＳから送信される回線資源の要求条件はまたこのスタッブＶＬＲに保持される。さらに、ＢＳＣは、その命令とＢＳによってそれに送付されたノートに含まれたデータをホストＰＣＳＣに適する信号方式に翻訳する。この意味でＢＳＣはオムニポイントシステムとホストシステム間の翻訳機として動作する。
【０２１９】
送信：ＢＳＣは、ＢＳＣとホストＰＣＳＣとの間の中継回線（トランク回線）の割り当てと終了とを行うことができる。ＢＳＣはまたオムニポイントチャンネル化形式と他のネットワーク形式との間の相互作用機能を行う。
【０２２０】
動作、許可および保守：ＢＳＣは、ＢＳのそれに配達された課金情報を格納する。この情報はホストシステムに適する形態に翻訳され、ＰＣＳＣに送信される。さらに、ＢＳＣはブロッキング、アンブロッキングおよびＰＣＳＣからの要求に基づいてループテストを行うことができる。
【０２２１】
パーソナル通信交換センター（ＰＣＳＣ）．
ＰＣＳＣは一次交換機でありＰＳＴＮに相互接続されている。オムニポイントシステムは、ＡＩＮネットワーク、アメリカナイズされたＧＳＭ，ＩＳ−４１およびＡＴＭによるネットワークを含む現にあり将来提案される種々の交換システムと接続されるように設計されている。これらシステムの動作はこれのレスポンスの範囲外である。
【０２２２】
移動度管理：ＰＣＳＣは、クラスタ間引き渡し（ハンドオーバー）とＰＣＳＣ間引き渡し（ハンドオーバー）の機能を提供する。さらに、ＰＣＳＣはホームロケーションレジスタ（ＨＬＲ）とビジターロケーションレジスタ（ＶＬＲ）サービスを提供する。この容量では、ＰＣＳＣは、ＢＳＣ翻訳機能によって提供されたように、それの通常の通信メッセージに応答する。
【０２２３】
呼制御：呼制御、経路指示および呼の特徴に必要な基本動作はＰＣＳＣにより提供される。
【０２２４】
送信：すべてのＰＳＴＮ送信設備はＰＣＳＣにより構成される。
【０２２５】
認証：認証要求とデータはＰＣＳＣにより初期化又は格納される。
【０２２６】
動作、許可および保守：すべてのＯＡ＆Ｍ機能はＰＣＳＣによって初期化される。
【０２２７】
４.１.３  実際の不動産（リアルエステート）．
上記アプリケーションにより、オムニポイント基地局は最小限の不動産の必要条件を備えるように十分小さく設計されている。例えば、９"ｘ４"ｘ１２"のオムニポイントのマイクロ基地局は、基地局が電話またはＣＡＴＶストランドから吊され、電話又は軽量ポールに設けられ、又は風雨に耐えるＮＥＭＡ型エンクロージャに載置されることを可能にする。オムニポイント基地局は動作中のケーブルＴＶアンプエンクロージャ内に載置されている。屋内型では、建物の外部又は内部にアンテナを設置して通常のオフィスビルでは天井タイルの上部に設けることが可能である。
【０２２８】
最大１６００までの音声ポートを取り扱う標準基地局コントローラ（ＢＳＣ）は同様に比較的小型で、通常は、基準１９"装置が配置可能な電話クローセット以上の不動産を必要としない。
【０２２９】
４．１．４  動作．
オムニポイントシステムは、ＰＣＳに対して、システムの中央監視、ソフトウェア改良、簡単な修理手順、容易な設置とテスト及びＡＩＮ、ＧＳＭのアメリカ版であるＩＳ−４１とＡＴＭを基礎とするネットワーク等の各種の異なるプラットホームと連結し得る能力を含む広範な動作支援を提供する。一般に、以下のことがオムニポイントによって提供される。
【０２３０】
遠隔監視：
オムニポイントシステムは、ディジタル設備を介して基地局と基地局コントローラを遠隔監視する。提供される情報は、ローディング、診断プロセスと他の支援機構を含む。この能力により、システムが、他のネットワークコンポーネント監視（例えば、ＰＳＴＮ用のネットワークコントロールセンター）と共に中央位置から（多分、第三者によって）監視され得る。
【０２３１】
ソフトウェア改良：
オムニポイントは、基地局と基地局コントローラに対して、改良に必要なだけソフトウェアを遠隔ダウンロードする。この手法により、ＰＣＳオペレータは、ハードウェアの交換、基地局現場への保守訪問や移動局の回収無しにシステムを改良し得る。移動局ソフトウェアを、保守目的又は何らかのシステム改良のために、必要に応じて無線区間でダウンロードできる。
【０２３２】
修理：
オムニポイント基地局は、極めて小さく、大きな故障の場合には容易に交換できる。特定のボードが故障した時、システムは、現場での容易な取外しと交換ボードの設置を可能にする。既存のサービスを乱すことなく、ＲＦチャンネルカードを互いに独立して追加又は取外しできる。基地局コントローラは、全く冗長であって簡単なホットボード交換手法で同様に修理できる。ＰＣＳオペレータ又は第三者会社の従業員である現場訓練技術者が、ネットワークコンポーネントを保全する。オムニポイントが、適当な人員の訓練を手配する。
【０２３３】
ネットワーク連結：
オムニポイントシステムは、いくつかの異なる展開シナリオの下に、ＡＩＮ、ＧＳＭのアメリカ版であるＩＳ−４１と全機構ＰＣＳ用のＡＴＭを基礎とするアーキテクチャを支援するだろう。現在、オムニポイントは、これらのシステムの各々を実現するために、各種の装置メーカー及び潜在的なサービス提供者と協働している。
【０２３４】
ネットワークの機構及びビリング、データベース（ＨＬＲ／ＳＣＰ）のアクセスと供給、経路指定のようなサービスが、ＰＣＳオペレータの選択したアーキテクチャに応じてオムニポイントインテリジェント基地局又は基地局コントローラに接続される切換プラットホームを介して、オムニポイントネットワークパートナーによって提供されるだろう。これらの能力は、うまく文書化され理解されたアーキテクチャ（即ち、ＡＩＮ、ＧＳＭのアメリカ版であるＩＳ−４１とＡＴＭ）の下に提供されるので、その詳細はここでは述べない。規格団体に採用されたこれらのアーキテクチャに対するどんな訂正も、オムニポイントインターフェース又はシステムの仕様に組込まれるだろう。
【０２３５】
４．２  変調と多重アクセス．
４．２．１．  多重化プラン．
オムニポイントシステムは、周波数分割多重化と、時間分割多重化と、符号分割多重化の独特な組合せを使用する。あるセル内で、時分割多重化（ＴＤＤ）と時分割多重アクセス（ＴＤＭＡ）が使用されて、３２同時、８Ｋｂｐｓ全二重ユーザ又は６４全二重４Ｋｂｐｓユーザまでを許容する一方、近傍のセルが最小のＮ＝３アーキテクチャの下で異なる周波数チャンネル（ＦＤＭＡ）に設定される。近傍のセルを越えるセルは、コード（ＣＤＭＡ）とタイムスロット（ＴＤＭＡ）分離及び更にインターーセル多重化分離のためのタイムスロットインターチェンジ（ＴＳＩ）を含む各種の多重化手段と能力を使用する。ある状況下では、音声ユーザの数を（理論的には、半二重数の２倍まで）増加するために、音声活動検出（ＶＡＤ）を使用することができる。４Ｋｂｐｓに達すると、ＣＡＩ又は基地局ハードウェアを全く変更せずに、音声ユーザの数の２倍までが許容される。
【０２３６】
６２５μ秒の時間の３２個の８Ｋｂｐｓ全二重タイムスロットを支援すると共に、各移動局が、必要に応じてユーザに多かれ少なかれデータ帯域幅を与えるために、多重スロットを加算し得ることを規定する２０ｍｓポーリングループに、ＴＤＤ／ＴＤＭＡ構造が基づく。非対称データレートがフレーム基準でフレームによって支援されて、ＶＡＤ、高速データ転送とデータ同報（放送）通信を可能にする。従って、例えば、同報通信用途には、全てのデータが基地から移動局に発するように供給されて、５１２Ｋｂｐｓまでのスロット総計において１６Ｋｂｐｓのデータ転送レートが許容される。
【０２３７】
セルからセルへ、基地局がスロットの割当て部分の間に送信し、移動局がスロット内の割当て時間内に送信するように（表１１の図Ａ参照）、ＢＳからＭＳへ及びＭＳからＢＳへの全ての全二重送信は同期している（４．１７項参照）。各セル内で、ＢＳのみ又は多くの移動局の内の一つが時間のどの瞬間においても送信する。図Ａはシステムのタイミング構造を示す。
【０２３８】
【表１１】
0003746457.tif 000015
【０２３９】
イントラーセル多重化：
セル内の各移動局は、基地局によってコントロールされる同期スロット構造を介して、同一セル内の他の全ての移動局と時分割二重化及び時分割多重化されるので、それらは、セル内の位置的制約（遠近）によって妨害されず、移動体間の完全な時間分離を行う。
【０２４０】
インターーセル分離及び再使用：
インターーセルを基礎にして、ＴＳＩ、パワーコントロール、コード直交性、アンテナ多様性とビーム指向性を含む一連の多重化手段と能力が、セルからセルへの大きな分離を行う。
【０２４１】
殆どの「実際の世界」シナリオの下で、（特に１．８ＧＨｚにおいて）伝搬特性と大きな陰影化だけで、極めてしばしば十分なセル分離を行うだろう。さらに、システムは、再使用セル間で十分に高い程度の分離を行う以下を含む機構を利用する。
【０２４２】
タイムスロットインターチェンジ（ＴＳＩ）：
もし移動局の元のセル及び再使用セルの両方における移動局の統計的な配置を利用して混信が検出されると、この機能により、移動局又は基地局が動作タイムスロットを変更し得る。システムは、必要に応じて且つ可能な場合は単一ポーリングループ内に（即ち、２０ｍ秒未満で）、非常に早いＴＳＩを支援する。
【０２４３】
送信機パワーコントロール：
（各々最小３ｄＢの）離散ステップで移動送信パワーをコントロールすることにより、最小発生ＲＦパワーが全てのセルへの混信を減少する。タイムスロット構造が５００μ秒未満でパワー調整を可能することにより、混信及びフェージングの両方が緩和されるだろう。
【０２４４】
アンテナの多様性と指向性：
システムは、アンテナがステアリングされたフェーズドアレイでもセクタ化されたアーキテクチャであっても、アンテナ多様性と指向性アンテナの両方を支援する。フェーズアレイアンテナを支援するシステムでは、他のセルへの混信を劇的に減少すると共に遅延拡散を減少する極めて指向性のあるＲＦビームを使用してもよい。
【０２４５】
タイムスロットインターチェンジ、パワーコントロール、陰影化と結付いたアンテナの多様性と指向性の能力、伝搬と統計的な位置効果が、再使用プランの下に同じ周波数チャンネルを共有する基地局と移動局の間の劇的な分離利得を提供する。更に、オムニポイントシステムは、３個より多い離散周波数チャンネルを提供する環境で使用される時に、別の利得を得る。
【０２４６】
４．２．２  ＴＤＭＡアクセス構造．
４．２．２．１  ポーリングループ記述．
オムニポイントポーリングループは、３２個の全二重８Ｋｂｐｓタイムスロットから成る。各スロットは、以下の３個のフレーム型式の一つで形成される。
Ａ）ＭＳフレームに対する対称基地と基地フレームに対するＭＳ
Ｂ）ＭＳフレームに対する非対称基地と肯定応答を有する基地フレームに対するＭＳ又は
Ｃ）肯定応答を有さない単一の単向同報通信フレーム
【０２４７】
非同報通信フレームは、ポールモード又はトラヒックモードであり得る。
【０２４８】
更に、オムニポイントシステムでは、ＩＳＤＮと同様のＤチャンネルフォーマットが、特定業務向け情報用のどのパケットにも提供される。この情報は、シグナリング（信号送信）、短いメッセージサービス（ＧＳＭ等）、音声メール通知、通信中のページング又は他のデータ通信用途に使用できる。現在、Ｄチャンネルは、その全体をユーザが使用できると共に、いかなる呼出し処理やオムニポイントシステム情報にも使用されない。ＬＡＰＤ又はＱ．９２１と同様の誤り訂正アルゴリズムが、情報の送出と肯定応答を確実にするために、Ｄチャンネルを介してデータ伝送と共に使用される。
【０２４９】
４．２．１．３  パケット内容．
以下は、ノーマルトラヒック又はコントロールトラヒックを含み得るオムニポイントパケットの図解である。
【０２５０】
【表１２】
0003746457.tif 000016
【０２５１】
パケット内のヘッダは、基地局又はＭＳ、パケット型式、リンク品質、及びシステムが効率的に動作するのに必要な他の情報を識別する。パケットはまた、Ｄチャンネル内のシグナリング（信号伝送）及び／又は通信情報とベアラー情報を含む。
【０２５２】
４．２．２．  端末間遅延．
音声とデータのルーチン転送は、通常、基本ループ時間（２０ｍ秒）を特定のユーザによって予約され使用されるスロットの数で割った分だけ遅延する。例えば、３２ＫｂｐｓＡＤＰＣＭ音声は４個のスロットを使用する。等しい時間分布を仮定すれば、これはボコーディング遅延を計算に入れていない２０／４＝５ｍ秒の遅延になる。ボコーディング遅延は線形に増加する。
【０２５３】
４．２．３．  変調．
変調フォーマット：専売のＣＰＭ
記号毎のビット：５
ビット毎のチップ：６４
記号からビットへの翻訳：３２／５ビットの中の１個
検出プロセス：準コヒーレント
チップ同期、ビット同期、ワード同期：基地局はＧＰＳに同期し、ＭＳは基地局に同期。
【０２５４】
４．２．４．  等化．
オムニポイントシステムアーキテクチャではチャンネル等化は必要ない。代りに、レーキと同様の受信機アーキテクチャが、遅延拡散の２乃至３ユーザ範囲（最大）においてエネルギを集めるのに使用される。多経路多様性利得を達成すると共にフェージングに対する抵抗を改良するために、優勢（基本）相関タップが非コヒーレント的に追加される。
【０２５５】
４．２．５．  チャンネル符号化と誤りコントロール
オムニポイントのＣＡＩ設計は、基本的データ転送機構として構成されると共に、どんな特定のチャンネル符号化（スペクトル拡散符号化自身以外）、チャンネルデータの誤り処理、インターリービング等を元来、前提としない。そのデータ帯域幅の特定の消費者は、特別処理のためにデータ転送が業務レベルにおいて必要であることを規定できる。例えば、専売の８Ｋｂｐｓボコーダは、ベアラーチャンネル内にそれ自身の誤り訂正機構を提供する。
【０２５６】
この一般的動作仮定に対する唯一の例外は、コントロール情報の転送において及びＣＡＩコントロール構造によって提供されるＡＲＱ誤り検出と回復サービスによって支援されるユーザデータの転送においてである。各フレーム伝送は、構造特性と共に受信したフレームを更に処理するよう修正（修飾）するために使用されるｘ１６÷ｘ１２÷ｘ５÷ｌのフォームの１６ビットＣＲＣを含む。
【０２５７】
４．３  音声サービス．
４．３．１．  柔軟性．
４．２で記載したように、オムニポイントＣＡＩは、各２０ｍ秒ループにおいて８Ｋｂｐｓタイムスロットを音声帯域幅のより大きなブロックに離散的に加算することを許容する。従って、オムニポイントＣＡＩは、それ自身の専売の８ＫｂｐｓＣＥＬＰアルゴリズムと同様にどの型式の且つどの送信側からの他のアルゴリズムも支援する。２スロットの加算は１６ＫｂｐｓＡＤＰＣＭ等の１６Ｋｂｐｓアルゴリズムの使用を許容し、４スロットは３２ＫｂｐｓＡＤＰＣＭの使用を許容し、５スロットは、（アナログモデム信号のインバンド送信と共にグループＩＩとＩＩＩのファックス送信に特に有用である）４０ＫｂｐｓＡＤＰＣＭの使用を許容する。
【０２５８】
我々は広い範囲の音声アルゴリズムを組込む能力を示したけれども、データは増分帯域幅でも送信し得ることを注目することが重要である。現在のシステムは、又、一つの移動局が全基地帯域幅を使用することを許容する。
【０２５９】
より高いデータレートを達成するためにスロットを加算する外に、オムニポイントＣＡＩは、又、移動局がループの指定された数をスキップすることを許容することにより、より低いレートを支援する。従って、もし一つおきのループがスキップされるなら、ＣＡＩは４Ｋｂｐｓの音声又はデータを支援し、又、もし三つおきのループを使用するなら、２Ｋｂｐｓの音声又はデータが送信される等である。この強力な技術により、将来の音声及びデータのアルゴリズムが、オムニポイントＣＡＩを変更せず、又、基地局におけるいかなるハードウェアも変更せずに、発展し得る。
【０２６０】
オムニポイントのボコーダは、高速ディジタルプロセッサと、６４Ｋｂｐｓパルスコード変調のμロー圧伸符復号器と、要求されるサービスの等級に応じて呼出しセットアップ時に選択し得る多くのアルゴリズムを支援する方法論とから成る。エコー消去、利得コントロール、フローコントロール、データ経路指定、ＤＴＭＦ発生とホールド中の音楽の容易化等の他のサービスがボコーダによって提供される。
【０２６１】
ボコーダの複雑さとパワー要件は選択した特定のアルゴリズムに依存する。オムニポイント専売の８Ｋｂｐｓアルゴリズムは約５０ｍＡのパワーを消費する。現在支援されているその他の低レート音声アルゴリズムは特性決定中である。
【０２６２】
４．３．２  多重音声符号化器支援．
ボコーダアルゴリズムの選択は、呼のセットアップ時間に発呼者によって行われる。これは、リンクの各端におけるボコーダのデフォルト選択用のユーザのＨＬＲデータベースに自動的にアクセスすることによってなされるか、又は、ユーザの選択にまかせられる。応答側のボコーダは同様にデフォルトで選択される。レート適応は、基地局コントローラにおけるデータレートの６４Ｋｂｐｓでの正規化によって達成される。もしユーザのどちらかがより高い又はより低い品質を必要とするならば、これは、他方側とのインタラクションと移動局とのコントロールインタラクションによる呼のセットアップの後に要求される。
【０２６３】
４．３．３  音声符号化の基礎的性質．
オムニポイントＣＡＩは、広い範囲の既存の音声符号化アルゴリズムを支援すると同時に、それが将来進歩するにつれてボコーディング技術における自然発展を支援するアーキテクチャ機構を提供する。現在、ＣＣＩＴＴ  Ｇ．７２６ＡＤＰＣＭがオムニポイント移動局及び専売の８ＫｂｐｓＣＥＬＰにおいて支援され利用できる。実際は、ＣＣＩＴＴ  ＩＳ−５４ディジタルセルラーＶＣＥＬＰのように、いかなる他のボコーダも支援できる。
【０２６４】
オムニポイント専売の８ＫｂｐｓＣＥＬＰは、高い音声品質、低い複雑さ、低い符号化遅延と高い雑音状態での頑強性（ロバストネス）を結合する。そのアルゴリズムは、オムニポイントのスタッフ及びより抜きの産業仲間による厳しい試験を受けている。
【０２６５】
４．４  データサービス．
４．４．１  一般的記述．
オムニポイントシステムは、無数のデータ、ビデオ、マルチメディア及び同報通信用途のための効率的で柔軟なデータコンジット（導管）として働くように設計されてきた。その設計により、基本８Ｋｂｐｓレートより大きい又は小さいレートをエンドユーザに提供できる。
【０２６６】
無線区間プロトコルは、ＭＳに対して、２０ミリ秒毎にスロット当たり１６０ベアラービットを提供する。この１６０ベアラービットは１６ビットＦＣＷによって保護される。加入者の選択により、ＡＲＱ誤り訂正がベアラーデータにかけられる。２のウィンドーサイズがＡＲＱプロセスに使用される。再試行の試みの数はサービス提供者又は加入者によって設定し得る。
【０２６７】
４．４．２  ＡＲＱ後の誤りの最大確率．
ユーザによって理解されるＡＲＱ後の誤りの最大確率は、１．５３×１０−７の非検出フレームエラー確率である１０−２／（２１６−１）である。
【０２６８】
４．４．３  平均Ｃ／Ｉの関数としてＡＲＱによって生じる平均遅延．
閾値感度／Ｃ／ＩにおいてＡＲＱに生じる毎秒当たりの平均遅延は、
【数１】
遅延＝２＊１０３＊Ｍ＊ＢＬＥＲミリ秒
であり、ここで、Ｍは、所望の訂正された誤り率を達成するための再試行送信の平均数であるｎの次の最大整数値である。
【０２６９】
【数２】
0003746457.tif 000017
【０２７０】
加入者帯域幅は、最も近くの８Ｋｂｐｓに対する加入者データサービスの帯域幅である。ＢＬＥＲＤは所望のブロック誤り率であり、ＢＬＥＲは、所望Ｃ／Ｉにおける無線区間リンクのブロック誤り率である。
【０２７１】
４．４．４  平均Ｃ／Ｉの関数としてのスループット．
システムのスループットは、
【数３】
0003746457.tif 000018
によって定義され、ここでＦＥＲ＝１０−２である。
【０２７２】
４．４．５  ネットワークに対する回線切換及びパケット切換のアクセス．
ネットワーク設備に対する回線切換及びパケット切換のデータアクセスをオムニポイントフレームワークに提供できる。
【０２７３】
回線モードディジタルデータが無線インターフェイスを越えて支援される。
８Ｋｂｐｓから８Ｋｂｐｓの増分での２５６Ｋｂｐｓ全二重までを含む全てのＩＳＤＮデータサービスが支援される。サブ８Ｋｂｐｓレートから３２０ビット／ｓまでは１６０ビット／ｓの増分で支援される。より低いレート又は所定の増分の倍数でないレートはレート適応によって支援される。
【０２７４】
使用される特定のＩＷＦは、そのネットワーク又は特定のネットワークにおいて選択された回線切換サービスに依存する。
【０２７５】
パケット切換データサービスが、ＰＡＤとＩＷＦのアクセス又はコンテンションを基礎とするパケットアクセスによって提供される。
【０２７６】
システムは、動的可変データレート（ＩＳＤＮデータサービスの上記説明参照）で全二重同期無線区間データ転送を提供する。端末用途は、ＰＡＤ及び／又はこれらの設備を使用するＩＷＦと交信するためにデータチャンネルを使用する。低いデータレートの時間中、端末は適当にその無線区間帯域幅の必要条件を減少させるであろう。
【０２７７】
システムは早い回線起動プロトコルを提供する。チャンネルへのコンテンションはこの点で起こり得るので、それはＩＥＥＥ８０２．３と同様のバックオフ手順で決定される。チャンネル起動及び解放のオーバヘッドは非常に低い（５０ｍｓ以下、典型的には１０ｍｓ以下）ので、トランザクションを基礎とする用途は、チャンネルを獲得して、適当なＩＷＦモジュールへの回線を形成し、そのデータを送って、次にそのチャンネルを極めて早く解放するだろう。
【０２７８】
非常に低いパケットレートの用途は、非常に低いチャンネルアクセスデューティサイクル、従って、非常に低い全オーバヘッドを持つだろう。高パケットレートシステムは、チャンネル解放の前に多重パケットを送る。
【０２７９】
４．４．６  同期データクロック．
同期クロックはネットワーク上でＩＷＦによって処理される。ノーマルブロッキング手法が、適当な誤り回復とクロッキングの境界においてデータを緩衝するために使用される。端末端部において、追加のＩＷＦ機能が、端末とＳＮＡ装置の間のデータを緩衝しクロック同期させ、更に回復するのに必要となる。
【０２８０】
４．５  再使用プラニング．
４．５．１．  周波数再使用．
オムニポイントは、Ｃ／Ｉの必要条件を満たすために、３つの公称周波数再使用パターンを使用する。セル内のユーザを分離するためのオムニポイントによるＴＤＭＡの使用は、タイムスロットに応じて、特にリバースリンク（逆方向のリンク）において極めて変動し易い。ラピッドリバースリンクパワーコントロールと組合せたオムニポイントの動的タイムスロットインターチェンジは、他のシステムで提案された動的チャンネル割当て（ＤＣＡ）方式に対応したやり方でサービスエリア確率を大幅に改良する。指向性アンテナと組合せられて、これらの手法は個々のユーザの間の十分な分離をもたらす。
【０２８１】
４．５．２  動的チャンネル割当て及び／又はアンテナセクタ化．
（オペレータ毎に３０ＭＨｚの最大ＦＣＣ割当ての下では最大６ＲＦチャンネルが起こり得るけれども、）オムニポイント内のハンドセットは、どの基地局においても１８５０−１９９０ＭＨｚ間の２８ＲＦチャンネル中心周波数のいずれとも動作するように周波数に対して機敏である。ハンドセットは、１８５０−１９９０ＭＨｚ帯域内のどの中心周波数も１ｍｓ未満で走査し得る。公共ネットワークに使用される基地局は、動作中、周波数が固定されるが、１８５０−１９９０ＭＨｚ帯域内のどのチャンネルにも変更できる。基地局周波数の遠隔選択をＰＣＳＣにおいて行うことができる。
【０２８２】
非免許帯域において、基地局は開始時には未使用周波数を走査し、混信を避けるために周波数を動的に変更する。基地局もハンドセットも共に、５ＭＨｚの増分で８０ＭＨｚを越えてまたがる２．４ＧＨｚ非免許帯域で動作し得る。
【０２８３】
オムニポイントプロトコルは、システム容量を高める一方、範囲を増加し、ＯＦＳとの共用を促進し、Ｃ／Ｉを改良し、又、遅延拡散を低下させるために、高利得ステアリングアレイアンテナ設計を採用するように構成されている。他の殆どの無線インターフェースと異なり、オムニポイントのＴＤＤ／ＴＤＭＡ手法は単一マニホールドアレイアンテナと使用できるので、所定時にただ１個のビームしか必要としない。フェーズドアレイアンテナ型式では、アンテナビームを指向方向、零方向とＣ／Ｉの観点から個々のユーザに対して動的に最適化し得る。
【０２８４】
対照的に、ＦＤＤ／ＣＭＡ又はＦＤＤ／ＦＤＭＡ無線インターフェースは、各ユーザに対して同時に２個のビーム、即ち、アップリンク用に１個とダウンリンク用に１個を必要とする。もし、例えば、３２人のユーザが、高利得アンテナを使用する場所で支援されるべきとすれば、ＦＤＤ／ＣＤＭＡ又はＦＤＤ／ＦＤＭＡ手法は６４個もマニホールドを必要とするのに対し、オムニポイントの無線インターフェースは１個だけしか必要としない。アレイマニホールドはフェーズドアレイアンテナシステムの中で最も高価な部品なので、オムニポイントの無線インターフェースは高利得ステアリングアンテナのはるかにすぐれた経済的な使用を提供する。
【０２８５】
４．５．３  搬送波周波数と対となる基地局．
現在、周波数／コードセットプランが基地局パラメータを設定するために使用されている。ＭＳパラメータは、それが交信している基地局のＭＳパラメータによって決定される。必要ではないが、将来の解放において、シミュレートされたアニーリング手法が、特に小さいセルと非免許構成において、基地局パラメータを適応選択するように計画されている。
【０２８６】
４．６  サービスエリア．
４．６．１．  平均ＲＦパワーレベル．
ＦＣＣによって最近決定された、ピーク基地パワーを１００Ｗ  ＥＩＲＰに制限するとする最大ＥＩＲＰ規則は、高利得アンテナを使用する時によりバランスの取れたリンク設計を支持することによって、正方向リンク設計に影響するだろう。ＭＳ受信機感度におけるいかなる非対称性も、通常、ＢＳにおけるより高い送信パワーによって補償される。従って、我々は、ＦＣＣ規則が再考後に最終決定される時までは、ＭＳ感度を指定しようとは思わない。公称基地局感度は、６ｄＢのＣ／ＩとＬ＝４の多様性が与えられた時に１０−２のフレーム誤り率（ＦＥＲ）を生じるように、−１００ｄＢｍである。
【０２８７】
図２２は、基地局アンテナの高さを１０ｍに仮定する中央値伝搬経路損失のＣＯＳＴ２３１モデルに基づく期待セル半径を示す。大規模陰影化効果は、８ｄＢの標準偏差を有する対数正規分布であると仮定される。「ハタ」ー「オクムラ」モデルは、厳密に言うと、３０−２００ｍの範囲の基地局アンテナ高さ用に開発されたから、１０ｍの規定された基地局高さにおいて正確でない。ＣＯＳＴ２３１予想を「ハタ」と比較すると、ＣＯＳＴ２３１範囲予想は、「ハタ」の大都市の都市部の場合と「ハタ」の大都市の郊外部の場合の間のどこかに収まる。オムニポイントの無線インターフェースアーキテクチャは、セル間のより少ない重複を許容する基地局の間で極めて迅速なハンドオフを提供する。これが、７５％エリア輪郭が９０％全サービスエリアに通じ、又、９０％エリア輪郭が９９％全サービスエリアに通じる図２２に反映されている。
【０２８８】
基地局のアンテナ高さが低くなればなる程、物理的な妨害と関連する迅速な信号強度ロールオフのために、より高い受信機感度も高利得アンテナもセル寸法を増大させる決定的な役割を果たさないという重要な証拠がある。より短い範囲では、信号は１／Ｒ２特性で低下しがちであるのに対し、より長い範囲では、信号は低い基地局アンテナ高さにおいてＲ７又はＲ９もの高さでより迅速に低下する。これは多くの研究者によって確認されている（テレシス・テクノロジーズ・ラボラトリー（Ｔｅｌｅｓｉｓ  Ｔｅｃｈｎｏｌｏｇｉｅｓ  Ｌａｂｏｒａｔｏｒｙ）の「実験ライセンス・プログレス・レポート（１９９１年８月）」、ヘンリク・ボージェソン（Ｈｅｎｒｉｋ  Ｂｏｒｊｅｓｏｎ）のＩＥＥＥ  ＶＴ−９２プロシーディングズ，ｐｐ．９２７−９３１「１７００ＭＨｚにおける屋外マイクロセル測定」、ベル・アトランティック・モービル・システムズ（Ｂｅｌｌ  Ａｔｌａｎｔｉｃ  Ｍｏｂｉｌｅ  Ｓｙｓｔｅｍｓ）の「実験レポート（１９９３年２月１日）」、ヴィンコ・アーセグ（Ｖｉｎｋｏ  Ｅｒｃｅｇ）外の「都市部／郊外の見通し外伝搬モデル化（ＩＥＥＥ  コミュニケーション・マガジン、１９９２年６月）」）。ある意味で、伝搬係数にブレークポイントがある。より高い係数の大きさに応じて、改良するリンクマージンが範囲を増大するのに殆ど役立たない。放射センターの数が重要なパラメータになる。（注：これは、指向性アンテナがセルをより小さくするのに何の恩恵ももたらさないことを意味するのではなく、その指向性はセル半径を増大する以外の目的に使用できる。）
【０２８９】
図２３において、我々は、再び、５０ｍの基地局アンテナ高さを有するＣＯＳＴ２３１伝搬モデルを使って、期待される性能をプロットした。明らかに、一旦基地局がＲＦクラッターを越えると、範囲は大きく増大する。
【０２９０】
４．６．２  最大戸外基地局間隔．
オムニポイントが多くの異なる基地局アンテナを使用するので、最大経路損失は設置位置構成に応じて変動する。表１３の図Ｅは、前期仮定の下に３００ｍＷのＭＳピークパワーと−１００ｄＢＭの基地局感度を使用する構成のための最大経路損失を示す。セル半径予想は、８ｄＢのログノーマル標準偏差を有するＣＯＳＴ２３１伝搬モデルに基づく。
【０２９１】
【表１３】
0003746457.tif 000019
【０２９２】
表１４の図Ｆは、ＭＳピークパワーが１ワットである点を除いて同じ仮定を使用する構成に対する最大経路損失を示す。
【０２９３】
【表１４】
0003746457.tif 000020
【０２９４】
４．６．３  適応パワーコントロール．
パワーコントロールパルスは、ＢＳがＭＳに送信すると期待される時点の直前にＭＳによって送信される。このように、ＰＣＰは、移動チャンネルのパワー測定値をＢＳに提供して、ＭＳに送られるべきパワーコントロール命令の基礎となる。マルチレシーバＢＳは、又、ＢＳに到達するＰＣＰ信号の品質に基づく送信のためのアンテナ選択を可能にする。あるＴＤＭＡシステムでは、ポーリングループの回りの信号の待ち時間がパワーコントロールの使用を抑止する。即ち、ポーリングループの回りの時間長さは長すぎるので、最後の送信がチャンネルの損失及び劣化を推定するのにそんなに有用でない。殆どの固定局の用途において、アンテナ位置、パターン、固定局から送信されるパワーは、他の固定局に対する最小混信のために調整される。しかしながら、セルラーのような移動局は、交差セル境界において他の移動局と衝突する性質がある。これは、移動局におけるいくらかのパワーコントロールの必要性を生じる。例えば、そのＢＳサービスエリアの境界で動作するハンドセットは、通信接続状態にするためにはその全パワーを送信する必要がある。しかしながら、それ自身のＢＳの比較的近傍で同じタイムスロットで動作するハンドセットは、良好な接触を得るのに全パワーを送信する必要はない。ＢＳは、チャンネルをＰＣＰで測定して、ＭＳに必要に応じてそのパワーを調整するように命令することができる。ＢＳは、又、ＭＳからの時間遅延を測定するのにＰＣＰを使用して、ＢＳからのその距離を推定することもできる。更に、もしＢＳがＭＳのパワー設定を知っているのなら、ＢＳはそれ自身のパワーも調整できる。
【０２９５】
オムニポイントパワーコントロールアルゴリズムは、ＭＳが、ＭＳの送信パワーを制御するための情報を基地局に提供する専売のパワーコントロールパルス（ＰＣＰＴＭ）技術を採用する。ＰＣＰＴＭは、下記のものを含む幾つかの機能を果たす。
【０２９６】
正方向及び逆方向リンクのアンテナ多様性情報の提供：
基地局は、ＭＳによって送信されるＰＣＰから最善の受信信号品質表示（ＲＳＱＩ）を有するアンテナで送受信するから、ＭＳはＭＳにおける明確なアンテナ多様性能力を持たないとしても、ＭＳはアンテナ選択多様性から恩恵を受ける。ＲＦ特性がスロットタイム内に変化しないように、オムニポイントシステムが高速ＴＤＤ手法を使用するので、これがなされる。
【０２９７】
ＭＳ送信パワー設定のためのチャンネルプロービング機能の提供：
ＰＣＰＴＭ  ＲＳＱＩに基づいて、基地局は、現在の設定に対してある離散量だけ送信パワーを変更するようにＭＳに命令する。ＰＣＰＴＭ，ＢＳ送信とＭＳベアラー伝送バーストをまたぐ経過時間は５００μ秒未満であるので、オムニポイントパワーコントロールアルゴリズムは、陰影化効果と共に小規模なマルチパスフェージング効果を打消す。
【０２９８】
コントロールトラヒックにおける基地局支援ハンドオフ（ＢＡＨＯ）情報の基礎の提供：
この時、正方向リンクパワーコントロールアルゴリズムが検査される。
【０２９９】
４．６．４  アンテナ多様性．
逆方向リンクでは、基地局は、受信中のフェージング効果に対抗するためにアンテナ多様性を使用すると共に、正方向リンク伝送のためにどのアンテナを使用すべきかを決定する。オムニポイントのＴＤＤチャンネル対称性のために、これは、両方向におけるマルチパス効果に関してアンテナ選択多様性利得を提供する効果を有する。
【０３００】
４．７  プライバシーと承認の問題．
オムニポイントシステムは、承認（ユーザ、端末とサービス提供者の同一性を検査する処理）と妥当性検査（ユーザ及び／又は端末がサービスにアクセスする権限があることを検査する処理）を支援するだろう。承認と妥当性検査処理は、システムオペレータが、サービスが提供される前に不正な無線装置及び／又は権限の無いユーザ及び／又はユーザを発見するのを許容すべきである。この防止は音声とデータの両方に及び得る。
【０３０１】
オムニポイントシステムは、シグナリング（信号伝送）とユーザ情報（例えば、音声とデータ）のプライバシーを支援するとともに、ユーザの同一性と場所のプライバシーを維持するだろう。オムニポイントシステムは、ユーザがＰＩＮを入力することを要求することによって、権限の無い使用の保護を図っている。ポータブルは、装置のパワーを上げるにつれてユーザへのＰＩＮの要求をデフォルトとなるだろう。このデフォルトは、適当なコントロール機能を介して不能にできる。
【０３０２】
オムニポイントシステムにおけるプライバシーと承認を支援する最後の方法論は、産業界の努力、特に、ＰＣＳオペレータが別に決定しなければ、プライバシーと承認に関する合同専門家会議によって決定されるだろう。
【０３０３】
４．７．２  暗号化フレーム同期の喪失．
オムニポイントシステムは、呼が喪失しないように自己同期モード暗号化を採用するだろう。
【０３０４】
４．８  ハンドオーバー．
４．８．１  一般的記述．
オムニポイントハンドオーバーは、ＭＳ制御されると共に１６ステップに分割されている。
【０３０５】
ステップ１：
ＭＳが発信基地局とベアラートラフィックで接続されているとき、それはリンクの受信信号品質表示（ＲＳＱＩ）を測定する。この値が、現在のフレーム誤り率と共にリンク品質を決定する。もしリンク品質が測定閾値である閾値１より下に低下すると、ＭＳはステップ２に移行する。
【０３０６】
ステップ２：
リンクが測定閾値より下に低下すると、ＭＳは、他の周波数／コード代替セットを探索するためにベアラートラフィックで接続するために必要でないタイムスロット中、探索する。この探索は、発信基地局と近傍基地局の両方の周波数／コードセットチャンネルのリスト上で行われる。（この情報は発信ＢＳからダウンロードされる。）ＭＳが各周波数／コードセットを発見するので、それが周波数／コードセットのＲＳＱＩを測定する。更に、ＭＳは、ＢＳの現在のタイムスロット利用を記述する全てのＢＳフレーム内に運ばれたフィールドを読取る。ＭＳは、発信ＢＳを含む各種のＢＳの価値の数字を形成するために、これらの２個の情報を使用する。ＭＳは、価値の数字によって検出されたＢＳを分類する。これにより、ＭＳが発信ＢＳにおける他のタイムスロットの品質を測定できることに注意せよ。もしこれらのスロットが回りのＢＳのそれらより優れていれば、リンクを発信基地局に維持するタイムスロットインターチェンジハンドオーバーが考慮されるかも知れない。
【０３０７】
４．８．１．１  メークビフォアブレークハンドオーバー（切断前に実行するエリア切り換え）．
【０３０８】
ステップ３：
リンク品質がハンドオーバー閾値である閾値２より下に低下する時、ＭＳは、非ベアラースロット中、（発信ＢＳ上のＴＳＩであるかも知れない）最高の価値の数字を有する基地局からのハンドオーバーを要求するだろう。スロットを起動し、ハンドオーバー要求シグナリング（信号）メッセージを送り、更に、基地局からの肯定応答を待つことによって、ハンドオーバーが基地局から要求される。ハンドオーバーシグナリング（信号）メッセージは、発信ＢＳをＰＳＴＮに接続する回線の記述を含む。この情報は、呼の設定時にＭＳに流される。もし基地局が（肯定応答によって）ハンドオーバーを受付けると、新しい基地局が端末ＢＳになる。ＭＳがこの時間中に発信ＢＳとベアラーチャンネルを維持することを注意せよ。
【０３０９】
ステップ４：
端末ＢＳは、元の回線を発信ＢＳから端末ＢＳに切換えることを要求するノートを基地局コントローラに送る。
【０３１０】
ステップ５：
もしＢＳＣが両方の基地局に共通であれば、イントラ・クラスタ・ハンドオーバーと呼ばれる通常の事象が発生する。もしＢＳＣが両方の基地局に共通でなければ、処理はインター・クラスタ・ハンドオーバーに続く。
【０３１１】
イントラ・クラスタ・ハンドオーバー：
ステップ６：
ＢＳＣは、回線を発信ＢＳから端末ＢＳに橋渡しすると共に切換える。
ステップ７：
ＢＳＣは回線切換完了ノートを発信ＢＳに送る。
ステップ８：
ＢＳＣは回線切換完了ノートを端末ＢＳにおくる。「続く」に行け（ステップ１３）。
【０３１２】
インター・クラスタ・ハンドオーバー．
ステップ９：
もしＢＳＣが両方の基地局に共通でなければ、ＢＳＣは、ハンドオーバーノートをＰＣＳＣホストのシグナリング（信号方式）言語に翻訳すると共に、インター・クラスタ・ハンドオーバーをＰＣＳＣレベルで要求する。あるネットワークアーキテクチャでは、ホストＰＣＳＣは端末ＢＳＣからのハンドオーバー要求を受付けることができない。この場合、要求が、発信ＢＳに接続されたＢＳＣに対するＸ．２５リンクを介して、ＰＣＳＣに送られる中間ステップが生じる。次に、発信ＢＳＣは要求を翻訳してＰＣＳＣに中継する。
【０３１３】
ステップ１０：
切換はＰＣＳＣによって肯定応答される。もしＰＣＳＣが端末ＢＳＣに対する切換を直接に肯定応答しないならば、そのメッセージは、Ｘ．２５を介して発信ＢＳＣから端末ＢＳＣに中継される。
【０３１４】
ステップ１１：
発信ＢＳＣは回線切換完了ノートを発信ＢＳに送る。
ステップ１２：
端末ＢＳＣは回線切換完了ノートを端末ＢＳに送る。
続く：
ステップ１３：
端末ＢＳが回線切換完了ノートを受信する時、それは特定のポーリングでＭＳのページングを開始する。
ステップ１４：
発信ＢＳが回線切換完了ノートを受信する時、それは端末ＢＳに転送するための複数の信号をＭＳに送信する。
ステップ１５：
ＭＳが端末ＢＳに転送するための信号を受信する時、又は、もしリンクが発信ＢＳに対して喪失されると、ＭＳは周波数を端末ＢＳに切換えると共にページを探索する。
ステップ１６：
ページが現れる時、ＭＳは端末ＢＳに対する接続を完了し、ベアラーチャンネル接続が再開されてハンドオーバーが完了する。
【０３１５】
４．８．１．２  ブレークビフォアメークハンドオーバー．
ＭＳと発信ＢＳ又は端末ＢＳの間のリンクがいつか完全に壊れたならば、ＭＳは、最高品質のＢＳを探索して、以前のＢＳとの通信無しにハンドオーバーを試みるだろう。これにより、ＭＳは元のリンクが劣化した状況から回復する。
【０３１６】
４．８．２  開始遅延
イントラ・クラスタ・ハンドオーバーにとって、ベアラーチャンネルの再設定を含む、ハンドオーバーが要求される時とハンドオーバーの完了時の間の総遅延は、典型的に１０ｍｓ未満である。端末との通信に誤りが無いと仮定すると、最大イントラ・クラスタ・ハンドオーバー時間は約４０ｍｓである。インター・クラスタ・ハンドオーバー遅延は、ホストＰＣＳＣに固有の遅延に部分的に依存すると共に、本記述の範囲を越えている。システムの無線区間部分によって引き起こされる遅延は最小、即ち、４０ｍｓの範囲内にある。
【０３１７】
イントラ・ＢＳ・ハンドオーバー又はタイムスロット・インターチェンジ・ハンドオーバーは、イントラ・クラスタ・ハンドオーバーと同じ無線区間総遅延を有する。通常の環境下では、遅延は１ポーリングループ、２０ｍｓ未満であり、典型的には、１０ｍｓ未満である。切換遅延が無いので、ベアラーパケットは割込み無しにＭＳと接続されたままである。
【０３１８】
イントラ・クラスタであるかインター・クラスタであるかに拘わらず、少なくとも１個の基地からの適当なＲＦサービスエリアを仮定すれば、ブレークビフォアメークハンドオーバーには典型的に２５０ｍｓｅｃ未満を要する。
【０３１９】
４．８．３  切換実行時間．
切換実行に関係する時間の多くは、実際上ＢＳとＢＳＣの間の転送ノートに基づく。ハンドオーバーの目的のために、約２００ビットの信号伝送が必要である。６４Ｋｂｐｓに渡り、４ｍｓ未満のベアラーチャンネルが転送のために必要である。従って、４ｍｓ程度のオープン期間が生じるだろう。イントラ・クラスタ・ＢＳＣ切換時間は、ＢＳＣ切換マトリックスにおいて数十マイクロ秒である。ＢＳＣ用途プロセッサへ及びＢＳＣ用途プロセッサからのどの追加の転送時間と組合されて、転送を含む全ＢＳＣ切換実行時間は典型的に２０ｍｓｅｃ未満である。システムはメークビフォアブレークハンドオーバーを使用するよう設計されているので、これが最大損失であるべきだ。
【０３２０】
インター・クラスタ切換時間は、ホストＰＣＳＣに固有の遅延に部分的に依存すると共に、ネットワークアーキテクチャに応じて変動するが、本記述の範囲を越えている。
【０３２１】
４．９  陸上送信．
オムニポイントバックホールプランは、多数の転送インフラストラクチャを利用するように考案されてきた。今日、多くのオプションが最終切換機能のために存在する。ベルコア（Ｂｅｌｌｃｏｒｅ）は、いわゆる「ジェネリックＣ」インターフェースを定義している。オムニポイントは、又、ＩＳＤＮ規定を使用するＣＯから直接ハンドオフを提供する能力を示した。「Ａ」インターフェース（又は、時には「Ａ−」）と呼ばれるＧＳＭ欧州規格に対する訂正が、米国市場のために提案されるようだ。オムニポイントは、ＰＳＴＮへのバックホールのプラニングと実験において、主要な交換機メーカと主要なローカル交換会社と関与してきた。
【０３２２】
オムニポイント無線リンクの固定部の設計は、電気を基礎とするエコー消去ロジックを含むＰＳＴＮ側ボコーダを基地局コントローラに配置する。これにより、ケーブルＴＶ、ＩＳＤＮ、ＨＤＳＬ又はＴＩ等のシステムをバックホール戦略における変動の影響を受けないようにするシステム内の一定位置における全てのタイミングが緩和される。ケーブルＴＶバックホールの場合、基地局それ自身が、通常の基地局の簡略板であると共にケーブルに対する専売のモデムインターフェースを備えることに注意すべきである。バックホールはディジタルデータ領域で遂行される。ＲＦ及びタイミング問題は、基地局コントローラインターフェース構造に対する基地局の設計によって緩和される。
【０３２３】
ケーブルＴＶ互換性：
システムは、多くの既存のＣＡＴＶインフラストラクチャのみならずファイバーの広範な使用を含む将来の設置に最も普通に提案されているものを支援する。ＢＳＣをヘッドエンドに配置すると共に、基地局をＣＡＴＶノードに設置することにより、システムは、ＣＡＴＶ産業によって提供されると期待される広い範囲の他のサービスの外に、ＰＣＳを支援するように設置されがちな型式の同軸／ファイバー設置を支援する。サービスエリアを個々の基地局から拡大するために、リモート・アンテナ・ドライバー（ＲＡＤ）とケーブル・アンテナ・トランシーバー（ＣＡＴ）が、同軸ＣＡＴＶケーブル転送の手段としてオムニポイントによって広範に試験されてきた。オムニポイントは、（コックス・エンタープライジズ（Ｃｏｘ  Ｅｎｔｅｒｐｒｉｓｅｓ）と組んで）車両速度ハンドオフがＣＡＴと基地局をまたいで達成できることを示した。更に、４個のＣＡＴと接続された１個のＢＳが、サービスエリアを典型的な丘陵住宅地域内の１５３個の家庭に提供することを示した。
【０３２４】
４．１０  基地局へのパワー供給
オムニポイントが選択したパワー伝送方法は、バッテリバックアップと基地局自身から離隔した主要パワー供給部をそなえる低電圧ＤＣ型式である。オムニポイントシステムは、保守、展開簡便性、極端な環境条件下の頑丈さ等を特に考慮して設計されていると共に、全ての臨界領域において冗長である。ＯＡ＆Ｍ層による遠隔検出は、システム内の個々の資源の状態を確認すると共に、故障資源がバックアップ能力で動作している時にサービスユニットをディスパッチすることができる。
【０３２５】
４．１１  コール・ハンドリング（呼の取り扱い）．
ネットワーク層信号方式に対するシステムによって使用される無線区間インターフェース信号方式の方法はＩＳＤＮＱ．９３１／ＡＮＳＩＴ．６０７に基づいている。この信号方式に要求される帯域幅を縮小するために、そしてＲＦリンクの性質に適応できるために、縮小されたフォーマットが無線区間メッセージに使用される。これらのメッセージは適当なＩＳＤＮもしくは３ＳＣにおける他のメッセージに変換される。付加的信号方式は、サポートされた帯域幅の豊かな変化を記述するために、ハンドオーバーをサポートするために、無線資源の割当てをサポートするために、そして確証をサポートするために加算されている。
【０３２６】
４．１１．１  端末初期化．
ＭＳはパワーアップにおいて基地局を探す。従ってＭＳはＢＳをもっていかなる利用できるスロットおよびレジスターを差押える。もしＢＳが既にＭＳを登録しているならば、ＢＳは単に登録の要求を肯定するのみである。もしそうでないならば、３ＳはそのスタブＶＬＲの中にＭＳを登録する、そして登録要求ノートをＢＳＣに送る。一度ＭＳが登録要求に対する肯定応答を受取るならば、そのスロットを開放し、ＢＳからの警報メッセージもしくは加入者からの開放的コール要求を待つ。従って特別なセットアップチャンネルがない。重要な加入者パラメータのすべてがＭＳの中に、もしくはＭＳに付与されたＳＩＭモジュールの中に含まれる。ＭＳは登録目的のためにいかなる利用ができるスロットを使用する。放送用チャンネルは他の目的のために存在しているが、システム放送チャンネルに対する必要はない。その理由は、利用できて、未使用の時間スロットが共用の信号チャンネルに一般的なポーリングするメッセージを送るのに使用されることができるからである。一般的なポーリングするメッセージはシステム情報を含み、スロットを差押えるためのＭＳに対する送信勧誘である。
【０３２７】
登録要求ノートを受け取るＢＳＣはそのスタブＶＬＲを更新し、そしてＭＳが新しいならば、ＢＳＣは登録要求をＰＣＳＣに送るであろう。ＢＳへのすべてのＶＬＲエントリはタイマーと連合している。そし登録がＭＳからタイマー時間の間に聞かされていないならば、連合しているＭＳに対するＶＬＲエントリーは削除されて、ノートがＢＳＣに送られるだろう。ＭＳは通常のベースで登録を要求することに対して応答する。登録動作はリソースをあまり要求しないので、多くのＭＳが同時に登録を希望する時でも、このことは大きなシステムに負荷をかけない。
【０３２８】
４．１１．２  コールセットアップ遅延（呼設定の遅延）．
ＣＡＩコントロールの目的に対しては帯域内周波信号方式は使用されない。ＢＳおよびＭＳユニット間のフレームは二つの目的のいづれかに使用される。これはすなわちフレーム毎によるユーザのベアラトラフィックもしくは信号情報である。一度チャンネルが差し押さえられると、発信信号メッセージがＢＳに送られる。ＢＳは資源をその呼に割り当てる、そして発信メッセージをセットアップノートに翻訳する。このプロセスは差し押えと適当な肯定応答を含んでいて、各々がスロットをとるＢＳとＭＳの間の三つの翻訳を全体として処理する。システムはこれらの翻訳に対していかなる利用ができるスロットを使用するので、動作は最低２msであり最高６０msとなる。代表的な手順は１０ms以下となる。ネットワーク・コールセットアップと比較すれば、この遅延はあまり重要ではない。
【０３２９】
４．１１．３  コール終了警告プラン．
警告はホストＰＣＳＣで始まる。ホストの特別の作用は本議論の範囲を越えるものであるが、所定のＭＳが現在登録されているＢＳＣのトラックをすべてのＰＣＳＣは保持する。もしＭＳがこの登録リストの中にないならば、そのＭＳはシステムに利用できない。ホストＶＬＲは、ＢＳＣによって放棄された登録メッセージによって更新されている。
【０３３０】
ＢＳＣがホストＰＣＳＣからセットアップメッセージを受けとる時は、スタブＶＬＲの中で住所ＭＳの位置を探索する。もしＭＳが見出されないならば、ＢＳＣはエラーをＰＣＳＣに返却し、コールを中止する。そうでなければ、ＭＳが最後に報告されたＢＳにセットアップノートをＢＳＣは送信する。セットアップが進行する一方、登録要求がＢＳＣによって受理されるならば、ＢＳＣはセットアップノートを新しいＢＳに再送信する。
【０３３１】
ＢＳＣからセットアップノートをＢＳが受けとる時に、ＢＳは利用できるスロットの一つの方に警告メッセージを送る。
【０３３２】
ＭＳがコール・接続の一部分でない時は、あらかじめ決められた基本の下にデューテイ・サイクルを行う。各々のデューテイ・サイクル毎に、ＭＳは、実施することになっている警告メッセージのためにＢＳのポーリング・ループを活動させて、チェックする。ＭＳは警告トラフィックを見ないし、もしくはもしタイマーが終了しているならば休止中のモードに再参入する。もし警告メッセージがＭＳに対して存在しているならば、ＭＳは警告応答をもって対応する。従ってＭＳは声高く加入者に警告する。
【０３３３】
ＭＳは時間の小区域のみに対して活発であるので、警告メカニズムはパワーの節約ができる。
【０３３４】
４．１２．１  端末移動度管理プラン．
移動度管理のたいていは既に前にハンドオーバ(４．８)およびコール・ハンドルイング(４．１１)の章で説明されている。基本的なローケション（位置）のメカニズムはＭＳの登録に依存している。接続セル(ハンドオーバ)の間、もしくはＭＳが事象(登録)を待っている間ＭＳが従属(allegiance)を新しいＢＳに移動するたびにほとんど毎回、ＭＳは新しいＢＳで登録する。ＢＳはそのＶＬＲを更新する。そしてＭＳが移動させないならば、すなわちＢＳで前に登録されているならば、ＢＳは登録の告知をＢＳＣに送る。ＢＳＣはＭＳの新しいローケションを反映するようにＶＬＲを更新する、そしてＢＳは登録の告知をＢＳＣに送る。ＢＳＣはＭＳの新しいローケションを反映するようにＶＬＲを更新する、そして告知をホストＰＣＳＣに送る。着呼は、ＢＳＣスタブＶＬＲを使用することにより、適当なＢＳにルート指定される。ハンドオーバは自動的に登録と同じ手順によって行われる。
【０３３５】
ＰＣＳＣの作用および他のシステムとの関係はこの論議の範囲を越えている。
【０３３６】
４．１２．２  システム  インターワーキング．
システムは多くの異なるホストＰＣＳＣに連結するように設計されている。この容量において、システムはホストシステムの内部作用(interworking)の機能性に依存している。最重要の例外はホストシステムが端末ＢＳＣによって開始されたハンドオーバの機能を供与しない場合である。この場合、ハンドオーバを遂行するために、リンクが端末ＢＳＣから発信ＢＳにまで構成されねばならない。Ｘ２５リンクもしくはＱ．９３１ユーザ情報メッセージはこのことがどうように実行されたかの例題である。内部作用のこれ以上の論議はホストシステムに落ち入らねばならない、そしてこの論議のスコープを越えている。
【０３３７】
４．１３  スペクトル共用．
４．１３．１  ＰＣＳ対ＯＦＳ．
すべての点の無線区間インターフェースはＯＦＳユーザとスペクトル共用を促進するように設計されている。特に容量があまり心配でないようなＰＣＳ展開の初期段階において促進するようになされている。多くのＯＦＳリンクはたいていのＰＣＳ割当てに向って移動しなければならないけれども、すべてのシステムとともにはるかに少くないＯＦＳリンクは再配置を要求するだろう。キー共用の特点も含む。
【０３３８】
ダイレクトシーケンススペクトルスペクトル拡散(Ｄirect  Ｓequence  Ｓpread  Ｓpectrum)は空間密度を低め、そして比較的少くないＯＦＳ狭バンド音声チャンネルにエネルギーを集中することを避けることである。ＯＦＳユーザのすべての８３％は、干渉スペクトルを保存する多重超狭帯域のアナログＳＳＢ−ＳＣ−ＦＭ信号方式フォーマット(Ｍultiple  very  narrowband  analog  ＳＳＢ−ＳＣ−ＦＭ  signaling  formats)を使用する。その結果、狭帯域の干渉ソースは比較的少なくない音声チャンネルと連結して、そしてＴＳＢＩＯＥを犯すか、もしくは低いパワーレベルで大きな劣化を引き起す。ある場合には、ＯＦＳリンクのすべてが、パイロット周波数もしくは管理チャンネルのような特に敏感な周波数をヒットする狭バンドＰＣＳ送信機からのスペクトル集中によりつぶれることがある。これらの敏感な周波数は各ＯＦＳリンクにともなって変化する。
【０３３９】
唯一の送信機であるＴＤＭＡ／ＴＤＤはセルの特別のＲＦ周波数の中で所定の時間に活性化する。パワーはセルの内部に集中しないので、潜在的に犠牲的なＤＦＳ受信機に連結する有効パワーは活動中の（通信中の）ユーザの数の関数ではない。これは完全に、ＦＤＭＡのみシステムや、ＣＤＭＡのみのシステムと違っている。
【０３４０】
オムニポイントシステムのようなＴＤＤは所定のセル配置で一つの未使用の周波数を見出す必要がある。ＦＤＤ手法を使用するシステムは所定の配置で動作するためには二つの周波数を見出すことが必要であろう。高いＯＦＳ密度の区域では、リンクの５０％だけが標準８０ＭＨzの間隔に従うのみである。統計的にはＰＣＳに対するＴＤＤ使用はＦＯＤに比べて、非干渉ＲＦチャンネルを見出す確率の３倍以上である。
【０３４１】
ＭＳは話す前に聞く、すなわち発信する前に傍受する。ＭＳは対応する基地局と同じ周波数を使用して送信する。基地局がＯＦＳユーザと調整されているならば、ＭＳが被害をうけている周波数で誤ってオンする可能性はほとんどない。
【０３４２】
方向性アンテナシステムはＭＳからの要求されるＥＩＲＰを削減し、基地局の送信の空間的回避を提供する。問題がある分割環境においては、基地局の方向性アンテナに強く連結された基地局は低いＥＩＲＰで作動し、潜在的に犠牲的なＯＦＳ受信機を指示することを回避する。全方向性のＭＳは非常に低いＥＩＲＰで動作する。その理由は基地局のアンテナゲインは過剰の送信ロスを補うからである。
【０３４３】
４．１３．２  ＰＣＳ対ＰＣＳ．
一つのＰＣＳシステムからの他のＰＣＳシステムへの干渉は調整されるべきシステムの性質におおいに依存している。ＦＣＣが、帯域外の発信要求に対するルールを極めて最近に発行しているので、オムニポイントはその時にはこの主題に対するコメントを拒否している。
【０３４４】
４．１４  ユーザ提供のホームベースユニット．
オムニポイント計画は、公共的、個人的および商業的(ＰＢＸ,Ｃentrex,その他)の区域において全く対応できるＭＳとともにユーザ提供のホームベースユニットの支持を与える。ライセンスされた、もしくはライセンスされない周波数に対してハンドセットおよびＣＡＬを使うユニークなオムニポイントの能力はＰＣＳビィジョンの要求を満たす。オムニポイントのハンドセットおよび基地局は１８９０−１９３０ＭＨzの新しいライセンスされていないＰＣＳバンドか、もしくは２．４−２．４８３５ＧＨzのライセンスされていないバンドで作動する。従ってライセンスされていないアプリケーションに対して１２０ＭＨz以上を提供することになる。ＰＳＴＮインターフェースの能力は、ＩＳＤＮおよび要求に応じて支持されるべき他のインターフェースとともに、代表的なＲＪ−１１  インターフェースを通じて供給される。
【０３４５】
４．１５  モデル地域展開の例．
４．１５．１  システム容量．
４．１５．１．１  トラフィック容量．
各々のＲＦチャンネルユニットは８Ｋbpsボコーダ(vocoder)を用いて３２個の全二重音声チャンネルまでを支持し、４Ｋbpsボコーダを用いて６４個の全二重音声チャンネルまで支持する。またＲＦチャンネル毎に音声チャンネルの２倍まで、音声活動検出(ＶＡＤ)１２を用いて支持されることができる。種々のオーバヘッドを許可して後に、各々の３２ユーザＲＦチャンネルユニットは約２０．７アーランを伝送することができる。各々の６４ユーザＲＦチャンネルは４５．９アーランを伝送することができる。３ケのセルセクターを持つ１システムの中にセル毎の伝送される最大のアーランがあり、セクター毎の唯一のＲＦチャンネルはこれらのモデルの目的のために約１３７．７である。トラフィック容量は、シナリオ１Ａおよび１Ｂで説明されたように大きいセル半径を支持することが必要ならば縮小することができる。
【０３４６】
４．１５．１．２．  情報容量．
各ＲＦチャンネルは全二重の２５６Ｋbpsまで、また半二重の５１２Ｋbpsまでデリバーできる。６ケのセクターセルを使用して、最大のセル毎の最大データ容量は全二重で１．５３６Ｍbpsであり半二重で３．０７２Ｍbpsである。付加したすべてのモデルにたいして、セル毎に最大３ケのセクターを仮定すれば最大のデータ容量は全二重で７６８Ｋbpsであり、半二重で１．５３６Ｍbpsとなる。
【０３４７】
４．１５．２  モデル地域展開のための仮定．
キー仮定に同意することなく、各ＰＣＳシステムベンダー(vendor)に自身のモデル地域開発シナリオを呈出することを許可することは異なるＰＣＳシステムの有効な比較を可能にするものではない。合理的なアンテナの高さ、モデルの伝播、減衰、加入者毎のアーラン、カバーされるべき地域の人口密度などに関する仮定の相異はドラマチックに展開モデルに影響する。もっと重要なことには、コスト情報なしに、ＰＣＳシステムを性格づけることはほとんど不可能である。
【０３４８】
(１２)  消極的ではあるが、われわれは、ＶＡＤが連続するセルサイト(cell  site)のモデリングには使用されると仮定しない。さらに消極的に見解を保持するために、セクター毎の１ケのＲＦチャンネルの最大とおよびセル毎の三つのセクターの最大を仮定する。
【０３４９】
ＪＴＣ明細書に含まれる最も重要な仮定は多分、一人のオペレータが加入者参加率を人口の１０％に、後期においては人口の２０％を達成するという仮定をする要求である。セルラーのオペレータが１０年後に人口の２〜３％の参加率を達成し、６〜１０人の無線サービスオペレータが各市場で競合することを考慮して、各ＰＣＳオペレータが２０％の参加率を達成することを仮定することは悲観的である。さらにモデル比較に対して初期の点として１０％の参加率を選ぶことにより、ＪＴＣはコストおよび初期のサービス区域の確立および２〜７％の参加率の達成の組織的なからみ合いを無視している。
【０３５０】
そんなに多くのライセンスにより創出された非常に競合する環境を考えるならば、新しいＰＣＳ参加者に直面する最大のライスクは、加入者が列をなして来る以前に基本的なサービス区域を提供するための初期資本金コストである。しかしながら、ＪＣＴの要望につき、われわれは１０％および２０％の参加率の場合を定義するために下記に数ケのシナリオを提案する。すべてのケースについて、中規模の都市を選択する。全面積が１３６７．５平方マイルで２,０００,０００人の人口であり、中心の都市部は２２．５平方マイルで、５００,０００人の人口であり、周辺の郊外は１,５００,０００人の人口である。われわれは伝播モデルとしてハタの大都市の都市部及び郊外を伝播モデルとしてそれぞれ選ぶ。その理由はアンテナの高さはすべての場合約４０フィートであり、これらのハタモデルはＪＴＣモデリングの要望の初期場面を実施するのが容易であるからである。すべてのシナリオは１ワット最大値のハンドセットのパワーを仮定する。
【０３５１】
【表１５】
0003746457.tif 000021
【０３５２】
トラフィック混合:すべてのシナリオの中のシステムの構造すべての加入者に対して、完全な、車のスピードの移動度を提供する。定常的な、もしくは歩行者的な加入者のニーズはこの完全移動度システムによって提供されるサービスのサブセットである。
【０３５３】
室内サービス区域．
臨時の室内使用
次のシナリオに示めされるシステムの構成は９９％戸外サービス区域を提供する。貫通するビルディングからの１０dＢの減衰ロスを仮定するならば、同じシステムの構成は下町および都市部においては８５％の室内サービス区域を創出し、郊外では７０％となる。このレベルのサービス区域は、加入者が時々ロビー、駐車ガレージ、もしくは友人の家の内部でＭＳを使用することを希望するような状況に対して十分満足するものである。このタイプの使用は次のモデルエリア展開のシナリオの中に仮定される。
【０３５４】
室内オフイス使用
オムニポイントシステムのアーキテクチャーは単独のＭＳが、公共的に、ライセンスされたＰＣＳシステムとおよび個人的に、ライセンス（免許）されないシステムにおいても動作できるようにする。(丁度Ｗireless  ＰＢＸ,Ｃentrexまたはキーシステムへの付加物のようなものである。)オムニポイントシステムは、前述したように、ライセンスされない周波数(１８９０〜１９３０ＭＨz、２.４〜２.４８３５ＧＨz)の１２０ＭＨzをアクセスできる。オムニポイントの市場調査は、加入者がオフイスでＭＳを使用する時に自身の基地局を保有し、動作すること希望することを示めしている。これは実質的に非ライセンスの周波数を使用することを要求する。さらにビジネスは分単位の付加的チャージをオフイスの内部の無線サービスに対して支払うことを欲しない。ビジネスは従ってオフイス地域を通じて、公共用ライセンスされたＰＣＳ周波数に使用できる同じハンドセットとともに使用する高品質の無線サービスを提供するところの無線付加物を要求するであろう。オムニポイントの無線ＰＢＸ付加物および室内ＣＡＬは今日、二重のモードアクセスを提供する。
【０３５５】
室内居住者使用
多くのＰＣＳサービスオペレータは居住者市場に対するサービスを提供することを望んでいる。オムニポイントはＰＣＳサービスオペレータにこのようなサービスを展開する三つの方法を提供する。その第一の方法は戸外の公共的ＰＣＳネットワークとともに使用されるハンドセットがコードレス電話と同じように非ライセンスの周波数を用いて居住地内で作動できる低コストのホーム基地局を提供する。第二の方法はビルディング内の参加と、非常に高いサービス区域もしくは容量の目標を提供するＰＣＳシステムを構成することである。第三の方法は、正常の戸外サービス区域を提供し、各々の居住地(もしくは居住地の集合体)の外側に"無線ループアクセスボックス"を確立することである。このボックスは加入者に存在する電話および家屋内の回線を使用することを許可するがしかしＰＣＳネットワークを使用することも許可する。
【０３５６】
シナリオ１Ａ−セル型−１０％参加率のトラフィック．
ＰＣＳの一つの可能な目標は初期展開に対するセルサイトの数を減少することであり、セルの分割を避けることである。他のセルサイトが高い参加率に進級することを避けることである。シナリオ１Ａにおいて、セル型使用の要求に対して音声トラフィックをまず第一に提供する一つの可能な構成をわれわれは示す。しかし９９％のサービス区域であり、１０％の参加率にセルが変化することを要求しない。
【０３５７】
下に示す仮定によれば、このシナリオは都市部のトラフィックに対しては９セルを、郊外のトラフィックに対しては２４セルを要求するのみである。なお、都市部のセルは半径が４.２３マイルであるので、われわれはタイムスロットの利用できる数を８Ｋbpsにおいて３２から２９に、また４Ｋbpsにおいては６４から５８に縮少する。かくてセルは、各セルが最大１２３.７アーランを提供する構成になり、３セクターセルを用いる。
【０３５８】
【表１６】
0003746457.tif 000022
【０３５９】
シナリオ１Ｂ・・・セル型のトラフィック２０％参加率．
シナリオ１Ａと同じように、セルラーのトラフィック要求を仮定し、消極的最大としてセル毎に３ＲＦチャンネルを仮定する。その結果２０％参加率のトラフィックが都市部のエリアで１８セルによって達成され、郊外のエリアでは４６セルによって達成される。郊外のセルの半径は３.０７マイルであるので、われわれは８Ｋbpsにおいて３２から３０へ、４Ｋbpsにおいて６４から６０にタイムスロットの利用できる数を変更することに注目する。かくてセルは、３セクターセルを使用して、各セル毎に最大１２９.３アーランを提供する構成になっている。
【０３６０】
【表１７】
0003746457.tif 000023
【０３６１】
シナリオ１Ａおよび１Ｂに関して、オムニポイントシステムのコストは加入者あたり、Ｓ５０以下である。
【０３６２】
シナリオII・・・ゾーン化ボードに強制された展開．
上記のシナリオに示めされた比較的少数のセルは、地方ゾーン化ボードは多くの高さ１００〜３００フィートの塔の建設を許可することを仮定している。１都市について６〜１０人の無線オペレータの可能性を考えて、これはシナリオ１Ｂでは高さ１００〜３００フィートの塔が６５０となる。丁度この増殖の兆しは、新しいＰＣＳ導入に対してゾーン化ボードが厳格に新しい塔の建設を強制させることになる。
【０３６３】
このシナリオIIにおいて、われわれはＰＣＳオペレータは高さ最大４０フィートのアンテナに制約させられる。われわれはさらに低ゲインのアンテナは"現実の財産"の確立を少くし、セルサイトを得ることを可能にするために用いられるということを仮定する。このことは郊外のエリアにおいてセルの半径は僅か１.２マイルになり、都市部のエリアでは僅か３６マイルになる結果となる。
【０３６４】
このシナリオIIにおいて、ＰＣＳネットワークは純然としてサービス区域の制限であり、容量の制限ではない。その理由は都市部のエリアをカバーするのに５７セルが、そして郊外のエリアをカバーするのに２９７セルが必要となるからである。セル毎に１ケのＲＦチャンネルがある場合ですら、セルラーの使用レベルでは人口に対して１０％の参加率を支持する大きな容量がある。
【０３６５】
２０％の参加率において、郊外のエリアのトラフィックはセル毎に僅か１ケのＲＦチャンネルで支持される。また一方、都市部のエリアはセル毎に僅か２ケのＲＦチャンネルだけ少なくないことを要求するであろう。
【０３６６】
オムニポイントの低い容量すなわち短いクラス３および４の基地局はクラス５および６の基地局よりも相当安価であるので、加入者あたりのコストはシナリオ１の場合に非常によく似てくる。実際に、２０％の参加率では加入者あたりのオムニポイントシステムのコストはシナリオIIよりも現実の問題として低くなる。
【０３６７】
しかしながら、明らかに、より多くのサイトが得られて、シナリオIIのために内部接続されなければならない。しかしオムニポイントのマイクロ基地局は４″×６″×９″のように小さくできる。このサイズはセルサイトを保有し構成する問題を減少する。オムニポイントの基地局は電話およびケーブルＴＶ回線に無理に設置されて、標準ＣＡＴＶラインの増幅器ボックスに装入されてきた。ケーブルＴＶ供給者,ＬＥＣ,ＣＡＰその他のようなネットワークから安い逆手当を受取るＰＣＳオペレータにとって、オムニポイントのマイクロ基地局の手法は非常にコスト的に効果がある。
【０３６８】
もしサイトおよび１００〜１３０フィートの塔を建設する平均のコストがシナリオ１においてＳ１００Ｋ〜Ｓ１２０Ｋであるならば、４０フィート構造(４″×６″×９″マイクロ基地局に対して)の上にサイトを保有するためのコストがサイト毎の平均のコスト５２０,０００より少くない限りは、シナリオIIの全サイトコストは少くないであろう。
【０３６９】
なお、郊外のエリアのセルの半径は１.２マイルであるので、われわれはタイムスロットの数を８Ｋbpsで３２に、４Ｋbpsで６４にしセットすることに注目する。かくてセルは３ケセクターセルを用いて、最大１３７.７アーランを各セル毎に供給するような構成となる。
【０３７０】
【表１８】
0003746457.tif 000024
【０３７１】
シナリオＩＩＩ・・・固定されたコストＰＣＳＲＦネットワーク．
もしゾーン化の要求もしくは簡単に十分安価なコストで４０フィートセルサイトを得ＰＣＳオペレータの能力(多数のセルサイトを安価に内部接続するＰＣＳオペレータの能力を含める)のいづれかによって、ネットワーク展開がシナリオIIに示めしたような結果になるならば、このネットワークは加入者単位で非常に高いアーランの要求をサポートできる。
【０３７２】
例えば、加入者毎に.０７アーランであっても、都市部のエリアもしくは郊外のエリアにおいて２０％の貫通レベル以上であって、余分のセルは必要としない。さらに重要なことは、新しい加入者を加えるための限界コストは非常に低いことである。理由として(Ａ)初期展開のＲＦレベルでの容量は非常に高い。(Ｂ)加入者を増加するためのコストは基地局のコントローラがボコーダ変換カードおよびライン（回線）カード加えるコストの一部分にすぎない。従って、オムニポイントＰＣＳシステムの展開は大いに"固定された"コスト手法をＰＣＳの提供のために駆使する。
【０３７３】
もし安価な内部接続の設備と共同して用いられるならば、シナリオはＰＣＳ提供の実際的な分単位コストをドラマチックに下げるもっとも適格な方法を呈示することになる。
【０３７４】
もしゾーン化ボードがＰＣＳオペレータを４０フィートの制限のあるアンテナの高さに制約するならば、ＰＣＳ技術は数百のセルを保有しなければならないことを思い出す必要がある。かくてオムニポイントのアーキテクチャのユニークな特点は非常に安価な、小さいサイズのそして大きな容量のマイクロ基地局を選ぶことができることである。加入者あたりのコストは、大きい容量のネットワークのうちオムニポイントの部分に対する加入者一人あたりにつき＄５０以下の安価を保持している。そして加入者あたりの限界コストは、非常な安価を保っている。
【０３７５】
【表１９】
0003746457.tif 000025
【０３７６】
実際の世界的な展開においては、アンテナの高さおよびタイプはいろいろの場合になっている。この目的に対して、オムニポイントは基地局に６ケのクラスを準備する。サービス区域もしくは容量のホールを満たすために、目立たない山の上のマイクロ基地局と同様に高層のビルディングの上のサイトを使用する能力はオムニポイント手法のキーである。
【０３７７】
４.１５.５  ＣＤＭＡ容量削減要素．
オムニポイントのＰＣＳシステムはセル内の多重のユーザへのコードを使用しない、またＮ＝１を使用しないので、この質問は共用チャンネルを再使用する要素に対して関連があるのみである。さらにタイムスロットの内部変更、パワー制御および方向性アンテナの理由により、この分析は他のＣＤＭＡシステムに対するよりも非常に相異している。上記の容量計算はＮ＝３においてＣ／Ｉ＝６dＢに分解する。
【０３７８】
４.１６  帯域幅拡大方法．
【０３７９】
【表２０】
0003746457.tif 000026
【０３８０】
４.１７     同期の必要条件．
４.１７.１  システム同期．
４.１７.１.１  ＰＣＳＣに対する基地局．
ＰＣＳＣは、この機能が色々な今日利用できる提案もしくはまもなく利用できる提案によって満たされるので、本来の性質として一般的である。この書類においては、ＰＣＳＣはディジタル交換を基本とする構造を意味するように解釈できる。その構造はＰＣＳに対して音声およびデータの見返りＨＬＲ,ＶＬＲ,ＯＡＭdＰその他のようなＰＳＴＮインターフェースサービスを供与するものである。
【０３８１】
基地局コントローラはＩＳＤＮ・ＢＲ１もしくはＰＲ１、Ｔ１もしくはＨＤＳＬのような、今日利用できる従来のディジタルインターフェースを含むいろいろな手段によってＰＣＳＣへ接続することができる。このインターフェースで要求される同期のみは、これらの送信システムによって要求される普通の配列である。
【０３８２】
４.１７.１.２  基地局対基地局コントローラ−データ同期．
基地局対基地局コントローラのインターフェースはＨＤＳＬ送信、ＩＳＤＮ・ＢＲ１インターフェース、ＴＬもしくは他のディジタル手段に基礎をおくオムニポイント独占のインターフェースでありうる。どの場合でも、ディジタルインターフェースは送信方法に固有のクロック／データ配列を要求する手段にまきこまれている。さらに加えて、ＧＰＳ受信機は、協働される世界標準時(ＵＴＣ)−秒時計の秒音を正確に抽出するのに使用される。そしてフレーム配列のために基地局へ回線を通じて送信される。
【０３８３】
４.１７.１.３  基地局対基地局−フレーム同期．
インターフェースポテンシャルを最少化するために、基地局送信は同期される。基地局コントローラで発生するタイミング抑制はこの目的のために使用される。これに追加して、オムニポイントシステムはＴＤＭＡ／ＴＤＤシステムであるので、ＯＡdＭインフラ・ストラックチャはベース内で個々のタイムスロットの品質にもとづいて統計を集めることができて、長びく干渉回避ハンドオフと共同する非能率を最少にする長びく干渉を持っている内気なスロットの役割を行うことができる。この強力な保全能力を可能にするために、絶対的フレーム配列が要求されて、一秒ＵＴＣタイミング・フィッド(fid)によって供与される。
【０３８４】
４.１７.１.４  移動局対基地局．
基地局は基地局コントローラのインターフェースのクロックに周波数同期し、ＵＴＣ１秒フィッドを結合することによって基本ループタイミングを与え、その結果均一に各基本ループおよびそのループ内の各送信フレームを開始する。移動局周波数は基地局シンボル送信にロックし、フレームは基地局フレーム送信にロックする。
【０３８５】
４．１７．１．５  ハンドオーバー．
ハンドオーバーは移動局により、ベースの適応性を確認するためにとなりのベースと同期してそして質問することによって完遂される。信号強度、チャンネルの完全性(エラーレート)、基本トラフィック負荷などのパラメータがハンドオーバー決定の時に移動局によって互いに関連する。移動局対基地局の同期はこの書類の他のところで議論される。
【０３８６】
４．１７．２  再同期方法．
上記の１−４章はデータ同期プロセスのみについてであり、再同期の論議によってインパクトされていない。設計の性質上、オムニポイントＣＡＩは多くのフレキシビリィティを移動局の中に許していて、通信環境に影響している。登録および通話開始の目的のために一般のポーリングの形で、および最終の同期および来るべき通話受信の目的のための特別のポーリングの形で、通信する招待をよく聞くことにより移動局は基地局と同期する。さらにこのプロセスに対する詳しい説明は本書類の他の場所になされている。しかし利用できる基地局が聞かされないか、もしくは移動局のユーザが通話を終了した時には移動局は通話を停止するだけで十分であると言えよう。
【０３８７】
４．１７．３  クロック・スキュー許容誤差．
クロックスキューは、すべてのサブシステムがしばしば隣のサブシステムにロックされるのでオムニポイントシステムではどこでも全く問題にならない。
【０３８８】
４．１８  分布されたアンテナシステムのインパクト．
オムニポイントは、特にケーブルＴＶネットワークととも使用するために遠隔制御アンテナ駆動装置(ＲＡＤs)を用いる多くの経験を持っている。アナログＲＡＤ手法に加えて、オムニポイントは多くの専売のアンテナトランシーバＣＡＴ(同軸アンテナトランシーバー)技術を開発して、ケーブルＴＶ展開シナリオの基地局からサービス区域を拡張することを試みて来た。この実験的ＣＡＴ技術はケーブル加入者にＰＣＳの有効なコスト展開の可能性を示した。一方ハンドオフを含む完全な機能性および車速の移動度を提供してきた。例えば１ケのオムニポイント基地局と４ケのＣＡＴは代表的な居住地帯で実施された実験において１５３家庭をカバーした。ＣＡＴアーキテクチャーは遅延制限をまた除くことができる。もしそうでなければバックホールプロトコルから無線区間のプロトコルを取り外することにより遅延制限がＴＤＤシステムに見出される。さらに、オムニポイントの基地局および、もしくはＢＳＣはファイバーノードに設置されることができる。
【０３８９】
オムニポイント基地局は小さいサイズ(４"×６"×９")および低コストにできるので、"レピーター(中継器)"技術の代わりに使用することができる。レピーター(中継器)技術は容量を供与しなくて、単なる基地局の延長にすぎない。それと対照的に各オムニポイントのマイクロ基地局は６４チャンネルまで供与できる。オムニポイント基地局は標準ＴＶ増巾器のボックスの中に設置できるほど小さくされたＰＣＳ基地局である。
【０３９０】
４．１９  他の情報．
オムニポイントのシステムは広域バンド信号、フォーマット(例えば５ＭＨz〜１０ＭＨzがここで論じられ、オムニポイントの実験的報告)の性質の利点をとるように設計されているので、オムニポイントシステムの１．９ＧＨzの操作に対する明細書はＰＣＳに対するＦＣＣの最終の技術的明細書に大いに依存している。１．９ＧＨzＰＣＳに対するＦＣＣ技術的推薦はこのＪＴＣ提案が正当にXXになる以前にビジネス五日前まで利用できないので、オムニポイントはこの論議で定められたパラメータを変更するであろう。
【０３９１】
追加的に、オモニポイント手法はＰＣＳサービスオペレータによるフレキシィビィリティに役立つので、オムニポイントはこのシステムのほかの遂行以上の多くの提案をする。例えば、潜在的ＰＣＳサービスオペレータは、オムニポイントが低データレートの使用およびレンジを増加するＲＦチャンネル毎のより少なくないタイムスロットを含む基本的アーキテクチャへの変化をオモニポイントが探究することを要求してきた。オムニポイントは、容量のいくらかの減少とともにコストの目立つ減少を提供すると同様にこれらのパラメータのトレイドオフを遂行する開発の下にシステムの二つのバージョンをすでに保存している。
【０３９２】
サービス提供者による参加を許す真の標準的努力に適合するように、オムニポイントは潜在的ＰＣＳライセンス保有者が上記に論議したトレイドオフサービスに関して、その優先権を提出することを支援する。
【０３９３】
ＰＣＳ２０００システム・設計明細書およびＪＴＣ・ＰＣＳ  標準．
【０３９４】
１．緒言．
１．１  スコープおよび目的．
アメリカン・ナショナル標準インスティテュート(Ａmerican  Ｎational  Ｓtandard  Ｉnstitute)の中間標準(ＩＳ)が合同技術委員会(ＪＴＣ)のハイブリッドＣＤＭＡ／ＴＤＭＡ技術顧問グループにより作られている。ＡＮＳＩ中間スタンダードは、米国個人通信サービス用周波数バンドの使用に関してオムニポイント会社によって先行されたＰＣＳ２０００システム設計を説明している。この中間標準はＰＣＳ２０００システムの実現およびアメリカン国立標準公共的電話通信ネットワークの中で１８５０〜１９９０ＭＨzのライセンスもしくは非ライセンスの周波数バンドの作動をカバーする。
【０３９５】
このＩＳ書類は情報目的に適格な緒言とＡＮＳＩ標準としての使用適当な技術的明細書の両者を含む。
【０３９６】
添付事項に集約されているように、このＩＳにおいて、ナショナルおよび国際標準以外のいろいろなものに参照がなされている。
【０３９７】
１．２  ＰＣ２０００設計手法の特長．
オムニポイントはＰＣＳディジタル通信ＲＦ連結のために時分割多重アクセスを持った直接シーケンス拡散スペクトル(Ｄirect  Ｓequence  Ｓpread  Ｓpectrum)ＤＳＳＳを使用する。ＰＣＳ２０００はＰＣＳシステムの開発者に直面する問題に対する解答を与えるものである。まず第一に、それはＤＦＳユーザとの干渉の問題を、速やかに遅延することなしにＰＣＳシステムの開発を許し、ＰＣＳの内部もしくは近々において軽減する。第二には、代表的な移動ＰＣＳ環境において経験される多重パス伝播条件により起こされるＰＣＳ連結の機能の劣化をオムニポイントＤＳＳＳ援助の使用で軽減する。第三には、ＰＣＳ２０００はフリウェイの条件を含む事のハンドオフ条件の完全な範囲を収容している。第四に、Ｎ＝３のバンド巾の効率のよい周波数再使用要素の使用が可能である。最後に、時間分割二重方法(ＴＤＤ)を持ったＰＣ２０００は低コストで、多重ユーザＰＣＳシステムのあまり複雑でない実施を可能とする。ＲＦチャンネル毎に同時に３２のユーザが収容されていて、どのユーザにも２５６kbps(全二重)までの変更データレートが利用できる。
【０３９８】
１．３  提供されるＰＣＳサービス・特長および機能の概略．
この章はＰＣＳ２０００システムに対するサービス、特長および機能の詳しい説明を与える。しかし、前に注目したように、オムニポイントはいまだオムニポイントのインフラストラックチャパートナを通じて提供されるスイッチプラットホームの詳細を明らかにしていない。これらの関係が決着されているので、この情報は利用できる。
【０３９９】
ＰＣＳ２０００システムは音声およびデータの完全配列をラジオアクセスおよび通信システムを提供する。次にＰＣＳ２０００システムによってサポートされるサービスに関して特別な情報を説明する。
【０４００】
１．３．１  音声サービス．
ＰＣＳ２０００システムは、ネットワークへの無線アクセスのためにエンドユーザに地上回線性能の音声サービスを提供する。システムに対する設計目的は、内部サービス、保留時の音楽、さらにセルサイト間のハンドオフの後に完全を保っている活動的な通話の特長の提供に対するＤＴＭＦを含むユーザ対ネットワーク機能性に対してトランスペアレントな動作(transparent  operation)を要求する。音声品質の違ったレベルが、ユーザに８kbpsの増加分の中でボコーダレート(vocoder  rate)を選ばすことによりシステムによって提供されることができる。将来は基地局もしくはＣＡＬになんの変化もなしにボコーダレートがさらに低くなる。
【０４０１】
ネットワーク構造のＰＣＳシステムのユーザはコールが回線もしくはセルラーの電話から実施されると同じような方法で電話通話を実行することができる。オムニポイントは今日セルラーの通話(番号を操作し、セットアップコールを開始するためにコールボタンを押す)もしくはＰＳＴＮのような通話(オフフックダイアル(off−hook  dial)トーンおよび各数字に対するＤＴＭＦトーン)を許可するハンドセットインターフェースを提供している。ユーザインターフェースの正確な実施はプログラム化ができ、サービスオペレータに対して直ちにオーダメイドを可能とする。
【０４０２】
１．３．２  ＰＣＳ２０００によってサポートされるシナリオ．
ＰＣＳからＰＣＳへの呼：ＰＣＳの呼に対して、被呼者のメンバーは、ＰＣＳネットワーク内部に終了を要求し、ＰＳＴＮを通じてパスする必要を消却するＰＣＳ基地局コントローラおよびＰＣＳＣによって同定されるであろう。呼び出しＩＤおよび行先番地を受け取る時に、ＰＣＳネットワーク登録データベース(ＳＣＰ／ＨＬＲ)は希望するパーティの現在の位置を見出すように質問される。もし見出されるならば、コールは適当なＰＣＳ基地局に送られて完成される。選択的に、音声メールが残されるか、代わりに端末へのネットワーク回路が準備されている。
【０４０３】
ＰＣＳから地方ＰＳＴＮへ:もし通話が地方の地上回線の電話番号で実行されるならば、ＰＣＳ基地局コントローラは音声トラフィックをフォーマット化してＰＣＳＣに、または直接に電話中継線を通じて地方ＣＯスイッチに送られる。
【０４０４】
長距離コール:ＰＣＳ加入者によって作られた長距離コールは直接にＰＣＳ基地局コントローラによって送られるか、もしくはＰＣＳＣを通じて、ＬＥＣをバイパスしながら選択された交換機間キャリヤ（電気通信事業者）に送られる。
【０４０５】
サービス活動:ＰＣＳ２０００システムは適当なネットワークもしくはシステムデータベースへのＰＣインターフェースを通じてサービス活動を提供する。
【０４０６】
このインターフェースは新しい加入者の直接の活動のためにリーアルタイムで営業の人が利用できる。サービス体制を変更するために、又は初期の活動のための加入者インターフェースは将来はオムニポイントによってサポートされる。
【０４０７】
オムニポイントによって提供される音声サービスは移動および非移動環境の両者においてエンドユーザに利用できる。ＰＣＳ２０００システムは、隣接する無線サービスを区域に対するミクロセルおよびマクロセルの両者の使用を可能にするように基地局の混合をサポートすることができる。ＰＣＳはしばしば非移動アプリケーションのみから、もしくは"サービス区域の孤島"から成立していると誤って考えられているのでこのことは重要なことである。オムニポイント技術は、従来からのセルラーのセルよりも基本的に小さいセルにおいてでも、高速道路の速度を有する自動車のハンドオフを可能とする。
【０４０８】
オムニポイントはネットワーク交換プラットフォームに対して透過性（トランスペアレント）であるので、システムの特長は固有的にフレキシブルである。ＬＥＣアプリケーションの場合、ＰＣＳ２０００システムは無線でのエンドユーザにビジネス電話ネットワークの特長を利用できる。これらは注文ビルディングそして他の多くの現在の、および将来のＡＩＮベースのサービスを乱さない注文コール、発呼者ＩＤ、他のＣＬＡＳＳ／ＡＩＮの特長、私的仮想ネットワーク（Private Virtual Networks）(ＰＵＮ)、会議通話のような特長を含んでいる。加えて、オムニポイントＰＣＳシステムはいろいろな産業(ＰＣＩＡ)および標準開発(無線アクセスに対する合同技術委員会、ＪＴＣ)組織によって提案された前進した特長をサポートするように設計されている。
【０４０９】
１．３．３  データサービス．
従来のセルラーサービスを越えて、ＰＣＳの重要な差別化する能力としてオムニポイントはデータサービスを検討する。ＰＣＳ提供者は、セルラー通信の能力内のデータレートよりも可変のデータレートおよび高品位のデータレートの両者を許可するような、"要求に基づくデータ（データ・オン・デマンド）"の形で提供できなくてならない。セルシステムは全セルもしくはセルセクターに対して９．６〜１３kbps最大のベアラーレートを分配する最大の生のレートの１９．２kbps(ＣＤＰＤを使用)をひき渡すことができるだろう。このようなシステムはすべてのユーザに分担される衝突検出多重アクセス(ＣＳＭＡ)計画を代表的に使用する。このことはさらにユーザ毎に実際に利用できるデータレートを縮少する。ＣＤＰＤは突発的な、低スピートのパケット型のアプリケーションに対してのみ設計されている。
【０４１０】
これと対照的に、オムニポイントは、現在使用されているアプリケーション(それに対してＰＣＳオペレータはプレミヤを負荷する)と一致する帯域幅(発呼時にＲＦチャンネルの最大まで)をユーザが要求する能力を提供する。例えば、移動体音声加入者は自動車電話通話のために僅か８kbps音声チャンネルを要求するが、一方オフィスユーザは洗練された音声品質、トランスペアレントデータモデル、もしくはファックスのサポートのために３２kbpsを要求する。ＰＣＳ２０００システムは８および３２kbpsを含む複数のボコーダレートをサポートする。さらに、データユーザは突発的なパケットデータに対して少数のタイムスロットか、もしくは高位のデータトラフィックを提供する８kbpsチャンネルのいずれかを要求する能力を持つことになる。全二重の２５６kbpsもしくは単一レートの５１２kbpsがサポートされることができる。追加的に、８kbpsタイムスロット毎に低スピード"Ｄ"チャンネルが同伴する。
【０４１１】
希望するアプリケーションのための通話の発生に応じて必要な帯域幅をシステムは確保する。現行のＰＣ２０００の設計のＴＫ、オムニポイントは僅か５００bpsの連続的な短いメッセージサービスから２５６kbpsの全二重の手作りのデバイスまでのデータサービスを提供する。データの大量送信はパケット毎にデータ肯定応答を含むＲＦチャンネルにつき５１２kbpsまでの能力を通じて可能となる。このデータレートはセルアプリケーションの現行最大の１９．２kbps(これはオーバヘッドの後には実際として１．０kbpsとなる)の制限をはるかに越えるものである。さらに予見できる将来に対する低いデータレートにセルシステムは制限されるであろう。
【０４１２】
ユーザの音声／データチャンネルに加えて、オムニポイントの設計は各ユーザに連続する５００ビット／秒のデータ・トラフィックを可能とするＤチャンネルを提供する。これはベアラーチャンネルから分離(しかし、同時に)している。この情報はページング(paging)アプリケーション、すなわち告知用(例えば音声メール)、短メッセージサービス(ＧＳＭと同じ)もしくは他のアプリケーションとして利用できる。Ｄチャンネルの同時性はハンドセットが使用されている時でもメッセージを可能とする。
【０４１３】
オムニポイントは完全なファックスのサポートをＰＣＳ２０００システムを通じて可能とするハンドセットにベアラレートを提供する。ファックス装置に内部接続することは独立のモジュールとなるか、もしくはハンドセットにデータポートを含むことになる。音声回路ファックスサービスに対するデータレートは、３２〜４０kbpsのＡＤＰＣＭアルゴリズムを通じて支給される。そのアルゴリズムは現在設置されたベースのファックスおよびモデムがネットワークに直接にトランスペアレントにアクセスすることを許可する。より高速のファックス送信(５６／６４kbps)がＰＣＳ２０００システムの直接データのサポートによって提供されることができる。
【０４１４】
ソフトウエアのダウンロード、インフォメーションのデータベースサービスおよび他の高速のアプリケーションのごときデータ放送サービスもＰＣＳ２０００システムにより実行され得る。
【０４１５】
例えば、ＰＣＳデモンストレーションにて、１９９３年夏におけるホワイトハウスでのデモンストレーションされたような３．５ＭＢの"電子"新聞は、ＰＣＳ２０００のＰＣＳシステムにより無線で５５秒でダウンロードできる。全ポイントの能力は、多くのユニークな放送サービスをそれらのネットワークと区別する能力をもつＰＣＳサービスプロバイダーが提供する。
【０４１６】
ＰＣＳ２０００システムは、全部で９１１の緊急サービスをサポートする。そのシステムは又、ボイスメール（音声メール）、ファックス蓄積および前述のごとき補助サービスとコンパチブルである。これらのサービスを行える能力は、ネットワークのプラットフォームのかなりの機能であるが、ボイスメールメッセージやファックスの待機の通知は全ポイントのＤチャンネルの能力の元にサポートされ得る。
【０４１７】
全ポイントの技術を利用できる他のデバイスはラップトップコンピュータ、パーソナルのデジタルアシスタント(ＰＤＡ)デバイス、画像電話およびマルチメディアデバイスを含む。全ポイントは、ラップトップコンピュータに使用されるパームサイズの無線モデムを開発し、又、今日の無線周波を用いたハンドヘルドコンピュータの最大のメーカーに対する無線技術のプロバイターである。全ポイントは、ＣＲＣの使用を通じて、正確なデータのために明白なエラー検知／訂正を用いることができる。プロトコルは、パケット内のＦＥＣよりも極めてより効率的であるため、データのためにアプリケーションレベルでＡＲＱを提供する。
【０４１８】
１.３.４  サポートされるネットワーク特性．
ＰＣＳ２０００システムは、無線アクセスおよびＰＣＳサービスのための伝送設備を提供する。十分に特徴付けされた交換プラットフォームに接続されたとき、ＰＣＳ２０００システムは次ページに掲載した特徴のほとんど又はすべてを可能にする。
【０４１９】
・基本ＰＯＴＳ
・住宅
・ビジネス
・クラス
・データ
・緊急または安全
・付随物
・回線制限
・ハンチング
・短縮ダイヤリング
・コールウエイティング／送信／転送
・会議通話
・ＩＤＤＤ
・センター
・ＶＮ又は仮想私的ネットワーク
・アクセス
・ページング
・私的設備
・自動又はフレキシブルのルート指定
・認証または課金コード
・メッセージ詳細記録
・トラフィックデータ
・音声メッセージ
・通話のスクリーニング／ルート指定
【０４２０】
しかしながら、これらの特徴の多くは、ＰＣＳ２０００システムに接続されたネットワークの基幹施設からのサポートを必要とする。あるケースでは、補助の設備がＰＣＳ２０００システムおよび、請求書（課金）、テレビ会議、ボイスメッセージ、その他のごときサービスを許可する交換機システムと共に展開される。これらはＰＣＳオペレータまたは第３のグループにより提供される。
【０４２１】
１.４  ＰＣＳ２０００システムの概要．
このセクションはＰＣＳ２０００システム及びそれらの通信ネットワークへの相互接続に対する概略記述である。このセクションの目的は、ネットワーク接続の可能性の能力の個数の見地から、全ポイントのＰＣＳ２０００の技術の基本的な記述を提供する。これらのネットワーク接続は、ＰＳＴＮ、ＡＩＮ、ＧＳＭ、ＩＳ−４１および知的（インテリジェント）基地局のアプローチを含む。加えて、ケーブルＴＶの分配ネットワーク接続が提供される。
【０４２２】
システムのフレキシビリティ．
既述した種々の相互接続法は、全地点がＰＣＳ２０００システムの開始から処理されるフレキシビリテイのレベルを要求する。ＰＣＳ２０００システムは、存在するＰＳＴＮネットワークを変形することを必ずしも要求しない。しかしながら、全ポイントは、記述を更に制限して、ＧＳＭ"Ａ"インタフェイスのＵＳバージョンを実行するこれらの計画と共に、ＡＩＮ０．２およびＮＩＳＤＮ３における"Ｃ"ジェネリックのインタフェイス動作のために、可能なＰＣＳプロバイダー、装置供給者およびベルコアと動作する。それ自体変化しないことがＣＡＴＶネットワーク、特に全ポイントシステムに対して要求される。明らかなように、いずれかのＰＣＳシステムを統合するためには、ＣＡＴＶネツトワークのオペレータは、交換機アーキテクチャ、２通りの増幅器、余分なもの、その他を導入する必要がある。従って、基地局からのエリアを広げるために、もし一つがＣＡＴＶネツトワークの同軸の部分を使用するなら、遠隔アンテナシステムのある形態は展開されなくてはならない。
【０４２３】
ＰＣＳ２０００システムは、ソフトウエアのアーキテクチャに基づく対象の回りに設計され、このアーキテクチャは、ＰＳＴＭ、ＡＩＮおよびＧＳＭネットワークの基幹施設およびＩＳ−４１ネットワークの相互接続への相互接続の際にフレキシビリティを可能にする。このアプローチは、ＰＣＳオペレータに、いかなるネットワークの基幹施設も適したビジネス目標やサービス記述に合致するフレキシビリティを与える。このシステムは、システム内の全ポイントの要素間の必要な情報を通過させるために、"ノート"と呼ばれる、ＩＳＤＮメッセージに基づく内部通信を使用する。これらの"ノート"は、ＩＳＤＮの特定プロトコル自身と混同しないよう、そのように名付けられている。ネットワークのメッセージ(例えばＱ.９３１又はその他)は、全地点でのハードウエアのプラットフォーム内で効率的な動作のために、システムにより、全地点の"ノート"に変換される。
【０４２４】
１.４.１  ネットワークのアーキテクチャー．
以下のダイアグラムで示されるように、ＰＣＳ２０００システムは、ＡＩＮおよびＧＳＭに基づくネットワーク、私的ネットワークを含む多種のネットワークの基幹施設に相互接続でき、ＩＳ−４１ネットワークの相互接続を提供する。図２を参照
【０４２５】
ＰＣＳ２０００システムは、いくつかの異なる展開シナリオに基づき、特徴の多いＰＣＳの為にＡＩＮおよびＧＳＭに基づくアーキテクチャーをサポートできる。現在、全ポイントは、ノーゼムテレコムおよび他の交換設備のメーカーと機能しており、可能なサービスプロバイダーがこれらのシステムを市場に出す。
【０４２６】
ＰＣＳ２０００は、ＬＥＣネットワーク、ＣＡＴＶネットワーク、新規のもの(ＰＣＳオペレータのＰＣＳＣアーキテクチャー)又は区域システム(無線周波のアクセスが異なるがいくつかの共同位置の設備を持つ)の拡張を通じて、種々のサービス実行をサポートできる。ＰＣＳ２０００は、高速データのアプリケーションおよび十分な高速の移動性を持つように、多くの特徴を持つＰＣＳを提供する。徒歩速度または、いくらかの重要なオペレータにより想像された電話タイプのＰＣＳの物も又、システムの機能を制限することにより、提供され得る。
【０４２７】
１.４.１.１  ＰＣＳ２０００システムの要素．
次の要素は、ＰＣＳネットワークにおける全ポイントのＰＣＳ２０００システムの種々の実行において含まれる。
【０４２８】
基地局．
全ポイントの基地局の装備は、ＰＣＳ環境にある多数のユーザーを提供する。６４まで５ＭＨｚのＲＦチャンネルにつき、タイムスロット８Ｋｂｐｓの伝送情報を利用できる。音声活動検知(ＶＡＤ)を用いれば、経済的な分析および区域側の設計に対して５ＭＨｚのＲＦチャンネルにつき、控えめでも最大３２の全２重の音声チャンネルが保証される。４Ｋｂｐｓのボコーダーをしようすると、６４非ＶＡＤ全２重の音声チャンネルが５ＭＨｚにつき提供される。
【０４２９】
基地局は、フォーマットし、ＰＣＳオペレータのネットワーク選択に依存して、デジタル情報をＰＣＳ２０００システムの基地局、ＰＣＳＣまたはＰＳＴＮへ直接に送信する。基地局は、ＩＳＤＮ、標準回線、リースされるＴ１および分割されたＴ１回線、ケーブルＴＶ、マイクロウェーブ、その他の種々の伝送手段により、基地局コントローラに接続される。
【０４３０】
基地局コントローラ(ＢＳＣ)．
基地局コントローラは、多数の基地局からの入力を集約し、相互の基地局を転送し、双方のチャンネルを変換し、フォーマットし、そして、見せるための情報をネットワークに知らせ、ローカルキャッシュＶＬＲデータベースを管理し、多数のネットワークインタフェイスを提供し、そして、基地のＯＡ＆Ｍ機能をサポートする。ＰＴＳＯまたはＰＳＴＮの制御下にある、基地局コントローラは、それの関連した基地局に対するローカルの登録／認証を管理し、そしてＰＣＳネットワークまたは集中化されたＳＣＰ／ＨＬＲに更新する。
【０４３１】
ＣＡＴ．
全ポイントにより、基地局から経済的に広げたエリアへ展開される、ケーブルアンテナのトランシーバも又、ケーブルＴＶの基幹施設に使用され得る。
【０４３２】
ＣＯ交換機．
中央センター交換機はローカルの電話会社により所有される。
【０４３３】
有線センター．
ひとつまたはより多くのＣＯ交換機を持ち、そして地理的なエリアに役立ち、典型的に最大で１３，０００ないし１５，０００フィートの半径のエリアを持つ(より大きい近郊および田舎のエリア)。ＣＯ有線センターのサービスエリア内に回線を提供する。
【０４３４】
ＰＣＳセル．
ＰＣＳネットワークアンテナは、エリアおよび電話加入者の能力要求に依存してひとつまたはより多くの基地局のＲＦトランシーバをサポートするようにして位置する。
【０４３５】
ＰＣＳノード．
基地局をＰＣＳネットワーク内の一つの基地局コントローラへの集約が行われ、ＰＣＳシステムセルからの交信は、集約化、処理、転送およびＰＣＳＣまたはＰＳＴＮへまたはそこからの提示のために、経路が決められる。
【０４３６】
ＰＣＳＣ．
ＰＣＳ交換システム。これは、ネットワーク管理を行い、ＳＣＰ／ＨＬＲデータベースを管理し、そしてＰＳＴＮへのアクセスを制御するために、一次交換機およびＰＣＳネットワークにより使用されたコントロールポイントである。ＰＣＳＣの機能性は、ＬＥＣがＰＣＳサポートを直接提供する場合のＰＳＴＮにより与えられる。そのＰＣＳＣは、ＰＣＳノードへの通信とそこからの通信の接続および進歩した交換を提供し(基地局コントローラ)およびＰＳＴＮへの相互接続およびキャリアネットワークの相互変換を与える。
【０４３７】
Ｔ１または分割Ｔ１のリースされた幹線．
相互のＣＯ交信を伝送するための高速(１.５４４Ｍｂｐｓまで)のデジタル設備。これらは、ローカルの変換キャリアにより、および、相互のＬＡＴＡ結合のために相互変換キャリアにより、同じＬＡＴＡ内に備えられる。
【０４３８】
変換カード．
パケットの流れを基地局へ変換するか、またはその基地局から音声電子分析化されたフォーマットに変換し、そして、ＣＡＩ内で使用されたボコーダ速度をＰＴＳＯまたはＣＯ(例えば３２または６４Ｋｂｐｓ)により使用された標準速度に変換する。これらのカードは、呼がＰＣＳシステムを去り、そしてＰＳＴＮをインタフェイスするポイントでのみ必要とされる。それらは、基地局で実行されたとき、それらはＰＴＳＯでのみ実行されるが、このモデルに示されている。
【０４３９】
１.４.１.２  基地局コントローラクラスタ(ノード)．
全ポイントは発展したデジタルのトランクリンクシステムおよび、ほとんどの全ポイントの商業的ＰＣＳシステムの展開の基礎を形成する、基地局コントローラを持つ。図３に示すように、全ポイントＰＣＳシステムのノードは、最小のコストで最適な性能をえるために、種々のインタフェイスおよびネットワーク接続を適合化させる。
図３を参照。
【０４４０】
基地局から交換プラットフォーム(ＢＳＣ、ＰＣＳＣ、及び／またはＰＳＴＮ)への相互接続は、Ｔ１、ＦＴ１、ＩＳＤＮ、マイクロウエーブリンク、ファイバーおよび同軸ケーブルを直接サポートする。ＢＳＣからＰＴＳＯまたはＰＳＴＮへの逆伝送は、Ｔ１、ＩＳＤＮ、マイクロウエーブその他の多種の方法を通じて与えられる。
【０４４１】
１.４.１.３  ネットワークアーキテクチャ(ＬＥＣ−ＰＳＴＮ)．
ネットワーク相互接続．
図４は、ＰＳＴＮまたは他の交換プラットフォーム(基地局コントローラまたは孤立のＰＣＳ交換)への相互接続のために、基本の全ポイントアーキテクチャを示す。このシステムは、デジタルインタフェイス(ＩＳＤＮを含む)アナログ回線とともに、アナログ回線をサポートする。
【０４４２】
ＰＣＳ２０００基地局は、(ＬＥＣを基地としたＡＩＮインテリジェント基地局の展開のために)ＰＳＴＮに直接に接続するか、(ＡＩＮ、ＧＳＭおよびネットワークを基地とするＩＳ−４１を含むいずれかのネットワークを採用するため)基地局コントローラに接続する。基地局コントローラ(ＢＳＣ)は、ローカル交換および高速転送を提供する。基地局コントローラの場合、ＰＳＴＮまたはＰＣＳ交換機は、着呼及び発呼のためにＢＳＣに接続する。
【０４４３】
ＰＳＴＮへのＢＳＣ接続は、Ｑ９２１、Ｑ９３１およびＱ９３１への変更を含むベルコアの"ジェネリックＣ"インタフェイスを利用する。基準ＣＣＩＴＴ、デジタルの加入者信号方式Ｎｏ.１(ＤＳＳ１)、日付リンクレイヤー。
【０４４４】
全ポイントＰＣＳシステムは、内部ノード交換、ＳＣＰ／ＨＬＲデータベースサポートおよび集中化されたネットワークＯＡ＆Ｍの能力を得るために、加入中央ＰＣＳＣ交換機に相互接続される。ＰＣＳシステムは実在する交換機および、ＬＥＣおよびＣＡＰネットワークを含むネットワークアーキテクチャーを利用できるが、全ポイントは、特定のＰＣＳを分解してより大きい効率とより低廉なネットワーク展開コストとするために、ノーゼムテレコムおよび他の主要な交換機のセラー（売り手）と共に動作する。特にＡＩＮおよびＧＳＭを基礎としたプラットフォームは、ＩＳ−４１相互接続と同様に提供される。
【０４４５】
インテリジェント基地局特性．
ＰＣＳ２０００は、転送およびローカル交換を管理するために基地局コントローラ(ＢＳＣ)を用いて展開されるか、ＡＴＮタイプの基幹施設における機能性のためにＰＳＴＮを利用するインテリジェント基地局アーキテクチャーを利用する点でユニークである。
【０４４６】
全ポイントのＩＢＳは、登録のためにＩＳＤＮの通信機能を用いて、直接のＣＯ接続を介して発呼し転送する。ＩＢＳに対して使用されたハードウエアプラットフォームは変形された基地局(ＢＲＪカードを組み込み、付加的なインテリジェンスおよびローカル音声電子分析)である。ＰＳＴＮへのＩＢＳ接続は、Ｑ９２１、Ｑ９３１およびＱ９３１への変更を含むベルコアの"ジェネリックＣ"インタフェイスを用いる。
【０４４７】
１.４.１.４  ネットワークアーキテクチャー(ＡＩＮ)．
ＡＩＮネットワーク．
全ポイントは、全ＩＳＤＮの相互接続率のために、ＡＩＮ０.２(ＡＩＮが発展するにつれてより高く)を通じてＡＩＮ０.０(初期時)を含み、又、ネットワークデータベースサポートおよびＬＥＣまたはＣＡＰセンタオフィスを通じた転送を含む、種々のＡＩＮネットワークの基幹施設をサポートする。ネットワーク素子間の信号伝送は、ＳＳ７およびＩＳ−４１を含む主たる標準信号プロトコルからなる。
【０４４８】
ＰＣＳ２０００は、基地局コントローラ(ＢＳＣ)を用いて転送およびローカルの交換機を管理するか、ＡＩＮタイプの基幹施設に対するその機能性のためにＰＳＴＮを利用するインテリジェント基地局(ＩＢＳ)アーキテクチャを利用するかによって展開され得る。
【０４４９】
全ポイントＩＢＳは、登録のために、ＩＳＤＮメッセージ機能を用いて、発呼し直接的にＣＯ接続を経由して転送する。ＩＢＳに対して使用されたハードウエアプラットフォームは、変更された基地局（ＢＲＩカード、付随のインテリジェンス、および、ローカルの音声電子分析を組み込むため）変更された基地局である。
図５を参照。
【０４５０】
全ポイントは、国際ＩＳＤＮ−１基地局のＡＩＮ基地ＣＯ交換機に直接の相互接続を含むインタフェイスを試験している。この形態では、システムは転送、２通りの通話および登録をデモ表示している。ＩＳＤＮの更新に対するサポートは、ＰＳＴＮへの相互接続(交換機の売り手から利用可能になったとき)に対してＮＩＳＤＮ−３により、サポートされたとき、全ポイントにより提供される。
【０４５１】
全ポイントは又、ＳＳ７に相互接続率を与えて、ＰＣＳに対するネットワークアーキテクチャーにおけるＳＣＰの関係を確実にするために、いくつかの売り手と共に動作する一方、強調されたネットワークサービス(つまりクラス、他のＡＩＮ特徴)を可能にする。
【０４５２】
１.４.１.５  ネットワークアーキテクチャー(ＧＳＭネットワーク)．
同様なアーキテクチャーは、ＰＣＳオペレータ(以下に示す)により保有されるＧＳＭネットワークの基幹施設により、特徴および機能性が替わりに与えられることを除き、"Ａ"インタフェイスを通じてＧＳＭネットワークへの相互接続に使用される。
図６を参照。
【０４５３】
このＰＣＳ２０００の特定の実施において、ＧＳＭアーキテクチャーは限定された"Ａ"インタフェイスを通じて相互接続されることが注目される。ＧＳＭの特徴および機能性は通過し、そして、このネットワーク上をＰＣＳ２０００から明白は方法により送出される。
【０４５４】
１.４.１.６．
ネットワークアーキテクチャー(選択的ネットワーク  ケーブル)．
図７を参照。
【０４５５】
ケーブルＴＶネットワーク．
全ポイントの基地局は、標準ケーブルＴＶの増幅器ボックス内にインストールできるポイントに小型化された単なるＰＣＳ基地局である。更に我々はすでに、アナログ遠隔アンテナに連結させること、およびデジタル伝送機構の使用を含む、いくつかの異なったアプローチをテストしている。テストの一つは、Ｔ１および、以下に示すデジタルチャンネルを伝送するために、ＣＡＴＶネットワークおよび基本速度(ＢＲＩ)ＩＳＤＮリンクからのＦＴ１デジタルマルチプレクサ出力である。このＩＳＤＮ伝送能力は現在試験中の原型にある。
【０４５６】
上述したアナログ遠隔アプローチに加えて、全ポイントは、ケーブルＴＶの展開計画における基地局からの広げられてエリアを可能とするために、ＣＡＴ(同軸アンテナトランシーバ)を開発した。このデバイスは、連続的にテストされ、ＰＣＳの有効的な実施の費用をケーブル加入者に課すために示され、一方、転送およびモービル局を含む十分な機能性を提供する。特に、一つの全ポイント基地局および４個のＣＡＴは、規格のテストにおいてサンディエゴの近郊住居において１５３戸数をカバーする。更に、全ポイントの基地局はおよび／又はＢＳＣは、ファイバーノードに装着される。
【０４５７】
１.４.１.７  ネットワーク相互接続(伝送オプション)．
図８を参照せよ。
【０４５８】
伝送オプション．
この文章を通じてコメントしたように、全ポイントは、多種の物理的インタフェイスを利用する種々のネットワーク基幹施設をサポートする。分割Ｔ１、Ｔ１および／又はＩＳＤＮ  ＢＲＩはほとんどのＰＣＳ実施のために使用される。これらの速度は、ＨＤＳＬ、供されたデジタルＬＥＣ設備、または私的伝送(マイクロウエーブ、ＣＡＴＶ、ファイバ)のいずれかにより遂行される。
【０４５９】
上述したように、各々の標準ＲＦチャンネルは、すべてのオーバーヘッドおよびガードタイムとして最大６４の８Ｋｂｐｓのベアラチャンネルリンクネットを提供できる。これにより、これらのリンクはＦＴ１リンク(５１２Ｋｂｐｓの全ベアラデータ速度)により、実行される。しかしながら、通常の用法では、ＢＳＣに実際に供給されるアーラン通信のために、３つのチャンネルを持つ標準の３つのセクターセルは、少なくとも十分な速度Ｔ１（１．５４４Ｍｂｐｓ）を要求する。
【０４６０】
マイクロウエーブのリンクは、特に超距離の伝送が要求され、かつ、関係したより高い価格が正当化される場合にＰＣＳ２０００と使用される。
【０４６１】
Ｘ２５およびＳＳ７は、ＰＣＳ交換設備からネットワークデータベースアクセスのための選択のリンクであるが、仮想のいずれのデータサービスも十分である。一般に、全ポイントは、基地局またはＢＳＣからＰＳＴＮまたはＰＣＳＣへのＩＳＤＮおよびＸ２５をサポートする。ＳＳ７は交換機プラットフォームからネットワークに使用される。ＩＳ−４１伝送もサポートされる。全ポイントは、既にある標準のインタフエイスと異なるＵＳ標準を基礎としたデータベースアクセス能力を提供する。
【０４６２】
ネットワーク相互接続(ソフトウエア)．
ソフトウエア開発．
ＰＣＳ２０００は、多数のネットワーク基幹設備および製造者の設備への相互接続にフレキシビリティを与えるために、オブジェクト基礎のソフトウエアアーキテクチャーとして設計されている。そのシステムは、システム内の全ポイント要素間の通過する必要な情報のためにＱ９３１およびＱ９２１に基づく"ノート"(ＩＳＤＮまたは他のネットワークの特殊な"メッセージ"で混乱させないように)と呼ばれるＩＳＤＮメッセージに基づく内部メッセージを使用する。
【０４６３】
全ポイントのハードウエアプラットフーム内の効率的なオペレーションのために、ネットワークからのメッセージ(例えばＱ６３１)は、ＰＣＳ２０００システムにより、全ポイント"ノート"にこのようにして変換される。このアプローチは、どのネットワーク基幹施設が適したビジネス目標および所望されるサービス記述に合致するかを実施するために、ＰＣＳオペレータにフレキシビリテイを与える。
【０４６４】
ネットワーク相互接続(オペレーションサポートシステム)．
オペレーションのサポートシステム．
区域側の診断は、いくつかの実行により、基地局のデジタルリンク住居におけるコントロールチャンネルあるいはダイアルアップのモデムを通じて遠隔により実行される。これらの診断は、基地局の各部品ボード上で実行される。加えて、ＰＣＳ２０００は遠隔モニタリングおよび基地局および基地局コントローラで必要とされるようなソフトウエアのダウンロードを提供する。
【０４６５】
あるハンドセットのソフトウエアは、メンテナンス目的またはあるシステムのアップグレードが要求されたとき、無線によりダウンロードすることもできる。
【０４６６】
小さい基地局に対しては、戸外に設置されたとき、環境劣化に対するモニタリングよりもむしろ極めて小さい予防的なメンテナンスが予期される。より大きい区域の形態では、基地局および／またはアンテナアレイにおける慣習的な予防メンテナンスが規定される。一般にＰＣＳ２０００は、実在する区域での設備のサイズ(標準サイズ、３２音声チャンネル、基地局はほんの４"×４"×１０")とかなり異なっており、又、メンテナンスにおいて、都市エリアでのほとんどの基地局に対する要求も異なる。既述したように、全ポイントは単にＰＣＳ基地局を持ち、標準ＣＡＴＶの増幅器ボックスを含む多くの存在するエンクロージャー内に適合するのに十分な小型である。
【０４６７】
基地局は、回路ボードの取り換えを容易とし、又、全体の基地局から大幅な交換を迅速に行えるように設計されている。これは全ポイント基地局の小型化により極めて容易に達成される。
【０４６８】
ＲＦ設備は、基地局の無線ボードからなり、そのボードは中間の基地局のモデムを通じて中央に警告される。電源および他の部品に対する警報も設計に組み込まれている。他のネットワーク要素(ＢＳＣ、ＰＣＳＣその他)へ警告サービスを与えるための機能は、使用された交換機プラットフォームを通じてトータルネットワークの解決に統合される。
【０４６９】
請求書の発送は、全ポイントネットワークに関連して使用された、標準の商業ネットワークＯＡ＆Ｍプラットフォームにより、供給される。トラフィック報告および詳細な課金処理に対して要求された情報は、全ポイント基地局および全呼び出しのためのＢＳＣにより、ネットワークに利用可能とされる。請求書発行が第３パーティのプロバイダーにより所望されたなら、請求書発行のための個別の補助プロセッサはシステムによってもサポートされる。全ポイント基地局は、利用された交換機プラットフォームにより要求されたとき、ネットワークに請求書発行の目的のための必要な情報をネットワークに供給する。
【０４７０】
請求書発行システムによりサポートされるべき機能は、(ＩＥＣｓおよびＬＥＣｓの双方からの)情報収集、請求書の準備および報告書作成を含む。ＰＣＳのオペレータ(または指名された第三者)は、収集／顧客のサービスおよび管理工程を蓄積する。
【０４７１】
１.４.１.９  移動管理の概観．
移動管理．
全ポイントは転送(端末移動)計画を利用し、その計画は、他のあらゆる移動局の無線システムにより使用されたものと異なる。ＰＣＳ２０００は、ユニークな"管理された移動局"および"中央の移動局"を利用する。このアプローチでは、移動端末は、区域間で転送することを決定し、そして、別の基地局が要求されたとき、基地局のコントローラまたはネットークに回線交換を指示する。
【０４７２】
このアプローチは、ＡＭＰＳおよびＩＳ−５４区域またはＧＳＭのごとき"指示されたネットーク"または"中央ネットーク"のアプローチと対照をなす。ネットワークが情報を収集し、たとえ転送機能のすべてもしくはその殆どを指示する"移動局が補助する転送"を採用しても、移動局は、転送を指示するものの、主にネットワークを有する付加的な聴取局として用いられ、それ故、移動局とＢＳＣ間の重要な信号およびメッセージの送出機能を要求し、そして切り替え、そして転送し、その結果、長時間を必要とする。
【０４７３】
又、全ポイントの転送手順において、システムは、継目のない転送のための"接続の前に切断"の転送または、新しい接続が確立される前に基地局でのすべての交信が失われた非常時の局での"接続の前に切断"を実行することが注目される。"接続の前に切断"の転送は、継目のないエリアおいてよび発見できない転送を提供する。全ポイントのアプローチでは、端末は休止時のタイムスロットの間、他の基地局を聞くことができ、そして、どの基地局がレンジ内であるかを決定し、そして転送の候補を選ぶ。
【０４７４】
"接続の前に切断"の場合は、突然の隠れとして典型化される。この例は、集中した都市の高いエリアのコーナーを急速にターンして、セル範囲の限界に近付いたときのように、有効信号の阻止に起因して(例えば４０ｄＢより悪化)、現在基地が失われた時に発生する。この状況では、端末は前もって、付近で利用できる基地局の"優先リスト"が作成されており、多分、新しい周波数および新しいタイムスロットでもって新しい基地局とコンタクトして再確立する。その端末は、全２重接続が十分に確立される前に、通話が中断されるのを防止するため"持続"パラメータを含む。
【０４７５】
真の"堅い転送"問題(つまり通信チャンネルの喪失)は、たとえリンクが喪失し、ハンドセットで利用できる情報が無い場合であっても、正規の基地局または別の基地局を１６ないし２５０ｍｓ内で再度得るために、ＰＣＳ２０００により、端末の能力を通じて極めて迅速に処理される。これに対して、リンクが完全に喪失したとき、既存の区画では、アーキテクチャーは"消失した呼"となる。
【０４７６】
ハンドセットは、転送が適当であることを決定したとき、端末は新しい基地局で通信チャンネルを得て、そして、以下に示すように、到来する電話回線を古い基地から新しい基地に切り替えるためにＢＳＣに通知する。
図９を参照。
【０４７７】
この処理は４ｍｓから３２ｍｓ必要とし、そして、殆どの環境下で適当なＲＦ範囲で与えられたパケットのひとつを失うことなく、達成され得る。"接続の前に切断"する非常時であっても、以下に示すように転送は１６ないし２５０ｍｓ内に敢行され得る。
図１０を参照。
【０４７８】
前に述べたように、全ポイントのアプローチの主な利益のひとつは、たとえ極めて小さい区域(直径２０マイルまでの区域と同様に、少なくとも１０００フィートの区域内の全ポイントにより説明したように)であつても、移動速度での転送(６５ＭＰＨ)を可能にする。
【０４７９】
複数の基地からのヒステリシスの測定は、基地局間での端末の"むち打ち"を減じ、これにより容量が消耗するのを減じるために、ＰＣＳ２０００内のハンドセットにより維持され得る。これは、システムに転送のために割り当てられなくてはならない通信チャンネルの資源を最小にするために、重要な設計パラメータである。
【０４８０】
ＰＣＳ２０００は、リンクの品質指標として、フレームエラーおよびエラーのタイプの測定と同様にチャンネル品質の測定のためにＲＳＳＩを使用する。しきい値の走査が達成したとき、ハンドセットは、同じ第１のＲＦチャンネルにて別のタイムスロットのために走査する。これはタイムスロットの交換(ＴＳＩ)のために使用され、これにより、区域の平均Ｃ／Ｉ比および再使用計画を劇的に改善する。
【０４８１】
もし、ＴＳＩがチャンネルを改善できないとき、ハンドセットは、通信していないタイムスロットの間に接近した基地局内で周波数を走査させる。基地局により送信された共通の信号情報から、ハンドセットは、基地局で利用できる能力のみならず、リンクのクォリティを決定することができる。転送しきい値に達したとき、ハンドセットは周波数を変え、そして、ＢＳＣに通知して、呼を新規の基地局にブリッジするために、新規の基地局を指示する。適正になったとき、通話の切り替えを完成させるブリッジを閉じるためにハンドセットは更にＢＳＣを指示する。
【０４８２】
中間集団のハンドセットは、ＰＣＳオペレータ(つまりインテリジェント基地局内のＰＳＴＮのアプローチ)により選択されたネットワークのプラットフォームを経由して、またはＰＣＳオペレータによる基幹施設の交換機(ＰＣＳＣアプローチ)を通じて、ＰＣＳ２０００システム内で管理される。
【０４８３】
２．ＰＣＳＣ２０００システムの記述．
プロトコルアーキテクチャー．
全ポイントシステムは、ＦＤＭＡ、ＴＤＭＡおよびＣＤＭＡ技術の特殊な利点を用いてＰＣＳに対して最適に活用される、ユニークなプロトコルアーキテクチャーを提供する。他の電波インタフェイスから利用できる特徴およびサービスを与えるために、このアプローチに対して注意が払われる一方、他のアプローチよりもコストをかなり安価にする。全ポイントアプローチは、又、許可されたＰＣＳ周波数と同様に、未許可の帯域における無構築のオペレーションに便利性を与える。
【０４８４】
多重化および区域の分割．
全ポイントシステムは、ユーザーと区域の分割のためにＣＤＭＡ、ＴＤＭＡおよびＦＤＭＡの特許された組み合わせを使用する。一つの区域内では、ユーザーを区別するために、高速のダイレクトシーケンスのスプレッドスペクトラムＴＤＭＡプロトコルが使用される。
図１２を参照。
【０４８５】
図１２に示すように、接近した区域は、ＣＤＭＡを有する周波数(ＦＤＭＡ)により分離され、そのＣＤＭＡは、周波数が繰り返されたとき、標準の構成ではＮ＝３となる再使用パターンを改善するために用いられる。更に、ユーザーの交差したセルの更なる隔離を得るために、タイムスロットの交換(ＴＳＩ)および指向性アンテナが使用される。
【０４８６】
区域内の各ユーザーがダイレクトシーケンスのコードセットの同じ組みを使用することができることに注目される。これは、区域内でユーザーの区別のためのコードを用いるＣＤＭＡの単一のシステムに相反する。全ポイントシステムは、各時間で同じ周波数が再使用される、異なるコードセットを用いる(前記の図においてＣ１，Ｃ２およびＣ３で示されるように)。大幅により高速なデータ速度を達成し、これにより、多くの移動体に利用するため、従来のＴＤＭＡシステムで一般に可能と考えられていたよりも、ＲＦチャンネルに対して多くのＴＤＭＡユーザーが利用できるために、一つのセル内で分割したコードもまた使用される。このダイレクトシーケンススペクトル拡散のアプローチは、ＣＤＭＡの従来の使用ではなく、無線システムに対してコード技術を用いたユニークな方法である。全ポイントシステムでは、コード分割は、異なる区域で同じ周波数を用いるユーザー相互が干渉しないように、特殊で、かつ一時的な分割の結合として用いられる。
【０４８７】
全ポイントシステムのアーキテクチャーの最も重要な利点は、ユーザーチャンネルに対するコストが、他のいずれのシステムとも異なり、基地局につき多数のユーザーの増大につれて低下させる。一般に、従来の区域のアプローチでは、音声チャンネルに対するコストは、付加的な同時のユーザーとリニアな関係にある。結果、全ポイントシステムは、区域側を通じて音声チャンネルの提供コストにおいて５ないし２０に低減する。
【０４８８】
全ポイントアプローチは、又、ＣＤＭＡ単一システムとかなり異なっている。そのシステムは、精密なパワー制御アルゴリズムに依存し、そして、高い能力請求を達成し、かつ、遠／近の問題を緩和するために、柔軟な転送を要求し、その結果、ハンドセット、基地局および基地局コントローラにおいてコストと複雑さを招く。全ポイントシステムは、もしコストが重要でないならば柔軟な転送を使用できるが、ＰＣＳの性能や能力要求に迎合することを要求しない。付加的に、全ポイントシステムでは、いかなる瞬時においても一つの区域内の一つの送信機よりも多くないため、全体の区域により発生した混信は単一のユーザーより決して多くはない。このことは、早期のＰＣＳの採用において、周波数計画およびＯＦＳ調整に対して特に重要である。
【０４８９】
２.１  ＰＣＳ  ＲＦ周波数／ＰＮコード再使用計画．
ＤＳＳＳベアラ変調は、全ポイントシステムを、Ｎ＝３の極めて効率的な周波数再使用ファクターを許可し、接近するＰＣＳ区域に異なる搬送波周波数を割り当てる。接近した区域間の混信は、図１２に示すように、接近した集団内の区域に異なる直交ＰＮコードを指定することにより緩和される。同じ搬送波周波数を用いる接近した区域間の混信は、区域間の距離に起因する伝播ロスにより減じられ(二つの同じ周波数の区域は、互いに離れた二つの区域よりも小さくなることはない)、そして、同じ搬送波周波数を用いるシステムのゲインを処理することにより、減じられる。
【０４９０】
２.２  周波数パラメータ．
２.２.１  ＲＦチャンネルセンターの周波数／帯域幅．
ＰＣＳ Ａ,ＢまたはＣにおいて動作し、ＰＣＳ周波数帯域がそれぞれ１５ＭＨｚ幅であるとき、ＰＣＳ２０００ＲＦのセンター周波数は、３つの帯域の最も低い帯域端から２.５ＭＨｚ、７.５ＭＨｚおよび１２.５ＭＨｚに置かれる。それぞれが５ＭＨｚ幅のＤ、ＥおよびＦ帯域に対して、ＤＳＳＳ信号は５ＭＨｚの帯域幅をもつため、単一のＲＦ搬送波周波数が帯域の中心にセットされ、Ｎ＝１の周波数再使用ファクターが使用されなくてはならない。それ故、要求される内部区域の混信の排除は、直交ＰＮコードにより、および区分化されたアンテナパターンの使用により得なくてはならない。タイムスロットの交換(ＴＳＩ)は、又、内部区間の混信を低減するために使用されてもよい。
【０４９１】
２.２.２.１  未許可のＲＦセンター周波数／帯域幅．
２０ＭＨｚの帯域幅が割り当てられているが個々のチャンネルの帯域幅は単に１.２５ＭＨｚ幅のＰＣＳ未許可帯域にＰＣＳ２０００システムを採用したとき、ＤＳＳＳチップ速度はほぼ１.２５Ｍｃｐｓに低減される。要求されるＤＳＳＳ処理ゲインを維持して内部区間の混信排除のために、ＴＤＭＡバースト速度またはフレームに対するＴＤＭＡタイムスロットの個数も又、低減される。未許可帯域での操作のために非スプレッドＴＤＭＡ／ＴＤＤ信号変調フォーマットも又用いられてもよい。
【０４９２】
２.３  アンテナ特性．
２.３.１  移動局．
移動局(ＭＳ)のハンドセットは、半波長ダイポールアンテナを採用し、このアンテナは、直線偏波であって、２ｄＢのゲインを有し、アンテナ軸に直交して全方位パターンを有する。公称１９００ＭＨｚのＰＣＳ周波数では、半波長はほぼ３インチであり、ハンドセットの形状内にうまく適合できる。
【０４９３】
２.３.２  基地局．
２.３.２.１  全方位パターン．
異なったタイプのアンテナは、ＰＣＳの適用に依存して基地局(ＢＳ)に利用できる。低密度の郊外または田舎での使用のために、最少の基地局で最大のカバーを得るため、全方位アンテナが使用される。この利用では、全方位アンテナは、ぼ９ｄＢの垂直ゲインをもつＢＳが採用される。９ｄＢのゲインは、水平方向に全方位パターンを持っていても、比較的、大きな半径の区域を可能にする。
【０４９４】
２.３.２.２  方向性／高ゲイン形状．
郊外および低密度の都市部のエリアでは、１２０°アジマスのビーム幅および９ｄＢの垂直ゲインを持つ方向性アンテナが使用され、その結果、ひとつの区域は３箇所に区分され、各区分は、３２全２重デュプレックス、８Ｋｂｐｓのユーザーに適合する。単一のＢＳで広く余裕の人口密度のエリアを可能にするため、２０ｄＢ以上の水平方向１方向に配列されたアンテナを使用できる。このアンテナは、移動局に割り当てられたＴＤＭＡタイムスロットの間、その区域内の各ＭＳに順に指向される。全ポイントは時分割デュプレックス(ＴＤＤ)を用いるので、同一のアンテナが送受信のために使用され、相互の前方および逆向きのリンク伝播特性を与える。このアンテナは、円偏波を利用し、ビーム内のハイレベルの遅延した建物等から反射した散乱信号は移動局ユニットからの受信信号に干渉しない(反射した信号は偏波が逆にされて受信され、ＢＳアンテナにより排除される)。高ゲインの指向性アンテナは又、アンテナのメインビームの外側からの到来する多重経路の要素を拒絶することにより、多重経路環境を分断して遅延広がりを減じる。
【０４９５】
２.３.２.３  基地局のクラス．
ＰＣＳ２０００システムの区域は、最良の位置エリアに合致し、又、加入者の高い要求に合致できるように、一つまたは多数の全ポイント基地局に結合した一つまたはいくつかのアンテナ形状を用いる。ＰＣＳシステム局に全部で６クラスの基地局がある。クラス１ないし３の基地局は、ゲインが３ｄＢ、９ｄＢまたは１３ｄＢのアンテナを使用する。レンジは次の形態により拡張できる。
【０４９６】
0003746457.tif 000027
【０４９７】
全ポイントは、小から大の区域に採用されるために、いくつかのアンテナのオプションを含む。更に、全ポイントは、区域側にて方向性トラッキングにより高ゲインを可能にする形状のスマートアンテナの統合に向けて、いくつかのアンテナ販売者と動作する。このアプローチは、能力を増大するため、標準のセル側の分割と異なる。多数のアレイ素子を備え高ゲインのアンテナは、開発下にある。一般に、これらの高ゲインアンテナは３つのセル分割のために設計されており、各分割内で多数ビームおよび多方向を備えたアクティブのアンテナアレイを用いる。
【０４９８】
２.３.２.４  空間ダイバーシティのための複数のアンテナ．
いくつかの波長の長さが離隔した上述した複数のアンテナは、典型的なモービルＰＣＳ環境に遭遇する複数の誘導された消失するレイリーの影響を緩和するため、空間ダイバーシティ効果を与えるために基地局に使用される。いくつかの波長間隔で隔てられたアンテナからの受信信号は、独立して消失するので、空間ダイバーシティの性能の改善が得られる。これは、フラットに消失する複数の環境において、複合セパレートアンテナから受信された最良の信号を選択することにより達成される。アンテナの空間多様性は又、内部シンボルの干渉を生じさせるＰＮチップ波形を変形させることにより、リンク特性を低下させる周波数選択消失の影響を緩和する。
【０４９９】
２.４  送信パワー出力特性．
２.４.１  モービルハンドセット．
ＦＣＣはＭＳに対して実効等価放射パワー(ＥＩＲＰ)で２ワットまで許可するが、全ポイントのピークパワーのダイポールアンテナへの入力は６００ミリワットであり、そこでＭＳのＥＩＲＰは、ＦＣＣの要求内の公称１ワットである。ＰＣＳ２０００のＴＤＭＡ／ＴＤＤの設計のため、ハンドセットの充電期間を長くするために、アンテナに供給される平均パワーはほんの９．３６ミリワットである。全ポイントの一定の外形特性の変調技術は効率のよい非線形の出力増幅器の使用を可能にし、このことがバッテリーの消耗を更に減じる。
【０５００】
２.２.２  基地局．
最近のＦＣＣ基準は、ＰＣＳ基地局に対してＲＦチャンネルにつき、１５００ワットのピークＥＩＲＰまで許可する。全ポイントのＢＳピークパワーのアンテナ入力は２ワットであるので、最大許可ＢＳアンテナゲイン(垂直プラス水平方向)はぼ２８ｄＢに制限される。ＴＤＤが使用されるため、全負荷での平均ＢＳパワーのアンテナ入力は１ワットである。
【０５０１】
２．５  変調特性．
２．５．１  ＲＦ搬送波のスペクトル拡散変調．
ＰＣＳ２０００ＲＦ信号のダイレクトシーケンススペクトル拡散（ＤＳＳＳ）特性を生じさせるため、オムニポイント（omnipoint）は、変調された搬送波の包絡線（envelope）に一定の増幅を提供する連続的位相シフト直角位相変調(ＣＰＳＱＭ)の形態を使用する。ＣＰＳＱＭの一定の包絡線は、変調スペクトルサイドローブ（sidelobes）を再生成することなく、効率的な非線形のＲＦ出力増幅（長いハンドセット電源の寿命に特に好ましい）を可能とする。直角位相変調前のＰＮチップ（chip）波形を形成することにより、即ち、ＤＳＳＳ  ＲＦ信号の中心周波数から１／２チップレート（rate）を越えて離れたところの周波数でのすべての変調サイドローブは、中心周波数の出力レベルに比較して少なくとも４２ｄＢまで減衰される。ＰＮチップレートは５ＭＨｚであるので、ＤＳＳＳ信号スペクトル帯域幅は、ほぼ５ＭＨＺ（この帯域幅の外側では、すべての変調スペクトル成分は４２ｄＢを越えて減衰される）である。
【０５０２】
２．５．２  基地帯域データのＭ−ａｒｙ符号化（多進符号化）．
情報のＤＳＳＳ伝送は、ＴＤＭＡ基地帯域データをＭ−ａｒｙ符号化するために、複数のＤＳＳＳチップシーケンスを使用することで達成される。３２−Ａｒｙ変調は、３２の直交（orthogonal）ＰＮシーケンスの一つとしてデータの各５ビットを符号化することでなされ、その各々は３２チップ長である。直交ＰＮシーケンスでの基地帯域データの３２−Ａｒｙ符号化の使用は、帯域内干渉に対するスペクトル拡散処理利得、及び非常に有効な出力、低いしきい値（Ｅｂ／Ｎｏ）を有する受信の両者を提供する。
【０５０３】
２．６  ＴＤＭＡ／ＴＤＤシステム特性．
２．６．１  多重アクセス方法．
オムニポイントは、ＰＣＳネットワークへの多重ユーザーアクセスのためＴＤＭＡ，ＦＤＭＡ及びＣＤＭＡの独自の組み合わせを使用する。ＰＣＳセル（cell）内で、時分割多重アクセス（ＴＤＭＡ）が使用される。ＰＣＳシステムにて２方向リンクを確立するために周波数分割二重（ＦＤＤ）又は時分割二重（ＴＤＤ）のいずれかが使用されるが、オムニポイントはＴＤＤを使用するように選択する。何故ならば、それはＦＤＤに比べ有利な幾つかの操作及び動作を提供するからであり、又、それはハンドセット及び末端の基地局の両方で、複雑化せず（less complex）、低コストを実現できる。より広い受信可能地域を設けるため、又は人口密集範囲へのより大きな容量を設けるために、Ｎ＝３の周波数再使用ファクターでもって周波数分割多重アクセス（ＦＤＭＡ）を使用して、複数のセル又はセクタ化された（sectorized）セルが使用される。又、一定範囲における複数のセルの使用を可能にするため、コード分割多重アクセス（ＣＤＭＡ）が、同じＲＦ搬送波周波数を再使用するセル間で共通チャンネル（co-channel）の干渉を減じるために各ＲＦリンクで使用される。
【０５０４】
２．６．２  ＴＤＭＡフレーム及びタイムスロット構造．
オムニポイントのＴＤＭＡ／ＴＤＤフレーム及びタイムスロット構造は、図１３に示されるように、ＲＦリンクへのユーザーアクセスのため２０ミリ秒のポーリングループに基づいている。２０ｍｓフレームは、セル内で３２のポテンシャル全二重ユーザー（potential full duplex users）間で等分され、その結果、各６２５μｓタイムスロットが８Ｋｂｐｓの全二重ユーザーを支援可能である。基地局では、ＴＤＭＡ／ＴＤＤタイムスロット（３１２．５μｓ）の初めの半分がＢＳ伝達機能のために配分される。残りの半分の間、その特別なタイムスロットに割り当てられた移動局からＢＳは受信する。移動局では、上記タイムスロットの初めの半分の間、ＭＳが受信し、残り半分の間で送信する。基地又は移動ユニットのいずれかからの各ＴＤＭＡ送信の後、各タイムスロットの小さい部分（ＴＤＤガードタイムと称される）は、基地局から最大に特定された距離（最大セル半径）にて上記送信された信号が移動受信機に伝わり、再び戻る（ほぼ１０μｓ／マイル、往復）ことができるように配分される。これは、受信、送信されたＴＤＤ信号が基地及び移動端末にて重複しないようにする必要がある。又、各タイムスロットの初期にて短い時間間隔（約９．６μｓ）が、上記移動局から種々の目的に使用されるパワーコントロールパルス（ＰＣＰ）を送信するために使用される。第１に、それは上記タイムスロット内でＭ−ａｒｙデータシンボルの始まりを判断するために同期プリアンブルとして役に立つ。第２に、それは、リンク伝達損失を判断するためチャンネルサウンドパルス（channel sounding pulse）として、及びオムニポイントのパワーコントロールサブシステムに関してリンク品質測定として役に立つ。第３に、上記ＰＣＰは、又、オムニポイントの空間ダイバーシティー計画（omnipoint spatial diversity scheme）に使用される多重アンテナのいずれかを決定するのに使用される。上記ＰＣＰは、各ＴＤＭＡタイムスロット期間の間、空間ダイバーシティー制御（spatial diversity control）が更新されるようにする。上記基地局は、そのＴＤＤ送信期間の始めにて、長さにおいてＰＣＰに同様の、パワーコントロールコマンド（ＰＣＣ）パルスを送信する。上記ＰＣＣパルスは、ＭＳ受信機のＭ−ａｒｙシンボル用の同期プリアンブルとして役に立ち、又、ＭＳから受信されたＰＣＰの品質によって決定されるように、ＢＳにて、所望の信号へのノイズ／干渉比を提供するのに十分大きい値にＭＳパワー出力レベルを調整するために出力制御信号を提供する。
【０５０５】
ＴＤＭＡパケット構造
上記オムニポイントシステムは、時分割多重（ＴＤＤ）動作、又は周波数分割多重（ＦＤＤ）動作のいずれかに使用可能である。ＴＤＤフォーマットは以下に示され、２Ｔ．Ｘ版の文献に詳しく記載されている。
【０５０６】
オムニポイント２Ｔ．Ｘ版システムは、無線区間スロットがハンドセット用に基地送信まで残され、及び基地用の対となった別の無線区間スロットがハンドセット送信まで残される、ＴＤＭＡ及びＴＤＤの組み合わせを使用する。ガードタイムが、処理、空間を越える伝達、及び上記システムの電子工学／ケーブルを介した送信における遅延を許容するためにシステム内に構築される。以下のものは、図１３に示すように、送信、受信間で上記ガードタイムを示す無線区間スロットの実例である。
【０５０７】
オムニポイントのＴＤＭＡフレーム構造は、図１７に示される。
上記パケットにおけるヘッダーは、有効な動作のためシステムにて要求される基地局又はハンドセット、パケットタイプ、リンク品質及び他の情報を識別する。  「Ｄ」チャンネルのようなＩＳＤＮフォーマットは、特別なアプリケーション情報に関してパケット毎に設けられる。この情報は、信号方式、短メッセージサービス（ＧＳＭにおけるような）、音声メール通知、又は他のデータメッセージ適用例に使用可能である。現在、上記Ｄチャンネルは、ユーザーにその全体が利用可能であり、いずれの呼処理又はオムニポイントシステム情報にも使用されない。誤り訂正アルゴリズムは、上記情報の配達（及び返答）を確保するためＤチャンネルを介してデータ送信で使用される。
【０５０８】
オムニポイント技術は通話内でＴＤＤ又は周波数多重分割（ＦＤＤ）のいずれかで使用可能であるが、ＴＤＤ設計性能は、無免許の帯域にて使用することが通常要求される。ＦＤＤシステムは、適切に送信及び受信帯域を分けることが不可能であることから、無免許のＰＣＳ帯域では動作できない。
【０５０９】
３．２．４  データレート（data rates）．
オムニポイントは、従来のセルラーサービスを越えたＰＣＳの重要な区別する能力として高速データを考えている。そのようなものとして、ＰＣＳプロバイダーは、従来のセルラー技術が可能であるよりも高いデータレートを可能とする「データ  オン  デマンド（data on demand）」サービスの形態を提供可能でなければならない。
【０５１０】
その終わりまでに、オムニポイントは、使用される応用例に一致する発呼時での帯域幅を要求するユーザーに能力を提供する。例えば、移動音声加入者は、乗物電話用の８Ｋｂｐｓの音声チャンネルのみを要求可能である。一方、データユーザーは、１４．４Ｋｂｐｓ又は高データトラヒック（１０−６のエラーフリー伝送の目標を提供するエラー訂正とともに）を提供するように、多重８Ｋｂｐｓチャンネルを要求する能力を有するであろう。さらに、事業者（オムニポイントのＣＡＩにて無免許のシステムを使用する）は、高音声品質用の３２Ｋｂｐｓ音声を要求可能であろう。
【０５１１】
上記システムは、応用例が要求する通話開始のときに必要な帯域幅を保証する。オムニポイントのシステムは、全二重で２５６Ｋｂｐｓまで提供可能である（ハンドセットＣＰＵにおける現在の処理限界により、一つのハンドセット当たり全二重で１２８Ｋｂｐｓ、しかし、この限界は将来のハンドセットＣＰＵにて取り除かれるであろう）。データの伝送容量は、放送モードでは上記容量を通して５１２Ｋｂｐｓまで可能である。このデータレートは、他の無線の解決法の限界の１９．２Ｋｂｐｓまで現在の９．６をはるかに越える。
【０５１２】
オムニポイントは、上記システムがユーザー当たり公称の約８Ｋｂｐｓのデータレートであるように設計されている。しかしながら、以下の修得した計画を介して、より高い又はより低いレートが可能である。
【０５１３】
低データレート（＜８Ｋｂｐｓ）  基地局は、４Ｋｂｐｓ以下（他のフレームごとに）のレートを許容する非連続的なフレームにてタイムスロットをユーザーに割り当てる。以下の図は、非連続的なフレームにおけるタイムスロットのユーザーを示している。図１９を参照。
【０５１４】
高データレート（＞８Ｋｂｐｓ）  基地局は、ユーザーがシステムの最大まで８Ｋｂｐｓの倍数を確保できるように、フレーム内で複数のタイムスロットを容易に割り当てる。以下の図は、一つのフレーム内で複数のタイムスロットのユーザーを示している。図１８を参照。
【０５１５】
２．６．３  ＴＤＭＡバーストシンボル／データレート．
送信中のＴＤＭＡ／ＴＤＤデータバーストレートは、２０ｍｓフレーム期間中、フレーム当たり、３２全二重ユーザー用の８Ｋｂｐｓのデジタル音声能力を提供することの要求により決定される。これは、５１２ＫｂｐｓのＴＤＭＡ／ＴＤＤバーストデータレートを必要とする。動作のＴＤＤモードのガードタイム要求、並びにリンクプロトコル及び制御機能用に要求される付加的なオーバーヘッドビットのため、実際のオムニポイントＴＤＭＡバーストレートは７８１．２５Ｋｂｐｓである。しかしながら、３２ａｒｙ符号化方法の使用にて、ＴＤＭＡバーストシンボルレートはほんの１５６．２５Ｋｂｐｓである。５ＭｃｐｓＤＳＳＳチップレートにて、バーストシンボル当たり３２チップ、及びバーストビット当たり６．４チップが存在する。これはほぼ８ｄＢのＤＳＳＳ処理利得を提供する。
【０５１６】
２．６．４  タイムスロットの可変数／ユーザー．
セル内でユーザーの一人に、より多くのタイムスロットを割り当てることで、そのユーザーは、例えば４つのタイムスロットを使用することで高データレートにて通信可能であり、上記ユーザー端末は、一つのタイムスロットについて８Ｋｂｐｓに対して３２Ｋｂｐｓデータレートにて動作可能である。基地局は、そのセル内ですべての移動体へ放送モードにおいて、５１２Ｋｂｐｓのデータレートにて送信可能である。
【０５１７】
２．６．５  ＴＤＤの将来．
時分割二重（ＴＤＤ）の使用は、アンテナダイプレクサの必要がなく、共通アンテナが基地局及び移動局の両方にて送信及び受信機能に使用できるようにする。これは、ＴＤＤが送信及び受信機能に関して同一のＲＦ周波数を使用するからであり、又、それらの機能が各端末にて時間的に分離されているからである。ＢＳ及びＭＳ端末設計の容易さに加えて、基地局及びハンドセットにて送信及び受信機能の両方用のアンテナと、同一のＲＦ周波数との使用は、ＢＳ及びＭＳ端末間で相互の伝送路を提供する。このことは、オムニポイントに、ＢＳとＭＳとの間の２方向路損失を決定するためにＭＳにより送信されるチャンネルサウンドＰＣＰを使用させ、又、ＭＳからの受信及びハンドセットへの送信の両者に使用するため、ＢＳにて、空間ダイバーシティーアンテナのいずれかを決定させる。
【０５１８】
又、ＴＤＤは、オムニポイントに、高利得を必要とするそれらの発展されたアプリケーションのために、基地局にて単一のステアード（所定の方向に向けられた）フェーズドアレイ（steered phased array）アンテナ、高指向性アンテナを使用させる。それゆえに、ＴＤＤは、セル内で各移動ユーザー用に同時に存するステアードビームを必要とするであろう簡易なＣＤＭＡ、又はＦＤＭＡ ＰＣＳシステムよりも、より簡単でかつよりコスト効率のよい設計を提供する。
【０５１９】
２．６．６  システム時間及び周波数同期特性．
２．６．６．１  基地局及び基地局−基地局同期．
基地局は、そのセル又はセクタに関し基本的なＴＤＭＡループタイミング構造を提供する。ＰＣＳシステムのスループット容量を最大にするため、同一の地理的範囲内のすべての基地局用のＴＤＭＡフレームタイムは、６μｓ内で送信を開始するように同期されなければならない。オムニポイントは、ＴＤＭＡフレームタイミング用の第１の基準タイミングマーカーを発生するために基地局コントローラ（及びオプションでＢＳにて）にてＧＰＳ受信機を使用する。このマーカーは、基地局コントローラにて２ずつ（every second）捕獲され、付加された基地局までバックホール回線（back haul lines）へ送信される。一定の複数セルＰＣＳ展開（deployment）内の基地局のこの同期は、基地局コントローラが、隣接するセルと干渉の可能性がある所定のセルのいずれのＴＤＭＡタイムスロットをも一時的にオフ状態とすることを許容し、又、タイムスロットインターチェンジ（ＴＳＩ）を容易にする。即ち、もし現在のタイムスロットが同一のタイムスロットを使用する隣接のセルと干渉する場合、ＭＳを異なるタイムスロットに切り替える。
【０５２０】
２．６．６．２  基地局−ネットワーク同期．
Ｔ１、ＩＳＤＮ ＢＲＩ又はＰＲＩのようなデジタルネットワーク逆送システムにおける、基本のデータタイミング標準は、ＰＳＴＮタイミング標準である。データ列のオーバーランやアンダーランを抑えるため、基地局コントローラ及びその基地局は、ＰＳＴＮタイミング標準に同期される。
【０５２１】
２．６．６．３  基地局−移動局同期．
同期プリアンブルは、基地局及び移動局の両方によって各ＴＤＭＡタイムスロットの初期にて送信される。上記プリアンブルはＭＳにてＰＣＰ内に含まれ、又、４８ＰＮチップシーケンスを含む。このプリアンブルがデジタル相関器（整合フィルタ（matched filter））によってＭＳにて受信されたとき、上記デジタル相関器は、持続時間（４００ナノ秒）においてほんの２チップであり、３２Ａｒｙシンボル検出プロセスの開始を同期するのに使用される三角形の同期パルスを出力する。基地局にて、送信された同期プリアンブルは、そのパワーコントロールコマンド（ＰＣＣ）パルス内に含まれ、そして持続時間にて４８チップである。上記ＭＳは、その３２Ａｒｙシンボルデコーダを同期するため、同一方法にて、受信された同期プリアンブルを使用する。基地局にて受信された移動局からの複数のプリアンブル同期パルス（ＰＣＰｓ）は、次のタイムスロットの間、その移動局での送信及び受信のために使用する空間ダイバシティーアンテナのどれかを決定するのにも使用される。
【０５２２】
非コヒーレント検出は、ＢＳ及びＭＳ受信機にて使用されるので、それらは位相ロック（phase-locked）されるべきでない。しかしながら、ＢＳ及びＭＳの送信及び受信ローカル発信器の周波数は、受信機の動作を大きく劣化させないように動作温度範囲にわたり±１１パート・パー・ミリオン（ｐｐｍ）内に制御されねばならない。上記ＭＳ周波数の安定性は、±１０ｐｐｍ以下にて変化することで許され、ＢＳ安定性の要求は、±１ｐｐｍにてより厳しい値である。
【０５２３】
２．６．７  移動アクセス／リンクセットアップ．
２．６．７．１  ポーリングループ説明．
ポーリングループは、図１４に示すように、３２二重時分割（ＴＤＤ）スロットを備える。各タイムスロットは、２つの部分、ＢＳからＭＳへの送信間隔及びＭＳからＢＳへの間隔に分割され、そして６４時分割多重アクセス（ＴＤＭＡ）タイムスロットとして構築される。二重化は、各ＴＤＭＡタイムスロット対を時分割二重化することでなされる。複数スロットは符番されず、又、ポーリングループに関連するインデックスはない。スロット同期は、タイミングによって単独になされる。ＴＤＤスロットの第１部分は、基地局（ＢＳ）から移動局（ＭＳ）への送信フレームであり、ＴＤＤスロットの第２部分は、ＭＳからＢＳへの送信フレームである。ＢＳは、ＢＳとＭＳとの間のすべての処理を始める。一般ポーリングフレームは、ＭＳがＢＳへの接続を捕らえる方法についてである。ＭＳによって捕らえられないどんなタイムスロットも、ＢＳからＭＳ部において、一般ポーリングコマンドを含む。スロットを捕らえるため、ＭＳは一般ポーリング応答とともに一般ポーリング応答に応答する。一般ポーリング応答を受信したとき、ＢＳは特別なポーリング応答を送る。図１４を参照。以下の信号データ交換で、ＢＳ及びＭＳはベアラ（bearer）トラヒック交換を開始する。
【０５２４】
２．６．７．１．１  ポーリングループ設計  オムニポイント２Ｔ．Ｘ版
２０ｍｓループタイムは、基地局ＲＦチャンネル当たり合計６４ ８Ｋｂｐｓの単信式タイムスロットユーザー用のオムニポイント２Ｔ．Ｘ版システム、又は３２ ８Ｋｂｐｓの全二重式標準音声モードユーザーにて使用される。図１４は、ループ設計を示している。
【０５２５】
オムニポイントシステムは、セル内で基地局とハンドセットとの間を通信するのに使用可能である２つのタイプのポーリングをサポートする。それらは以下のものを備える。
【０５２６】
一般ポーリング：一般ポーリングは、利用可能な無線区間スロットを捕らえる目的のためにどのハンドセットにも基地局と通信させ、又はハンドオフプロセスの開始前の基地局について情報を提供させるため、基地局によって使用される。
【０５２７】
特別ポーリング：特別ポーリングは、特別ハンドセットから応答を求めるため基地局にて使用される。このタイプのポーリングは、特別ハンドセットと通信を見出し、及び／又は開始するため、基地局により使用される。
【０５２８】
ポーリングは、そのセルの適用範囲内にあるすべてのハンドセットと通信を確立し維持するため基地局にて使用される。
【０５２９】
２．６．７．２  一般ポーリング．
一般ポーリングは、現在使用されていないスロットにてＢＳから送られたコマンドである。ＢＳパワーアップにて、３２ＢＳ送信スロットのすべては一般ポーリングを含む。一般ポーリングは、タイムスロットを捕らえるためにいずれのＭＳに関しても誘引である。ＢＳソフトウエアの視点から、一般ポーリングを規定する送信フレームヘッダー内の情報は、これがポーリングタイプフレームであることを表すビットであり、ＢＳがこのフレームの起点であることを表すビットであり、これが一般ポーリングであることを表すコマンドビットであり、及び上記フレームのデータ部分における基本ＩＤである。ＭＳがタイムスロットの捕獲を望むとき、それは利用可能なタイムスロットにて一般ポーリングを受信し、タイムスロットのＭＳからＢＳへの部分にて、一般ポーリング応答にて応答する。ＢＳソフトウエアの視点から、一般ポーリング応答ヘッダー内の情報は、これがポーリングタイプフレームであることを表すビットであり、セットされた無送信エラービットであり、及び上記フレームのデータ部分内のＭＳＩＤ（ＰＩＤ）である。一般ポーリング応答を受信したとき、ＢＳは特別ポーリングをＭＳに送信する。もし１を越えるＭＳが特別タイムスロットにて一般ポーリングに応答するならば、ＢＳからの不一致及び連続する無応答は、一般ポーリング及び一般応答を介してタイムスロットを捕らえることを試みる前に、計算された時間間隔の間、複雑なＭＳ（involved MS's）を後退させる（back-off）であろう。この後退アルゴリズムは、ＭＳ ＩＤを使用し、それゆえに各ＭＳは異なる時間長さにて後退する。
【０５３０】
２．６．７．３  特別ポーリング．
特別ポーリングは、特別なＭＳからの一般ポーリング応答に応答して、ＢＳからＭＳへ送られたコマンドである。図１４参照。一般ポーリング応答は、ＭＳのＰＩＤを含む。ＢＳソフトウエアの視点から、特別ポーリングを規定する送信フレームヘッダーにおける情報は、ＢＳがこのフレームの開始者であることを表すビットであり、これが特別ポーリングであることを表すコマンドビットであり、及び上記フレームのデータ部分におけるＭＳ ＰＩＤである。このＰＩＤは、開始ＭＳのみが上記特別ポーリングを受信するように、特別ポーリングコマンド部分として発せられる。特別ポーリングを受信したとき、上記タイムスロットのＭＳからＢＳへの送信においてＭＳは特別ポーリング応答に応答するであろう。ＢＳソフトウエアの視点から、特別ポーリング応答ヘッダー内の情報は、これがポーリングタイプフレームであることを表すビットであり、セットされた無送信エラービットであり、及び特別ポーリングにて送出されたＰＩＤに一致するフレームのデータ部分内のＭＳ ＩＳ（ＰＩＤ）である。ＢＳが特別ポーリング応答を受信したとき、それはＭＳとともにベアラトラヒック交換を直接に導く信号トラヒック交換を遂行する。
【０５３１】
２．６．７．１．２．
チャンネル捕捉は、ハンドセットがベーススロットにアクセスする必要があるとき、又はハンドセットがベーススロットに再同期する必要があるときはいつでも発生する。チャンネル捕捉の間、ハンドセットは、可能性のある周波数からいずれのタイムスロット上でも一般の信号方式ポーリングを聞くことにより、そのほぼ近隣にて利用可能な基地局を探し始める。基地が十分な信号強度及び適切な利用可能な負荷にて配置されさえすれば、ハンドセットは、基地局の一般ポーリングに応答して無線区間スロットを即座に捕らえ、ハンドセットは基地にＩＤとユーザー情報とを提供する。そして基地局は、通信を開始するため、そのハンドセットへ特別ポーリングを送信する。この点で、そのタイムスロットは、共通のシグナリング（signaling）モードの存在から取り除かれ、ハンドセット及び基地局はトラヒックモードへ移行する準備ができ、そのタイムスロットで通信が開始される。タイムスロットの捕捉の間、不一致（collisions）はバックオフ処置のような８０２．３によって解決される。
【０５３２】
オムニポイントシステムにおけるトラヒックモードは、サービスが維持されるために無線区間スロット資源の適切な割り当てにて基地局及びハンドセットが送信路を確立した後、発生する。トラヒックモードにおいて、通信の２つの基本的なタイプは維持可能である。それらは以下のものを含んでいる。
【０５３３】
普通の又はベアラトラヒック：ベアラトラヒックは、音声リンク又はデジタル情報のいくつかの他の形態のいずれかの無線リンクによって搬送される実際の情報からなる。オムニポイントは、各方向にてフレーム当たり１２８ビット（全二重線式フレーム当たり２５６ビット）のベアラチャンネルを維持する。
【０５３４】
コントロールトラヒック：コントロールトラヒックは、リンク特別データ通信又は呼コントロール情報を備える。
【０５３５】
非常に希な例において、異なるセルにて同一のタイムスロットで同一の周波数の２つのユーザーが、空間の及びコードの分離がビットエラーを防止するのに不十分でありよって上記ユーザーが彼らの無線接続の劣化を経験し始めるという伝送特性に遭遇するかもしれない。そのような場合、オムニポイントシステムは、上記２つのユーザー間の衝突を排除するため、一つ若しくは両方の衝突したハンドセットにその基地局内で異なるタイムスロットを割り当てるタイムスロット交換（ＴＳＩ）の動作を行う。これは、ダイナミックチャンネル配分に対応する時間領域であり、上記システムは、空のタイムスロットをハンドセットへ割り当てるか、又は地理的に干渉から取り除かれる、同一セル内の別のユーザーのハンドセットのタイムスロットに切り替える。その趣旨は、位置特定Ｃ／Ｉ比が悪いため干渉を経験したユーザーへの干渉の除去である。
【０５３６】
２．６．７．４  ベアラトラヒック交換．
ＭＳがタイムスロットを割り当てられ、確実なもの（Ｄチャンネルデータ）となれば、ＭＳとＢＳ間の交換はベアラトラヒック交換（Ｂチャンネルデータ）へ導く。ベアラトラヒックは、音声、エラーコントロールされたデータ、又はエラーコントロールされていない（生）データであることができる。ＢＳソフトウエアの視点から、ベアラトラヒックヘッダー内の情報は、これがポーリングタイプフレームであることを表すビットの不存在であり、セットされた無送信エラービットであり、及び信号方式データを表す無ビットである。各ＴＤＤスロットは、ＢＳからＭＳ方向へ与えられた大多数のスロットタイムにて、ＭＳからＢＳ方向へ与えられた大多数のスロットタイムにて、又はＢＳ、ＭＳの両方に５０％の時間を与える相称的な割り当てにて形成可能である。典型的な音声トラヒックは、リンクのいずれか一端が音声トラヒックを送ることができるように、ベアラチャンネルを相称的に使用する。データ交換において、典型的に多くのデータが一方向に送られ他方には余り送られない。例えば、ファックスデータがＭＳへ送られたならば、高データレートがＢＳからＭＳ方向へ有利となるであろう。この場合、ＴＤＤスロットタイムの大多数は、ＭＳからＢＳへのリンクへ与えられる。特別なＢＳからＭＳ、及び／又はＭＳからＢＳは、単一のポーリングループ内で多重スロットに割り当て可能である。これは、２ごと（every second）、又は４ごと（every fourth）のポーリングループにベアラチャンネルデータを劇的に増加させ、データレートはカットされる。この技術は、遠隔測定工学データ装置、ファックス及びビデオのコントロールバックチャンネル等に有益である。
【０５３７】
２．７  パワーコントロール方法．
時分割多重アクセス（ＴＤＭＡ）のオムニポイント方法は、ＣＤＭＡ ＰＣＳシステムで起こる「近−遠（near-far）」問題を解決するために必要な送信機のＲＦパワー出力の精密なコントロールを必要としないけれども、ＰＣＳ２０００は、送信されたＲＦパワーレベルをコントロールする特許の方法を使用する。これは、移動局のバッテリー消費を減じること、及び同一の若しくは隣接のＲＦチャンネルで動作可能である他のセルへの干渉を最小化することでなされる。十分なＭＳ−ＢＳリンク品質に要求される最小値にてＭＳ送信機のパワーを維持することにより、近くのＯＦＳユーザーとの干渉が最小化される。
【０５３８】
２．７．１  基地局パワー出力のコントロール．
基地局は、そのセル内で６４の移動局までと通信可能であり、ＢＳからのその各距離はほぼ０からセルの半径まで変化可能であるので、各タイムスロットの間、各ＭＳで受信されるパワーレベルをほぼ一定に維持するために、ＢＳ送信パワーをコントロールすることは実際的ではない。これは、ＴＤＭＡフレームの各タイムスロット（６２５μｓ）の間、ＢＳ送信パワーにおいて大きな変化（＞４０ｄＢ）を要求するであろう。オムニポイントは、長い時間間隔に渡り平均化された、ＢＳパワーコントロールを提供し、セルとセル、及びセルとＯＦＳの干渉を最小にするため、スロットずつ（slot-by-slot）を基礎としたＢＳパワーコントロールを利用することの代わりとなるものを調査する。
【０５３９】
２．７．２  移動局パワー出力のコントロール．
ＰＣＳセルの近くにおけるＲＦチャンネルの再使用、ＯＦＳユーザーとの干渉の減少、及び手に持つ装置（handheld unit）におけるバッテリーパワーの保存を可能にするため、オムニポイントは適切なパワーコントロールパルス(ＰＣＰ)を使用する各ＰＣＳセル内で移動局送信機の適応性のあるパワーコントロールを提供する。２Ｔ．Ｘ版において、上記ＰＣＰは、ＢＳがそのＭＳへＭＳの関連するＴＤＤタイムスロットにて送信を行う直前に、その割り当てられたＴＤＭＡタイムスロットにてＭＳによって送信される。このＰＣＰは、ＭＳ−ＢＳ路の送信損失の測定及びリンク品質をＢＳへ提供し、かつＢＳからＭＳへ送信されるパワーコントロールコマンド（ＰＣＣ）用の基礎として利用できる。ＰＣＣは、ＢＳによって受信されたＰＣＰの品質が受け入れ可能なしきい値以上となるまで、ＭＳに対して、３ｄＢの最小ステップにおいてＭＳの出力パワーを変化させる。ＭＳの送信されたパワーをコントロールするという簡単な方法は、セル内干渉の強度、及びＯＦＳユーザーの受信機との干渉の強度を最小化する。
【０５４０】
いくつかのＴＤＭＡシステムでは、ポーリングループ信号の待ち時間は、閉じられたループパワーコントロールの使用を抑える。しかしながら、オムニポイントの２Ｔ．Ｘ版のＴＤＤ／ＴＤＭＡ設計アプローチでは、ＰＣＰの送信のために過ぎ去った時間、ＢＳからＰＣＣへのＭＳによる応答、及び次のＭＳベアラ送信バーストは、５００μｓ未満、フレーム時間の２．５％未満である。その速い応答時間のため、オムニポイントのパワーコントロールアルゴリズムは、小規模の多重路が失われさえぎられることにより、信号変化よりも速く動作し、それらの影響により引き起こされる動作劣化を軽減するように援助する。
【０５４１】
又、ＢＳは、そのセル内で各ＭＳへの伝達時間を測定するためのＰＣＰ情報を使用することができる。これは、ＢＳから各ＭＳへの範囲の見積りを提供する。９１１個のサポート（９１１support)に関し、もしＰＣＳサービスのオペレータが必要なソフトウエアに投資するならば、ハンドセットは、緊急状態における不便な場所（rough location）のために多重ＢＳへＰＣＰ信号を提供することができるであろう。
【０５４２】
２．８  デジタル化された音声及びデータ信号．
２．８．１  デジタル化された音声信号構造．
２．８．１．１  音声符号化アルゴリズム．
概要．
ここで特定される音声符号化器は、選択可能なチャンネル容量又は音声品質を許容するため、切替え可能なレート（８Ｋｂｐｓ，１６Ｋｂｐｓ，２４Ｋｂｐｓ，３２Ｋ，４０Ｋｂｐｓ，６４Ｋｂｐｓ）音声圧縮を提供するオムニポイントＰＣＳシステムを支援する。上記音声符号化器は、ＤＳＰチップ又は同等のデバイス上で実行される。初期の実施において、上記アルゴリズムは２４ビットの固定小数点ＤＳＰ上で実行されるであろう。
【０５４３】
初期の実施において、図１５のシステム図は、オムニポイントの空間チャンネルの両端に適用する。この場合、移動局（ＭＳ）及び基地局（ＢＳ）の両方は、同一のＤＳＰアルゴリズム及びインタフェースを利用するであろう。次の実施例では、ＢＳ及びＭＳのアーキテクチャーは、図１５に示されるものから変化するであろう。将来の実施を参考として、必要条件はこの明細書のあらゆる部分で作られ、上記音声符号化器の設計はそれらの将来の実施の選択を支援するのに十分柔軟でなければならない。
【０５４４】
参考文献．
ＣＣＩＴＴ Ｇ．７１１  音声周波数のパルスコード変調（ＰＣＭ）
ＣＣＩＴＴ Ｇ．７２６  デジタル送信システムの一般アスペクト；端末装置−４０，３２，２４，１６Ｋビット／ｓ  適応性のある微分パルスコード変調（ＡＤＰＣＭ）
ＥＩＡ／ＩＳ−１９    ８００ＭＨｚセルラー加入者ユニット用の推薦された最小スタンダード、１０節、ＤＴＭＦ送信
【０５４５】
機能の説明．
圧縮モード．
音声符号化器はホストコマンドを介して選択可能な４つの圧縮モードを有するべきである。
【０５４６】
１）  パーソナル通信システム  ＣＥＬＰ（ＰＣＳ ＣＥＬＰ）−８Ｋｂｐｓ
２）  ＡＤＰＣＭ（ＣＣＩＴＴ Ｇ．７２６）−３２Ｋｂｐｓ，２４Ｋｂｐｓ及び１６Ｋｂｐｓ
３）  ＡＤＰＣＭ（ＣＣＩＴＴ Ｇ．７２６）−４０Ｋｂｐｓ
４）  μローＰＣＭ（ＣＣＩＴＴ Ｇ．７１１）−６４Ｋｂｐｓ（通過）
【０５４７】
音声復号化器は、スペクトル拡散モデムチップからフォーマットされ同期されたデータフレームを受信し、ＰＣＳ ＣＥＬＰアルゴリズム、ＡＤＰＣＭ（Ｇ．７２６）アルゴリズム、又はＰＣＭ通過アルゴリズムのいずれかを使用するＣＯＤＥＣへ６４ＫｂｐｓのＰＣＭ音声データを発生するであろう。音声符号化器は、ＣＯＤＥＣから６４ＫｂｐｓのＰＣＭデータを受信し、ホストコントローラ（６４ＫｂｐｓＰＣＭ，３２／２４／１６Ｋｂｐｓ、又は４０ＫｂｐｓＡＤＰＣＭ、又はＰＣＳ ＣＥＬＰ）により選択されたアルゴリズムを使用してこのＰＣＭ送信を圧縮する。同一の圧縮モードがエンコード及びデコードの両動作で使用されるであろう。音声符号化器を通過した、及び音声符号化器から受信されたデータは、スペクトル拡散モデムから提供されたタイミング信号にて同期され、この明細書にて規定されるフレーム構造に一致するであろう。外部のコントロール入力は、許容できない高エラーレートで、劣化したチャンネル状態（即ち、遮断（切断）又はハンドオフ状態）の期間、音声出力のミュート又は柔らかい衰退（内挿又は補間）を行う実施へ上記音声符号化器を指図するために供給されるであろう。状況出力（status output）は、音声符号化器の動作及びＦＥＣエラーカウント（要求があれば）を表すように設けられるであろう。
【０５４８】
付加的な能力．
上記音声符号化器における付加的な能力は以下のものを含む。それらの能力は、器具の提供より前の要求にて、表に挙げられている。
【０５４９】
ａ）エラーがあるときに、音響の優雅な劣化を提供するための内挿及びミュート機能
ｂ）ＰＣＳ ＣＥＬＰモードにおいて動作するとき、通信リンクを横切る信頼できる音声通信を支援するためのエラー訂正符号化（もし要求されるならば）
ｃ）近端エコーキャンセル    短路（short path）エコーキャンセラーは、近端エコーの影響を最小化するためにすべての圧縮モードに組み込まれるであろう。
ｄ）ＤＴＭＦトーン発生及び検出
ｅ）ホストコントロール下での受信、送信、及び側音ループ音声路用のプログラム可能なレベル設定
ｆ）保留の際の音楽（music on hold)の適当な再生成の提供
ｇ）音声機能検出／苦痛のないノイズ発生
ｈ）トーン検出を不能にするエコーサプレッサ（ファックス及びデータモデム用）
ｉ）音声暗号化／非暗号化
【０５５０】
注：これらの付加的な能力は、ＢＳ性符号化器、ＭＳ音声符号化器又はこれらの両方にて要求可能である。
【０５５１】
初期の実施において、ＰＣＳ ＣＥＬＰアルゴリズムは、利用可能な８Ｋｂｐｓの帯域幅の７．２Ｋｂｐｓのみを使用する。残りのフレーム当たり１６ビットは、将来の使用のために蓄えられる。これらのビットは、以下のために現在蓄えられる。
【０５５２】
１）音声／ピッチ増強（pitch enhancement)
２）フォーワード  エラー  訂正（forward error correction）
３）帯域内信号方式／ＤＴＭＦ
４）帯域内音声活動検出（in-band voice activity detect)（ＶＡＤ）
５）保留時の音楽（music on hold）
【０５５３】
内挿又は補間機能．
いずれの圧縮モードで動作しているときでも、音声符号化器は、エラーの影響を和らげるために内挿機能を設けるべきである。「内挿」コントロールレジスタ（register）ビットは、スペクトル拡散モデムによって音声データの先のフレームがエラーにて受信されたことを音声符号化器に知らせるであろう。上記音声符号化器は、上記モデムから受信したデータの代わりにＣＯＤＥＣへその予言された音声パターンを出力するであろう。上記音声符号化器は、連続した４つの不良フレーム（即ち、「内挿」ビットセット）まで受信可能とすべきであり、それぞれの連続したエラーに関して予言されたその音声パターンのますます弱められたパターンを出力するであろう。不良フレームの連続数が４のしきい値を越えるとき、音声符号化器は、ＣＯＤＥＣへのその出力を無音とすべきである。コントロールレジスタにて明確にされた「内挿」ビットにより表される、単一の良好フレームの受け入れは、直ちに音声符号化器を内挿モード（内挿機能により生成されるミュート状態を含む）外へリセットすべきであり、音声の良好フレームはデコードされ、ＣＯＤＥＣに送られる。デコードされたデータのみがこのモードにより影響される。エンコードされたデータは、ＤＳＰのモデム側へ中断されずに送られ続けるであろう。
【０５５４】
ミュート機能．
その内挿モードのいずれにおける動作のときも、音声符号化器は、音声データがスペクトル拡散モデムによって伝達されないとき無言を発生するためにミュート機能を設けるべきである。ミュートコントロールレジスタビットは、上記モデムから受信したデータの代わりにＣＯＤＥＣへ音声符号化器に無音声を出力させる。上記コントロールレジスタにてクリアされたミュートビットによって表される単一の音声フレームの受信は、直ちにミュートモード外へ音声符号化器をリセットし、音声フレームがデコードされＣＯＤＥＣへ送られる。デコードされたデータのみがこのモードによって影響を受ける。エンコードされたデータはＤＳＰのモデム側へ中断されずに送られ続けるであろう。
【０５５５】
エコーキャンセル．
エコーキャンセル動作の詳細は、以後に説明するであろう。
【０５５６】
ＤＴＭＦトーン生成及び検出．
音声符号化器は、ＥＩＡ／ＩＳ−１９にて規定されるような１２ＤＴＭＦ信号を含む使用可能な３１のトーンまでを生成し検出する能力を設けるべきである。生成されるべきトーン用の他の候補は、１ＫＨｚテストトーン、即ち、発信音、通話中音、及び呼出音を含む。低レベルＤＴＭＦ信号は、ＣＯＤＥＣインタフェースを介して側音として送られるであろう。ＤＴＭＦ信号は信号化され、モデムインタフェースを介して帯域内で送信される必要があろう。
【０５５７】
プログラム可能なレベルコントロール．
図１６は、上記音声符号化器を通過する音声パスの大まかなブロック図を示し、プログラム可能なレベルコントロールが要求されるところを表している。上記側音路は、ＣＯＤＥＣからＣＯＤＥＣへ戻るようにＰＣＭデータをループする。送信路は、エンコードされスペクトル拡散モデムへ出力されるＰＣＭデータからなる。受信路は、エンコードされＣＯＤＥＣへＰＣＭデータとして出力する上記スペクトル拡散モデムからの符号化されたデータからなる。受信レベルコントロールは、又、ＣＯＤＥＣへ送られるＤＴＭＦトーンのレベルをコントロールする。適切なレベル設定は、コントロールレジスタを介してモデム又はホストマイクロコントローラから音声符号化器へ入力されるであろう。
【０５５８】
音声活動検出／快感（苦痛のない）ノイズ生成．
ＶＡＤ及び苦痛のないノイズ生成の詳細は、次の提案にて提供されるであろう。
【０５５９】
トーン検出を無能化するエコーサプレッサ．
トーン検出を無能化するエコーサプレッサの詳細は、次の提案にて提供されるであろう。
【０５６０】
音声暗号化復号化（decryption)．
音声暗号化／復号化の詳細は、次の提案にて提供されるであろう。
【０５６１】
インタフェース要求．
モデムインタフェース．
物理的なインタフェース及びタイミング．
音声符号化器とスペクトル拡散モデムとの間のインタフェースは、同期した双方向のシリアルデータ伝送に基づかれる。データ伝送は、モデムから受信されるタイミング信号により同期される。圧縮音声は、動作モード（ＰＣＳ ＣＥＬＰ，３２／２４／１６Ｋｂｐｓ又は４０ＫｂｐｓＡＤＰＣＭ，又はＰＣＭのそれぞれ）に依存する、８Ｋｂｐｓ，１６Ｋｂｐｓ，２４Ｋｂｐｓ，３２Ｋｂｐｓ，４０Ｋｂｐｓ，６４Ｋｂｐｓのレートにてクロック同期化され、又はクロック同期が外される。ＤＳＰフレームサイズは、オムニポイントシステムのＰＣＳスーパーフレーム（superframe）サイズに一致するように２０ｍｓであるべきである。データレートは、各２０ｍｓ期間にわたり保証される（例えば、ＰＣＳ ＣＥＬＰに関し、ＤＳＰは受信され、２０ｍｓごとの圧縮された音声の２０バイトを送信する。尚、３２ＫｂｐｓＡＤＰＣＭでは８０バイト，４０Ｋｂｐｓでは１００バイト，及びＰＣＭでは１６０バイトである。）。２０ｍｓフレーム以内で、データは、それがモデムにより送信、受信されるようにパケットにてＤＳＰへ及びＤＳＰから伝送される。各パケットは、１２バイト（変化を受けやすい）のコントロール／状況情報により従う２０バイトの音声（音声フレームとも呼ばれる）からなるであろう。受信方向における音声の１２バイトは、モデムからの情報をコントロールする。送信方向における音声の１２バイトは、ＤＳＰからの状況情報である。
【０５６２】
付加的なＳＹＮＣ信号は、モデムが同期状態にあることを表すため、新しいフレームの第１の有効なデータビットを表すため、及び音声符号化器のバッファポインタをそのバッファの初期にリセットするため、モデムによって音声符号化器へ送られる。
【０５６３】
音声符号化器とスペクトル拡散モデムとの間のインタフェースは、以下の信号を含む。
【０５６４】
ＴＸＤ：シリアル送信データ出力、ＣＬＫ信号の立上りエッジにて計時される、
ＲＸＤ：シリアル受信データ入力、ＣＬＫ信号の立下りエッジてサンプリングされる、
ＣＬＫ：受信及び送信の両データに使用される単一のクロック入力信号、上記クロックは、圧縮された音声及びコントロール／状況の２０＋１２バイトのパケットを送ることを要求されるようにモデムによりオン，オフのゲート操作をする。クロックレートは、２．０ＭＨｚ（公称）である。初期の実施では、クロックレートは、２．０４８ＭＨｚである。このクロックレートの変化は、ＤＳＰアルゴリズム動作に影響しない。内部の割り込みは、ＤＳＰに、ちょうど受信されたデータのバイトを読ませ、送信される次のバイトを送信シフトレジスタにロードさせるデータの各バイト（８ＣＬＫの移動）の後に発生すべきである。
ＳＹＮＣ：モデムが同期したことを表すためモデムから受信された入力信号、ＳＹＮＣ信号は、又、データの新しいフレームの最初を表す。ＳＹＮＣは、継続期間におけるＣＬＫの一つの期間であるアクティブなハイパルスである。モデムが同期され音声データを伝送しているとき、ＳＹＮＣのレートは、５０Ｈｚである（２０ｍｓ毎に）。ＳＹＮＣは、ＤＳＰの遮断に感度のよい外部の端部に接続される。ＳＹＮＣにおける負の遷移は、音声符号化器に対して、そのバッファポインタをそのバッファの初期へリセットさせる。
【０５６５】
注：初期の実施において、モデムインタフェースは、今記述したシリアルインタフェースを利用する。次の実施例では、エンコードされた音声及びコントロール／状況の情報は、パラレルなホストインタフェースポートを介してホストマイクロコントローラにて送信、受信されるであろう。どちらの場合においても、コントロール／状況の情報と同様の圧縮された音声は、単一のインタフェースを越えて送られるであろう。
【０５６６】
プロトコール（プロトコル）とデータ定義．
各２０ミリ秒フレームは、利用する圧縮モードに応じて１、５ないし８パケット（圧縮音声に２０バイトと制御・ステータスに１２バイト）で構成される。場合によっては、全ての２０ミリ秒フレームよりはむしろ、パケットにおける先行２０バイトの圧縮音声に制御機能（即ち、ミュートと補間）を宛う。尚、初期実行時では２４Kbpsと１６Kbps ADPCMをサポートしているが、最終実行にではオプションとなっている。
【０５６７】
音声符号化器(speech coder)により６つの異なったデータフレーミング構造、即ち、PCMパススルーに一つ、ADPCM圧縮に四つ、PCS CELPに一つがサポートされており、音声ビットストリームはCCITT G.711規定のと同一である。ADPCMの場合では、音声ビットストリームはCCITT G.276規定のと同一である。PCS CELP圧縮の場合では、音声ストリームに、上位ビットがエラー訂正コード（必要であれば）で保護された状態でCELPパラメーターに含まれている。PCSスーパーフレーム当たりの音声フレームの数は各圧縮モードごとに下記のように定められている。
【０５６８】
ａ．ＰＣＳ ＣＥＬＰ．
PCS CELPフレームは１６０ビットで、２０ミリ秒の音声を搬送する。フレームサイズは、スペクトル拡散モデム(Spread Spectrum Modem)びTDMAスロットサイズの６２５ミリ秒に対応する。各PCSスーパーフレームには、リンク毎に２音声フレーム（一つは送信用、もう一つはVADがない場合での受信用）が含まれている。
【０５６９】
ｂ．３２Kbps ＡＤＰＣＭ．
フレーム構造とデータのフォーマット化については、CCITT G.726規定の仕様に従うものとする。このフレームにはエラー訂正ビットは含ませない。ADPCMフレームサイズは１２５マイクロ秒（８ＫＨｚ）とし、各フレームでのビット総数は４とする。スペクトル拡散モデムのフレームサイズ（TDEMAスロットサイズ）は１６０ビットとする。各PCSスーパーフレーム（２０ミリ秒）には、リンク毎に８個（４個は送信用、残りの４個はVADがない場合での受信用）の１６０ビット音声フレームが含まれている。
【０５７０】
ｃ．４０Kbps ＡＤＰＣＭ．
フレーム構造とデータのフォーマット化については、CCIT G.726規定の仕様に従うものとする。このフレームにはエラー訂正ビットは含ませない。ADPCMフレームサイズは１２５マイクロ秒（８ＫＨｚ）とし、各フレームでのビット総数は５とする。スペクトル拡散モデムのフレームサイズ（TDEMAスロットサイズ）は１６０ビットとする。各PCSスーパーフレーム（２０ミリ秒）には、リンク毎に１０個（５個は送信用、残りの５個はVADがない場合での受信用）の１６０ビット音声フレームが含まれている。
【０５７１】
ｄ．６４Kbps ＰＣＭ．
フレーム構造とデータのフォーマット化については、CCIT G.711規定の仕様に従うものとする。このフレームにはエラー訂正ビットは含ませない。ADPCMフレームサイズは１２５マイクロ秒（８ＫＨｚ）とし、各フレームでのビット総数は８とする。スペクトル拡散モデムのフレームサイズ（TDEMAスロットサイズ）は１６０ビットとする。各PCSスーパーフレーム（２０ミリ秒）には、リンク毎に１６個（８個は送信用、残りの８個はVADがない場合での受信用）の１６０ビット音声フレームが含まれている。
【０５７２】
尚、１６Kbpsと２４KbpsADPCMもサポートされているが、初期バージョンではオプションとなっている。
【０５７３】
ＣＯＤＥＣインターフェース．
物理的インターフェースとタイミング．
音声符号化器は、同期双方向シリアルインターフェースを介して標準的なPCM CODEC（ＰＣＭ符号化復号化器）に接続されている。データ伝送は、モデムから受信されるタイミング信号により同期が取られている。送信と受信とに同一クロック及びフレーム同期信号を用いる。フレーム（ワード）レートは、公称８.０ＫＨｚで、６４Kbpsの完全デュプレックスデータレート全体に対して１ワードにつき８ビットとなっている。CODECに伝送する、或いはそこから受信するデータはμ法則より符号化される)。
【０５７４】
CODECインターフェースは下記の信号を含んでおり、また図１５にも示されている。初期実行時にはCODECインターフェースはＤＳＰのＳＳＩポートを利用する。
【０５７５】
ＳＴＤ：SCLK信号の立ち上がりによりクロック同期されるシリアル伝送データ出力
ＳＲＤ：SCLK信号の立ち下がりによりサンプリングされるシリアル受信データ入力
ＳＣＬＫ：データの受信と送信とに用いるクロック入力。クロックレートは２.０メガＨｚ（公称）。初期実行時ではクロックレートは２.０４８メガＨｚとする。このクロックレートが変わっても、ＤＳＰアルゴリズム操作には影響はない。内部割込みは各バイトのデータ（８SCLK経過）後に発生するものとし、これによりＤＳＰが受信直後のデータバイトを読み取り、送信シフトレジスターに次に送信すべきバイトをロードする。
ＦＳ：データの受信と送信とに用いるフレーム同期用パルス入力。FSは、期間がSCLKの一期間であるアクティブなハイパルスとする。FSレートは８.０ＫＨｚ（公称）。８ビットのデータが各FS後に伝送されるものとする。
【０５７６】
CODECインターフェースは、モデムからのSYNC信号により２０ミリ秒間隔で同期される。
【０５７７】
マイクロコントローラーのインターフェース．
初期実行時にあっては、マイクロコントローラーのインターフェースは考えていない。しかし、その後の実行時では、利用するＤＳＰアルゴリズムをロードする（利用している圧縮モードに応じて）ためにマイクロコントローラーを利用することがある。また、シリアルモデムインターフェースに代わるパラレルインターフェースとしてマイクロコントローラーのインターフェースを利用することもあり得る。音声符号化器は、前述したシリアルインターフェースに加わってバイトワイドホストインターフェースを介して圧縮音声と制御・ステータス情報とを伝送し得るものでなければならない。種々のインターフェースオプションの中でも、特定時に利用されるのは一つだけである。
【０５７８】
物理的インターフェースとタイミング．
音声符号化器でのＤＳＰ実行のために、マイクロコントローラーのインターフェースはバイトワイドホストインターフェースポートを利用するものでなければならない。物理的インターフェースとタイミングの詳細なことについては、後ほどに提出する。
【０５７９】
プロトコールとデータ定義．
パラレルホストポートを介してのモデムインターフェース用のデータ定義は、モデムインターフェースの第３.１章と制御／ステータス定義の第３.４章において説明したのと同一である。圧縮音声と制御／ステータス情報とは、シリアルモデムインターフェースにより使われたのと同一のバッファー位置に記憶される。パラレルマイクロコントローラーを介してアルゴリズムをロードすることについては、第３.５章を参照のこと。
【０５８０】
制御／ステータス定義．
制御／ステータスレジスターでの位置．
モデムインターフェースを経由する圧縮音声の隠す音声フレームの後には、データの流れ方向に応じて１２バイトの制御ないしステータス情報が送られる。下記の表は、各パケット内の制御及びステータスレジスターでの相対位置を示している。
【０５８１】
圧縮音声インターフェース（モデムからDSP、即ち、受信音声＋制御）．
バイト0-19  圧縮音声（２０バイト）
バイト20    ミュート／補間制御レジスター        制御レジスター#1
バイト21    圧縮モード制御レジスター            制御レジスター#2
バイト22    トーン検出制御レジスター            制御レジスター#3
バイト23    トーン発生制御レジスター            制御レジスター#4
バイト24    送信／サイドトーンレベル制御レジスター  制御レジスター#5
バイト25    受信レベル制御レジスター            制御レジスター#6
バイト26-29 未使用                              制御レジスター#7-10
バイト30    同期ワード＃１                      制御レジスター#11
バイト31    同期ワード＃２                      制御レジスター#12
【０５８２】
圧縮音声インターフェース（DSPからモデム、即ち、送信音声＋ステータス）．
バイト0-19  圧縮音声（２０バイト）
バイト20    未使用                              制御レジスター#1
バイト21    圧縮モードステータスレジスター      制御レジスター#2
バイト22    トーン検出制御レジスター            制御レジスター#3
バイト23    トーン発生制御レジスター            制御レジスター#4
バイト24    音声検出／FECステータスレジスター   制御レジスター#5
バイト25-29 未使用                              制御レジスター#6-10
バイト30    同期ワード＃１                      制御レジスター#11
バイト31    同期ワード＃２                      制御レジスター#12
【０５８３】
下に示したものは、音声符号化器のために定めた全ての制御及びステータスバイトをビット毎に示した定義である。
【０５８４】
【表２１】
0003746457.tif 000028
【０５８５】
MICミュート：次のフレームから始めてスペクトル拡散モデムへの出力をミュートする。
１ - ミュート
０ - 通常動作
【０５８６】
注：  MICミュートは、エンコード動作のみに影響がある。符号化されたデータは絶え間なくCODECに送り続けられる。
【０５８７】
ミュート：  先行２０バイトの音声のためのCODECへの出力をミュートする。
１ - ミュート
０ - 通常動作
【０５８８】
補間：  デコーダーへの先行２０バイト音声がスペクトル拡散モデムによりエラー状態で受信されたことを示す。補間アルゴリズムはこの音声に適用すべきである。
１ - 先行２０バイト音声について補間
０ - 通常動作
【０５８９】
注：  全ての制御レジスタービットはリセット後、クリアー（ゼロ化）しておかねばならない。
【０５９０】
【表２２】
0003746457.tif 000029
【０５９１】
0003746457.tif 000030
【０５９２】
注：  音声符号化器は常にPCS CELPモードで動作する。
注：  全ての制御レジスタービットはリセット後、クリアー（ゼロ化）しておかねばならない。
注：  １６Kbpsと２４KbpsのADPCMはサポートされているが、上記モード選択時には実行されない。
【０５９３】
【表２３】
0003746457.tif 000031
【０５９４】
DTMF検出制御。現在未使用だが、将来の拡張に保留。
注：全ての制御レジスタービットはリセット後、クリアー（ゼロ化）しておかねばならない。
【０５９５】
【表２４】
0003746457.tif 000032
【０５９６】
DTMF 4-0：  DTMF発生命令。後続フレームから始まる、選ばれたトーン
発生する。
【０５９７】
【表２５】
0003746457.tif 000033
【０５９８】
注：全ての制御レジスタービットはリセット後、クリアー（ゼロ化）しておかねばならない。
【０５９９】
【表２６】
0003746457.tif 000034
【０６００】
TX3-0：  送信レベル制御。スペクトル拡散モデムに送られる符号化データにゲイン設定値を宛う。
００００  ＝    ０dB
０００１  ＝  ＋１dB
００１０  ＝  ＋２dB
００１１  ＝  ＋３dB
０１００  ＝  ＋４dB
０１０１  ＝  ＋５dB
０１１０  ＝  ＋６dB
０１１１  ＝  ＋７dB
１０００ ＝ １１１１ ＝ 未定義
【０６０１】
ST3-0：  サイドトーンレベル制御。CODEC入力からCODEC出力までループされる
６４K PCMデータにゲイン設定値を宛う。
００００  ＝  無限減衰
０００１  ＝  −２１.５dB
００１０  ＝  −１８.０dB
００１１  ＝  −１５.０dB
０１００  ＝  −１３.５dB
０１０１  ＝  −１２.０dB
０１１０  ＝  −１０.５dB
０１１１  ＝    −８.５dB
１０００ ＝ １１１１ ＝ 未定義
【０６０２】
注：  全ての制御レジスタービットはリセット後、クリアー（ゼロ化）しておかねばならない。
【０６０３】
【表２７】
0003746457.tif 000035
【０６０４】
RX7-0：  受信レベル制御。CODECに送信される符号化データにゲイン設定値を宛う。
【０６０５】
【表２８】
0003746457.tif 000036
【０６０６】
注：全ての制御レジスタービットはリセット後、クリアー（ゼロ化）しておかねばならない。
【０６０７】
【表２９】
0003746457.tif 000037
【０６０８】
同期ワード＃１。制御及びステータスデータストリームにおいて同期ワードを用いて、外部SYNC割込みがない場合にシステム実行においてモデム／音声符号化器の同期を取る。音声符号化器により検出される同期ワードレジスターに特定のパターンを割り当てる。同期ワードと外部割込みとは同一機能をなす。同期ワード＃１＝Ｃ３hex
注：  全ての制御レジスタービットはリセット後、クリアー（ゼロ化）しておかねばならない。
【０６０９】
【表３０】
0003746457.tif 000038
【０６１０】
同期ワード＃２。制御及びステータスデータストリームにおいて同期ワードを用いて、外部SYNC割込みがない場合にシステム実行においてモデム／音声符号化器の同期を取る。音声符号化器により検出される同期ワードレジスターに特定のパターンを割り当てる。同期ワードと外部割込みとは同一機能をなす。同期ワード＃２＝Ａ５hex
注：  全ての制御レジスタービットはリセット後、クリアー（ゼロ化）しておかねばならない。
【０６１１】
【表３１】
0003746457.tif 000039
【０６１２】
0003746457.tif 000040
【０６１３】
注：  音声符号化器は常にPCS CELPモードで動作する。
注：  全ての制御レジスタービットはリセット後、クリアー（ゼロ化）しておかねばならない。
注：  １６Kbpsと２４KbpsのADPCMはサポートされているが、上記モード時には実行されない。
【０６１４】
【表３２】
0003746457.tif 000041
【０６１５】
DTMF検出ステータス。現在未使用だが、将来の拡張に保留。
注：  全ての制御レジスタービットはリセット後、クリアー（ゼロ化）しておかねばならない。
【０６１６】
【表３３】
0003746457.tif 000042
【０６１７】
DTMF 4-0：  DTMF発生ステータス。トーン発生命令をエコーする。
【０６１８】
【表３４】
0003746457.tif 000043
【０６１９】
0003746457.tif 000044
【０６２０】
注：  全ての制御レジスタービットはリセット後、クリアー（ゼロ化）しておかねばならない。
【０６２１】
ＤＳＰアルゴリズムのロード．
ＤＳＰは、バイトワイド外部EPROMまたは、バイトワイドホストインターフェースポートを介してホストマイクロコントローラから音声符号化器用アルゴリズムをロードできるものでなければならない。何れにしても、音声変換ソフトウェアには、高速内部及び外部ＲＡＭに適当なアルゴリズムをロードしてそれを実行するブートローダーが含まれているものとする。
【０６２２】
初期実行時では、ＤＳＰは、ＤＳＰの外部メモリーバスに接続したバイトワイドEPROMからロードされる。このことをスタンドアローンモードと言う。その後の実行時では、ＤＳＰアルゴリズムがバイトワイドホストインターフェースを介してホストマイクロコントローラによりロードされる。外部ＲＡＭの要求を緩和するために、選ばれた圧縮モードアルゴリズムと該当する付加機能(applicable additional capabilities)だけをロードすることが考えられる。ＤＳＰは、別の圧縮モードが選択される都度、ホストマイクロコントローラを介して再ロードされる。
【０６２３】
メインクロック．
音声変換装置は最大公称周波数である４０ＭＨｚで稼働するものとする。この動作周波数は、内蔵ＰＬＬの乗算機能を利用してデューティサイクルが５０％である１６ＫＨｚクロックレートの外部信号に基づいてＤＳＰにより発生される。ＤＳＰはこのクロックレートで２０MIPSの最大性能を有するものでなければならない。
【０６２４】
性能上の要件．
PCS CELP音声符号化器
ａ）入力サンプリングレート：８.０ＫＨｚ（公称）
ｂ）入力フレーム長：        ２０ミリ秒
ｃ）出力フレームサイズ：    160ビット圧縮音声＋96ビット制御／ステータス
ｄ）出力フレームレート：    ５０フレーム／秒
ｅ）音声品質：
非常によい  ＠ＢＥＲ＜１０−５
良好        ＠１０−５＜ＢＥＲ＜１０−４
可          ＠１０−４＜ＢＥＲ＜１０−３
ｆ）端末間遅延：            最大８０ミリ秒
ｇ）補間性能：
補間パラメータは大体下記の可聴音劣化レベルとなるように設定する。
１％フレームエラー - 劣化がやっと分かる程度
３％フレームエラー - 劣化がいくらかあるものの、音声品質は可。
１１％フレームエラー - 音声符号化器が完全ミュートを発生する
【０６２５】
ＡＤＰＣＭ音声符号化器．
ADPCM変換性能は、CCITT G.726規定の仕様によるものとする。
アルゴリズムの実行により生ずる最大遅延は、２ミリ秒以下でなければならない。
【０６２６】
エコーキャンセラー．
ａ）キャンセラーのエコーパス：  最大５.５ミリ秒
ｂ）ＥＲＬＥ：                  最小３０dB
ＤＴＭＦ発生
ａ）  公称周波数と周波数安定度については、EIA/IS-19に規定の特定要件に従うものとする。
ｂ）  DTMF信号レベルはＴＢＤ．
ｃ）  DTMFサイドトーンは、受信ゲイン制御設定値で定まるレベルにてフィードバックされる。
ｄ）  DTMF信号の期間はフレーム単位でホストにより制御できる。
【０６２７】
ＤＳＰ帯域幅．
音声符号化器用アルゴリズムは、入手可能なＤＳＰ帯域幅のＴＢＤ（大凡TBD MIPS）を利用するものでなければならない。
【０６２８】
ソフトウェアの特性．
制御／ステータスソフトウェアインターフェース．
モデムからＤＳＰに圧縮音声インターフェースを介して受信されたデータには、音声符号化器への制御情報と共に圧縮音声が含まれている。同様に、ＤＳＰからモデムに送信されるデータには、音声符号化器からのステータス情報と共に圧縮音声が含まれている。
【０６２９】
１２バイトの制御及びステータス情報が、２０バイトの圧縮音声情報毎に送られる。CELPの場合では、２０バイトの圧縮CELPデータ（２０ミリ秒の音声に相当）が「時刻０」に送られ、その後、同じ２０ミリ秒の音声フレームに当てはまる１２バイトの制御情報が送られる。時間ｔ＝２０ミリ秒においては、更に３２バイトが送信される。同様なプロセスが反対方向にも行われるが、制御情報がステータス情報になっているだけの違いがある。従って、８KbpsのCELP似合っては、これらの３２バイトのパケットが２０ミリ秒おきに送信される。尚、高位ビットレートアルゴリズムの場合では、一層頻繁に送信されることになる。３２Kbpsの場合では、２０ミリ秒おきに３２バイトパケットが４つある。４０Kbpsの場合では、２０ミリ秒おきに３２バイトパケットが５つある。６４Kbpsの場合では、２０ミリ秒おきに３２バイトパケットが８つある。しかし、高位ビットレートアルゴリズムのパケットレートは均一であると保証できない（即ち、３２Kbpsの場合ではパケットレートは５ミリ秒とはならない）。これらのパケットはモデムが必要とするところに従って送信される。（注：１６Kbpsと２４Kbps ADPCMがサポートされているが、実行に当たってはオプションとなる。）
【０６３０】
制御／ステータス定義とフレーム内での制御／ステータスバイトの相対位置については、第３.４章を参照のこと。
【０６３１】
音声変換バッファリング．
前章にて説明したように、PCS CELP音声符号化器の未圧縮音声インターフェースは、ＤＳＰの同期シリアルインターフェース（ＳＳＩ）を経由したものである。初期実行時では、圧縮音声インターフェースは、ＤＳＰのシリアル通信インターフェース（ＳＣＩ）を経由したものである。PCS CELP音声変換ソフトウェアは未圧縮及び圧縮音声データストリームに対して二重バッファを介してインターフェースする。
【０６３２】
図２０は、音声符号化器バッファと、音声伸張方向への対応する信号の流れを示している。圧縮音声はＳＣＩバッファに書き込まれて、内部ワークバッファにおいて圧縮アルゴリズムにより操作される。伸張した音声出力はＳＳＩバッファに書き込まれる。すると、未圧縮音声がＳＳＩバッファから「話しかけ」られる。音声圧縮には、類似の一組のバッファがあって、実質的にはこのプロセスの逆である。３個あるＳＳＩバッファのそれぞれは１６０バイト長であり、全体でのバッファ長は４８０バイト（各２４ビットワードの８ＭＳＢだけが使われる）である。図示した各ＳＣＩバッファ（ワークバッファを省く）は、バッファサイズや利用する圧縮アルゴリズムに関係なく、２０ミリ秒のリアルタイムに対応する。例えば、CELP合成の場合では、ＳＣＩバッファは２０バイト長であって、全体としてのバッファ長は４０バイトとなる。ＳＳＩバッファＡ、Ｂ、Ｃには始めから全てゼロ値が設定されている。時間ｔ＝０にあっては、ＳＣＩバッファＡには２０バイト（１６０ビット）のCELPデータが満たされるようになるが、ＳＳＩバッファＡは「話しかけ」られている。時間ｔ＝２０ミリ秒にあっては、ＳＣＩバッファＡにはこれらの２０バイトが満たされ、ＳＳｉバッファＡは「空」になる。その後、ＳＣＩバッファＡがワークバッファにコピーされる。この時、ワークバッファの内容に伸張作用が始まり、未圧縮データがＳＳＩバッファＣにおかれる。ＳＳＩバッファＣが満たされている間、ＳＳＩバッファＢは話しかけられており、また、ＳＣＩバッファＢは新しい圧縮音声で満たされる。同様なプロセスが音声圧縮についても前述とは逆の方向に行われる。
【０６３３】
尚、PCM及びADPCMの場合では、ＳＣＩバッファ長は依然と２０ミリ秒リアルタイムに対応している。しかし、これらのアルゴリズムの場合、ワークバッファ長はより短い時間に対応している。例えば、４０Kbps G.726 ADPCMの場合、ワークバッファ長は４ミリ秒のリアルタイムに対応している。これは、各アルゴリズムごと圧縮音声が２０バイトの圧縮音声と１２バイトの制御／ステータス情報に「パケット化」されることによる。
【０６３４】
利用する圧縮アルゴリズムに拘わらず、ＳＣＩ二重バッファは、無線区間フレーミング構造が故に２０ミリ秒のバッファ長を有するものでなければならない。
【０６３５】
２.８.１.２  可変レート音声変換．
音声搬送機構のVAD（アクティブ音声検出 Voice Activity Detection）制御は、オムニポイントＣＡＩにおいて特にサポートされている。VADアルゴリズムをボコーダ(vocoder)で利用することにより、サービスに亙り帯域幅ターンがＣＡＩにより得られ、従って（例えば）８KbpsボコーダアルゴリズムがＣＡＩリンクを介して４Kbpsのみで稼働し、それによりＲＦチャンネル当たりの最大ユーザ数を倍増（例えば、６４人のVAD８Kbpsユーザまで）することができる可能性がある。
【０６３６】
２.８.２  データ信号構造．
２.８.２.１  可変データレート．
PCS2000は、種々のデータやビデオ、マルチメディア、放送などの利用分野での効率的でフレキシブルなデータ回線(data conduit)として作用するように設計されている。この設計により、基本の８Kbpsレートよりも大きい、或いは小さいレートを端末ユーザに提供することができる。
【０６３７】
無線区間プロトコールにより、ＭＳに対して２０ミリ秒毎に単位スロット当たり１６０ベアラビットが得られる。この１６０ベアラビットは、１６ビットＦＣＷによりプロテクトされている。図１７を参照のこと。加入者のオプションにより、ＡＲＱエラー訂正をベアラデータに施すことができる。２のウィンドウサイズをＡＲＱプロセスのために用いる。リエントリー試行回数は、サービスプロバイダもしくは加入者により設定できる。
【０６３８】
このシステムは８Kbps基本レートよりも大きいレートのためにある。「スーパーレート」と呼ばれているこれらの大きいレートは、単一のＭＳに対して複数のスロットを割り当てることにより得られる。ＢＳの全帯域幅まで、単一のＭＳに対して全二重スロットないし８Kbpsステップでの２５６Kbps（全二重）が割り当てられ得る。図１８を参照のこと。
【０６３９】
また、このシステムは８Kbps基本レートよりも小さいデータレートのためにある。これは、ポーリング周期をスキップすることにより達成できる。図１９を参照のこと。従って、４Kbps、２Kbpsなどが得られるのである。２４ポーリング周期までループ毎３２０bpsでスキップすることができ、３２０bpsの最小データレートが効率的に（即ち、レートを合わせる必要なく、又はレートの適応化を行うことなく）得られる。中間レートないしそれより一層小さいレートは、レート合わせを用いることにより得られる。
【０６４０】
非対称データチャンネルもシステムによりサポートされている。このモードでは、スロットの大部分がＭＳ送信に対するＢＳか、又はＢＳ送信に対するＭＳの何れかに割けられている。高速搬送もこのモードでできる。即ち、肯定応答とＡＲＱを用いて最大５１２Kbpsまでで何れかの方向に半二重で送信される。
【０６４１】
特定のサブモードとして「放送」が非対称帯域幅のケースに存在する。各放送サブチャンネルは、特別な放送識別子により識別されている。２５５本までの放送チャンネルが識別できる。一点対多点間(point-to-multipoint)での用途では、放送フレームは肯定応答されない。
【０６４２】
上記のデータチャンネルの他に、各タイムスロットに帯域外Ｄチャンネルが常に存在する。ユーザデータは正常なベアラチャンネルを妨害することなくこのチャンネルを介して送られる。このチャンネルのデータレートは４００bpsである。このチャンネルは、短いメッセージ伝送を含むあらゆる目的に利用できる。
【０６４３】
２.８.２.２  メッセージ肯定応答．
端末ユーザは、例えばビデオの用途において、ＡＲＱエラー訂正を行わせるか、エラー訂正を行わせないかの何れかを選択するオプションを有している。ＡＲＱ機構は、２フレームのデータウィンドウを利用している。フレームが悪化していると判断されると、標準的なISDN１６ビットＦＣＷを介して、受信装置が送信機に再送信を信号送信する。再送信試行回数は、PCSサービスオペレータ又は加入者が設定できる。
【０６４４】
システムの最大未訂正フレームエラーレートは、受信機の感度閾値で(threshold receiver sensitivity)１０−２である。ＡＲＱ訂正を施した後でのフレームエラーレートは、
1.53 X 10−７の未検出フレームエラーレートである10−１/(2１６ - 1)
【０６４５】
例えば、ｎ＝２ＡＲＱにより訂正された８Kbpsデータの潜伏期は８０ミリ秒であり、ｎ＝２ＡＲＱにより訂正された１２０Kbpsデータの潜伏期は平均して５.４ミリ秒である。未訂正モードにあっては、ユーザデータブロックエラーレートは受信機の感度閾値で１０−２である。データレートと完全性とはハンドオバーの前後とも維持されている。ハンドオバー時にデータが失われるようなことがあるので、システムは高レベルプロトコールを用いてフレーム損失を訂正するようになっている。
【０６４６】
２.９  移動体ハンドオフ．
２.９.１  ハンドオフ手順．
ＭＳでの受信信号レベルが許容レベル以下に降下したときはいつでもハンドオフが必要になる。PCS2000システムでは、下記に説明するように動作する移動体局制御ハンドオフ法を利用している。
【０６４７】
ＭＳがその発信側ＢＳからのベアラトラヒック(bearer traffic)を受信している間、当該ＭＳはそのリンクの受信信号の品質を測定している。この値は、現在のフレームエラーレートと共に、リンク品質を決定する。品質が第１閾値（測定閾値）以下に落ちると、移動体はそれが利用していないTDMAタイムスロットの間に、発信側ＢＳと付近のセルの基地局の全てのタイムスロットを介して他のＲＦ周波数／ＰＮコードセットを探し出す（この情報は発信側（発呼）ＢＳからダウンロードされる）。ＭＳが新しい周波数／コードセットを見つけると、ＭＳは受信信号の品質を測定する。ＭＳは、ＢＳの現在のタイムスロットの利用状態を表す全てのＢＳフレームに担持されているフィールドを読み込む。ＭＳはこれらの二つの情報を利用して、発信側ＢＳを含む新しいＢＳ信号の性能係数（a figure of merit)を行い、その後、その性能係数の結果に従ってＢＳをソートする。これらのタイムスロットが付近のセルのＢＳの品質よりも良い品質を有するものであれば、タイムスロット交換（ＴＳＩ）ハンドオフが考えられ、これにより発信側基地局へのリンクが維持される。
【０６４８】
リンクの品質が第２閾値レベルを下がると、ＭＳ（ベアラタイムスロットのない時に）最大評価点でＢＳ（発信側ＢＳのＴＳ１である得る）からのハンドオフを要求する。このハンドオフの要求は、タイムスロットを捕らえてハンドオフメッセージリクエストを送り、新たな基地局からの肯定応答を待つことにより行われる。ハンドオフ信号方式のメッセージには、発信側ＢＳをＰＳＴＮに接続する回線の説明が含まれている。この情報は呼確立時にＭＳへ転送される。新たなＢＳが（肯定応答することにより）ハンドオフリクエストを受け入れると、新たなＢＳが端末ＢＳとなる。尚、ＭＳはこのハンドオフ時に発信側ＢＳとベアラチャンネルの接続を維持している。
【０６４９】
２.９.１.１  クラスター内ハンドオフ．
次に、端末ＢＳはその基地局のコントローラにノート（メッセージ）を送って、元の回線を発信側ＢＳから端末ＢＳへ切り替えるように要請する。ＢＳＣが発信側ＢＳと端末ＢＳとに共通であれば、ハンドオフはクラスター内事象と呼称され、ＢＳＣが発信側ＢＳから端末ＢＳへの回線を橋絡（ブリッジ）する。すると、ＢＳＣは回線切替え完了ノートを発信側ＢＳに送ると共に、端末ＢＳへも送って後者をしてハンドオフプロセスを続行するように命令する。ＢＳＣが両方の基地局に共通でなければ、ハンドオフプロセスはクラスター間ハンドオフとして行われる。
【０６５０】
２.９.１.２  クラスター間ハンドオフ．
クラスター間ハンドオフの場合では、ＢＳＣはハンドオフノートをPCSCホストの信号方式言語に翻訳して、PCSCネットワークレベルでのクラスター間ハンドオフを要請する。一部のネットワークアーキテクチャでは、ホストPCSCは端末ＢＳＣからのハンドオフリクエストを受け入れることはできない。その場合、中間ステップが採られる。ハンドオフリクエストは、発信側ＢＳと接続したＢＳＣへのＸ.２５リンクを介してPCSCへ送られる。すると発信側ＢＳＣはリクエストを翻訳してそれをPCSCへ転送する。PCSCはＢＳＣに対して回線切替えを肯定応答し、ＢＳＣは端末ＢＳに回線切替え完了ノートをおくる。
【０６５１】
端末ＢＳが回線切替え完了ノートを受信すると、特定のポールでＭＳが呼び出され、かくて発信側ＢＳが端末ＢＳに転送するようにＭＳに信号を送る。ＭＳが端末ＭＳへの転送命令を受信すると、或いは、ハンドオフプロセス時にリンクがなくなると、ＭＳは端末ＢＳに切り替わって特定のポールを探し出す。特定のポールがＭＳにより受信されると、ＭＳは端末ＢＳとの接続を完了し、かくてハンドオフプロセスが終了する。
【０６５２】
ＭＳと発信側ないし端末ＢＳとの間のリンクがいつか完全に壊れると、ＭＳは潜在ハンドオフのリストから最高品質のＢＳを探し出して、以前のＢＳを通信することなくハンドオフを試行するようになる。これにより、通常のハンドオフプロセスが完了する前に元のリンクが破損した状況からＭＳは回復できるのである。
【０６５３】
２.９.２.３  ハンドオフ時間遅延．
クラスター間ハンドオフの場合、ベアラチャンネルトラヒックの再確立を含めたハンドオフプロセスに要する全時間遅延量は、一般に１０ミリ秒以下である。最大時間は約４０ミリ秒である。通常の状況では遅延量は１回のポーリングループ間隔よりも少ないので、ベアラパケットは絶え間なくＭＳへ送られる。クラスター間ハンドオフもしくはタイムスロット交換は、ホストPCSCに固有の遅延に一部が依存しているが、この点についてはここでのシステムの説明の範囲外である。クラスター間ハンドオフでの無線区間遅延量は前述と同一、即ち１０〜４０ミリ秒である。ブレーク・ビフォア・メイクハンドオフ(break-before-make handoff)は一般に２５０ミリ秒より小さい。
【０６５４】
将来への期待
オムニポイントシステムでなら、プロトコールを修正しなくてもシステムに対して音声以外の沢山のアプリケーションをPCSオペレータが追加できる。一例を挙げれば、下記の通りである。
【０６５５】
１．基地とハンドセットとの間での非対称リンクでなら、ハンドセットから基地又は基地からハンドセットへは小帯域幅を、また、その反対方向の場合では高帯域幅を利用できる。これにより、ハンドセットによるリクエストからなる一部のデータサービスが可能になると共に、それに応答して大量の情報がハンドセットへと戻されることになる。オムニポイントＣＡＩはこれができるようになっていて、斯かる種のサービスを提供している基地局に対する他のユーザないし前のハンドセットとの相互利用性に影響を及ぼすこともない。
【０６５６】
２．サンプリングレートが８Kbpsより低いCodecsが前述した方法を通じてサポートされている。現時点では、オムニポイントは、８KbpsがPCSサービス導入の初期段階には最適と確信しており、また、サービス導入に当たって選定したCodecsに自信を有している。
【０６５７】
３．その他の期待できる事項については、オムニポイントもしくはオムニポイント技術の実施許諾者により定められると共に実現されることになっている。
【０６５８】
３.  ＰＣＳ２０００システム動作条件．
３.１  ＰＣＳセルサービスエリア条件．
３.１.１  低い基地局アンテナ高度．
図２２は、１０メータの基地局高度、９メータの建築物の屋根の高さ、および、１．５メータのＭＳアンテナ高度を仮定した場合の、伝搬損失中央値のＣＯＳＴモデルに基づいたサービスエリアの９０％および９９％の両方の確率に関する、１０Ｅ-３のビットエラーレート(ＢＥＲ)についてのセルの予測半径を示している。大規模の陰影効果は、８dＢの標準偏差を有する対数正規分布であると仮定される。ＭＳ  ＥＩＲＰは３００ミリワットであり、ＢＳ受信機の感度は−１００dＢmであり、ＢＳアンテナは、約７dＢの垂直利得を備えた無指向性のパターンを有している。ハタ−オクムラ(Ｈata−Ｏkumura)のモデルは、元々、３０−２００メータのアンテナ高度のために開発されたものであるので、１０メータと仮定されたＢＳアンテナ高度では正確でない。ＣＯＳＴ２３１の予測をハタと比べると、ＣＯＳＴ２３１の範囲の予測は、ハタの大都市の場合と大都市の郊外の場合との間になる。オムニポイントの無線区間インターフェイスアーキテクチャが、セル間のより小さいオーバーラップを可能として、基地局との間の極めて敏速なハンドオフに備わっている。この事実は、図２２に反映されており、そこでは、７５％エリア輪郭が９０％全サービスエリアを導き、また、９０％エリア輪郭が９９％全サービスエリアを導いている。
【０６５９】
より低いＢＳアンテナ高度においては、物理的な障害および距離に対する伝搬損失の急増のために、より高い受信機の感度、および、高利得アンテナのどちらも、セルのサイズを十分に拡大することに寄与しないことが確証されている。より短い範囲では、信号強度が１／Ｒ２特性を伴って減衰し、その一方、より長い範囲では、信号強度が、より低いＢＳアンテナ高度についての１／Ｒ７又は１／Ｒ９と同じ程度の激しさでもっと急速に減衰する。より長い範囲については、より高い利得のアンテナもしくはより低い受信機の感度を用いることは、セルのサイズを拡張するためにはほとんど役立たないであろう。かかるセルの伝搬環境でより広いサービスエリアを提供するために、基地局がより近接し合うように配置される必要がある。このことは、指向性アンテナがより小さなセルにおいては役に立たないという意味ではない。それらの指向性は、種々の目的のために、例えば、ある都市範囲内のより高いユーザの密度に対応すべくセルをセクタに分割するために、セルのサイズを拡大すること以上に有用である。
【０６６０】
３.１.２  高いＢＳアンテナ高度．
図２３は、５０メータのＢＳアンテナ高度についての(ＣＯＳＴ２３１伝搬モデルを用いた)予測性能を示している。他の条件はすべて、図２２のものと同様である。いったんＢＳアンテナがこの高度まで上げられれば、サービスエリアの範囲が十分に拡大することに注目せよ。
【０６６１】
３.１.３  屋外基地局の最大間隔．
ＢＳの最大間隔は、用いられる基地局アンテナの構成および配備エリアの伝搬特性に依存している。表３５は、３００ミリワットのＭＳピーク送信電力および−１００dＢmのＢＳ受信機の感度を用いている構成について許容し得る最大の通路損失を示している。最大セル半径の予測は、対数正規分布の陰影および８dＢの標準偏差を有するＣＯＳＴ２３１伝搬モデルに基づいている。
【０６６２】
【表３５】
0003746457.tif 000045
【０６６３】
表３６は、ＭＳピークＥＩＲＰが１ワットであることを除いて、表３５と同様の仮定を用いている構成について許容し得る最大通路損失を示している。
【０６６４】
【表３６】
0003746457.tif 000046
【０６６５】
表３５および表３６にあらわされた情報は、郊外の環境のためのセルの公称サイズを算定するために利用され得る。上記の表に関して算定された予測最大セル半径は、多重通路のレイリーフェージング(Ｒayleigh fading)およびＩＳＩ効果が、上記基地局でのアンテナの空間的なダイバーシティ(diversity)(Ｌ＝４)を用いること、また、ＤＳＳＳ変調および相関関係ならびに検波を用いることによって部分的に軽減されたことを呈している。ＰＣＰのチャンネルサウンディング(channel  sounding：チャンネルでの測深)能力を利用する上記基地局のアンテナの空間的なダイバーシティは、前方のおよび反対のリンクのための空間的なダイバーシティの利得をもたらす。基地局でより高い利得アンテナを用いることによって、セル半径を更に大きくすることができる。例えば、もし、２６dＢiのＢＳアンテナを使用すると、セルの半径は、１／Ｒ２又は１／Ｒ４の伝搬損失を条件とすれば、それぞれ、３倍から１０倍に増える。
【０６６６】
密度の低い地方エリアにおいて十分なサービスをもたらすために、より大きなセルで経験されるより長い往復の伝搬遅延に必要とされるガード時間を増やすことによって、セル半径は８マイル以上に拡大され得る。１０マイルの半径を有するセルは、フレーム当たりのタイムスロットの数を３２から２５まで減ずることによりサポートされ得る。かかる大きなセル半径が、低い人口密度の領域にのみ適用されることになるので、より小さなフレーム当たりのタイムスロット数によりもたらされるセルの容量の減少は問題ではない。
【０６６７】
３.２  セル当たり同時に存在するユーザの最大数．
都市エリアでは、人口密度が無指向性のＢＳアンテナの使用を可能とする場合に、セル当たり同時に存在するユーザの最大数が、オムニポイントの時分割多重アクセス式(ＴＤＭＡ)設計アプローチにおける、３２であるフレーム当たりのユーザ数により制限される。しかしながら、１％の確率の通話遮蔽(call  blocking)のために、ＲＦチャンネル当たり３２のユーザは、(０．６８×３２)アーランの呼量つまりセル当たり２１．８アーランに適応し得る。もし、典型的な都市エリアにおける電話加入者が０．０３アーランを使用すれば、平均して、オムニポイントのセルは７２５の電話加入者に対応し得ることになる。
【０６６８】
高い人口密度において用いるために、セルを例えば３つ又は６つのセクタへ分割することによって、同時に存在するユーザの最大数を増加することができる。これは、セルの１２０度又は６０度のセクタを照らすべき指向性のＢＳアンテナを使用することによって達成される。これら２つの場合に関し、セルの分割は、セル当たり同時に存在するユーザ数を９６又は１９２まで増し、また、それぞれ、０．０３アーラン／ユーザの移動電話加入者の数を２１７５および４３５０まで増すことができる。
【０６６９】
４.  基地局動作条件．
４.１  送信機．
４.１.１  周波数可変能力．
基地局のＲＦシステムは、６２５kＨzステップにおける１８５０と１９９０ＭＨzとの間のいかなる周波数においても動作し得る。つまり、周波数シンセサイザは、２２３の周波数のうちのいずれにおいても受信し、また、送信するために、プログラムされることが可能である。このステップの大きさは、免許されたＰＣＳスペクトルではオムニポイントに必要とされず、そのシステムは、５ＭＨzずつ増加しながらステップする。従って、第１チャンネルが、通常、１８５２．５ＭＨzで中央に位置し、その次が１８５７．５ＭＨzである。周波数帯域が非同期の免許されていない装置のためのものであるので、ＰＣＳ２０００は、通常、１９１０から１９２０ＭＨz帯域では動作しない。そのシステムは、１９２０と１９３０ＭＨzとの間の同期の帯域において動作することができる。この帯域の第１チャンネルは１９２０．６２５ＭＨzで中央に位置し、また、この帯域にわたるチャンネル間隔は、１．２５ＭＨzである。
【０６７０】
４.１.２  周波数安定度．
送信機の周波数安定度は、上記基地局におけるシステムのマスタークロックによって制御される。周波数基準は、安定した１０ＭＨzの正確な基準水晶発振器である。このリファレンスは、あらゆる動作状態にかけて、０．０１ppmの１パートの範囲内に安定している。この基準はまた、電話ネットワークとの正確なタイミングのために、外部のデジタルネットワークに同期化させられることが可能である。
【０６７１】
４.１.３  基地局コントローラネットワークとの同期
基地局の主な周波数リファレンスは、基地局コントローラネットワークに対して、その周波数がロックされ得る。この同期は、上記リファレンス発振器用のＤＣ制御電圧を導き出すデジタル回路設計により自動的に実行される。この制御電圧が、リファレンス発振器を良好に調整するためのＤＣ周波数トリム調整器に供給される。通常、デジタルフォンネットワークでは、全ネットワークの時間を一致させるために、非常に正確な周波数標準が用いられる。こうして、この周波数の正確さが、ＲＦ基地局に受け継がれる。電子周波数トリム調節器の制御範囲は、ＲＦ安定度が、いかなる不完全なネットワーク状態のもとでも、そのＦＦＣ制限値を超えることができないことを保証するために、＋／−１０ppmより小さくなるように制限されている。
【０６７２】
４.１.４  電力出力(ＥＩＲＰ)．
４.１.４.１  ＴＤＭＡ電力パルスの波形．
一定の包絡線の波形は、直交変調器へのＩおよびＱのデータ入力を、ベースバンドパルス整形することによって発生される。これらの波形の特定のパルスの形状が、波形の符号間干渉のみならず、送信機のスペクトルの占有度を決定する。該送信機は、それから入手し得る最大電力出力を、増加したリンクマージン(link  margin)のために利用することを可能とする十分に飽和した出力モードにおいて動作され得る。重要な振幅変調を有する他の変調された波形とは違って、これら他の波形に関連したスペクトルの再成長なしに、一定の包絡線の波形は圧縮され得る(振幅検出器において制限され得る)。これによって、比較的安価な増幅器を用いることができる。それらは、良好なスペクトルの純度を得るために、ＯＢＯ(output  back  off)、もしくは、(変調器へのフィードフォワード(feed  foward)又はカルテシアンフィードバック(Ｃartesian  feedback)のような)線形化する最先端の技術を必要としない。更に、それらが飽和状態で動作し得るので、電力の消費量がまた比較的小さい。一定でない包絡線の信号に関する典型的なＯＢＯ値は、４から７dＢまでにある。この減少は、システムのリンクの束に影響し得る。
【０６７３】
４.１.４.２  平均電力出力．
基地局の送信機の平均電力出力は、ピーク電力出力の約５０％である。ピーク電力出力は、免許されていない周波数帯域において２ワットであり、その負荷サイクルは約５０％である。従って、最大平均電力出力は約１ワットである。基地局送信機の各タイムスロットにおける最小電力出力に調節された電力出力を用いる(電力制御が、スロット基準により１スロット上で行なわれる)。そのとき、平均は(２Ｗ−３３dＢ)×(５０％)＝０．５mＷである。実際の平均電力出力は、３２のタイムスロットのすべてのそれぞれの電力設定に依存して、通常、これら２つの極値の間にあることになる。
【０６７４】
免許されていないＰＣＳ帯域に関し、電力出力は、１．２５ＭＨz用の１１２mＷに制限されている。このことは、上記平均電力出力を免許されていないサービス用に約５６mＷまで減ずる効果を有している。
【０６７５】
４.１.５  スプリアス(spurious)ＲＦ放射．
４.１.５.１  伝導．
伝導放射は、ＦＣＣパート２４．２３８−免許されていないＰＣＳ帯域に関する放射限度と、ＦＣＣパート１５のサブパートＤ−免許されていないサービス用の無免許パーソナルコミュニケーションサービスデバイスとに従う。
【０６７６】
４.１.５.２  輻射．
輻射された放射物は、不随して起こる意図的なラジエータに関するＦＣＣパート１５の規定に従う。輻射された放射物はまた、ＡＮＳＩＣ９５．１−１９９１に従う。
【０６７７】
４.１.５.３  総スプリアス放射．
帯域外のスプリアス放射のすべては、限定する訳ではないが、変調器のスペクトルのサイドローブ、送信機の高調波、送信機の切り換え、電力制御過渡（変移）、あるいは、共に配置された複数の送信機の相互変調によるものを含めて、
(−４３＋１０ log Ｐ) dＢ
に等しいか、あるいは、それより小さい。ここで、Ｐは、変調された信号の帯域内の電力である。
【０６７８】
４.２  受信機．
４.２.１  周波数可変能力．
送信および受信のどちらにも、共通の統合された局部発振器が用いられる。
【０６７９】
４.２.２  周波数安定度／同期．
送信に利用されるのと同じマスタークロックが受信のために用いられる。詳細についてはセクション４.１.２を参照。
【０６８０】
４.２.３  感度．
受信感度は、１０−３に対して−１０２dＢmである。
【０６８１】
４.２.４  スペリアスＲＦ放射．
基地局受信機からのＲＦ放射は、ＦＣＣパート１５の付帯的なラジエータの規定に見合うものである。
【０６８２】
４.３  アンテナ性能の説明．
基地局は、各基地の位置について必要である特定のＲＦサービスエリアに依存して、無指向性の、又は、高利得の指向性アンテナ(あるいは、組合せ)のどちらでも構成されることが可能である。加えて、１つの基地局が、広大で人口がまばらなエリアを覆うことができるように、一定方向に向けることができるフェーズドアレーアンテナが利用され得る。(２.３.２.３参照)
【０６８３】
４.３.１  無指向性アンテナ．
４.３.１.１  利得．
無指向性アンテナは、５から１０dＢiまでの公称利得を有するであろう。
【０６８４】
４.３.１.２  垂直ビーム幅．
無指向性アンテナは、８から３５度までの公称垂直ビーム幅を有するであろう。
【０６８５】
４.３.１.３  偏波．
無指向性アンテナは垂直偏波を有するであろう。
【０６８６】
４.３.２  指向性アンテナ．
４.３.２.１  利得．
指向性アンテナは、１０から１７dＢiまでの公称利得を有するであろう。
【０６８７】
４.３.２.２  垂直なビーム幅．
指向性アンテナは、７から３５度までの公称垂直ビーム幅を有するであろう。
【０６８８】
４.３.２.３  方位角ビーム幅．
指向性アンテナは、１５から１２０度までの公称方位角ビーム幅を有するであろう。２０dＢの最小の前方後方比が必要とされる。
【０６８９】
４.３.２.４  偏波．
指向性アンテナは、垂直偏波又は円偏波を有する。
【０６９０】
４.３.３  フェーズドアレーアンテナ．
４.３.３.１  利得．
フェーズドアレーアンテナは、２６から２８dＢiの公称利得を有するであろう。
【０６９１】
４.３.３.２  垂直なビーム幅．
フェーズドアレーアンテナは、８度の公称垂直ビーム幅を有するであろう。
【０６９２】
４.３.３.３  方位角のビーム幅．
フェーズドアレーアンテナは、８度の公称垂直ビーム幅を有するであろう。２０dＢの最小の前方後方比が必要とされる。
【０６９３】
４.３.３.４  分極．
フェーズドアレーアンテナが環状に分極されるであろう。
【０６９４】
４.３.４  多重通路効果の緩和のためのダイバーシティ(diversity)．
４.３.４.１  空間的なダイバーシティ．
基地局は、各基地の位置の多重通路の状態の厳密性に依存して、Ｌ＝２,３あるいは４を備えた空間的なアンテナのダイバーシティを利用することになる。アンテナの物理的な間隔は、少なくとも１０波長であろう。
【０６９５】
４.３.４.２  アンテナ選択アルゴリズム．
各アンテナにおける信号の品質を決定するために、幾らかの測定基準（メトリックス(metrics)）が採用される。これらの測定の結果は、各ＴＤＭＡのタイムスロットに関する送信／受信のために最良のアンテナを選択すべく用いられる。
【０６９６】
５. 移動局の動作条件．
５.１  送信機．
５.１.１  周波数可変能力．
移動局は、６２５kＨzステップにおける１８５０と１９９０ＭＨzとの間のいかなる周波数でも動作するようにセットされ得る。つまり、周波数シンセサイザは、２２３の周波数のうちのいずれにおいても受信し、また、送信するために、プログラムされることが可能である。免許されたＰＣＳスペクトルでは、オムニポイントはこのステップを必要せず、そのシステムは、５ＭＨzずつ増加しながらステップする。従って、第１チャンネルが、通常、１８５２．５ＭＨzで中央に位置させられ、その次は１８５７．５ＭＨzである。そのシステムは、通常、１９１０から１９２０ＭＨzまでの帯域で動作しない。この周波数帯域は、非同期の免許されていない装置のために用意されるものである。上記システムは、１９２０と１９３０ＭＨzとの間の等時性の帯域において動作することができる。この帯域の第１チャンネルは１９２０．６２５ＭＨzで中央に位置させられ、そして、この帯域にわたるチャンネル間隔は、１．２５ＭＨzである。
【０６９７】
５.１.２  周波数安定度．
初期の移動局のクロック安定度は、−３０Ｃから＋６０Ｃまで＋／−１０ppmの範囲内で正確である。
【０６９８】
５.１.３  基地局との同期．
移動受信機が基地局の信号を受信するや否や、移動局のクロックは、自動的に基地局に同調する。このことは、移動局に対して、適切な周波数安定度およびネットワークの広い同期をもたらす。
【０６９９】
５.１.４  電力出力(ＥＩＲＰ)
上記移動局の送信機は、より高いところに設置されたフィードダイポールへの６００mＶの最大電力出力を有する。その結果的なＥＩＲＰは１ワットである。
【０７００】
５.１.４.１  時間に対するＴＤＭＡ電力波形．
上記送信機は、所望でないスペクトルが広がる過渡電流を除外するために、制御されたオン−オフ切り換え特性を有する。
【０７０１】
５.１.４.２  ハンドセット平均電力出力．
ピークのハンドセット電力出力は６００mＷである。ハンドセット平均電力出力は、所望のデータレートを伝送するために集結されたタイムスロットの数により決定される。各タイムスロットは８kbpsのデータレートを伝送するので、３２kbpsのユーザは４つのタイムスロットを必要とし、その結果、８kbpsのユーザの４倍の平均電力出力を有する。単一のスロット(８kbpsのユーザ)の負荷サイクルは約１／６４であり、平均電力出力は結果的に約９．４mＷである。従って、３２kbpsのユーザの平均電力出力は３７．６mＷである。電力制御は、更に、基地局によって指示されるように平均電力出力を減ずることができる。
【０７０２】
５.１.４.３  基地局による送信電力制御．
送信電力制御は、３３dＢの総範囲にわたって３dＢのステップで、基地局により指示される。このことは、３dＢ,６dＢならびにＲＦ減衰器が切り換えされた２つの１２dＢの４ビット制御により実行される。ＰＣＰ、つまり、電力制御パルスは、ＢＳがＭＳへ送信を行うことになるちょうど前に、ＭＳにより送信される。その結果、上記ＰＣＰは、ＢＳに対する移動チャンネルの電力測定をもたらし、ＭＳに送られるような電力制御コマンド用の基準である。マルチ送信機ＢＳはまた、そのＢＳに着信するＰＣＰ信号の品質に基づいて送信用のアンテナの選択を行うことができる。ＴＤＭＡシステムでは、ポーリングループのまわりの信号の待ち時間が、全体として、電力制御の利用を抑止している。つまり、ポーリングループのまわりの時間の長さが長過ぎれば、最後的な送信が、チャンネルの損失および障害を評価するために非常に有用となり得ない。動かない局を用いる場合のほとんどでは、アンテナの配置、パターン、および、動かない局により送信された電力が、他の動かない局に対する僅かな干渉のために調整され得る。しかしながら、小区画式の移動局は、本来、それらが、交わるセルの領域で他の移動局と両立し得ない。このことが、移動局における幾らかの電力制御の必要性をもたらす。例えば、ＢＳサービスエリアの領域でハンドセットを動作させるには、コンタクトした状態を保つために、その全電力を送信する必要がある。しかしながら、同じタイムスロットにおいて、それ自体のＢＳに比較的近いハンドセットを動作させるには、良好なコンタクトを有するために全電力を送信する必要はない。上記ＢＳは、チャンネルをＰＣＰと比較し、必要であれば、その電力を調整するためのＭＳを識別することができる。上記ＢＳはまた、ＭＳからの遅延時間を測定するために上記ＰＣＰを利用し、ＢＳからの距離を概算することができる。更に、もしＢＳがＭＳの電力設定を認識していれば、それはまた、それ自体の電力をも調整し得る。
【０７０３】
５．１．５  スプリアスＲＦ電磁波．
５．１．５．１  伝導．
伝導放射される電磁波は、ＰＣＳバンドとして許可に関する24.238のＦＣＣパートの放射限界、及び許可されていないサ−ビスに関する許可されていないパ−ソナル  コミュニケション  サ−ビス装置のＦＣＣ１５サブパートＤに従う。
【０７０４】
５．１．５．２  放射．
放射された電磁波は、偶発的であり、かつ故意である送信アンテナに関するＦＣＣパ−ト１５のル−ル部分に従う。上記放射された電磁波は、ＡＮＳＩ  Ｃ９５．１−１９９１にも従う。
【０７０５】
５．１．５．３  全スプリアス電磁波．
変調スペクトルのサイドロ−ブ、送信機の高調波、送信機の切り換え、電力制御の過渡現象、又はともに配置された複数の送信機の相互変調により、それらを含んでいるが、それに限定しない帯域外のすべての電磁波スプリアスは、（−４３ｄＢ＋１０ｌｏｇＰ）ｄＢに等しいか、又は以下である。
ここではＰは、変調信号の帯域内電力を示す。
【０７０６】
５．２  受信機．
５．２．１  周波数の可変能力．
一般の総合ロ−カル発振器は、送信、受信の両方に用いられる。セクション５．１．１参照。
【０７０７】
５．２．２  周波数の安定度、同調度．
送信に用いられるものと同じマスタ−クロックが、受信に用いられる。セクション５．１．２周波数の安定度参照。
【０７０８】
５．２．３  感度．
上記受信感度は、１０−３ＢＥＲに対して１００ｄＢｍである。
【０７０９】
５．２．４  スプリアスＲＦ電磁波．
移動体局受信機からのＲＦ電磁波は、ＦＣＣの１５パートの副次的なラジエター規則を満足する。
【０７１０】
５．３  アンテナ能力詳細．
５．３．１  移動体ハンドセットアンテナ．
５．３．１．１  利得．
上記移動体ハンドセットアンテナは、２ｄＢｉの公称利得を有するだろう。
【０７１１】
５．３．１．２  ビ−ム幅．
上記移動体ハンドセットアンテナは、上記アンテナ軸に対して垂直な７０度の公称垂直ビ−ム幅を有するだろう。
【０７１２】
５．３．１．３  ビ−ム幅の方位性．
上記移動体ハンドセットアンテナは、全方位性である。
【０７１３】
５．３．１．４  偏波．
上記移動体ハンドセットアンテナは、上記ハンドセットＭＳの主軸に沿った偏波を有する。
【０７１４】
５．３．２  車両用移動体アンテナ．
５．３．２．１  利得．
上記車両用移動体アンテナは、公称５ｄＢの利得を有する。
【０７１５】
５．３．２．２  ビ−ム幅．
上記車両用移動体アンテナは、公称３５度の垂直ビ−ム幅を有する。
【０７１６】
５．３．２．３  ビ−ム幅の方位性．
上記車両用移動体アンテナは、全方位性である。
【０７１７】
５．３．２．４  偏波．
上記車両用移動体アンテナは、垂直偏波を有する。
【０７１８】
ＰＣＳ２０００
セクション６．１  レイヤー１  ＲＦの特性
【０７１９】
６．１  ＲＦ特性．
本セクションは、上記オムニポイントのＰＣＳ基礎システムの特性を記載する。特定の応用において、幾つかのＲＦシステムパラメ−タの数値は変更されるだろう。
【０７２０】
６．１．１  送信．
本セクションは、基地局（ＢＳ）及び移動局（ＭＳ）の両方に対する送信のＲＦ特性を記載する。
【０７２１】
６．１．１．１  変調方法．
オムニポイントは、一定のＲＦ包絡線及び最小のサイドロ−ブという望ましい特性を提供する連続位相変調（ＣＰＭ）を利用する。ＣＰＭの上記一定の包絡線特性は、デジタル位相変調の多くの形態と関連している上記サイドロ−ブスペクトルを再生することなしに、上記ＭＳハンドセット（ＢＳ同様に）の送信電力増幅における非線形の効果的なＲＦ電力増加を可能にする。
【０７２２】
６．１．１．２  スペクトル送信／パルス形成．
ＣＰＭ  ＲＦ変調後、上記ＲＦ信号は、スプリアス電磁波のバンド外をさらに除去する為に帯域フィルタ−を通される。上記バンド内の増幅及びＲＦ帯域フィルタ−の周波数特性に対する位相は、注意深くコントロ−ルされなければならない。上記フィルタ−がＣＰＭ信号を歪ませることができなければ、そのことによって、一定の包絡線を失い、さらに非線形に電力増幅した後、サイドロ−ブの再生を生じさせるだろう。上記送信されたＲＦ信号の送信時間と減衰時間は、隣接するＲＦバンドへのスプラッタ−を防ぐ為に、オンの遷移時間と、オフの遷移時間の間、制御される。
【０７２３】
６．１．１．３  送信電力レベル．
ＦＣＣが上記ＭＳに対して２ＷＥＤＲＰまで増加させることができるが、上記オムニポイントＭＳに対する、公称の上記電力出力のピ−クは、ダイポ−ルアンテナに対しては６００ｍＷ、又は１ＷＥＤＲＰである。設計が似ているオムニポイントバ−ジョン２Ｔ．Ｘ  ＴＤＤ／ＴＤＭＡを備えて、８ｋｂｐｓモ−ドにおける上記ＭＳ平均電力出力は、わずか９．３６ｍＷであり、バッテリ−交換の間を長くすることが可能である。ＭＳ送信電力のこの小さい数値を備えて、高利得アンテナが、全方向基地局の設計において、経済的に組み込まれているから、大きなＰＣＳセルサイズが適応されることができる。全方向性のＴＤＭＡ無線システムの設計を備えて、機械を操作する信号が、１つのセル又はセルセクタ−のアドレスを全ユ−ザ−に与えることが望まれるのから、システムの複雑さ及びコストを有意義に低減させるということに注意しなさい。各セル内に潜在的ユ−ザ−がいる多くの操作機械を所望する別のシステムとこの能力を比較しなさい。上記ＦＣＣＰＣＳレポ−ト及び指令によって、上記ＢＳによって利用される各ＲＦチャンネルに対するＰＣＳ基地局に対する１００ＷＥＤＲＰピ−クまで上げることが可能であった。故にバ−ジョン２Ｔ．Ｘにおけるチャンネル毎の最大許容平均ＥＤＲＰは、５０Ｗである。平均的なオムニポイント基地局の公称出力電力のピ−クは、２Ｗである。しかしながら、大きなセルの適用の為、及び特定の伝播環境の為、上記ＢＳは、１７ｄＢｉの公称アンテナ利得を備えた指向性アンテナを利用する。操作が可能な指向性アンテナを利用することによって、各ユ−ザは、バ−ジョン２Ｔ．Ｘにおいて順リンク同様の逆リンクの為に、上記ＢＳにおける上記指向性アンテナの上記利得を利用する上記セル内においてリンクする。
【０７２４】
オムニポイントシステムの設計は、全ＭＳ及びＢＳ送信に対する変調であるダイレクトシ−ケンススペクトル拡散の形態を利用し、上記ＲＦ電力密度は、ＰＣＳの狭いバンドシステムに対するものよりはるかに小さいものであり、このことにより、ユ−ザが分割した上記同じＲＦスペクトルであるＯＦＳにたいしてほとんど混信しないので、再考プロセスにおいて多くの請願者は、上記ＦＣＣがオムニポイントシステムが２６ｄＢｉのアンテナ利得まで上げることのできる１０００Ｗまで限界電力を上げることを望んでいた。
【０７２５】
６．１．２  受信．
このセクションは、オムニポイント移動局及び基地局ＲＦ受信機能の一般的な特性を記載する。
【０７２６】
６．１．２．１  受信機の選択度．
公称５Ｍｃｐｓのスペクトル拡散のＰＮコ−ドオ−バ−レイのとき、必要とされる受信機のフロントエンド（ＲＦ）のバンド幅は、バ−ジョン２Ｔ．Ｘにおいて５ＭＨｚである。この帯域幅は、逆拡散が生じ、受信信号の情報内容の処理が始まるまで、中間周波数（ＩＦ）へのダウンコンバージョン中に保持され、このとき、受信チャンネルの帯域幅は、デジタル情報信号のために必要とされる帯域幅に減少される。最小のＲＦ及びＩＦを提供することによって、ベースバンド信号の帯域幅が必要とされ、受信機は、可能性のある隣接チャンネル干渉とともに、フロントエンドの熱雑音に対して最適化される。受信機のバンド幅は、ロ−カル発振器におけるドップラ−シフトと同様の時間及び温度の振動よる送信又は受信によって惹起され、予想された振動に適応されるように充分に広いものでなくてはならない。上記選択度の研究は、上記ＭＳ及び上記ＢＳ受信機の両方の設計に応用される。
【０７２７】
６．２．２．２  受信機のダイナミックレンジ．
ＰＣＴセル内の可変ＲＦパス長、チャンネル伝播のフェ−ディング、及びシャドウイング効果のおかげで、上記ＭＳ及び上記ＢＳサイトにおいて受信された信号の水準は、非常に広いダイナミックレンジに変化することができる。受信された信号の強さにフロントエンドをオ−バ−ロ−ドさせないように、ＲＦフロントエンドは、大きいダイナミックレンジを扱えるように設計されている。低いノイズ値、及び最大の予測された信号レベルにおいて優れた直線性を備えたＲＦアンプの選択によって、拡散スペクトルの処理利得を減少させることができる信号を最小化し、かつ相互変調ひずみを生じさせる。
【０７２８】
６．１．２．３  物理的インタ−フェイスの信号の品質測定．
上記ＢＳ受信機の所望のインタ−フェイスダイナミックレンジの拒絶を減少させる為に、オムニポイントが、適用ができる電力コントロ−ルアルゴリズムを利用する。この電力コントロ−ルの特徴の実行が、各ＭＳからの受信された上記信号の品質の測定を要求する。バ−ジョン２Ｔ．Ｘにおいて、このことは、上記信号がＴＤＭＡタイムスロットに割当てられる間、上記各ＭＳによって発振される特許登録の電力コントロ−ルパルス（ＰＣＰ）の間のノイズ／インタ−フェイス比率の信号同様の受信されたＲＦ電力をＢＳによって測定させることにより、実行される。オムニポイントの設計を備えて、上記ＭＳはＰＣＳに送信し、上記ＢＳは、受信された信号の品質を測定し、かつ送信電力水準及びＭＳ応答を増加させたり、減少させたりするＭＳに対するコマンド、全てはタイムスロット継続の一部である５００μｓにある、を送信する。上記ＢＳは、ＴＤＭＡタイムスロット近傍のそのセル内の全てのＭＳに実質的に送信するので、各ＢＳ−ＭＳのリンクは、パス損失において変化してよい。ＢＳ送信電力のコントロ−ルは、スロット基準によるスロットにおいて可能である。各ＭＳは、それら自身のセルから受信されたＢＳ信号の品質を測定し、かつ、この情報を近傍セルからの信号の品質をいつ測定するか、さらにはそれらの現在のＢＳからの信号が現在のしきい値以下になったとき、いつ近傍セルにハンドオーバー（移譲）を要求するかを決定する。
【０７２９】
６．１．３  一般的特性．
このセクションでは、上記基地局及び移動ハンドセットの両方に共通のＰＣＳＲＦチャンネルの特性について議論する。
【０７３０】
６．１．３．１  空気インタ−フェイスとシンボルレ−ト．
オムニポイントのＴＤＭＡの設計は、単信方式においてベアラチャンネル情報の最大５１２Ｋｂｐｓまで、もしくは、非ＶＤＡの全二重モードにおいてベアラチャンネル情報の最大２５６Ｋｂｐｓを可能にしている。上記瞬時のバ−ストデ−タレ−トは、オ−バ−ヘッド及びガ−ドタイム（パケットとフレ−ムの構造を参照背よ。）に適応する為に、高くされる。上記シンボルレ−トは、有意義に上記デ−タよりも低くされ、かつオムニポイントに所有される。
【０７３１】
６．１．３．２  ＲＦの安定要求．
上記基地局及び上記ＭＳの為に、オムニポイントによって、動作温度の範囲において送信キャリアの周波数の安定は＋／−１０ｐｐｍに等しいか、それ以下であることを保証する。基地局の動作周波数は、デジタルネットワーク、外部クロック、及び周波数標準に対してインターフェースをとるために、潜在的に必要とされるより精度の高いタイミングのために、外部信号源に対して同期化してもよい。移動ユニットは、同様の正確な周波数コントロ−ルの為に上記基地局からも、同期を捕捉してもよい。
【０７３２】
６．１．３．３．  相互変調．
相互変調のひずみは、多重ＲＦチャンネルにおいて共通して位置する基地局に関して考慮されなくてはならない。オムニポイントによって、ＲＦ電力出力ステ−ジ及びこの効果を最小化させるように接続されているアンテナが設計されている。
【０７３３】
６．１．３．４  チャンネル化．
５Ｍｃｐｓのスペクトル拡散モジュ−ルを利用する上記オムニポイントのバ−ジョン２Ｔ．Ｘ  ＣＤＭＡ／ＴＤＭＡ／ＦＤＭＡシステムに関して、公称のＲＦチャンネル間隔は、５ＭＨｚである。大きな拡散バンド幅を要求しないアプリケーションにおいては、隣接しているチャンネル間隔を有する低いチップレ−トが提供されてよい。
【０７３４】
６．１．３．５  スプリアスＲＦ電磁波．
変調スペクトルのサイドロ−ブ、送信機の高調波、送信機の切り換え、電力コントロ−ルの過渡現象、又はともに配置された複数の送信機の相互変調により、それらを含んでいるが、これに限定はしない帯域外の電磁波の全てのスプリアスは、（−４３ｄＢ＋１０ｌｏｇＰ）ｄＢに等しいか、又は以下である。
【０７３５】
６．１．３．６  多重アクセス方法．
オムニポイントは、複数のユ−ザが上記ＰＣＳネットワ−クにアクセスする為に、ＣＤＭＡ、ＴＤＭＡ及びＦＤＭＡの唯一の組み合わせを利用する。１つのセルにおいて、時分割多重アクセス（ＴＤＭＡ）は用いられ、時分割二重（ＴＤＤ）又は周波数分割二重（ＦＤＤ）を用いることができ、これによって、単信モ−ドにおいて８Ｋｂｐｓのベアラチャンネルを６４個同時に、又は移動ユ−ザの８Ｋｂｐｓの全２重を３２個同時に相並ばせることができる一方、隣接するセルにおいては、最小のＮ＝３のア−キテクチャ−で異なった複数の周波数チャンネル（ＦＤＭＡ）がセットされる。隣接した近接セルを越えたセルは、コ−ド（ＣＤＭＡ）、電力コントロ−ル、指向性アンテナ、及び追加内部セルの孤立の為の時間スロット相互交換（ＴＳＩ）を含んでいる、分離技術の多様を利用する。基地局において複数のＭＳ信号を分離する為に、セルにおいてＴＤＭＡアプロ−チを利用し、かつＴＤＭＡのみに依存しないことにより、上記ＢＳ受信機における自己混信が大いに減少され、与えられたＭＳ送信機の電力出力レベルの為の広い領域範囲を可能にする。
【０７３６】
さらに、セルが容量近くまで充填したとき、セル寸法は、一定を維持し、かつ別のＣＤＭＡア−キテクチャ−のみを備えた場合のように縮まない。上記オムニポイントシステムにおいて、非常に高デ−タレ−トを提供し、よいＣ／Ｉレ−ト及び周波数再利用を成し遂げる間、ＣＤＭＡシステムは、低シンボルレ−トを維持する為に用いられる。これらの拡散スペクトル技術の利用なしには、移動通信チャンネルにおいて、信頼性ある維持をすることは難しい。
【０７３７】
６．１．３．７  二重通信の方法．
時分割二重通信（ＴＤＤ）又は周波数分割二重通信（ＦＤＤ）は、ＰＣＳ通信リンクのＢＳへの各ＭＳへの２方式のアクセスを提供する為に利用されることができる。バ−ジョン２Ｔ．Ｘにおいて、上記ＴＤＭＡ内の各時間スロットは、適切なガ−ド時間を備えて、上記ＭＳ及び上記ＢＳの為に等しい送信部分に分割される。
【０７３８】
６．１．３．８  多重アクセス依存性．
オムニポイントのバ−ジョン２Ｔ．Ｘ  ＴＤＭＡの構造は、ＭＳが上記基地局にアクセスする為の２０ミリ秒のポ−リングル−プに基づくものである。６２５μＳ継続時間毎に、上記２０ｍｓのＴＤＭＡのフレ−ムは、６４の８Ｋｂｐｓの単信時間スロット、又は３２の８Ｋｂｐｓのフル二重通信時間スロットを保持する。所望されたような高デ−タレ−トの為のより広いバンド幅をユ−ザに与える為の多重時間スロットを集める為の各ＭＳに関する供給がある。不釣り合いなデ−タレ−トは、フレ−ム基準によるフレ−ムにおいて支えられることができ、音声活動度検出（ＶＤＡ）、高速デ−タ転送、及び上記ＢＳによるデ−タ放送を許可する。
【０７３９】
６．１．３．９  電力コントロ−ル方法．
時分割多重アクセス（ＴＤＭＡ）の上記オムニポイント方法は、ＣＤＭＡ  ＰＣＳシステムにより経験された遠近問題を解決するのに必要なＲＦ受信機の電力出力の精密なコントロ−ルを要求せず、上記オムニポイントは受信されたＲＦ電力水準をコントロ−ルする専有の方法を用いる。このことは、バッテリ−消耗を減少させ、近くのＯＦＳユ−ザ同様に同じＲＦチャンネル又は近傍のチャンネルで操作されてもよい遠いセル、又は近くのセルの混信を最小化する。
【０７４０】
６．１．３．９．１  基地局の電力出力のコントロ−ル．
上記基地局は、セル内で６４の移動局（ＭＳ）と相並んで通信することが可能であり、上記ＢＳから各ＭＳへの距離はほとんどゼロから上記セルの半径まで変化できるので、各ＭＳにおいて受信された電力水準をほとんど一定に維持する為に上記ＢＳ送信出力をコントロ−ルすることが望ましいことでなくてよい。このことにより、上記ＴＤＭＡフレ−ム内の各タイムスロット（６２５μｓ）の間、ＢＳ送信電力の非常に大きなチャ−ジ（>４０ｄＢ）を要求することができる。オムニポイントはＢＳ電力コントロ−ルを提供し、かつセルからセル及びセルからＯＦＳマイクロ波ユ−ザと同様にスロットとスロット基準においてＢＳ電力コントロ−ルを利用する為の様々な２者選択を調査する。
【０７４１】
６．１．３．９．２  移動局の電力出力のコントロ−ル．
近くのＰＣＳセルのＲＦチャンネルの再利用を許可する為、ＯＦＳユ−ザとの混信を減少させる為、及び上記ハンドヘルドユニットにおいてバッテリ−電力を一定にする為に、オムニポイントは、各ＰＣＳセルにおいて上記移動局送信の適応可能な電力コントロ−ルを提供する。
【０７４２】
特許登録の電力コントロ−ルパルスシステム（ＰＣＰ）が設計されている。バ−ジョン２Ｔ．Ｘにおいて、上記ＢＳはＴＤＤタイムスロットに関するＭＳに送信する前に、上記ＰＣＰは、ＭＳが割り当てられているＴＤＭＡにおいて、ＭＳによって送信される。このＭＳＰＣＳは、上記ＭＳ−ＢＳパス送信損失を備えたＢＳを提供し、それは上記ＭＳから基地局への電力コントロ−ルコマンド（ＰＣＣ）送信の為の基準として役にたつ。上記ＰＣＣによって、上記ＭＳはその電力出力を３ｄＢの最小ステップにおいて変化させ、上記ＢＳにより受信されるＰＣＰの品質に依存する。
【０７４３】
幾つかのＴＤＭＡシステムにおいて、上記ポ−リングル−プ信号は、閉られたル−プ電力コントロ−ルを防ぐ。しかしながら、オムニポイントのバ−ジョン２Ｔ．Ｘ  ＴＤＤ／ＴＤＭＡ設計が近いものであることを備えて、上記ＰＣＰの送信に関する通過時間、上記ＭＳによる応答、及び次のＭＳ送信バ−ストの運び手は、５００ｕｓ以下、上記フレ−ムタイムの２．５％以下である。それの第１の応答時間のおかげで、オムニポイント電力コントロ−ルアルゴリズムは、小規模なマルチパスフェ−デング効果及び伝播シャドウイング効果の交換レ−トよりも早く応答する。
【０７４４】
上記ＢＳは、セル内の各ＭＳへの伝播時間を測定するＰＣＰ情報を用いることができる。このことは、上記ＢＳから各ＭＳに対する上記レンジの概算を提供する。９１１個のサポ−トに関して、もし上記ＰＣＳサ−ビスオペレ−タ−が必要なソフトウエアに投資したのならば、ハンドセットは非常事態における大まかな位置の見積もりに対して、複数のＢＳに対するＰＣＰ信号を提供する。
【０７４５】
１．２．１頭文字．
【０７４６】
Ａ／Ｄ    アナログからデジタル、
ＡＣ      認証センター
ＡＣ      自動コールバック
ＡＣＤ    自動呼分配器
ＡＣＫ    肯定応答（普通は、パケット情報の受け取ったときの応答）、
ＡＣＳＥ  共同コントロールサービス要素、
ＡＥ      アプリケーションエントリ
ＡＬＴ    自動リンク転送
ＡＭＡ    自動メッセージ課金
ＡＮＩ    自動ナンバー識別
ＡＮＳＩ  アメリカ規格協会
ＡＰＤＵ  アプリケーションプロトコルデータユニット
ＡＰＩ    アプリケーションプロトコルインターフェース
ＡＲ      自動再呼
ＡＲＣ    自動逆課金
ＡＲＱ    自動再発信要求
ＡＳＥ    アプリケーションサービス要素
ＡＳＰ    アプリケーションサービス部分
ＢＣＤ    二進化十進
ＢＥＲ    ビット誤り率
ＢＲＩ    基本レートインターフェース
ＣＡＭＡ  集中化自動メッセージ計算
ＣＡＶＥ  セルラー認証と音声暗号化
ＣＣＡＦ  呼制御代理機能
ＣＣＦ    接続（呼び出し）制御機能
ＣＣＩＴＴ  国際電信電話諮問委員会［現在は、ＩＴＵ−Ｔ］
ＣＣＩＲ  国際無線通信諮問委員会［現在は、ＩＴＵ−ＲＳ］
ＣＤＭＡ  コード分割多重アクセス
ＣＮＩ    発信者番号識別
ＣＰＮ    発信者番号
ＣＰＳ    発信者サブアドレス
ＢＳ      基地局
ＣＣＩＴＴ  国際電信電話諮問委員会
ＣＣＳ７  共通チャンネル信号＃７
ＣＧＳＡ  セルラーの地理的なサービスエリア
ＣＨＮＯ  チャンネル番号
ＣＮＤ    発信者番号表示
ＣＮＤＢ  発信者番号表示阻止
ＣＰＳＱＭ  連続位相シフト直交変調
ＣＳＳ    セルラー加入者局
ＣＳＳＩＮＡＣＴ  無活動ＣＳＳＩＮＶＯＫＥ
ＣＳＳＩＴ  無活動ＣＳＳタイマー
ＣＴ      無線電話
ＣＴＴ      クリアトランクタイマー
ＣＵＧ      閉ユーザーグループ
【０７４７】
ＤＡＣＷ    弁別的な警報／コールウエイティング
ＤＣＥ      データ回線終端装置
ＤＩＤ      ダイレクトインダイヤル
ＤＭＡＣ    デジタル移動減衰コード
ＤＭＨ      データメッセージ処理部
ＤＮ        ディレクトリ番号
ＤＰＣ      目標点コード
ＤＳＰ      デジタル信号処理部
ＤＳＳＳ    直接連続スペクトル拡散
ＤＴＥ      データ終端装置
ＤＴＭＦ    デユアルトーン周波数
ＤＶＣＣ    デジタル認証カラーコード
ＤＸＥ      データ端末又はデータ回線終端装置
ＥＣＳＡ    交換機キャリア標準化協会
ＥＥＰＲＯＭ  電気的消去可能でかつプログラム可能な読み出し専用メモリ
ＥＩＡ      電子機械工業会
ＥＩＲ      装置識別レジスタ
ＥＳＮ      電子シリアル番号
ＦＡＣＣＨ  高速アクセスコントロールチャンネル
ＦＡＸ      ファクシミリ
ＦＣ        特徴コード
ＦＥＡＴＲＥＱ  リモート特徴コントロール要求ＩＮＶＯＫＥ
ＦＤＤ      周波数分割２重化
ＦＤＭ      周波数分割多重化
ＦＤＭＡ    周波数分割多重アクセス
ＦＥＣ      前向き誤り訂正
ＦＩＦＯ    先入れ先出し
ＦＰＬＭＴＳ  未来型公衆陸上移動電話システム
ＦＳＫ      周波数シフトキーイング
ＦＵ        機能ユニット
【０７４８】
ＧＴＴ      グローバルタイトル翻訳
ＨＬＲ      ホーム位置レジスタ
ＨＬＲ／ＡＣ  ホーム位置レジスタ／認証センター
ＨＯＴ      ハンドオフ順序タイマー
ＨＴＴＲＴ  第３結果タイマーへのハンドオフ
ＨＴＴＴ    第３タイマーへのハンドオフ
ＩＡ        着信アクセス
ＩＢＳ      情報処理機能付基地局
ＩＣＢ      着呼禁止
ＩＤ        識別子
ＩＥＥＥ    国際電気電子技術協会
ＩＦ        中間周波数
ＩＮ        情報処理機能付ネットワーク
ＩＮＡＰ    情報処理機能付ネットワークアプリケーションプロトコル
ＩＳ        暫定基準
ＩＳＤＮ    統合デジタルネットワークサービス
ＩＳＯ      国際標準化機構
ＩＳＵＰ    ＩＳＤＮユーザー部
ＩＴＩ      情報変換インターフェース
ＩＴＵ      国際電気通信連合
ＩＴＵ−Ｒ  ＩＴＵ−無線通信部門（以前は、ＣＣＩＲ）
ＩＴＵ−Ｔ  ＩＴＵ−電気通信標準化部門（以前は、ＣＣＩＴＴ）
ＩＷ        相互作用
ＩＷＦ      相互作用関数
【０７４９】
ＬＡＰＢ    レイヤーアプリケーションプロトコル“Ｂ”
ＬＡＰＤ    主としてＩＳＤＮ“Ｄ”チャンネルの中で使用されるリンクアク  セスプロトコル
ＬＡＰＭ    リンクアクセスプロトコルモデム（変復調装置）
ＬＡＴＡ    ローカルアクセスと転送領域
ＬＥＣ      ローカル交換機
ＬＭＭＲＴ  位置測定最大応答タイマー
ＬＯＣＲＥＱ  位置要求ＩＮＶＯＫＥ
ＬＲＴ      位置要求タイマー
ＭＡ        移動体アプリケーション
ＭＡＨＯ    移動体によって援助されたハンドオフ
ＭＡＰ      移動体アプリケーションパート
ＭＡＴ      移動体到達タイマー
ＭＤＨＯ    移動体直接ハンドオフ
ＭＦ        多重周波数（複数の周波数）
ＭＨＯＴ    移動体ハンドオフ順序タイマー
ＭＨＳ      メッセージハンドリングシステム
ＭＩＮ      移動体識別番号
ＭＮＰ      マイクロコンピューターネットワークプロトコル
ＭＮＰ１０  マイクロコンピューターネットワークプロトコルクラス１０
ＭＯＳ      中間評価スコア
ＭＳ        移動局
ＭＳＡ      移動サービス領域
ＭＳＣ      移動体交換センター
ＭＳＣ−Ｇ（ＩＳ−４１．Ｉ−Ｂ）  移動体交換センター−ゲートウエイ
ＭＳＣ−Ｈ  移動体交換センター−ホーム
ＭＳＣ−Ｖ  移動体交換センター−ビジターのとき
ＭＳＣＧ（？）  移動体交換センターゲートウエイ
ＭＴＰ      メッセージ転送部
ＭＴＳＯ    移動体電話交換局
ＮＡＫ      否定応答（通常、情報パケットの受領）
ＮＡＭ      番号割り当てモジュール
ＮＡＮＰ    北アメリカ番号付与計画
ＮＯＣ      ネットワークオペレーションセンター
ＮＰＡ      番号付与計画領域
ＮＳＡＰ    ネットワークサービスアクセスポイント
ＮＸＸ      オフィスコード
【０７５０】
ＯＡ        発信アクセス
ＯＡＭ＆Ｐ  運転、許可、保守及び供給
ＯＣＢ      発呼禁止
ＯＰＣ      発信点コード
ＯＰＤＵ    動作プロトコルデータユニット
ＯＳＩ      オープンシステムズインターコネクション
ＰＡＢＸ    自動式構内交換機
ＰＡＣＡ    優先アクセス及びチャンネル割り当て
ＰＡＤ      パケットアッセンブリディスアッセンブリ
ＰＢＸ      構内交換機
ＰＣ（ＩＳ−４１，Ｉ−Ｂ）  ポイントコード
ＰＣＭ      パルス符号変調
ＰＣＳ      パーソナルコミュニケーションシステム
ＰＣＳＣ    ＰＣＳ交換センター
ＰＤＮ      公衆データネットワーク
ＰＤＵ      プロトコルデータユニット
ＰＩ        公開指示
ＰＩＤ      パーソナル端末ＩＤ
ＰＩＮ      パーソナル端末ＩＤ番号
ＰＬＣＳ    パーソナル通信位置サービス
ＰＭＣ      パーソナル移動度コントローラ
ＰＭＤ      パーソナル移動度データ保存
ＰＭＭ      ハーソナル移動度管理
ＰＰＤＵ    公開プロトコルデータユニット
ＰＰＴＮ    公衆パケット電話ネットワーク
ＰＲＩ      初期レートインターフェース
ＰＲＯＦＤＩＲ  サービスプロフィール指令ＩＮＶＯＫＥ
ＰＲＯＦＲＥＱ  サービスプロフィール要求ＩＮＶＯＫＥ
ＰＳＰ      ＰＣＳサービス提供者
ＰＳＰＤＮ  加入パケットデータ回線
ＰＳＴＮ    加入電話回線
ＱＡＭ      直交振幅変調
ＱＤＴ      条件指示タイマー
ＱＯＳ      サービス品質
ＱＰＳＫ    ４相位相シフトキーイング
ＱＲＴ      品質要求タイマー
ＱＵＡＬＤＩＲ  品質指示ＩＮＶＯＫＥ
ＱＵＡＬＲＥＱ  品質要求ＩＮＶＯＫＥ
【０７５１】
ＲＡ        レート適合
ＲＡＮＤ    ランダム番号
ＲＡＳＣ    無線アクセスシステム制御装置
ＲＣＩＤ    無線チャンネル確認装置
ＲＣＴ      登録取り消しタイマー
ＲＤＲＴ    書き換え要求タイマー
ＲＥＤＲＥＱ  書き換え要求ＩＮＶＯＫＥ
ＲＥＧＣＡＮＣ  登録取り消しＩＮＶＯＫＥ
ＲＥＧＮＯＴ  登録通知ＩＮＶＯＫＥ
ＲＦ          無線周波数
ＲＦＣＴ      遠隔特徴コントロールタイマー
ＲＮ          書き換え番号
ＲＮＩ        書き換え番号確認
ＲＮＴ        登録通知タイマー
ＲＯ          遠隔操作
ＲＯＵＴＲＥＱ  発信要求ＩＮＶＯＫＥ
ＲＰ          無線端子
ＲＰＣ        無線端子制御器
ＲＰＣＵ      無線端子コントロールユニット
ＲＰＩ        無線端子中継
ＲＰＴ        個人無線端末
ＲＲＴ        発信要求タイマー
ＲＳＳＩ      受信信号強度指示
ＲＳＳＩ）    受信信号強度指示器
【０７５２】
ＳＡＣＣＨ    スローアクセスコントロールチャンネル
ＳＡＴ        音声トーン管理
ＳＢＩ        短縮バースト指示器
ＳＣＡ        選択呼受理
ＳＣＡＩ      コンピューター交換アプリケーション用インターフェース
ＳＣＣ        ＳＡＴカラーコード
ＳＣＣＰ      信号接続制御部
ＳＣＥＦ      通話形成環境機能
ＳＣＦ        選択通話送信
ＳＣＦ        サービス制御機能
ＳＣＭ        局の等級マーク
ＳＣＰ        サービス制御ポイント
ＳＣＲ        通話選択拒否
ＳＩ          スクリーニング指示器
ＳＤＦ        通話データ機能
ＳＤＬＣ      同期データリンクプロトコル
ＳＩ          スクリーニング指示器
ＳＩＤ        システムＩＤ
ＳＬＥ        スクリーニングリスト編集
ＳＬＦ        スクリーニングリスト特徴
ＳＭＡＦ      サービス管理アクセス（代理）機能
ＳＭＤＩ      簡略化メッセージデスクインターフェース
ＳＭＦ        サービス管理機能
ＳＰＤＴ      サービスプロファイル指示タイマー
ＳＰＤＵ      会議プロトコルデータユニット
ＳＰＲＴ      サービスプロファイル要求タイマー
ＳＲＦ        特別な資源機能
ＳＳ７        信号システム番号７
ＳＳＮ        サブシステム番号
ＳＴ          信号トーン
ＳＴＰ        信号転送点
ＳＷＩＤ      スイッチ識別
ＳＷＮＯ      スイッチ番号
【０７５３】
ＴＡ          端末アダプター
ＴＢＣＤ      電話２進化１０進
ＴＣ          トランザクション能力
ＴＣＡＰ      トランザクション能力アプリケーションパート
ＴＤＤ        時分割２重化
ＴＤＭ        時分割多重化
ＴＤＭＡ      時分割多重アクセス
ＴＥ          端末機器
ＴＨＴＴＴ    第３タイマーへのタンデムハンドオフ
ＴＩＤ        端末ＩＤ
ＴＲ          技術報告
ＴＬＤＮ      仮位置デレクトリー番号
ＴＬＤＮＡＴ  仮位置デレクトリー番号共同タイマー
ＴＭＣ        端末移動度コントローラー
ＴＭＤ        端末移動度データ記憶装置
ＴＭＭ        端末移動度管理
ＴＭＮ        電気通信管理ネットワーク
ＴＰＤＵ      転送プロトコルデータユニット
ＴＲＡＮＵＭＲＥＱ  番号要求ＩＮＶＯＫＥへの転送
ＴＳＡＰ      転送サービスのアクセス点
ＴＳＣ        副技術委員会
ＴＳＲ        タイムスロット及びレート指示
ＴＴＮＲＴ    番号要求タイマーへの転送
【０７５４】
ＵＣＨ        ユーザーチャンネル又は音声チャンネル
ＵＤＴ        単位データメッセージ
ＵＤＴＳ      単位データサービスメッセージ
ＵＮＲＥＬＤＩＲ  信頼できない移動中データ指示ＩＮＶＯＫＥ
ＵＰＮ        ユーザー供給番号
ＵＰＴ        全世界共通パーソナル通信
ＵＰＴ＃      全世界共通パーソナル通信番号
ＵＲＤＤＴ    信頼できない移動中データ指示タイマー
ＶＣＨ        音声チャンネル
ＵＴＣ        世界共通時間
ＶＢＤ        音声バンドデータ
ＶＣ          音声チャンネル
ＶＬＲ        訪問位置レジスター
ＶＭＡＣ      音声移動減衰コード
ＶＭＳ        音声通話システム
ＷＡＭＳ      無線アクセス移動サービス
ＸＸＸＸ      局番号（ＮＰＡ−ＮＸＸ−ＸＸＸＸの中の）
【０７５５】
１．２．２定義．
Ａ−キー．
移動局に保存された秘密の６４ビットパターン。それは、移動局の分配された秘密データを生成して更新するために使用される。そのＡ−キーは、移動局の認証過程で使用される。
【０７５６】
短縮警報．
短縮警報体制は、ユーザーに前に選択された二者択一のルーチンが実行中であることを知らせるために用いられる。
【０７５７】
アクセス拒絶呼処理法．
占有するに従って適用される音声、声明、呼び出し変更。
【０７５８】
ＡＣＣＯＬＣｐ．
どの過負荷領域がアクセスを抑制しているか確認するための１つの４ビット番号。
【０７５９】
課金管理．
ネットワークサービスの使用に対する料金を決定することができるように、その使用の測定を可能にする機能のセット
【０７６０】
音響エコーキャンセラー−．
活性化−
【０７６１】
請求勧告．
ユーザーに提供しても差し支えない、通話料金に関する情報
【０７６２】
警報領域．
その中の無線端末が警報手続きがされる領域。
注、その警報領域は、端末登録領域と一致するかもしれないし、一致しないかもしれない。
【０７６３】
警報識別記号．
警報領域の中において、登録された端末に割り当てられた識別記号
【０７６４】
アナログアクセスチャンネル．
サービスを受けるために移動局によって使用されるアナログコントロールチャンネル。
【０７６５】
アナログ色コード．
基地局から送信されたアナログ音声チャンネルに関するアナログ信号（監視音声音質参照）であって、干渉基地局による移動局の捕捉の検出又は干渉移動局による基地局の捕捉の検出に使用される。
【０７６６】
アナログコントロールチャンネル．
基地局から移動局又は移動局から基地局への、デジタルコントロール信号の送信に使用されるチャンネル。
【０７６７】
アナログページングチヤンネル．
移動局を探すためと、命令を送るために使用される、先に進んだアナログコントロールチャンネル。
【０７６８】
アナログ音声チャンネル．
音声会話及び、短いデジタルメッセージを基地局から移動局に又は移動局から基地局に送信するチャンネル。
【０７６９】
アンカー．
通常は、ネットワークからの呼び出された時、または、無線パーソナル端末又は無線終端（ＲＰＴ／ＲＴ）から要求された時、ＲＰＴ／ＲＴに対してサービスする構成要素であり、アンカー構成要素は、サービス構成要素を介してＲＰＴ／ＲＴに対する複数のベアラチャンネル及び／又は制御チャンネルを保持する。
【０７７０】
アンカーＰＣＳＣ．
基地局を制御するパーソナル通信交換センター（ＰＣＳＣ）は最初に、１つの創設、終結の要求に対して１つのトラヒックチャンネルを割り当てる。この要求が持続している間、もし移動局が他のＰＣＳＣにハンドオフされる可き場合には、このＰＣＳＣがアンカーポイントになるであろう。
【０７７１】
ＡＵＴＨ．
システムパラメータオーバーヘッドメッセージの中の１つの１ビットフィールド。１にセットされたとき、そのシステムが確認手続きを支持していることを示す。
【０７７２】
確認．
システムアクセスで、移動局を確認するために基地局で使用される手続き。
【０７７３】
確認応答．
確認アルゴリズムの１８ビット出力。移動局の登録、創設、終結の確認に使用される。
【０７７４】
委任コード．
委任
【０７７５】
自動再呼び出し．
自動パーソナル登録抹消．
ユーザーの位置登録が、ユーザーのいかなる明示の行動なしで自動的に抹消されるプロセス。
【０７７６】
自動パーソナル登録．
ユーザーの位置登録が、ユーザーのいかなる明示の行動なしで自動的に更新されるプロセス。
【０７７７】
自動再コール．
【０７７８】
補助サービス．
音声メイル、ページング等のＰＳＣで提供されないであろう種々のサービスを示す。
【０７７９】
基地局．
家庭用の無線公衆セルラー電話サービスにおける、移動局との通信に使用される、移動局を除く局。
【０７８０】
基地局確認応答（ＡＵＴＨＢＳ）．
確認アルゴリズムによって発生される１８ビットパターン。ＡＵＴＨＢＳは、割り当てられた秘密データの更新するための、基地局の順序の妥当性を確認するため、及び割り当てられた秘密データの更新に使用される。
【０７８１】
基地局ランダム変数（ＲＡＮＤＢＳ）．
基地局の順序の確認における、割り当てられた秘密データの更新のために、移動局で発生される３２ビットランダム番号。
【０７８２】
基本電話サービス．
電話特有の要求を満足させる能力の総てをいい、それはいかなる付加サービスを必要とすることなく供給される。
【０７８３】
ＢＣＨコード−
【０７８４】
ベアラチャンネル−
【０７８５】
ベアラサービス．
ユーザーネットワークインターフェース間を信号伝送できる能力を供給する電話サービス。
【０７８６】
ベアラサービス．
アクセスポイント間の適当な信号伝送を必要とする、ユーザーに供給される電話サービス。
【０７８７】
ＢＥＲ．
ビット誤率＝受信ビット誤り／送信ビットの総数
【０７８８】
ＢＩＳｓ．
システムにアクセスした時に、移動局が、後ろ向きのアナログコントロールチャンネル上で、使用されていない状態から使用状態への変化をチェックしなければならないかどうかを確認する。
【０７８９】
話中−空きビット．
基地局から送信された、順方向のアナログコントロールチャンネル上のデータストリームの一部分であり、逆方向のアナログコントロールチャンネルに対応する電流の有無の状態を示す。
【０７９０】
通話受理．
１つの端末上に警報を発生させることができ、警報が発生したその端末を必要とせず、どの端末上の呼び出しに応答するか選択できるメカニズム
【０７９１】
呼び出し配達方法．
ＰＣＳＣ−Ｖの加入者に呼び出しを供給する方法。
【０７９２】
呼び出し配達．
セルラー加入者に向けられた呼び出しが、ｖｉｓｉｔｅｄシステムの中で放浪する間に加入者に供給される過程。
【０７９３】
通話断線．
２つ又はそれ以上のネットワークアドレス間の接続を開放要求のプロセス。
【０７９４】
呼び出し先話中．
呼び出し先無応答．
移動加入者先話中．
移動加入者先未登録．
呼び出し先ページング無応答．
呼び出し先渋滞．
呼び出し先未接続．
【０７９５】
呼び出し保留．
呼び出し管理．
行き先同一−捜し出された無線端末または有線アクセス位置が、１つのＵＰＴ番号である場合のプロセス。
【０７９６】
呼び出し管理．
行き先端末（Ｓ）／ユーザー（Ｓ）を見付け出す。無線端末又は有線アクセス位置を通して、ＰＣＳユーザー（Ｓ）の呼び出し群から、ネットワークが接続する過程。
【０７９７】
呼び出し経過音．
通話放棄．
通話に使用される設備及び回線を放棄する過程。
【０７９８】
通話終了．
加入者に到来呼を接続する過程。
【０７９９】
通話記録．
通話変換．
呼び出し待ち．
呼び出し．
基本的な電話サービスの実例。
【０８００】
呼び出し番号確認公開．
呼び出し番号確認制限．
呼び出し番号確認．
呼び出し番号群．
【０８０１】
ＰＣＳＣ候補．
この用語は、最良のセルＩＤと信号品質を供給するように要求されるＰＣＳＣに関連する、現在サービスされているＰＣＳＣによるハンドオフ測定期間の意味で使用される。
【０８０２】
ＣＣＬＩＳＴｓ．
移動局によって、直接再試行タスク（２．６．３．１４参照）プロセス中で走査されるアナログコントロールチャンネルリスト。
【０８０３】
ＣＤＭＡ．
コード分割多重アクセス；無線アクセス技術。
【０８０４】
セル位置．
セル用の無線機器及び補助機器の物理的位置。この用語はまた、セル用地における無線機器の位置に関連して使用される。
【０８０５】
ＰＣＳキャリヤー．
パーソナル通信サービスを提供する権限を与えられた責任ある代理店組織の許可を受けた者。（アメリカでは、連邦の通信委任組織の許可者）
【０８０６】
ＣＥＬＰ．
コード励起線形予測コード化。これらの技術は、線形予測コード励起信号をベクトル量子化するために、コードブックを使用する。
【０８０７】
チャンネル品質測定（ＣＱＭ）．
移動チャンネル品質測定結果がＦＡＣＣＨ又はＳＡＣＣＨを越えて基地局に送られる２つの部分のデジタルメッセージ。
【０８０８】
課金指示器．
【０８０９】
チッピング．
それぞれ＋１と−１と呼ばれるハイとローの２つの状態の間を連続的に変化する広帯域変調信号の振幅。ハイとローの順番は擬似ランダムである。それは、等しいスペース間隔では、広帯域変調信号が＋１である可きか、−１である可きかを決定するコントロールロジックである。ロジックチップは、＋１の数と−１の数は概略等しくなるように、かつ受信機が認識することができるパターンに従うように、十分長い時間ではランダムに見えるように振幅を反転させる。反転スピードは、直接スペクトル拡散が刻む又はチップのビットであるので、チップレートと呼ばれる。
【０８１０】
建物清掃．
交換機と情報管理向けのサービス。
【０８１１】
閉鎖ユーザーグループ（ＣＵＧ）．
【０８１２】
ＣＭＡＸｓ．
システムアクセスの時に、移動局によって走査されるチャンネルの最大数。
【０８１３】
コード管理タスク効果．
ＥＩＡの技術部門の援助のもとで、このＩＳ−５３の供給量に従って、コード割り当て調整に責任を持つであろうセルラー工業代表グループ。
【０８１４】
コーディク．
符号器と復号器とが直列に接続された複合体。
【０８１５】
符号化デジタル確認カラーコード（ＣＤＶＣＣ）
各タイムスロット毎に、移動局と基地局との間で送られる、８ビットのＤＶＣＣと４ビットの保護ビットを含む１２ビットデータ領域。それは、共通チャンネルデータよりむしろ正しいデータが復号されるように示すために使用される。
【０８１６】
コーダー．
エンコーダーのこと。
【０８１７】
コミュニケーション．
例えば、電話通信サービス
【０８１８】
会議通話．
【０８１９】
秘密性．
それによっては、内容又は通話相手に関する情報が利用されない、認定されていない個人、内容、手続きが公表されないこと。
【０８２０】
秘密管理．
確認、データ収集、データ供給をコントロールをする機能の供給。
【０８２１】
接続番号確認表示．
接続番号確認制限．
【０８２２】
接続コントロール．
割り当て、回収の供給、ベアラチャンネルの交差接続を供給する。そして、資源と施設を関連付けて管理する。
【０８２３】
連続送信．
連続していない送信させない動作モード。
【０８２４】
移動減衰コントロールコード（ＣＭＡＣ）．
逆方向のコントロールチャンネルに関する移動局の送信の最大レベルを示す、コントロールフィラーメッセージの中の３ビット領域。
【０８２５】
世界時間の調整．
ＣＯＵＮＴｓ−ｐ．
移動局に固定されたモジュロ６４数。ＣＯＵＮＴｓ−ｐは電源オフの間も維持される。
【０８２６】
ＣＰＡｓ．
アクセスファンクションがページングファンクションに接続されているかどうかをアナログコントロールチャンネル上で確認する。
【０８２７】
暗号法［７４９８−２］．
情報内容を隠し、検出されない変更を防止し、認定されていない使用を防止するデータの変換方法、手段及び原理を具体化する規律。
【０８２８】
単なるＣＵＧ施設．
受信送信アクセスＣＵＧ．
受信アクセスＣＵＧ．
送信アクセスＣＵＧ．
得意先発信通話記録．
【０８２９】
周期的な重複チェック（ＣＲＣ）．
ビットエラーの検出と訂正が可能な、好ましい数の連続したビットが決められた方法で符号化される過程。この基準では、信頼できる確かなビット列を、明示された多項式とＣＲＣ−１６（ＣＣＩＴＴ）とＢＣＨコード構造を用いて符号化する。
【０８３０】
データ通信．
情報のデジタル伝送（音声を除く）
【０８３１】
データメッセージハンドラー（ＤＭＨ）．
装置の形態は、自動的にシステム間の信号化されていないデータメッセージを交換することができるように設計されている。
【０８３２】
ｄＢＳＰＬ．
デシベル表示された音圧レベル。０．００２ｄｙｎｅｓ／ｃｍ２に関しては、２０ｌｏｇ１０（圧力／０．０２ｄｙｎｅｓ／ｃｍ２）ｄＢＰａルが好まれる。
【０８３３】
ｄＢＡ．
韻律特性とＡＮＳＩＳ１．４−１９８３及びＡＮＳＩＳ１．４ａ−１９８５の付録に示された荷重係数“Ａ”とを用いて得られるｄＢ表示された荷重音圧レベル。
【０８３４】
ｄＢｍＯ．
１ｍｍＷに対応する電力。ＣＣＩＴＴ勧告Ｇ．７１１は、μ−ＰＣＭコードについては、フルスケールの正弦波に対して理論的な負荷容量が÷３．１７ｄＢｍＯである可きことを明示する。
【０８３５】
ｄＢＰａ．
１パスカルに対応する音圧レベル、２０ｌｏｇ１０（圧力／１Ｐａ）
【０８３６】
ＤＣＣｓ．
移動局の一時メモリーに保存されたＤＣＣ数。
【０８３７】
非活性．
【０８３８】
復号器．
デジタル表示からアナログフォーマットへの信号変換するためのデバイス。トランスコーダーを参照。この標準化の目的で、デバイスはＩＳ−５４§２．２．２．２．４に適合する。
【０８３９】
専用コントロールチャンネル．
基地局及び移動局からのデジタルコントロール情報の伝送に使用されるチャンネル。
【０８４０】
数字区切り文字．
数字区切り文字は、通常、ポンド、シャープ又は数字キーとして知られているキャラクター＃である。
【０８４１】
数字列．
いくらかの特徴は、特徴コードストリングが、その特徴の対象である、例えば、送信呼び出しの到達アドレス、クレジット・カード情報、パスワード等の付加情報を含むことを必要とする。そのような付加情報は、数字列と呼ばれる。数字列は、変更数字とは異なる。変更数字は、数字列が特徴動作の対象であることに対して、特徴の中のオプションの定義を提供するために使用される。
【０８４２】
デジタルカラーコード（ＤＣＣ）．
干渉移動局によって基地局の捕獲を検出するために使用される順方向のアナログコントロールチャンネル上に基地局によって送信されたデジタル信号。
【０８４３】
デジタルデータサービス（フアクシミリを含む）．
デジタルデータサービスは、変調されていないデータが、直接ベースバンドタイムスロットに挿入されて、チャンネルビットレートで送られている。もしチャンネルビットレートがデータレートより早い場合は、外部タイムスロットの中のある種の情報の位置は、レート適合が要求される。レート適合標準は、ビットを詰める形式であり、かつ詰め込まれたビットは先にエラー訂正情報を持つＶ．１１０、バイトを詰めるＶ．１２０及びフラッグを詰めるＸ．３１とを含む。
【０８４４】
デジタル移動減衰コード（ＤＭＡＣ）．
移動局にデジタルトラヒックチャンネルを割り当てたときに、移動局の初期電力レベルを示す４ビット領域。
【０８４５】
デジタルカラー確認コード．
基地局から移動局に送信され、ＣＤＶＣＣの生成に使用されるデジタル８ビットコード。
【０８４６】
数字．
０，１，２，３，４，５，６，７，８，９からなる数字。
【０８４７】
直接連続スペクトル拡散．
極めて広い帯域のデジタル信号で、直接オリジナルベースバンド信号を変調することにより、直接連続変換がスペクトルを拡散させる。その広帯域変調信号の振幅は、連続的にそれぞれ＋１と−１で表されるハイとローの２つの状態の間で変化する。ハイとローの連続は、擬似ランダムである。空間間隔が等しい場合には、コントロールロジックがその広帯域変調信号が＋１をとる可きか−１をとる可きかを決定する。ロジックチップは、＋１の数と−１の数は概略等しくなるように、かつ受信機が認識することができるパターンに従うように、十分長い時間ではランダムに見えるように振幅を反転させる。反転スピードは、直接スペクトル拡散が刻む又はチップのビットであるので、チップレートと呼ばれる。
【０８４８】
不連続伝送（ＤＴＸ）．
移動局がアナログ音声チャンネル上又はデジタルトラヒックチャンネル上で会話状態にある間、移動局の送信機が自主的に２つの送信機の電力レベルの間を切り替わる動作モード。
【０８４９】
特別警戒／着信待ち．
妨害禁止特色．
【０８５０】
ＤＴＸｓ．
アナログ音声チャンネル上の不連続な伝送モードに使用することができる移動局中の確認方法。
【０８５１】
デュープレックス方式．
どのようにして、２つの経路を通った送信波が到来するかについて説明する。送信方向と受信方向で異なる周波数を使用する周波数分割２重（ＦＤＤ）方式、及び送信方向と受信方向で同一の周波数を使用する時分割２重（ＴＤＤ）においても、送信波が反射する。これは、情報が最も早く到来する通常のものと、受信エンドで遅れて到来するものの２通りが存在することを意味している。
【０８５２】
ＤＶＣＣｒ．
デジタルトラヒックチャンネルを通して、移動局によって受信されたＤＶＣＣ数。
【０８５３】
ＤＶＣＣｓ．
移動局の一時メモリーに保存されたＤＶＣＣ数。
【０８５４】
ダイナミックレンジ．
２０〜３０マイルの半径のセル内の基地局と移動局との間の２つの方向の伝送間の減衰量は、両方の受信機が受信信号の広いレンジの信号を越えて動作する能力を必要とすることを示している。山やビルディング等の物理的な妨害のある地域では、それらの陰になってさらに信号が減衰する。
【０８５５】
これらの問題は、今日では、デジタル伝送領域で素早く反応する自動ゲインコントロール（ＡＧＣ）回路で解決することができる。トランシーバー用に紹介されているデジタルセルラー部品は、受信信号強度が８０ｄＢを越える範囲で動作させることができる。
【０８５６】
エコーキャンセラー．
緊急サービス．
どのＲＰＴ／ＲＴも、緊急呼び出しを可能にする可きである。緊急呼び出しは、確実に接続するために、外の総ての呼び出しより高い優先順位を有していなければならない。
【０８５７】
暗号化．
暗号テキストを生成するための、データ変換法（暗号法を参照）。
【０８５８】
エンコーダー．
デジタル表示のために、信号を符号化するためのデバイス。
【０８５９】
エンクライプション［７４９８−２］．
暗号法を参照
【０８６０】
Ｅｓ．
順方向アナログコントロールチヤンネル上に送られる電界の保存値。Ｅｓは、システムにアクセスしているときに、ホーム移動局がＭＩＮＩｐだけを送信すればいいのか、ＭＩＮ１ｐとＭＩＮ２ｐの双方を送信する必要があるのかを確認する。
【０８６１】
ＥＸｐ．
システムにアクセスしているときに、ホーム移動局がＭＩＮＩｐだけを送信すればいいのか、ＭＩＮ１ｐとＭＩＮ２ｐの双方を送信する必要があるのかを確認する。ＥＸｐは、その情報が移動局の安全と確認のメモリーの中に保存されている点で、Ｅｓと異なる。
【０８６２】
拡張プロトコル．
新しいシステムと動作能力を付加するための、移動局と基地局との間の信号化されたメッセージのオプション拡張。
【０８６３】
拡張電話サービス．
外部ネットワーク．
他の音声表現、デジタルデータ、パケットデータ及び広帯域データネットワーク。
【０８６４】
強く関連づけられたコントロールチャンネル（ＦＡＣＣＨ）．
基地局と移動局との間で交換される信号メッセージ用に使用される空と一杯のチャンネル。
【０８６５】
欠陥管理．
電話通信とその環境の異常な動作、訂正、分離、検出不可能な機能のセット。
【０８６６】
ＦＤＭＡ．
周波数分割多重アクセス；無線アクセス技術。
【０８６７】
特別機能コードストリング．
特別機能コードストリングは、特別機能をキャンセル又は実施するために、加入者から供給される。
【０８６８】
特別機能コード．
特別機能コードは、セルラーネットワークの中で、特別機能を実施したり非標準モード動作を実行するための加入者から入力されたデジット列。
【０８６９】
特別機能登録抹消．
特別機能ダイヤリング手続き．
特別機能登録．
【０８７０】
ＦＩＲＳＴＣＨＡｓ．
システムのアクセスに使用される第１アナログコントロールチャンネル番号。
【０８７１】
ＦＩＲＴＣＨＤｓ．
専用コントロールチャンネルとして使用される第１チャンネル番号。
【０８７２】
ＦＩＲＳＴＣＨＰｐ−ｐｒｉ．
移動局のホームシステムの中で、最初のページングチャンネルとして使用される第１ページングチャンネル番号。
【０８７３】
ＦＩＲＳＴＣＨＰｐ−ｓｅｃ．
移動局のホームシステムの中で、２番目のページングチャンネルとして使用される第１ページングチャンネル番号。
【０８７４】
ＦＩＲＳＴＣＨＰｓ．
ページング移動局として使用される第１アナログチャンネル番号。
【０８７５】
フラッシュリクエスト．
移動局から地上局に音声チャンネルを用いて送られた、ユーザーが特別プロセスを求めていることを示す信号。これは、ユーザーによってＳＥＮＤキーが押されることによってなされる。
【０８７６】
フラッシュリクエスト．
移動局から地上局に音声チャンネルを用いて送られた、ユーザーが特別プロセスを求めていることを示す指示。
【０８７７】
情報を持つフラッシュ．
特別プロセスが要求されていることを、デジタルトラヒックチャンネルを通じて双方向に送られたメッセージ
【０８７８】
順方向アナログコントロールチャンネル（ＦＯＣＣ）．
基地局から移動局への伝送に使用されるアナログコントロールチャンネル。
【０８７９】
順方向アナログ音声チャンネル（ＦＶＣ）．
基地局から移動局への伝送に使用されるアナログ音声チャンネル。
【０８８０】
順方向デジタルトラヒックチャンネル（ＦＤＴＣ）．
ユーザーに情報と信号を伝送するための基地局から移動局へのデジタルチャンネル。それには、ＦＤＴＣで関連付けられた、早いコントロールチャンネル（ＦＡＣＣＨ）と遅いコントロールチャンネル（ＳＡＣＣＨ）の２つの分離したコントロールチャンネルがある。
【０８８１】
順方向エラー訂正．
伝送チャンネルエラー位置を突き止めて訂正するために、余ったビットを使用する。
【０８８２】
フレーミング．
周波数ホッピングスペクトル拡散．
【０８８３】
地球静止軌道：地球静止軌道は、衛星が地球上の固定された位置上に停止しているように見える軌道である。赤道を通る平面上では、地上２２，３００法定マイルの円形軌道である。
グループ識別：セルラーシステムのグループの識別に用いられるシステム識別（ＳＩＤ）の最上位ビットのサブセット。
グループ識別：セルラーシステムのグループの識別に用いられるシステム識別（ＳＩＤ）の最上位ビットのサブセット。
ハンドオフ：移動体局を１つのチャンネルからもう１つのチャンネルに転送する動作。
【０８８４】
ホームキャリア／ホームＰＣＳＣ：そこから移動体加入者が、通常、サービスを受け、固定移動体識別番号を得るＰＣＳキャリア。
ホーム位置レジスタ（ＨＬＲ）：加入者情報のような記録を目的としてユーザ識別情報が割り当てられる位置レジスタ。
ホーム移動体局：サービスが与えられるセルラーシステム中で操作する移動体局。
ホームシステム：移動体局により“ホーム”ＳＩＤとして認識されるＳＩＤを伝送するシステム。
ホームシステム：ＰＳＳにより“ホーム”ＳＩＤとして認識されるＳＩＤを伝送するシステム。
ホームシステム：加入者／ユーザサービスプロファイル、課金情報等が永久に配置されるデータベース。
【０８８５】
通信中呼トレース．
着信呼スクリーニング．
【０８８６】
ＣＵＧ内で禁じられた着信呼．
情報転送インターフェーイス（Ｉｔｉ）：ＲＰＴ／ＲＴと無線ポートの間の必要な通信通路および必要なベアラパスの確立。例えば、ＴＤＭＡやＦＤＭＡでは、タイムスロットおよび周波数が識別され、ＣＤＭＡではシーケンスコードが識別される。
【０８８７】
呼びかけ信号（質問）．
システム内ハンドオフ．
インターワーキング機能：物理的リンクおよびネットワーク技術における複数の相違点をマスクし、矛盾のないネッチワークおよびユーザーサービスにするメカニズム。
【０８８８】
インボケーション．
ＩＲＳ：中間参照システム。ＣＣＩＴＴ勧告ｐ４８参照（ＣＣＩＴＴ、国際電信電話諮問委員会、ブルーブック、Ｖｏｌ．Ｖ、電話伝送品質、第ＩＸ回総会、メルボルン、１９８８年１１月１４−２５日、Ｒｅｃ、４８頁、８１頁）。
【０８８９】
キーフィードバックトーン．
【０８９０】
最終番号リダイヤル．
【０８９１】
ＬＡＳＴＣＨＡｓ：システムにアクセスするのに用いる最後のアナログコントロールチャンネルの番号。
ＬＡＳＴＣＨＤｓ：専用コントロールチャンネルとして用いられる最後のチャネルの番号。
ＬＡＳＴＣＨＰｓ：移動体局を呼び出すために用いる最後のアナログコントロールチャンネル番号。
ＬＯＣＡＩＤｓ：受信された位置エリアの識別。
ＬＯＣＡＩＤｓ−ｐ：現在の位置エリアの識別。
位置登録（ＬＲＥＧ）Ａ：位置エリアＩＤ登録状態を示すために用いられる１ビットフィールド。
ＬＲＥＧｓ：最も最近の位置エリアグローバルアクションメッセージ中で受信されるＬＲＥＧの記憶値。
ＬＴｓ：次のアクセスの試みが最後である必要があるか否かの識別。
【０８９２】
ＭＡＸＢＵＳＹｓ１：逆方向アナログコントロールチャンネル上で許容される  ビジー発生の最大数。
ＭＡＸＳＺＴＲｓｌ：逆方向アナログコントロールチャンネルで許容される起動試行の最大番号。
【０８９３】
平均出力電力：送信の能動状態中において測定された熱量測定法による電力として定義される。
メッセージ：基地局と移動体局の間で送られるメッセージには、命令メッセージと肯定応答メッセージの２つのタイプがある。命令メッセージは、なんらかの行動を取ることを受信機に命令し要求する。幾つかの場合、受信機は、肯定応答メッセージを返すことで命令メッセージを受信したことを知らせる。他の場合は、肯定応答メッセージは返送されない。もし、メッセージがその名前の一部として“Ａｃｋ”を有していれば、それが命令メッセージでなければ、肯定応答メッセージである。以下は、命令メッセージ名の一例である。センドバーストＤＴＭＦ、センドバーストＤＴＭＦオーダー、センドバーストＤＴＭＦオーダーメッセージ、センドバーストＤＴＭＦメッセージ。以下は、肯定応答メッセージ名の一例である。センドバーストＤＴＭＦ  Ａｃｋ、センドバーストＤＴＭＦ  Ａｃｋメッセージ、測定オーダーＡｃｋ、測定オーダーＡｃｋメッセージ。
【０８９４】
ＭＩＮ１ｐ：移動体局に割り当てられた７デジットのディレクトリ電話番号に対応する２４ビット番号。
ＭＩＮ２ｐ：移動体局に割り当てられた３デジットのエリアコードに対応する１０ビット番号。
ＭＮＲＵ：変調された雑音参照ユニット。対数的に圧伸されたＰＣＭシステムにより形成される歪と本質的に似た歪を形成するために、音声と相関関係を有する雑音をス音声信号に加える。雑音の量は、雑音に対する信号値のデシベル値で表され、通常ｄＢＱとして表現される。ＣＣＩＴＴ勧告，ｐ８１参照（ＣＣＩＴＴ、国際電信電話諮問委員会、ブルーブック、Ｖｏｌ．Ｖ、電話伝送品質、第ＩＸ回総会、メルボルン、１９８８年１１月１４−２５日、Ｒｅｃ、８１頁、１９８頁）。
【０８９５】
モービル・アシステッド・ハンドオフ（移動体によって援助されたハンドオフ）（ＭＡＨＯ）：デジタルモードにおいて、基地局からの指示のもとで、移動体が、特定されたＲＦチャンネルの信号の品質を測定するプロセス。これらの測定値はハンドオフプロセスで援助するための要求時に、基地局に送られる。
モービル・ダイレクテッド・ハンドオフ（移動体によって指示されたハンドオフ）（ＭＤＨＯ）
【０８９６】
移動体識別番号（ＭＩＮ）：移動体局に割り当てられた１０デジットのディレクトリ電話番号のデジタル表示である３４ビット番号。
移動体識別番号（ＭＩＮ）：移動体局に割り当てられた１０デジットのディレクトリ電話番号のデジタル表示である３４ビット番号。
移動体プロトコル能力インジケータ（ＭＰＣＩ）：移動体局の能力を表示するのに用いる２ビットフィールド。
移動体局：移動中または不特定の位置に停止中において用いられるように意図された国内公衆セルラー無線電気通信サービスの局。移動体局は、ポータブルユニット（例えば、ハンドヘルドパーソナルユニット）や車に搭載されたユニットを含むものとする。
移動体局クラス：移動体局クラスは表２．１．２−１で定義される。
モデム変調データ（ファクシミリを含む）
【０８９７】
修正デジット：幾つかの特徴の特別な実行は、特徴の動作に関係した付加的な情報、例えば、発呼や無応答に関連する、ベルの数、遅延時間を受容し、又は必要としてもよい。そのような場合、この情報は、フィーチャコードストリングの構造で、修正デジットとして知られる１、２または３の追加デジットを含むことにより表されても良い。１つの修正デジットのみが用いられた場合、デジット０は特別な場合であり、パラグラフ１１．２．３に示されるように扱われる。修正デジットは、デジットシーケンスのようなデジットは含まない。
【０８９８】
ＭＯＳ：平均オピニオンスコア。絶対的なカテゴリー評価（ＡＣＲ）に基づく主観的試験の結果。聞き手は、彼らが聞くスピーチサンプルを品質と関連付ける。主観的評価は数値に換算されその算術平均が結果のＭＯＳ番号である。
【０８９９】
マルチレベル優先およびプリエンプション．
【０９００】
マルチパスフェージング：異なった振幅および位相関係で、異なったパスを通って同一の送信された信号の到達による、結果として得られた受信無線信号レベル及び位相におけるゆらぎ。マルチパスフェージングは、結果的に、受信信号レベルを、受信機のしきい値以下に低下させ、又は、位相情報において歪をもたらす。
【０９０１】
マルチアクセス技術：マルチアクセス方法は、基本的にはいかに周波数を分離するかに依存して２つのタイプが存在する。１）マルチチャンネルパーキャリアでは、同時に複数のユーザチャンネルが、与えられた帯域幅（周波数分割多重［ＦＤＭ］）中に、またはビットレート（時間分割多重［ＴＤＭ］またはコード分割多重［ＣＤＭ］）中に、互いに多重化される。２）シングルチャンネルパーキャリア法では、複数のユーザが、しばしば“アクセスプロトコル”とよばれる予め構成された構造により、順次、全体の帯域幅（またはビットレート）が与えられる。回線交換環境において１つのチャンネルが割り当てられる前における複数の発信警報技術が幾つかのタイプのアクセスプロトコルを必要とする場合であっても、“シングルチャンネルパーキャリア技術”は、音声や音声と同等の品質のデータのアプリケーションよりも、ＬＡＮや衛星のアプリケーションにおいてよりしばしば見られた。
【０９０２】
１）同時分割伝送メディア（マルチチャンネルパーキャリア）アクセスプロトコル．
周波数分割多重接続（ＦＤＭＡ）は、サービスや提供者に割り当てられる帯域幅が周波数分割多重され、多くのより小さい帯域幅のチャンネルに多重され、要求があった場合、制御回路がそれらのチャンネルの１つを割り当てる方法として参照される。
【０９０３】
時間分割多重接続（ＴＤＭＡ）は、上述のＦＤＭ分割チャンネル（または、他の与えられた帯域幅）が、時間をパラメータとして更に多重され、制御回路は時間および周波数で定義されたチャンネルを、要求に合った特定のユーザに割り当てる。
【０９０４】
コード分割多重接続（ＣＤＭＡ）は、疑似ランダム（ＰＲ）または他の直交コードが多重化パラメータとして用いられ、制御回路が特定のコードを要求のある特定のユーザに割り当てるときに起動される。＋１及び−１の変化シーケンスである拡散コードは、振幅変調や位相変調により信号を拡散する。このシーケンスの＋１と−１の変化は、直接シーケンススペクトル拡散として知られており、時々、またスペクトル拡散多重接続（ＳＳＭＡ）としても知られている。また、周波数ホッピングＣＤＭＡであってもよい。
【０９０５】
２）シーケンシャルに分割された伝送媒体（単一チャンネルパーキャリア）アクセスプロトコル．
【０９０６】
比較のためのプロトタイプのサービスは、すべて、多チャンネルパーキャリアのサービス（ＰＣＳの無線ＬＡＮ部分は、ＩＥＥＥ  ８０２．１１の担当であると考えられる）なので、アップリンクおよびダウンリンク信号チャンネルアクセスプロトコルのうちの最も一般的に行われている２つのタイプについてのみ概説される。
【０９０７】
アロハ／スロッテッドアロハ：アロハプロトコルは、ローカルエリアネットワークと同様に双方向衛星通信において強い影響を与えており、移動体ユニットが発呼してチャンネルの割り当てを望む場合に良好に動作している。アロハは、本質的に、単一のチャンネルの帯域幅を割り当てるための、ランダムで統計的な方法である。すべての送信ロケーションは、パケットプロトコルを用い、すべてのパケットは同じ大きさで、これにより、いくつかのパケットが、他のパケットと同様の時間、帯域幅を占領する。局は、一時に１つのパケットしか送れないが、希望する時はいつでも送ることができる。もし、２つの局が同時に送信した場合、パケットはぶつかり、それぞれのパケットは相のインターフェイスにより破壊される。受信局がパケットを認めない場合、送信局は、ＡＲＱ（自動繰り返しリクエスト）プロトコルがパケットの再送信で行うように行動する。再送信されたパケットが、再度ぶつからないことを保証するために、各送信器は、再送信する前に、ランダムに割り当てられた間待機する。単純なアロハプロトコルの改良は、初期の衝突の検出を含んで作られる。例えば、送信を一定の時間のスロットに制限する（スロットアロハ）、量の多い局に多くの時間与えるように優先順位を割り当てる、量の多い局に更に高い出力を認め、衝突時に高出力のパケットに勝たす等である。アロハは、ＩＥＥＥ８０２．３（ＩＳＯ  ８８０２／３）として標準化されたキャリアセンスマルチアクセス／衝突検出の前駆体であり、イーサメットとして一般に知られている。他のＬＡＮアクセスプロトコル標準としては、ＩＥＥＥ  ８０２．４（ＩＳＯ  ８８０２／４）トーケンバス、ＩＥＥＥ  ８０２．５（ＩＳＯ  ８８０２／５）トーケンリング、ＩＥＥＥ  ８０２．７（ＩＳＯ８８０２／７）スロットリングがある。
【０９０８】
パケット受信マルチアクセス（ＰＲＭＡ）は、パケット伝送用アロハの拡張バージョンである。もし、伝送の初期のパケットがチャンネルを確保できた場合、スロットは、次の順のパケットにより予約される。ＰＲＭＡは、実時間でない環境でも良く働き、待ち時間は通常ダウンリンクの警告に用いられる。
【０９０９】
ＮＢＵＳＹｓｖ：移動体局が、逆アナログ制御チャンネルを捕まえようとし、その逆制御チャンネルが使用されていることを発見する時間。
ネットワーク容易性：ラジオポートコントローラとＰＣＳスイッチングセンタとの接続。
【０９１０】
ネットワークリファレンスモデル：機能的実在および論理的にＰＣＳネットワークを含むことができる関連づけられたインタフェイス標準ポイント。ノーマルチャージング
【０９１１】
北アメリカナンバリングプラン：北アメリカの公共スイッチ電話ネットワークの番号付けプラン。
Ｎｓ：移動体局が走査しなけれならないアナログページングチャンネルの数。ＮＳＺＴＲｓｖ：移動体局が逆方向アナログコントロールチャンネルを捕まえようとして失敗する回数の数。
数値情報：数値情報は、通常、移動体局の操作を表す。以下の説明は数値情報の使用を明らかにするのに用いられる。
【０９１２】
“ｐ”は、移動体局の永久の秘密および特定メモリの値の設定を表し、
“ｒ”は、フォワードアナログコントロールチャンネルを越えて移動体局によって受信される値を示し、
“ｓ”は、移動体局の臨時メモリに蓄積された値を示し、
“ｓ−ｐ”は、移動体局の半永久的な秘密および特定メモリに蓄積された値を示し、
“ｓｌ”は、変化する値の蓄積限界を示し、
“ｓｖ”は、移動体局が様々な仕事を行うのに従って変化する蓄積された値を示す。
【０９１３】
ＮＸＴＲＥＧｓ−ｐ：移動体局が、システムに次の登録をしなければならない時の認定。
操作、管理、メンテナンス、準備（ＯＡＭ＆Ｐ）システム：個人の通信サービスおよびシステムのためのモニタ、テスト、管理、トラフィック管理、および情報の開示。
オーダー  メッセ−ジの特定参照。
初期ＰＣＳＣ：ＰＳＳに配られる呼び出しを受けるＰＣＳＣ（通常ＰＳＳのホームＰＣＳＣ）。
【０９１４】
発呼トレース．
発呼禁止．
発信呼トレース．
ＣＵＧ内にとじ込められた発信呼．
【０９１５】
過負荷コントロール：移動体による逆コントロールチャンネルアクセスの制限手段。移動体は１６のコントロールレベルの１（またはそれ以上）を割り当てられる。アクセスは、１またはそれ以上の過負荷コントロールグーバルアクションメッセージ中のＯＬＣビットを設定して、基地局により、選択的に制限される。
【０９１６】
ページング：入ってきた呼び出しが置かれた時に、移動体局を探す動作。
ＰＣＩｓ：システムパラメータオーバーヘッドメッセージ中のＰＣＩ領域の記  憶値。
ＰＣＳＣ−Ｇ：ゲートウエイＰＣＳＣは、更に研究中。
ＰＣＳＣ：ＰＳＴＮへのアクセスを制御するために、ＰＣＳネットワークにより用いられる最初のスイッチングおよび制御ポイント。
ＰＣＳＣ−Ｈ：ＰＳＳの秘密および情報メモリに蓄積されたＳＩＤを放送し、またＰＳＳのＭＩＮ（ＥＩＡ／ＴＩＡ−５５３参照）が配られるディレクトリ番号の“オーナー”であるＰＳＳの“ホ−ム”ＰＣＳＣ。
【０９１７】
ＰＣＳＣ−Ｖ：そのサービスエリア内で移動者が操作する“訪問”ＰＣＳＣ。ＰＤＲＥＧｓ：最も新しい位置エリアグーバルアクションメッセージで受信されるＰＤＲＥＧ領域の記憶値。
パーフォーマンスメッセージ：電気通信機器の動作、およびネットワークまたはネットワーク要素（ＮＥ）の効果を評価しレポートする機能を与える。
【０９１８】
個人通信アクセスハンティング．
個人通信スイッチングセンタ（ＰＣＳＣ）：アクセス独立コール／サービスコントロールを支持し、アクセスおよびネットワークシステムのインタコネクトが、端末−端末サービスを支持する責任を持つ。ＰＣＳＣは、１またはそれ以上のネットワークエレメントの収集を意味する。
ノート：“センタ”の用語は物理的な位置を意味する。
【０９１９】
個人通信端末配置装置．
個人登録解除：エンドユーザが、先の端末登録を解除する工程。
個人識別番号（ＰＩＮ）：システムオペレータにより、各申し込み者のために扱われる秘密番号。ＰＩＮは、第１に、申し込み者を認識するのに用いられることを意図する（ユーザの主張する同一性の認定に用いる番号）。
個人移動体コントローラ：ユーザ認識、サービス要求確認、配置管理、警告、サービスプロファイルへのユーザアクセス、プライバシー、登録アクセスおよび呼び出しのためのコントロール論理を提供する。
個人移動体データ蓄積：ユーザを関連づけるデータの維持。
個人予約局（ＰＳＳ）：移動体局、移動体端末、持ち運びおよび固定個人予約局のような機器に言及するのに用いられる一般的用語。
【０９２０】
物理的層コントロール：トラフィックチャンネル電力、時間合わせ、いずれの不連続伝達（ＤＴＸ）が許容されるかのような一定の移動体パラメータを始め、または変えるためのディジタルモード基地局コントロールメッセージ。
ＰＬｓ：移動体局ＲＦ電力レベル。
位置認識：無線装置から受ける測定に基づく、地理的座標／位置特定能力。
電力ダウン登録（ＰＤＲＥＧ）：電力ダウン登録状態を特定するのに用いる１ビット領域。
電力アップ登録（ＰＵＲＥＧ）：電力アップ登録状態を特定するのに用いる１ビット領域。
【０９２１】
優先．
プリエンプション．
優先閉ユーザグループ．
【０９２２】
１次ページングチャンネル：移動体局を探し、命令を伝えるのに用いられ、Ｅ  ＩＡ−５５３およびＩＳ−５４双方に互換性のある移動体により支持される順  方向アナログコントロールチャンネル。
【０９２３】
優先アクセスおよびチャンネル割り当て．
プライバシーおよび認証管理：メンテナンス情報および通信ネットワークトラフィックキー管理、侵入監視、不正コントロール双方の確実性を保証する機能。
プライバシーモード：音声プライバシー状態に関する１ビットパラメータ：’０’＝’オフ’、’１’＝’オン’。
プライバシー：例えば特定されない者によるユーザ情報へのアクセスを防止するようにするユーザ情報の保護設備。
解説：この定義は、“個人通信への無線アクセスのためのプライバシー、および識別装置”のテクニカルレポートの草案で議論された空気インタフェイスに特に適する。
【０９２４】
プロトコル能力表示（ＰＣＩ）：システムパラメータオーバーヘッドメッセージの最初の言葉中の１ビット領域であって、基地局がディジタル操作の能力があるかを示す場合にセットされる。
ＰＵＲＥＧｓ：最も最近の位置エリアグローバルアクションメッセージ中で受けられるＰＵＲＥＧ領域の記憶値。
ＰＵＲＥＧｓ−ｐ：ＰＵＲＥＧの半永久値。
【０９２５】
サービスの質．
無線アクセスシステムコントローラ：無線移動体管理および無線アクセス呼びコントロール機能を支持する。１またはそれ以上の対する無線ポートコントローラを提供し、１またはそれ以上のＰＣＳ切替センタと結ばれる。
【０９２６】
無線チャンネル（リンク）：端末と無線ポート仲介者の間に、無線ポートにより設立された特定の伝送／信号接続。無線チャンネルの特性は、無線技術に依存する。
【０９２７】
無線チャンネル特定：無線ポート仲介者により管理されたコードであって、ＲＰＴ／ＲＴおよび無線ポート仲介者の間の無線接続を識別する。
無線チャンネルプライバシー：信号発信または外部情報からのデータの認められていないデータ受信機を防止するユーザデータ適用される扱い。
ノート：エンクリプション参照。
【０９２８】
無線コードチャンネル管理：端子位置登録および呼び出しセットのためにシス  テム情報を端末に提供するネットワーク。
無線施設：無線ポート仲介者と無線ポートコントローラの伝送／信号接続。
無線インタフェイス：移動体局およびネットワークの間の共通の境界であって、機能特性、共通の無線（物理的）インターコネクション特性、信号特性、および他の特性により、ふさわしいように限定される。
ノート：インタフェイスは、その２つのサイドの間のインターコネクションを一度分割するのに用いられる。分割は、タイプ、インターコネクション手段の質と機能およびそのタイプ、形状およびそれらの手段により交換される信号の形状および順序を含む。
【０９２９】
無線個人端末：ユーザが、通信サービスにアクセスし、使用しながら静止または移動できる能力を提供する軽量、ポケットサイズポータブル無線端末。
無線ポート：空気インタフェイスを越えた信号の伝達の支持。
無線ポートコントローラ：１またはそれ以上の対する無線ポート仲介者とＰＣＳ切替センタの間にインタフェイスを提供し、空気インタフェイス独立無線周波数伝達および受信機能を支持する。
【０９３０】
無線ポート仲介者：１またはそれ以上の対する無線ポート無線ポートコントローラの間にインタフェイスを提供し、空気インタフェイス独立無線周波数伝達および受信機能を支持する。
【０９３１】
無線端末：無線アクセスインタフェイスのインタフェイス終端装置。
ランダム変化（ＲＡＮＤ）：基地局により、２つの１６ビット部分：ＲＡＮＤ１Ａ、ＲＡＮＤ１Ｂ、により定期的に発信される３２ビットランダム数。移動体局は、認証工程で、ＲＡＮＤの最も新しいバージョンを蓄積し、用いる。
ランダム変化確認（ＲＡＮＤＣ）：移動体局により受信された最後のＲＡＮＤを確認するために用いられる８ビット数。
【０９３２】
ＲＡＮＤｓ：ＲＡＮＤの記憶値。
ＲＣＦｓ：逆方向アナログコントロールチャンネルでシステムにアクセスする前に、移動体局がコントロールフィラーメッセージを読まなければならないかの特定。
【０９３３】
再放射数特定．
再放射数．
ＲＥＤＩＧｓ：順方向アナログコントロールチャンネルで受信した最後の登録番号（ＲＥＧＩＤｒ）の蓄積。
ＲＥＧＩＮＣＲｓ：移動体局による登録の間の増加の特定。
登録：それによりＰＳＳが成る、ＰＣＳＣのサービス領域に存在するように記録される手順。
登録：メッセージが基地局に送られた時、移動体局が基地局に対して、それ自身がシステム内で活動しているように確認する工程。
開放要求：移動体局から基地局に送られる、ユーザの呼び出しを切りたいと望むことを現したメッセージ。
再指令トーン．
【０９３４】
繰り返しダイヤル．
逆アナログ音声チャンネル（ＲＥＣＣ）：移動体局から基地局までに用いられるアナログコントロールチャンネル。
逆アナログ：移動体局から基地局までに用いられるアナログボイスチャネル。
【０９３５】
逆チャージング．
逆ディジタルトラフィックチャンネル（ＲＤＴＣ）：ユーザ情報および信号を伝達するために用いられる移動体局から基地局へのディジタルチャンネル。ＲＤＴＣと組織付けられた高速組織コントロールチャンネル（ＦＡＣＣＨ）と低速組織コントロールチャンネル（ＳＡＣＣＨ）の２つの分離したコントロールチャンネルがある。
【０９３６】
ローマー：そこからサービスが申し込まれる１以上のセルラーシステム中で動作する移動体局。
ローマーサービスプロファイル：申し込み者と関連する、財政上の責任以外の特長、能力および／または操作制限の特性の組。
ローマー確認：財政上の責任を取り扱うローマーサービス資格の検知。また、それによりローマーの財政上の責任が確立される一般的手順。
ローマー：サービスが申し込まれる１以上のシステム中で操作する移動体局。
【０９３７】
ローミング．
ＲＯＬＲ：受信物体音量定格。受信可聴周波感度は、受信物体音量定格（ＲＯＬＲ）として表される基準エンコーダへの入力信号の受信機の音響出力に対する比である。
ＲＯＬＲ（ＰＮ−２７４５）：受信物体音量定格、受信可聴周波感度の測定。ＲＯＬＲは、受信物体音量定格（ＲＯＬＲ）として表される標準エンコーダへの線路電圧入力信号の受信機の音響出力に対する周波数荷重比である。ＩＥＥＥ２６９が感度の測定を定義し、ＩＥＥＥ６６１が物体音量定格の計算を定義する。
【０９３８】
経路選択アドレスまたは経路選択ナンバー：呼び出しの道を教えるためにネットワークにより用いられるアドレス（ナンバー）。
Ｒｓ：登録が可能か否かの表示。
チャンネルの走査：これにより移動体局が、各順方向アナログコントロールチャネルの信号の強度を試験する手順。
ＳＣＣｓ：いずれのＳＡＴを移動体局が受信すべきかを特定するために蓄積し、用いられるディジタルナンバー。
【０９３９】
ＳＤＣＣＩｓ：移動体局の一時記憶メモリに蓄積されたＳＤＣＣ値。
ＳＤＣＣ２ｓ：移動体局の一時記憶メモリに蓄積されたＳＤＣＣ値。
２次コントロールチャンネル：移動体局に適合するＩＳ−５４のために特に開発されたアナログコントロールチャンネルの補助のセット。そのようなチャネルは、基地局または移動体局のいずれかからのディジタルコントロール情報の伝達に用いられる。
２次ページングチャンネル：１次ページングチャンネルに加えて、移動体局に適合するＩＳ−５４のために特に開発されたアナログコントロールチャンネルの補助のセット。そのようなチャンネルは、移動体局を選び、命令を送るために用いられる。
【０９４０】
秘密検査トレイル［７４９８−２］：秘密検査の促進のために集められ、もしかしたら用いられるデータ。
秘密検査［７４９８−２］：システムコントロールの適切さのテストし、形成された方針と操作手順を確実にし、秘密の侵害を検知し、コントロール、方針、手順の変化を勧めるための独立した検査およびシステム記録の試験および能力。起動手順：逆アナログコントロールチャンネルの基地局への移動体局による最初のディジタルシーケンスの伝達。
【０９４１】
選択的呼び出し受信．
選択的呼び出し促進．
選択的呼び出し拒否．
【０９４２】
サービスアクセス：ネットワークがユーザに呼び物へのアクセスを提供し、ユーザのサービス要求を受ける能力であって、ユーザがＰＣＳネットワークから受信を望むサービスの伝達または供給のタイプを特定する能力。
サービス特徴取り次ぎおよび互換性：ネットワーク要素の能力をユーザのサービスプロファイル、端末、端末の能力に関係させる工程であって、サービスの特徴の配布を取り決め、望まない結果につながるサービスの相互作用を回避する工程。
サービス資格：ＰＳＳが与えられるサービス能力、特徴および特典。または、それにより、そのようなサービス能力、特徴および特典がＰＣＳＣ中で設立されるようになった一般的手順。
サービス確認（端末）：サービスプロファイルおよび／または評価状況の再調査に基づいて、端末の資格を決定した後、ネットワークが要求される能力の分配を認定する工程。
サービス確認（ユーザ）：サービスプロファイルおよび／または評価状況の再調査に基づいたサービスを、ユーザが受けられるか否かをネットワークが決定する工程。
【０９４３】
キャリアの提供／ＰＣＳＣの提供：そのＲＦ設備上で、移動体申し込み者がサービスを受けているＰＣＳキャリア。
ＰＣＳＣの提供：そのカバー領域内のセルサイトの１つでサービスをうけているＰＳＳを現在有するＰＣＳＣ。
セッションキー：通話中にプライバシーを提供し、システムによって大幅に変化するエンクリプションキー。
【０９４４】
分割された秘密データ（ＳＤＤ）：（準永久メモリ中の）移動体局に蓄積され、基地局に知られた１２８ビットパターン。ＳＤＤは、認証手順を支持するのに用いられるＳＳＤ−Ａ、および音声プライバシーマスク形成工程への入力の１つとして提供されるＳＳＤ−Ｂの２つの６４ビットの組の連鎖である。分割された秘密データは電力オフの間保持される。
分割秘密データランダム変化（ＲＡＮＤＳＳＤ）：移動体局のホームシステムにより形成された５６ビットランダム数字。ＲＡＮＤＳＳＤは、分割された秘密データを形成するために、移動体局のＡキーとＥＳＮの結合に用いられる。
【０９４５】
サイドワン．
ＳＩＤｐ：移動体局の永久秘密および特定メモリに蓄積されたホームシステムの特定。
ＳＩＤｒ：順方向アナログコントロールチャンネルで受信されるシステムの特定。
ＳＩＤｓ：蓄積されたシステム特定。
ＳＩＤｓ−ｐ：電流の（最後の成功した）登録のシステムの特定。
【０９４６】
信号トーン：移動体局によってアナログ音声チャンネルで伝えられる１０ｋＨｚトーン：１）確認命令、２）信号フラッシュ要求および３）信号放出要求。
信号：移動体局とネットワーク、またはネットワーク中での、サービス準備（例えば接続形成）のために交換された情報。
【０９４７】
低速組織コントロールチャンネル（ＳＡＣＣＨ）は、基地局と移動体局の間で交換される信号メッセージのために用いられる連続チャンネルである。固定された数のビットが、各ＴＤＭＡスロットのＳＡＣＣＨに割り当てられる。
【０９４８】
ＳＮＲ：信号対ノイズ比。信号の電力と、ノイズまたはそれに加えられたエラー信号の電力の比。ＳＮＲは、しばしば、１０ｌｏｇ１０（ＳＮＲ）として計算されるデシベル（ｄＢ）で表される。
ＳＮＲ：信号対ノイズ比。信号の電力と、ノイズまたはそれに加えられたエラー信号の電力の比。ＳＮＲは、しばしば、１０ｌｏｇ１０（ＳＮＲ）として計算されるデシベル（ｄＢ）で表される。デシベルによる信号対ノイズ比は、時間セグメントｉであらわされ、５ｍＳのセグメントサイズが用いられ、これは８ｋＨｚのサンプリング速度で４０サンプルに相当する（ＩＳ−５４の§２．１．１参照）。
ＳＮＲｉ（ＰＮ−２７４５）：デシベルによる信号対ノイズ比は、時間セグメントｉであらわされ、５ｍＳのセグメントサイズが用いられ、これは８ｋＨｚのサンプリング速度で４０サンプルに相当する（§２．１．１参照）。
ＳＮＲＳＥＧ：セグメント信号の対ノイズ比。ＳＮＲｉの全時間セグメントの荷重平均（§２．１．１参照）。
【０９４９】
スピード呼び出し．
拡張スペクトル：拡張スペクトルは、通常狭帯域の通信チャンネルで運ばれる情報を、無線（またはより高い）周波数のより広い帯域での伝送に適した情報に変換する様々な技術である。受信機は、周波数の広い範囲で運ばれた情報を、オリジナルの狭帯域周波数またはその中で運ばれる情報に戻す。２つの主な拡張スペクトル技術は、スペクトル拡張のためのより高速のコードシーケンスを用いたデータの流れの直接変換に基づく直接シーケンス拡張と、スペクトル拡張のためのコードシーケンスの関数として、周波数ドメインのデータの流れのホッピングに基づく周波数ホッピング拡張である。双方の技術は伝達電力を広い周波数帯に拡張し、単位帯域幅あたりの平均電力（ワットパーヘルツ）は大変小さくなる。受信機は、その信号を元の狭い帯域に圧縮し、広い伝送帯域でまかれていた干渉信号の電力をなくす。この操作を成功させるキーは、ユーザへの信号が、ユーザの受信機のみが認める直接シーケンスまたは周波数ホッピングパターンと結び付くことである。
【０９５０】
Ｓｓ：システムにアクセスする時における、移動体局がそのシリアルナンバーを送らなければ成らないかの特定。
【０９５１】
ステータス情報：以下のステータス情報は、このセクションでは移動体局操作を描くために用いられる。
第１の無通話ＩＤステータス。無通話工程と関連して、移動体局により様々に用いられるステータス。
第１の位置エリアＩＤステータス。受信された位置エリアＩＤメッセージの工程と関連して、移動体局により様々に用いられるステータス。
第１の登録ＩＤステータス。受信された登録ＩＤメッセージの工程と関連して、移動体局により様々に用いられるステータス。
ローカルコントロールステータス。移動体局が、ローカルコントロールメッセージに応答すべきか否かの表示。
位置登録ＩＤステータス。電力アップ登録および位置に基づく登録の工程と関連して、移動体局により様々に用いられるステータス。
ローマーステータス。移動体局がそのホームシステムか否かの表示。
供給システムステータス。システムＡまたはシステムＢに関連したチャンネルに移動体局を同調させるか否かの表示。
【０９５２】
終端ステータス：アナログ音声チャンネルの時、移動体局が呼び出しを  終端させるか否かの表示。
【０９５３】
加入者リビュー及びユーザプロフィールの変更：申し込み者の見直しおよびユーザプロファイルの改良サービス申し込みのユーザに代わって行う申し込み者の能力であって、均一手順およびコードを用いた機械化されたアクセスを通って、それらのユーザのサービスプロファイルをチェックし、新しくするためにネットワークにアクセスできる能力。
【０９５４】
監視音響トーン（ＳＡＴ）：６ｋＨｚ領域の３つのトーンの内の１つであって、基地局によって送信され、移動体局によって応答される。
補助ディジタルカラーコード（ＳＤＣＣ１、ＳＤＣＣ２）：４から６にカラーコードの数を増加させる追加ビットで、順方向アナログコントロールチャンネルで送信する。
補助サービス：基本サービスを修正し、補助するサービス。
ノート：補助サービスは、ユーザに、独立したサービスとしては提供できない。基本通信サイアロンと共に、または組み合わせて提供される。
【０９５５】
切替同定（ＳＷＩＤ）：ＳＩＤとＳＷＮＯをつなげるパラメータ。
切替番号：共通のＳＩＤと組み合わさったスイッチのグループ中の特別のスイッチを独自に同定する番号
記号：規定されたＤＱＰＳＫ変調機構で、各記号は２ビット情報を運ぶ。
（セッションキーの）同期：セッションキーの共通標準点での受信機と送信機の間の一致。
システム同定（ＳＩＤ）：セルラーシステムと組み合わされたディジタル同定。
各システムが独自の番号を割り当てられる。
物標ＰＣＳＣ：位置要求機能の途中で、ＰＳＳに最良の信号品質値を備えるセルサイトを有するように、候補者リストから選択されたＰＣＳＣ。
ＴＤＭＡ：分割多重アクセス。無線アクセス技術。
通信サービス：通信の要求を満足させる能力のセット。
テレサービス：設けられたプロトコルに従ったユーザの間の完全な通信能力を提供する、端末機器機能を含む通信サービスのタイプ。
テレサービス：他のユーザの端末機器と通信する、端末機器機能を含む必要な能力をユーザに提供する通信サービス。
端末警告：呼び出しまたは他のメッセージを伝えるためのネットワークによって、端末が注意を引く工程。
ノート：他のシステムでは、“ページング”として言及されている。
【０９５６】
端末能力検証：可能ならば、ネットワークが、端末ＩＤにより同定される端末が要求されるサービスをサポートできるか否かを検証する工程。
端末登録解除：無線端末の先の位置登録がキャンセルされる工程。
端末要素：端末機器、無線終端、端末アダプタ、データ回線終端装置、および無線個人端末。
端末機器：無線または有線アクセスにより、個人通信ユーザにサービスを提供する。
端末グループ同定：端末がメンバーであるサービスグループの同定。
端末同定認識：呼び出しパーティにより入力され、または他のネットワークから受信した情報が、端末を同定するものであると決定するネットワークの能力。
【０９５７】
端末移動コントローラ：端末証明、位置管理、警報及びＲＰＴ／ＲＴへのルート決定のためのコントロールロジックを提供する。
端末移動データストア：端末関連のデータを維持する。
端末アドレス：取扱伝送システムによって決定され、一人の（及び唯一人の）終端加入者を識別する一つあるいはそれ以上のディジット。これは、（取扱伝送子によってサポートされていれば）速度呼コード、他の移動体電話番号、あるいは、使用可能な国際電話番号を包含してもよい。
【０９５８】
成端呼トレース：
三方呼：
Ｔｍａｘ：ＶＳＥＬＰコードとＰＣＭを基礎としたネットワーク間のインタフェースを介して伝送できる変形していない最大の正弦波レベル。これを、÷３.１６ｄＢｍ０の基準レベルとみなす（IS-55§2.2.4.1及び§3.3.2.2.1参照）。
【０９５９】
ＴＯＬＲ（ＰＮ−２７４５）：伝送可聴感度の尺度である伝送目的ラウドネスレート。ＴＯＬＲは、伝送目的ラウドネスレート（ＴＯＬＲ）として表される基準デコーダの回線電圧出力に対する送信機の音響入力信号の周波数重み付き比である。ＩＥＥＥ２６９は感度の度合いを定義し、ＩＥＥＥ６６１は目的ラウドネスレートの計算を定義する。
ＴＯＬＲ：伝送目的ラウドネスレート。伝送音響感度は、伝送目的ラウドネスレート（ＴＯＬＲ）として表される基準デコーダの音響出力に対する送信機の音響入力信号の比である。
ＴＯＬＲ：伝送可聴感度の尺度である伝送目的ラウドネスレート。ＴＯＬＲは、伝送目的ラウドネスレート（ＴＯＬＲ）として表される基準デコーダの回線電圧出力に対する送信機の音響入力信号の周波数重み付き比である。ＩＥＥＥ２６９は感度の度合いを定義し、ＩＥＥＥ６６１は目的ラウドネスレートの計算を定義する。
【０９６０】
トラヒックチャネル：基地局と移動局、あるいは移動局と基地局との間で伝送されるデジタル情報のうち、下図に示されるようにユーザと信号情報の伝送にのみ使用される部分。
【０９６１】
【表３７】
0003746457.tif 000047
【０９６２】
ＦＡＣＣＨとユーザ情報とは同時に送信できない。
【０９６３】
トラヒック：加入者により作成され、ネットワーク上で伝送される情報（例えばユーザ音声あるいはデータ）。
トランスコーダ：信号をあるタイプのデジタル表示から別のタイプに変換する装置。
トランスコーダ：信号をあるタイプのデジタル表示から別のタイプに変換する装置。
【０９６４】
格子コーディング：（ヴィテルビの算法）格子コーディングは、計算された５番目のビットを各ＱＡＭ４ビット系列に追加する。この追加のビットは、既に受信したデータ系列と関連して、受信モデムが新たに着信した伝送子の位相と振幅をさらに正確に識別するのを助ける。ＱＡＭを使用するモデムは、Ｖ.２２−２、Ｖ.２９、Ｖ.３２及びＶ.３２−２を含む。
【０９６５】
ユニフォームサービス特徴伝送：加入したネットワークを基礎とする特徴及びサービス（例えば、呼待ち、呼送り、三方呼、簡略ダイヤル、他のＩＳＤＮサービス及び補足サービス等）を端末能力に基づく一様な方法でアクセスする能力。
【０９６６】
ユニーク呼掛け証明応答（ＡＵＴＨＵ）：証明アルゴリズムにより作成された１８ビットパターン。ＡＵＴＨＵはユニーク呼掛け応答手続きをサポートするために使用される。
ユニーク呼掛け応答手続き：移動局の実態を確認するために移動局と基地局との間の情報の交換。手続きは基地局から開始し、全世界に放送されているランダム変数（ＲＡＮＤ）の変わりに呼掛けと特定の乱数（例えばＲＡＮＤＵ）を使用することに特徴がある。
ユニークランダム変数（ＲＡＮＤＵ）：ユニーク呼掛け−応答手続きをサポートするために基地局により作成される２４ビットの乱数。
【０９６７】
ユーザ警報：呼び出しあるいは他のメッセージを伝えるためにネットワークがエンドユーザを注意させるプロセス。
ユーザ識別子認識：発呼者が入力あるいは他のネットワークが受信した情報がユーザ識別子（ＵＰＴ数）であることを決定するネットワークの能力。
ユーザプライバシ：予期しない非合法的アクセスに対するユーザに関する情報の保護。
ユーザプロファイル：サービスプロファイルを含み、ユーザに関するあらゆるデータ、例えば着呼処理情報、サービスプロバイダ／サービスエリア通達範囲の選択、サービス加入、サービスパラメータ等を含む。
ユーザプロファイルのユーザ調査及び修正：機械化されたアクセスを介してユニフォーム手続きとコードを使用して、ユーザのサービスプロファイルをチェックし更新するためにユーザがネットワークにアクセスできる能力。
【０９６８】
ユーザ対ユーザ信号：
訪問システム：ＰＳＳから見て、”ホーム”ＳＩＤとしてＰＳＳに認識されないＳＩＤを伝達するシステム。
訪問システム：ＭＳから見て、”ホーム”ＳＩＤとしてＭＳに認識されないＳＩＤを伝達するシステム。
ビジタ位置レジスタ（ＶＬＲ）：例えば訪問加入者の呼び出しあるいは訪問加入者からの呼び出しを処理する情報を検索するためのＰＣＳＣが使用するＨＬＲ以外の位置レジスタ。
ビジタ位置レジスタ（ＶＬＲ）：個人通信サービスを提供するために訪問ユーザについての必要な情報がユーザのＨＬＲからコピーされ一時的に格納されるデータベース。
【０９６９】
ボコーディング（音声エンコーディング）：
音声促進特徴：
音声移動減衰コード（ＶＭＡＣ）：移動局をアナログ音声あるいはトラヒックチャネルに割り当てる時、初期移動能力レベルを指令する拡張アドレスワードにおける３ビットフィールド。
音声プライバシ：デジタルトラヒックチャネルに伝達されるユーザ音声が移動局と基地局間の接続部における盗み聞きに対し暗号により適度な保護を受けるプロセス。
ＶＳＥＬＰ：ベクトルサム励起線形予報コーディング。複雑さを減少するためにコードブックを特別に構築するある形態のＣＥＬＰ。
架空メッセージ待ち（ＷＦＯＭ）：コントロールフィラーメッセージにおける１ビットフィールドであり、１に設定されると、逆コントロールチャネルに伝達する前に移動体は架空メッセージを待つ。
ＷＥＲ（ＰＮ−２７４５）：ワードエラーレート。（間違って受信されたワードの＃）／（伝達されたワードの全ての＃）に等しい。間違いワードは、失敗した周期的冗長度コード（ＣＲＣ）チェックを有するものと定義される。
ＷＥＲ：ワードエラーレート。（間違って受信されたワードの＃）／伝達されたワードの全ての＃）に等しい。間違いワードは、失敗したＣＲＣチェックを有するものと定義される。
ＷＦＯＭ：逆アナログコントロールチャネル上でシステムにアクセスする前に、移動局が架空メッセージ列を待つ必要があるかどうかを識別する。
【０９７０】
世界番号付プラン：
世界ゾーン１：
【０９７１】
ＲＦリンクプロトコルアーキテクチャ．
Ｄ５．ＲＦリンク層、バージョン２Ｔ.Ｘ．
Ｄ５.１．ループフォーマット．
Ｄ５.１.１．通常のループフォーマット．
各通常ポーリングループは、３２のＴＤＭＡフレームの対となる６４の時分割多重アクセス（ＴＤＭＡ）タイムスロットで形成されており、二重通信は各ＴＤＭＡフレーム内で時分割二重通信（ＴＤＤ）を提供することで達成される（バージョン２.Ｔ.Ｘ）。スロットには番号は付されていない。バージョン２Ｔ.Ｘの全ての文書では、語”スロット”は上記対のことである。番号は、参照のみのため表ＸＸＸに示されている。好ましいスロットの同期はタイミングにより行われる。
【０９７２】
【表３８】
0003746457.tif 000048
【０９７３】
【表３９】
0003746457.tif 000049
【０９７４】
Ｄ５.１.２．１０マイル範囲に拡張されたループフォーマット．
拡張範囲のポーリングループは、二重通信がバージョン２Ｔ.Ｘにおいて各ＴＤＭＡスロット内で時分割二重通信（ＴＤＤ）を提供することで達成される時、２５時分割多重アクセス（ＴＤＭＡ）タイムスロットで形成されている。スロットには番号は付されていない。番号は、参照のみのため表ＸＸＸに示されている。ポーリングループ関連の索引はない。好ましいスロットの同期はタイミングによってのみ行われる。
【０９７５】
【表４０】
0003746457.tif 000050
【０９７６】
Ｄ５.２．スロットフォーマット．
Ｄ５.２.１．複合スロットフレーム．
各スロットフレームは６個の要素からなり、基地と移動局間の完全なトランザクションを含む。
【０９７７】
【表４１】
0003746457.tif 000051
【０９７８】
Ｄ５.２.１.１．基地フレーム．
Ｄ５.２.１.１.１．基地フレームタイプ．
基地からＭＳに伝達されるフレームには二つのメジャータイプがあり、基地ポーリングフレームと基地トラヒックフレームである。
【０９７９】
Ｄ５.２.１.１.１.１．基地ポーリングフレーム．
基地ポーリングフレームは、ＭＳがスロットを捕獲するのに使用される。このポーリングは自由スロットを示す。
【０９８０】
【表４２】
0003746457.tif 000052
【０９８１】
Ｄ５.２.１.１.１.１.２．特殊．
特殊な基地ポーリングは、ＰＩＤ情報要素により識別されたＭＳだけのための案内であり、現在のスロットを捕獲する。
【０９８２】
【表４３】
0003746457.tif 000053
【０９８３】
Ｄ５.２.１.１.１.２．基地トラヒックフレーム．
二つの基本タイプの基地トラヒックフレームがあり、ベアラトラヒックと信号トラヒックである。各タイプの基地トラヒックフレームには、高帯域幅、低帯域幅及び対称帯域幅の三種がある。ベアラトラヒックはまた放送用のものがある。
【０９８４】
Ｄ５.２.１.１.１.２.１．高帯域幅ベアラ．
高ベアラトラヒックフレームは、ユーザトラヒックを基地から移動局に伝送するのに使用される。二つのタイプのベアラトラヒックがあり、ＦＣＷあるいはエラー制御トラヒック、及び、ＲＡＷあるいはエラー制御されないトラヒックである。
【０９８５】
Ｄ５.２.１.１.１.２.１.１．ＦＣＷ．
ＦＣＷあるいはフレームチェックワードトラヒックはエラー制御される。ＦＣＷにより検出されたエラーは、再伝送により訂正される。ＦＣＷフレームは一時的に変形してもよい。
【０９８６】
【表４４】
0003746457.tif 000054
【０９８７】
Ｄ５.２.１.１.１.２.１.２．ＲＡＷ．
ＲＡＷフレームはエラー訂正なく伝送される。エラー訂正は、ＰＣＳサービスオペレータアプリケーションの責任である。
【０９８８】
【表４５】
0003746457.tif 000055
【０９８９】
Ｄ５.２.１.１.１.２.２．高帯域幅信号．
高帯域幅信号トラヒックフレームは、高速度システム信号を基地からＭＳに伝送するために使用される。このフレームは、ＦＣＷエラーコントロールを含み、再試行は、その時発生する信号列に依存する。
【０９９０】
【表４６】
0003746457.tif 000056
【０９９１】
Ｄ５.２.１.１.１.２.３．低帯域幅ベアラ．
低帯域幅ベアラトラヒックフレームは、少ないユーザトラヒックを基地から移動局に伝送するのに使用される。二つのタイプのベアラトラヒックがあり、ＦＣＷあるいはエラー制御トラヒック、及び、ＲＡＷあるいはエラー制御されないトラヒックである。
【０９９２】
Ｄ５.２.１.１.１.２.３.１．ＦＣＷ．
ＦＣＷあるいはフレームチェックワードトラヒックはエラー制御される。ＦＣＷにより検出されたエラーは、再伝送により訂正される。ＦＣＷフレームは一時的に変形してもよい。
【０９９３】
【表４７】
0003746457.tif 000057
【０９９４】
Ｄ５.２.１.１.１.２.３.２．ＲＡＷ．
ＲＡＷフレームはエラー訂正なく伝送される。エラー訂正はユーザの責任である。
【０９９５】
【表４８】
0003746457.tif 000058
【０９９６】
Ｄ５.２.１.１.１.２.４．低帯域幅信号．
低帯域幅信号トラヒックフレームは、少ないシステム信号を基地からＭＳに伝送するために使用される。このフレームはＦＣＷを含む。エラーコントロールと再試行は、その時発生する信号列に依存する。
【０９９７】
【表４９】
0003746457.tif 000059
【０９９８】
Ｄ５.２.１.１.１.２.５．対称帯域幅ベアラ．
対称帯域幅ベアラトラヒックフレームは、通常ユーザトラヒックを基地から移動局に伝送するのに使用される。二つのタイプのベアラトラヒックがあり、ＦＣＷあるいはエラー制御トラヒック、及び、ＲＡＷあるいはエラー制御されないトラヒックである。
【０９９９】
Ｄ５.２.１.１.１.２.５.１．ＦＣＷ．
ＦＣＷあるいはフレームチェックワードトラヒックはエラー制御される。ＦＣＷにより検出されたエラーは、再伝送により訂正される。ＦＣＷフレームは一時的に変形してもよい。
【１０００】
【表５０】
0003746457.tif 000060
【１００１】
Ｄ５.２.１.１.１.２.５.２．ＲＡＷ．
ＲＡＷフレームはエラー訂正なく伝送される。エラー訂正はユーザの責任である。
【１００２】
【表５１】
0003746457.tif 000061
【１００３】
Ｄ５.２.１.１.１.２.６．対称帯域幅信号．
対称信号トラヒックフレームは、通常システム信号を基地からＭＳに伝送するために使用される。このフレームはＦＣＷを含む。エラーコントロールと再試行は、その時発生する信号列に依存する。
【１００４】
【表５２】
0003746457.tif 000062
【１００５】
Ｄ５.２.１.１.１.２.７．放送ベアラ．
ベアラトラヒックフレームは、ユーザトラヒックを基地から複数の移動局に伝送するのに使用される。一つのタイプの放送ベアラトラヒックしかなく、ＲＡＷトラヒックである。このトラヒックの前方エラーコントロールはアプリケーションの責任である。
【１００６】
Ｄ５.２.１.１.１.２.７.１．ＲＡＷ．
ＲＡＷフレームはエラー訂正なく伝送される。エラー訂正はＰＣＳサービスオペレータアプリケーションの責任である。
【１００７】
【表５３】
0003746457.tif 000063
【１００８】
Ｄ５.２.１.２．移動局フレーム．
Ｄ５.２.１.２.１．移動局フレームタイプ．
ＭＳから基地に伝達されるフレームには二つのメジャータイプがあり、ＭＳポーリング応答フレームとＭＳトラヒックフレームである。
【１００９】
Ｄ５.２.１.２.１.１．移動局ポーリングフレーム．
移動局ポーリングフレームは、スロット捕獲シーケンスの一部として基地ポーリングフレームに応答してＭＳから基地に送信される。
【１０１０】
Ｄ５.２.１.２.１.１.１．一般応答．
一般ＭＳポーリングフレーム応答は、ＭＳによって自由スロットを取得するのに使用される。
【１０１１】
【表５４】
0003746457.tif 000064
【１０１２】
Ｄ５.２.１.２.１.２．移動局トラヒックフレーム．
二つのタイプのＭＳトラヒックフレームがあり、ベアラトラヒックと信号トラヒックである。各タイプには、高帯域幅、低帯域幅及び対称帯域幅の三種がある。
【１０１３】
Ｄ５.２.１.２.１.２.１．高帯域幅ベアラ．
高帯域幅ベアラトラヒックフレームは、高速度ユーザトラヒックをＭＳから基地に伝送するのに使用される。二つのタイプのベアラトラヒックがあり、ＦＣＷあるいはエラー制御トラヒック、及び、ＲＡＷあるいはエラー制御されないトラヒックである。
【１０１４】
Ｄ５.２.１.２.１.２.１.１．ＦＣＷ．
ＦＣＷあるいはフレームチェックワードトラヒックはエラー制御される。ＦＣＷにより検出されたエラーは、再伝送により訂正される。ＦＣＷフレームは一時的に変形してもよい。
【１０１５】
【表５５】
0003746457.tif 000065
【１０１６】
５.２.１.２.１.２.１.２．ＲＡＷ．
ＲＡＷフレームはエラー制御なく伝送される。エラー訂正は、ユーザの責任である。
【１０１７】
【表５６】
0003746457.tif 000066
Ｄ５.２.１.２.１.３．高帯域幅信号．
高速信号トラヒックフレームは、高速システム信号をＭＳから基地に伝送するために使用される。このフレームは、ＦＣＷエラーコントロールを含み、再試行は、その時発生する信号列に依存する。
【１０１８】
【表５７】
0003746457.tif 000067
【１０１９】
Ｄ５.２.１.２.１.３.１．低帯域幅ベアラ．
低速ベアラトラヒックフレームは、低速ユーザトラヒックをＭＳから基地に伝送するのに使用される。二つのタイプのベアラトラヒックがあり、ＦＣＷあるいはエラー制御トラヒック、及び、ＲＡＷあるいはエラー制御されないトラヒックである。
【１０２０】
Ｄ５.２.１.２.１.３.１.１．ＦＣＷ．
ＦＣＷあるいはフレームチェックワードトラヒックはエラー制御される。ＦＣＷにより検出されたエラーは、再伝送により訂正される。ＦＣＷフレームは一時的に変形してもよい。
【１０２１】
【表５８】
0003746457.tif 000068
【１０２２】
Ｄ５.２.１.２.１.３.１.２．ＲＡＷ．
ＲＡＷフレームはエラー制御なく伝送される。エラー訂正はユーザの責任である。
【１０２３】
【表５９】
0003746457.tif 000069
【１０２４】
Ｄ５.２.１.２.１.４．低帯域幅信号．
信号トラヒックフレームは、システム信号をＭＳから基地に伝送するために使用される。このフレームはＦＣＷを含む。エラーコントロールと再試行は、その時発生する信号列に依存する。
【１０２５】
【表６０】
0003746457.tif 000070
Ｄ５.２.１.２.１.４.１．対称帯域幅ベアラ．
対称帯域幅ベアラトラヒックフレームは、通常ユーザトラヒックをＭＳから基地に伝送するのに使用される。二つのタイプのベアラトラヒックがあり、ＦＣＷあるいはエラー制御トラヒック、及び、ＲＡＷあるいはエラー制御されないトラヒックである。
【１０２６】
Ｄ５.２.１.２.１.４.１.１．ＦＣＷ．
ＦＣＷあるいはフレームチェックワードトラヒックはエラー制御される。ＦＣＷにより検出されたエラーは、再伝送により訂正される。ＦＣＷフレームは一時的に変形してもよい。
【１０２７】
【表６１】
0003746457.tif 000071
【１０２８】
Ｄ５.２.２.１.２.１.４.１.２．ＲＡＷ．
ＲＡＷフレームはエラー制御なく伝送される。エラー訂正はＰＣＳサービスオペレータアプリケーションの責任である。
【１０２９】
【表６２】
0003746457.tif 000072
【１０３０】
Ｄ５.２.１.２.１.５．対称帯域幅信号．
対称帯域幅信号トラヒックフレームは、通常システム信号をＭＳから基地に伝送するために使用される。このフレームはＦＣＷを含む。エラーコントロールと再試行は、その時発生する信号列に依存する。
【１０３１】
【表６３】
0003746457.tif 000073
【１０３２】
Ｄ５.３．スロット捕獲．
ＭＳが基地と通信したい場合には、その基地上の少なくとも一つのスロットを捕獲しなければならない。これは、基地の一般ポーリングにＭＳの一般ポーリング応答で応答することにより達成される。一般ポーリング応答は、ＭＳのユニークＰＩＤを含む。基地がこのＭＳの一般ポーリング応答を受信すると、基地は、このＭＳのＰＩＤを含む特殊ポーリングで後刻応答する。
【１０３３】
ＭＳがそのような特殊ポーリングを確認すると、ＭＳはトラヒックモードで継続してもよい。
【１０３４】
ＭＳがそのＰＩＤを含む特殊ポーリングを確認しなければ、ＭＳはスロットを捕獲せず、ＭＳ ＰＩＤに基づいてほとんど不明確な時間だけ待ち、さらにＡＮＳＩ／ＩＥＥＥ ８０２.３のバックオフ処理と同様に再試行する必要がある。
【１０３５】
ＭＳが特殊基地から１ページ待っていると、ＭＳは基地から特殊ポーリングを待つことになる。基地がスロットをＭＳに割り当て、ＭＳと通信する準備が完了すると、基地はＭＳのＰＩＤを含む特殊ポーリングフレームを発信する。
【１０３６】
Ｄ５.４．ループ毎の複数の関連信号フレーム．
通常スロット同期はタイミングにより達成される。基地及びＭＳの両方とも、通信用としてどのスロットが割り当てられたかどうか認識している。基地はそのフレームをスロットの前半においてＭＳに送信する。ＭＳはその応答を伝送するために基地通信と同期する。ＭＳのタイミングは十分に正確なので、１秒間基地通信をミスした後でも、どの基地通信がＭＳに予定されているかをＭＳは決定できる。
【１０３７】
通信の信号位相中、ループあたり一つ以上のスロットをポーリング及び信号トラヒックに使用するのが望ましい。このため、基地は最初の特殊ポーリングの時に一時的アドレスすなわち関連ＩＤをＭＳに割り当てる。この関連ＩＤは、基地からＭＳへの別の信号トラヒックにおいて伝送される。ＭＳは全てのトラヒックにおいてこのＩＤを検索する。したがって、ＭＳは関連ＩＤを含むどんな信号トラヒックフレームにも応答することができる。未使用の関連ＩＤは基地によりプールに保持される。基地とＭＳとの間で通信が終了すると、関連ＩＤは再使用のため返還される。
【１０３８】
基地はＭＳとの信号通信を継続するため利用可能なスロットはどれを使用してもよい。信号トラヒックのため基地が使用した最後のスロットは、通常トラヒック用の最初のスロットとなる。基地が後刻信号トラヒックに戻っても、関連ＩＤはなお有効で、基地はコントロールトラヒックのため利用可能なスロットはどれを使用してもよい。
【１０３９】
Ｄ５.５．非対称チャネル．
基地とＭＳ間のトラヒックフローは対称でも非対称でもよい。フローは、基地トラヒックヘッドへのＭＳ内の帯域幅リクェストビットに作用する基地により制御される。通常フローは対称で、同じトラヒック帯域幅が各方向に割り当てられる。ＭＳトラヒックフレームへの基地のヘッド内の帯域幅グラントビットは、特定スロットで使用される実際の帯域幅を確立する。
【１０４０】
基地は次のアルゴリズムを使用してスロット帯域幅を割り当てる。
１．基地のみが追加の帯域幅を必要としていれば、基地は次のスロット用に追加の帯域幅を認められる。
２．ＭＳのみが追加の帯域幅を必要としていれば、ＭＳは次のスロット用に追加の帯域幅を認められる。
３．基地とＭＳの両方が追加の帯域幅を必要としているか、あるいは、両方とも必要としていなければ、次のスロット用に対称帯域幅が認められる。
【１０４１】
Ｄ５.６．放送チャネル．
チャネルの非対称は、放送チャネルを作り出すためにスロットの全帯域幅を基地に認めることにより論理手段に採用してもよい。このチャネルの性質は、トラヒックフレームヘッド内の帯域幅グラントビットにより示される。複数の同時放送チャネルをサポートすることができる。放送中、Ｄチャネルに通常使用されるスペースは放送識別子として使用される。これは関連識別子と同一位置に発生するので、用途の差は帯域幅グラントビットにより示される。
【１０４２】
Ｄ５.７．スーパーフレーム．
ポーリングループにおける複数のスロットを、個々のＭＳ用に取り決めしたり割り当ててもよい。取り決めは信号トラヒックを介していつ行ってもよい。利用可能であれば、割り当てられたスロットは、基地からＭＳにマップ型及びマップ情報要素を介して通信される。スロット同期はタイミングにより各割り当てスロット用に維持される。
【１０４３】
自動リンク伝達処理は、伝達ＭＳに割り当てられたスロットの多重性を補償する。基地は、端末基地としての候補になるために利用可能な所定数のスロットを持たなければならない。スロットは発信基地と同じ位置で利用可能である必要はない。
【１０４４】
Ｄ５.８．サブフレーム．
ＭＳは全てのポーリングループでスロットが認められる必要はない。スロットは整数の中間ループで分離されたループ内に認められればよい。一つのＭＳに割り当てられたスロットの分離最大リミットは０.５秒である。
【１０４５】
会議／ネットワークプロトコルアーキテクチャ．
Ｅ６.１．信号トラヒック．
Ｅ６.１.１．信号メッセージフォーマット．
Ｅ６.１.１.１．ホールドメッセージフォーマット．
Ｅ６.１.１.１.１．ホールド基地対ＭＳ．
ホールドパケットは基地あるいはＭＳから伝送することができる。それらは常により大きな信号トラヒック交換局の一部である。
【１０４６】
【表６４】
0003746457.tif 000074
【１０４７】
Ｅ６.１.１.１.２．ホールドＭＳ対基地．
ＭＳは次の二つのいずれかの場合に基地にＨＬＤ信号メッセージを送信する。
１．ＭＳがデータを処理し、結果を基地に送り返すに際しさらに時間を必要とする時。
２．基地からのＨＬＤメッセージに応答して。
【１０４８】
【表６５】
0003746457.tif 000075
【１０４９】
Ｅ６.１.１.２．同期メッセージフォーマット．
同期メッセージは基地あるいはＭＳのいずれかより伝送することができる。それらは常に信号トランザクションにおけるエラーからの回復の一部である。それらはエラーを発見したどちらかの側から送信される。
【１０５０】
Ｅ６.１.１.２.１．ＳＹＮ基地対ＭＳ．
基地は次の二つのいずれかの場合にＳＹＮメッセージを送信する。
１．基地が現在の信号トランザクションにおいてエラーに遭遇した時。
２．基地がトランザクションを開始した場合あるいはそういう場合にのみＭＳからのＣＴメッセージに応答して。
【１０５１】
【表６６】
0003746457.tif 000076
【１０５２】
Ｅ６.１.１.２.２．ＳＹＮ ＭＳ対基地．
ＭＳは次の二つのいずれかの場合にＳＹＮメッセージを送信する。
１．ＭＳが現在の信号トランザクションにおいてエラーに遭遇した時。
２．ＭＳがトランザクションを開始した場合あるいはそういう場合にのみ基地からのＣＴメッセージに応答して。
【１０５３】
【表６７】
0003746457.tif 000077
【１０５４】
Ｅ６.１.１.３．肯定応答メッセージフォーマット．
肯定応答メッセージは基地あるいはＭＳのいずれかより伝送することができる。それらは常により大きな信号交換局の最後の要素である。全ての交換局がＡＣＫメッセージで終了するわけではないことを知らなければならない。
【１０５５】
Ｅ６.１.１.３.１．ＡＣＫ基地対ＭＳ
【１０５６】
【表６８】
0003746457.tif 000078
【１０５７】
Ｅ６.１.１.３.２．ＡＣＫ ＭＳ対基地．
【１０５８】
【表６９】
0003746457.tif 000079
【１０５９】
Ｅ６.１.１.４.  オーセンチケーション（Authentication）・メッセージ・フォーマット
オーセンチケーション（認証）は、上記ＭＳから上記基地への応答によってある時間後に起こる、上記基地から上記ＭＳへの照会（query）メッセージから構成されている。
【１０６０】
Ｅ６.１.１.４.１.ＡＵＴ基地からＭＳへ
このメッセージは、上記基地がオーセンチケーション・シーケンス（sequence）を開始したときはいつでも、上記基地から上記ＭＳに送られる。このメッセージは、独自の秘密ＭＳトラヒック・キー（unique secret MS traffic key）を使用する上記ＭＳによって暗号化されるべき６４ビット数（bit number）を供給する。
【１０６１】
【表７０】
0003746457.tif 000080
【１０６２】
Ｅ６.１.１.４.２.  ＡＵＲＭＳから基地へ
このメッセージは、オーセンチケーション・リクエストに対する上記ＭＳの応答である。それは、上記秘密の独自のＭＳトラヒック・キーを使用する上記オーセンチケート・メッセージによって供給された上記テスト番号を暗号化した結果を含んでいる。
【１０６３】
【表７１】
0003746457.tif 000081
【１０６４】
Ｅ６.１.１.５.  登録（Registration）メッセージ・フォーマット
Ｅ６.１.１.５.１.  ＲＲＯＭＳから基地へ
登録リクエストは、初期及び周期的な基準（an initial and a periodic basis）でＭＳから基地へ送られる。上記初期の基準で、上記基地は上記登録処理に入る。もし上記基地が周期的な登録リクエストを現在その基地で登録されているＭＳから受け取っていないならば、上記基地は非登録処理（de-registration procedure）を開始する。
【１０６５】
【表７２】
0003746457.tif 000082
【１０６６】
Ｅ６.１.１.５.２.  ＲＣＰ基地からＭＳへ
初期又は周期的な登録が完了すると、上記基地は登録完了メッセージでもって上記ＭＳに応答する。
【１０６７】
【表７３】
0003746457.tif 000083
【１０６８】
Ｅ６.１.１.６.  非登録（de-registration）・メッセージ・フォーマット
Ｅ６.１.１.６.１.  ＤＲＧＭＳから基地へ
上記ＭＳが上記基地からそれ自身非登録したいとき、上記ＭＳは、上記登録に非登録メッセージを送る。もし上記ＭＳがこのメッセージを受け取らないならば、上記ＭＳが上記基地に登録リクエストを送った最後の時間から所定のタイムアウト期間後に非登録は自動的に生じる。
【１０６９】
【表７４】
0003746457.tif 000084
【１０７０】
Ｅ６.１.１.７.  発信（Origination)・メッセージ・フォーマットの呼び出し
ＭＳが外側のバウンド・コールに置くこと（to place outward bound call）を望むとき、発信メッセージを出し接続応答を待つ。
【１０７１】
Ｅ６.１.１.７.１.  ＯＲＧＭＳから基地へ
出電の配置（placement of an outgoing call）をリクエストするめたに、上記ＭＳは上記基地に上記呼び出し発信メッセージ(call originate message)を送る。
【１０７２】
【表７５】
0003746457.tif 000085
【１０７３】
Ｅ６.１.１.７.２.  ＣＮＣ基地からＭＳへ
上記接続メッセージは、入電又は出電（a call either incoming or outgoing）が完了するか又は上記ＭＳからの出電が拒否されるとき、上記ＭＳから上記基地へ送られる。
【１０７４】
【表７６】
0003746457.tif 000086
【１０７５】
Ｅ６.１.１.８.  ハンドオフ・メッセージ・フォーマット
Ｅ６.１.１.８.１.  ＮＨＲＭＳから端末基地（Terminal Base）へ
上記ハンドオフ処理（hand-off procedure）を初期化するため、上記新しいハンドオフ・リクエスト・メッセージが上記ＭＳから上記端末基地へ送られる。
【１０７６】
【表７７】
0003746457.tif 000087
【１０７７】
Ｅ６.１.１.８.２.  ＮＨＡ基地からＭＳへ
新しいハンドオフ・リクエスト・メッセージの受け取りを送るため（to acknowledge the receipt）、上記新しいハンドオフ肯定応答（acknowledge）・メッセージが上記端末基地から上記ＭＳに送られる。
【１０７８】
【表７８】
0003746457.tif 000088
【１０７９】
Ｅ６.１.１.８.３.  ＣＳＣ発信基地からＭＳへ
このメッセージは、上記ネットワーク接続が上記ターミナル基地で利用可能であるということを信号で伝えるため、上記発信基地から上記ＭＳに送られる。
【１０８０】
【表７９】
0003746457.tif 000089
【１０８１】
Ｅ６.１.１.９.  終了（Termination）・メッセージ・フォーマットの呼び出し
Ｅ６.１.１.９.１.  ＡＮＳＭＳから基地へ
このメッセージは、上記加入者（subscriber）が入電（incoming call）に応答するとき、上記ＭＳから上記基地に送られる。
【１０８２】
【表８０】
0003746457.tif 000090
【１０８３】
Ｅ６.１.１.１０.  割り当て解除（Release）・メッセージ・フォーマットの呼び出し
Ｅ６.１.１.１０.１.  ＤＲＩ基地からＭＳへ
上記ネットワークが上記呼び出しを途中で中止する（drop the call in progress）とき、上記基地は、上記入電中止（drop incoming call）メッセージを上記ＭＳに送る。
【１０８４】
【表８１】
0003746457.tif 000091
【１０８５】
Ｅ６.１.２.  情報エレメント．
Ｅ６.１.２.１.  オーセンチケーション・テスト番号（Authentication Test Number）
上記オーセンチケーション・テスト番号は、上記ＭＳによって暗号化されるべき６４ビットから構成されている。上記６４ビット数の低位のビットはビット１、オクテット１（Bit 1 Octet 1）を占めており、上記６４ビット数の高位のビットはオクテット８のビット８（Bit 8 of Octet 8）を占めている。
【１０８６】
【表８２】
0003746457.tif 000092
【１０８７】
Ｅ６.２.２.  Ｂチャンネル
Ｅ６.１.２.２.１.  高帯域幅のエラー・コントロールされたベアラ・データ（High Bandwidth Error Controlled Bearer Data）
高帯域幅のエラー・コントロールされたベアラ・データの問題（issues）は、後の提案において詳細に論じる。
【１０８８】
Ｅ６.１.２.２.２.  高帯域幅の生ベアラ・データ（High Bandwidth Raw Bearer Data）
高帯域幅の生ベアラ・データの問題（issues）は、後の提案において詳細に論じる。
【１０８９】
Ｅ６.１.２.２.３.  低帯域幅のエラー・コントロールされたベアラ・データ（Low Bandwidth Error Controlled Bearer Data）
低帯域幅のエラー・コントロールされたベアラ・データの問題（issues）は、後の提案において詳細に論じる。
【１０９０】
Ｅ６.１.２.２.４.  低帯域幅の生ベアラ・データ（Low Bandwidth Raw Bearer Data）
低帯域幅の生ベアラ・データの問題（issues）は、後の提案において詳細に論じる。
【１０９１】
Ｅ６.１.２.２.５.  対称帯域幅のエラー・コントロールされたベアラ・データ（Symmetric Bandwidth Error Controlled Bearer Data）
上記対称帯域幅のエラー・コントロールされたベアラ・データのエレメントは、ユーザ・データの１６０ビットから構成されている。上記１６０ビット数の低位のビットはビット１、オクテット１（Bit 1 Octet 1）であり、上記１６０ビット数の高位のビットはオクテット８のビット８（Bit 8 of Octet 8）である。このモードを介して送信されたデータは、一時的な歪（temporal distortion）を受けるが、上記ＦＣＷアルゴリズムの限界まで、非検出の損失又は二重のパケットが無い状態で正しく引き渡される。
【１０９２】
【表８３】
0003746457.tif 000093
【１０９３】
Ｅ６.１.２.２.６.  対称帯域幅の生ベアラ・データ（Symmetric Bandwidth Raw Bearer Data）
上記対称帯域幅の生ベアラ・データのエレメントは、ユーザ・データの１７６ビットから構成されている。上記１７６ビット数の低位のビットはビット１、オクテット１（Bit 1 Octet 1）であり、上記１７６ビット数の高位のビットはオクテット２２のビット８（Bit 8 of Octet 22）である。
【１０９４】
【表８４】
0003746457.tif 000094
【１０９５】
Ｅ６.１.２.３.  基地ＩＤ
上記基地の識別子は、上記特別な基地局を唯ひとつ識別する。上記３２ビット数の低位のビットはビット１、オクテット１（Bit 1 Octet 1）に位置付けられており、上記３２ビット数の高位のビットはオクテット２のビット８（Bit 8 of Octet 2）に位置付けられている。
【１０９６】
【表８５】
0003746457.tif 000095
【１０９７】
Ｅ６.１.２.４.  同報通信ＩＤ（Broadcast ID）
上記同報通信ＩＤ情報エレメントは、特別な同報通信データ・ストリーム（data streams）を識別するために使用されている。上記ＩＤは、接続基準に（on a connection basis）上記特別な同報通信ストリームに割り当てられている。周期的なアプリケーションの同報通信の見出し情報（periodic application broadcast heading information）を提供することは、上記同報通信アプリケーション（broadcast application）の義務（responsibility）である。上記同報通信ＩＤは、１つの接続の開始に割り当てられており、その接続の終了で上記同報通信ＩＤのプール（pool）に割り当て解除されている。
【１０９８】
【表８６】
0003746457.tif 000096
【１０９９】
Ｅ６.１.２.５.  呼び出された番号（Called Number）
上記呼び出された番号は、呼び出されたパリティ数の８０ビットから構成されている。この８０ビット数は２０個のＩＡ５文字列から構成されている。
【１１００】
【表８７】
0003746457.tif 000097
【１１０１】
注釈--上記番号デジットは、複数のオクテット４において、番号デジットが入力される順序と同一の順序で現れ、すなわち、最初に入力される番号デジットは最初のオクテットでビット４〜８に位置する。
【１１０２】
Ｅ６.１.２.６．  接続番号（Connection Number）
上記接続番号は、上記基地局から上記ネットワークまでこのＭＳのベアラ・チャンネルを伝送することに割り当てられていた上記特別なネットワーク接続を指定する。このデータ・エレメントの総てのバイトは、重要ではないかもしれない。使用されていないニブル（nybbles）とバイトは"Ｆ"の１６進法（"F" hex）で一杯にしなければならない。
【１１０３】
【表８８】
0003746457.tif 000098
注釈--上記番号デジットは、複数のオクテット４において、番号デジットが入力される順序と同一の順序で現れ、すなわち、最初に入力される番号デジットが最初のオクテットでビット４〜８に位置する。
【１１０４】
Ｅ６.１.２.７.  相関的なＩＤ（Correlative ID）
上記相関的なデータ・エレメントは、特別なＭＳ行きであるものとして１つのグループのフレームを一時的に識別するために使用されている。上記ＩＤは、その接続の持続時間に割り当てられており、接続の終了で他のＭＳによって再利用するために割り当て解除される。"ＦＦ"のこの特別な値は、同報通信使用のためにリザーブされる。特別なＭＳのための上記相関的なＩＤは、接続の間に変更されうる。
【１１０５】
【表８９】
0003746457.tif 000099
【１１０６】
Ｅ６.１.２.８.  Ｄチャンネル
上記Ｄチャンネルのデータ・エレメントは、バイトシリアル方法で上記帯域外のアプリケーション・チャンネル（the out of band application channel）を伝送する。このチャンネルに使用された上記プロトコルは文書（document）ＴＢＤに記述されている。上記データは、上記オクテットのビット１（Bit 1 of the Octet）での上記Ｄチャンネル情報の低位のビットとともに伝送されている。
【１１０７】
【表９０】
0003746457.tif 000100
【１１０８】
Ｅ６.１.２.９.  暗号化されたテスト番号（Encryped Test Number）
上記暗号化されたテスト番号は、上記ＭＳによって暗号化された６４ビットから構成されている。上記６４ビット数の低位のビットはビット１、オクテット１（Bit 1 Octet 1）を占めており、上記６４ビット数の高位のビットはオクテット８のビット８（Bit 8 of Octet 8）を占めている。
【１１０９】
【表９１】
0003746457.tif 000101
【１１１０】
Ｅ６.１.２.１０.  設備（Facility）
上記設備データ・エレメントは、上記基地局によって提供されるサービスを記述している。このエレメントの内部フォーマット（internal format）は、ＴＢＤである。
【１１１１】
【表９２】
0003746457.tif 000102
【１１１２】
Ｅ６.１.２.１１.  ＦＣＳ
上記フレーム・チェック・シーケンスのデータ・エレメントは、１６ビット・シーケンスである。それは、
ａ）生成プログラム多項式（generator polynomial）ｘ１６＋ｘ１２＋ｘ５＋１によって、モジュロ（modulo）２を割ったｘｋ（ｘ１５＋ｘ１４＋ｘ１３＋ｘ１２＋ｘ１１＋ｘ１０＋ｘ９＋ｘ８＋ｘ７＋ｘ６＋ｘ５＋ｘ４＋ｘ３＋ｘ２＋ｘ１＋１）の余り、ここで、ｋは上記ＦＣＳを含まない上記フレームのビットの数であり、
ｂ）上記フレームの最初のビットから存在し該ビットを含みかつ上記ＦＣＳの最初のビットまでだがそのビットは含まない、上記フレームの内容によって、ｘ１６の積の生成プログラム多項式（generator polynomial）ｘ１６＋ｘ１２＋ｘ５＋１によって、モジュロ（modulo）２を割った余り、
の和（モジュロ（modulo）２）の１の補数（ones complement）である。
【１１１３】
【表９３】
0003746457.tif 000103
【１１１４】
Ｅ６.１.２.１２.  ガードタイム（Guard Time）１
ガードタイムの問題（issues）は、後の提案において詳細に論じる。
【１１１５】
Ｅ６.１.２.１３.  ガードタイム（Guard Time）２
ガードタイムの問題（issues）は、後の提案において詳細に論じる。
【１１１６】
Ｅ６.１.２.１４.  ヘッド（Head）
【１１１７】
Ｅ６.１.２.１４.１.  基地ポーリング・フレーム・ヘッド（Base Polling Frame Head）
上記ヘッド・データ・エレメントは、上記フレームの残り（rest）の主要なフォーマット（major format）を記述している。
【１１１８】
【表９４】
0003746457.tif 000104
【１１１９】
Ｂ/Ｈ： このビットは上記フレームの発信(originator)を示す。
０    上記フレームは上記ＭＳによって送られている。
１    上記フレームは上記基地によって送られている。
【１１２０】
Ｅ：上記拡張ビット(extension bit)により上記プロトコルが後日拡張される(be extended a later date)。
０    このフレームは拡張されないプロトコルである(in unextended protocol)。
１    このフレームは拡張されたプロトコルである(in an extended protocol)。
【１１２１】
Ｇ/Ｓ： もし上記Ｐ/Ｎビットが１ならば、このビットは、上記フレームが一般ポーリングを行うか、又は、特別ポーリング（a general or a specific poll）を行うことを示している。
０    上記フレームは特別ポーリングを行う。
１    上記フレームは一般ポーリングを行う。
【１１２２】
Ｐ/Ｎ： このビットは、上記フレームがポーリングを行うフレームであるか、又は、通常のトラヒック・フレーム（normal traffic frame）であるかを示している。
０    このフレームは通常のトラヒック・フレームである。
１    このフレームはポーリングを行うフレームである。
【１１２３】
ＳＡ：シリアル・アドレス・ビット（serial address bit）
【１１２４】
0003746457.tif 000105
【１１２５】
スペア：現在使用されていない。将来の使用のためにリザーブされている。
【１１２６】
ＣＵ：このビットのペアはこの基地のスロット利用率（slot utilization）を示している。
0003746457.tif 000106
【１１２７】
0003746457.tif 000107
【１１２８】
Ｅ６.１.２.１４.１.１.  基地の一般ポーリングを行うヘッド（Base General Poll Head）
このデータ・エレメントは、フレームのヘッドとして見られるとき、上記フレームが一般ポーリングを行うことを発行した基地であるということを示している。一般ポーリングを行うことは、もしスロット（slot）を捕らえたいならば、一般ポーリングを行う応答で応答するように、いずれかのＭＳに対するリクエストとして上記基地によって発行されている。
【１１２９】
【表９５】
0003746457.tif 000108
【１１３０】
Ｅ６.１.２.１４.１.２.  基地の特別ポーリングを行うヘッド（Base Specific Poll Head）
この特別ポーリングを行うヘッドは、このフレームが特別ポーリングを行うことを発行した基地であるということを示している。特別ポーリングを行うことは、特別なＭＳが応答することをリクエストしている。上記特別ポーリングを行うことが発行されている上記スロットは、上記ＭＳに既に割り当てられており、それにより、上記ＭＳが上記スロットを捕らえている。
【１１３１】
【表９６】
0003746457.tif 000109
【１１３２】
Ｅ６.１.２.１４.２.  基地のトラヒック・フレーム・ヘッド（Base Traffic Frame Head）
【１１３３】
【表９７】
0003746457.tif 000110
【１１３４】
Ｂ/Ｈ： このビットは上記フレームの発信(originator)を示す。
０    上記フレームは上記ＭＳによって送られている。
１    上記フレームは上記基地によって送られている。
【１１３５】
Ｅ：上記拡張ビット(extension bit)により上記プロトコルが後日拡張される(be extended a later date)。
０    このフレームは拡張されないプロトコルである(in unextended protocol)。
１    このフレームは拡張されたプロトコルである(in an extended protocol)。
【１１３６】
Ｃ/Ｎ： もし上記Ｐ/Ｎビットが０ならば、このビットは、上記レームが通常の又は信号トラヒック（normal or signaling traffic）であることを示している。
０    上記フレームは通常のトラヒックである。
１    上記フレームは信号トラヒックである。上記パケットは上記ＦＣＷによってチェックされたエラーである。
【１１３７】
Ｐ/Ｎ： このビットは、上記フレームがポーリングを行うフレームであるか、又は、通常のトラヒック・フレーム（normal traffic frame）であるかを示している。
０    このフレームは通常のトラヒック・フレームである。
１    このフレームはポーリングを行うフレームである。
【１１３８】
ＳＡ：シリアル・アドレス・ビット（serial address bit）
【１１３９】
0003746457.tif 000111
【１１４０】
0003746457.tif 000112
【１１４１】
ＣＵ：このビットのペアはこの基地のスロット利用率（slot utilization）を示している。
0003746457.tif 000113
【１１４２】
0003746457.tif 000114
【１１４３】
Ｅ６.１.２.１４.２.１.  基地の通常のトラヒック・ヘッド（Base Normal Traffic Head）
このデータ・エレメントは、フレームのヘッドとして見られるとき、上記フレームが通常のトラヒック・フレームを発行した基地であるということを示している。このフレームの上記ＦＣＷが演算される。チェックされるか否かは、エラーコントロールされた又は生ベアラのモード(the error controlled or the raw bearer mode)における走行に依存する。
【１１４４】
【表９８】
0003746457.tif 000115
【１１４５】
Ｅ６.１.２.１４.２.２.  基地の信号のトラヒック・ヘッド（Base Signal Traffic Head）
このデータ・エレメントは、フレームのヘッドとして見られるとき、上記フレームが信号フレーム（signaling frame）を発行した基地であるということを示している。このフレームの上記ＦＣＷが演算されて、これが、上記フレーム内に含まれた上記ＦＣＷとチェックされる。
【１１４６】
【表９９】
0003746457.tif 000116
【１１４７】
Ｅ６.１.２.１４.３.  移動局のポーリングを行うフレーム・ヘッド（Mobile Station Polling Frame Head）
【１１４８】
【表１００】
0003746457.tif 000117
【１１４９】
Ｂ/Ｈ： このビットは上記フレームの発信(originator)を示す。
０    上記フレームは上記ＭＳによって送られている。
１    上記フレームは上記基地によって送られている。
【１１５０】
Ｅ：上記拡張ビット(extension bit)により上記プロトコルが後日に拡張される(be extended at a later date)。
０    このフレームは拡張されないプロトコルである(in unextended protocol)。
１    このフレームは拡張されたプロトコルである(in an extended protocol)。
【１１５１】
Ｇ/Ｓ：もし上記Ｐ/Ｎビットが１ならば、このビットは、上記フレームが一般ポーリングを行うか、又は、特別ポーリング（a general or a specific poll）を行うことを示している。
０    上記フレームは特別ポーリングを行う。
１    上記フレームは一般ポーリングを行う。
【１１５２】
Ｐ/Ｎ： このビットは、上記フレームがポーリングを行うフレームであるか、又は、通常のトラヒック・フレーム（normal traffic frame）であるかを示している。
０    このフレームは通常のトラヒック・フレームである。
１    このフレームはポーリングを行うフレームである。
【１１５３】
ＳＡ：このビットは、上記ＭＳのシリアルＩＤの次のビットを含んでいる。このＩＤは一度に単一のビットを逐次（serially）送る。それは、異なるＩＤのＭＳによって不注意なチャンネル捕獲（inadvertent channel capture）とのチェックとして連続的に繰り返される。
【１１５４】
ＢＷ ＲＥＱ： そのビットは、上記ＭＳに割り当てられた次のスロットのため上記ＭＳによりリクエストされた上記帯域幅を示している。
０    最小帯域幅が次のスロットのためにリクエストされている。
１    最大帯域幅が次のスロットのためにリクエストされている
【１１５５】
スペア：現在使用されていない。将来の使用のためにリザーブされている。
【１１５６】
0003746457.tif 000118
【１１５７】
Ｅ６.１.２.１４.３.１.  移動局の一般ポーリング応答ヘッド（Mobile Station General Poll Response Head）
このデータ・エレメントは、フレームのヘッドとして見られるとき、上記フレームが一般ポーリングを行うことに対する応答を発行した基地であるということを示している。それは、スロットを捕らえるためのリクエストである。
【１１５８】
【表１０１】
0003746457.tif 000119
【１１５９】
Ｅ６.１.２.１４.３.２.  移動局の特別ポーリング応答ヘッド（Mobile Station Specific Poll Response Head）
このデータ・エレメントは、フレームのヘッドとして見られるとき、上記フレームが特別ポーリングを行うことに対する応答を発行した基地であるということを示している。
【１１６０】
【表１０２】
0003746457.tif 000120
【１１６１】
Ｅ６.１.２.１４.４.  移動局のトラヒック・フレーム・ヘッド（Mobile Station Traffic Frame Head）
【１１６２】
【表１０３】
0003746457.tif 000121
【１１６３】
Ｂ/Ｈ： このビットは上記フレームの発信(originator)を示す。
０    上記フレームは上記ＭＳによって送られている。
１    上記フレームは上記ＭＳによって送られている。
【１１６４】
Ｅ：上記拡張ビット(extension bit)により上記プロトコルが後日に拡張される(be extended at a later date)。
０    このフレームは拡張されないプロトコルである(in unextended protocol)。
１    このフレームは拡張されたプロトコルである(in an extended protocol)。
【１１６５】
Ｓ/Ｎ： もし上記Ｓ/Ｎビットが１ならば、このビットは、信号トラヒック・フレームである。
０    上記フレームは通常のトラヒックである。
１    上記フレームは信号トラヒックである。
【１１６６】
Ｐ/Ｎ： このビットは、上記フレームがポーリングを行うフレームであるか、又は、通常のトラヒック・フレーム（normal traffic frame）であるかを示している。
０    このフレームは通常のトラヒック・フレームである。
１    このフレームはポーリングを行うフレームである。
【１１６７】
ＳＡ：このビットは、上記ＭＳのシリアルＩＤの次のビットを含んでいる。このＩＤは一度に単一のビットを逐次（serially）送る。それは、異なるＩＤのＭＳによって不注意なチャンネル捕獲（inadvertent channelcapture）とのチェックとして連続的に繰り返される。
【１１６８】
ＢＷ ＲＥＱ： そのビットは、上記ＭＳに割り当てられた次のスロットのため上記ＭＳによりリクエストされた上記帯域幅を示している。
０    最小帯域幅が次のスロットのためにリクエストされている。
１    最大帯域幅が次のスロットのためにリクエストされている
【１１６９】
スペア：現在使用されていない。将来の使用のためにリザーブされている。
【１１７０】
0003746457.tif 000122
【１１７１】
Ｅ６.１.２.１４.４.１.  移動局の通常トラヒック・ヘッド（Mobile Station Normal Traffic Head）
上記移動局の通常トラヒック・ヘッドのデータ・エレメントは、このフレームが上記基地に対する通常トラヒック応答であるということを示している。このフレームの上記フレーム・チェック・フィールドは、上記基地によって演算されている。それは、上記ＭＳがエラー・コントロールされたベアラ・モード（error controlled bearer mode）か否か、チェックされる。
【１１７２】
【表１０４】
0003746457.tif 000123
【１１７３】
Ｅ６.１.２.１４.４.２.  移動局の信号トラヒック・ヘッド（Mobile Station Signaling Traffic Head）
このデータ・エレメントは、フレームのヘッドとして見られるとき、上記フレームが信号フレーム（signaling frame）を発行したＭＳであるということを示している。このフレームの上記ＦＣＷは演算されて、これが、上記フレーム内に含まれた上記ＦＣＷとチェックされる。
【１１７４】
【表１０５】
0003746457.tif 000124
【１１７５】
Ｅ６.１.２.１５.  マップ（Map）
マップ・データの問題（issues）は、後の提案において詳細に論じる。
【１１７６】
Ｅ６.１.２.１６.  マップ・タイプ（Map Type）
上記マップ・タイプ・データ・エレメントは、後に続くマップのタイプを識別する。
【１１７７】
【表１０６】
0003746457.tif 000125
【１１７８】
0003746457.tif 000126
【１１７９】
Ｅ６.１.２.１７.  メッセージ・タイプ（Message Type）
上記メッセージ・タイプ・データ・エレメントは、上記フレームの残り（rest）のフォーマットを規定している。それは、また、宛て先（destination）ユニットに対する動作コード（operation code）として、基地又はＭＳのいずれかを動作させる。
【１１８０】
【表１０７】
0003746457.tif 000127
【１１８１】
0003746457.tif 000128
【１１８２】
Ｅ６.１.２.１８.  新しい接続番号（New Connection Number）
上記新しい接続番号は、ハンドオフ・シーケンスの新しい終端の基地局（terminating Base Station）から上記ネットワークまでこのＭＳのベアラ・チャンネルを送信することに割り当てられている上記特別なネットワーク接続を識別する。このデータ・エレメントの総てのバイトは重要でないかもしれない。使用されていないニブル（nybble）とバイトは"Ｆ"の１６進法（"F" hex）で一杯にしなければならない。
【１１８３】
【表１０８】
0003746457.tif 000129
【１１８４】
注釈--上記番号デジット数字は、複数のオクテット４において、番号デジットが入力される順序と同一の順序で現れ、すなわち、最初に入力される番号デジットは最初のオクテット４に位置する。
【１１８５】
Ｅ６.１.２.１９.  旧接続番号（Old Connection Number）
上記旧接続番号は、ハンドオフ・シーケンスの旧の発信基地局（old originating Base Station）から上記ネットワークまでこのＭＳのベアラ・チャンネルを送信することに割り当てられていた上記特別なネットワーク接続を識別する。このデータ・エレメントの総てのバイトは重要でないかもしれない。使用されていないニブル（nybble）とバイトは"Ｆ"の１６進法（"F" hex）で一杯にしなければならない。
【１１８６】
【表１０９】
0003746457.tif 000130
【１１８７】
注釈--上記番号デジットは、複数のオクテット４において、番号デジットが入力される順序と同一の順序で現れ、すなわち、最初に入力される番号デジットが最初のオクテット４に位置する。
【１１８８】
Ｅ６.１.２.２０.  ＰＣＰ
上記ＰＣＰ、パワーコントロールパルス（Power Control Pulse）は、上記基地が、上記ＭＳに送信するときに使用する適当な多様なエレメント（appropriate diversity element）を見付けるとともに、さらなる調整のために上記ＭＳのパワーレベルにアクセスすることができるように使用された短いシーケンスである。ＴＢＤ。
【１１８９】
Ｅ６.１.２.２１.  ＰＩＤ
この情報エレメントは、このＭＳに割り当てられた個人用の識別番号（personal identification number）である。上記ＭＳを完全に唯一つ識別する。この番号は４０ビットの長さである。上記４０ビット数の低位のビットはオクテット１のビット１（Bit 1 of Octet 1）であり、上記４０ビット数の高位のビットはオクテット５のビット８（Bit 8 of Octet 5）である。
【１１９０】
【表１１０】
0003746457.tif 000131
【１１９１】
Ｅ６.１.２.２２.  結果（Result）
上記結果情報エレメントの解釈は、見付けられたメッセージのタイプに依存している。一般に、それは、このＭＳのための先の信号トラヒック（previous signaling traffic）の実行の結果として解釈されている。
【１１９２】
【表１１１】
0003746457.tif 000132
【１１９３】
0003746457.tif 000133
【１１９４】
Ｅ６．１．２．２３  サービスプロバイダ
この１６ビットの情報構成要素は、ＭＳ信号メッセージに対する基地に存在するとき、基地局を操作するＰＣＳサービスプロバイダを識別する。基地信号メッセージに対するＭＳに存在するとき、それはＭＳが利用したいＰＣＳサービスプロバイダの識別ラベルを表す。この１６ビット構成要素の低いオーダのビットはオクテット１のビット１に存在し、１６ビット構成要素の高いオーダのビットはオクテット２のビット８に存在する。
【１１９５】
【表１１２】
0003746457.tif 000134
【１１９６】
Ｅ６．１．２．２４  サービス要求
この１６ビットの情報構成要素はＭＳにより要求されたサービスのタイプを定義する。
【１１９７】
【表１１３】
0003746457.tif 000135
【１１９８】
Ｅ６．１．２．２５  スペア
スペア情報構成要素は使用されてない領域を表す。全てのスペア領域はオクテットに等しく分割可能でなければならない。全ての使用されてない領域は将来の使用のために予約されている。
【１１９９】
Ｅ６．１．２．２６  ＵＰＴ＃
この４０ビットの情報構成要素は、ＭＳを操作する加入者に与えられたユニバーサルパーソナルテレコミュニケーション番号（Universal PersonalTelecommunications number）である。この４０ビット番号は１０のＩＡ５文字列からなる。
【１２００】
【表１１４】
0003746457.tif 000136
【１２０１】
注釈−−番号デジットは、複数のオクテット４において、番号デジットが入力される順序と同一の順序で現われ、すなわち、最初に入力される番号デジットは最初のオクテット４内に位置する。
【１２０２】
Ｅ６．１．２．２７  ゾーン
この１６ビットの情報構成要素は特別基地局のページングゾーンを識別する。もし、ＭＳがあるゾーンの基地局から同じゾーンの別の基地局へ移動したとき、即時の登録は必要ない。
【１２０３】
【表１１５】
0003746457.tif 000137
【１２０４】
Ｅ６．２．ベアラトラヒック
Ｅ６．２．１．  音声
Ｅ６．２．１．１．  ３２ＫＢＰＳ
３２ｋｂｐｓベアラトラヒックの問題は後の提案において詳細に論じる
Ｅ６．２．１．２．  ８ＫＢＰＳ
８ｋｂｐｓベアラトラヒックの問題は後の提案において詳細に論じる。
Ｅ６．２．１．３．  ４ＫＢＰＳ
４ｋｂｐｓベアラトラヒックの問題は後の提案において詳細に論じる。
【１２０５】
Ｅ６．２．２．  データ
データベアラトラヒック問題は後の提案において詳細に論じる。
【１２０６】
Ｅ６．３．  複数モードトラヒック
１つのＭＳは、基地局を通して確立された、複数スロットを経由したネットワークに対する接続を複数有してもよい。例えば、１つのスロットが音声トラヒックに割り当てられ、残りのトラヒックがデータトラヒックに割り当てられてもよい。
【１２０７】
代わりの実施の形態
ここでは、好ましい実施の形態が開示されているが、本発明の概念および範囲内にある多くの変形例が可能であり、また、これらの変形例は、ここでの明細書、図面および請求の範囲を吟味した後で、通常の当業者にとっては明白となるであろう。
【１２０８】
例えば、送信者から受信者へ送られた情報はここでは「データ」として言及されているが、通常の当業者にとっては、このアプリケーションを吟味した後では、これらのデータが、データ、音声（デジタル符号化されたあるいは他の）エラー訂正符号、制御情報、または、他の信号から構成されることや、このことが本発明の範囲および意図する範囲内にあることは明白であろう。
【１２０９】
さらに、本明細書では、無線区間中の通信路のＴＤＭＡ（時分割多重化）に基づいて説明されているが、通常の当業者にとっては、本アプリケーションを吟味した後では、無線区間中の通信路は、無線区間中の通信路を異なる周波数バンドに割り当てるＦＤＭＡ（周波数分割多重化）、無線区間中の通信路を異なるスペクトル拡散の拡散符号に割り当てるＣＤＭＡ（符号分割多重化）、他の多重化技術、もしくは、これらの多重化技術を組み合わせたものを含む他の手段により多重化されてもよいということ、および、このことが本発明の範囲および意図する範囲内にあることは明白であろう。
【図面の簡単な説明】
【図１】  複数の基地局とユーザ局からなる通信システムの図である。
【図２】  代替するネットワーク相互結合を備える通信システムの図である。
【図３】  種々のシステム構成部分を示すネットワークアーキテクチャの図である。
【図４】  基地局とネットワークとの間の接続を示すネットワークアーキテクチャの図である。
【図５】  種々のシステム構成部分を示すネットワークアーキテクチャの図である。
【図６】  種々のシステム構成部分を示すネットワークアーキテクチャの図である。
【図７】  種々のシステム構成部分を示すネットワークアーキテクチャの図である。
【図８】  種々のシステム構成部分を示すネットワークアーキテクチャの図である。
【図９】  本発明の実施形態におけるハンドセットの無線チャンネル獲得手続きの図である。
【図１０】  本発明の実施形態におけるハンドセットの無線チャンネル獲得手続きの図である。
【図１１】  ポーリングループにおけるフレームとメッセージのフォーマットの図である。
【図１２】  本発明が機能できる好ましいセルラー環境の図である。
【図１３】  本発明の実施形態のためのＴＤＭＡ／ＴＤＤフレームの図である。
【図１４】  本発明の実施形態のためのポーリングループの図である。
【図１５】  本発明の実施形態のための音声符号化器のブロック図である。
【図１６】  本発明の実施形態のための音声符号化器の制御経路の機能ブロック図である。
【図１７】  本発明の実施形態のためのパケット構造の図である。
【図１８】  本発明の実施形態のための時間スロット割り当てを示す図である。
【図１９】  本発明の実施形態のための時間スロット割り当てを示す図である。
【図２０】  本発明の実施形態のための音声符号化器のバッファ構造の図である。
【図２１】  メッセージ型のためのフォーマットを示す図である。
【図２２】  本発明の実施形態のための推定されたセル半径サービスエリアの図である。
【図２３】  本発明の実施形態のための推定されたセル半径サービスエリアの図である。
【符号の説明】
１０１…通信システム、
１０２…ユーザ局、
１０３…セル、
１０４…基地局、
１０５…基地局コントローラ、
１０６…ネットワーク、
１０７…基地局、
１０８…ネットワークリンク、
１０９…リンク手段、
１１０…セル、
１１１…同軸ケーブル、
１１３…光ファイバケーブル、
２０１…メジャーフレーム、
２０２…マイナーフレーム、
２０３…無線チャンネル、
２０４…基地送信、
２０５…第１ギャップ、
２０６…ユーザ送信、
２０７…第２ギャップ、
２０８…Ｄフィールド、
２０９…Ｂフィールド、
２１０…発信ビット、
２１１…ＣＲＣコード、
２１３…制御パルス時間、
２１４…第３ギャップ、
２１５…制御パルス、
３０１…ポーリングメッセージ、
３０２…特別ポーリングメッセージ、
３０３…情報メッセージ、
３０４…一般ポーリング応答、
３０５…特別ポーリング応答、
３０６…情報応答、
３０７…一般ポーリングステップ、
３０８…基地ＩＤ、
３０９…ユーザＩＤ、
３１０…特別ポーリングメッセージ、
３１１…リンク確立ステップ、
３１２…通信リンク、
３１４…チャンネル利用フィールド、
３１５…ネットワーク保持ステップ、
４０５…基地局、
４０６…第２の端末基地局、
４０７，４０８…基地局コントローラ、
４０９…ホストネットワーク、
４１０…第１の端末基地局。
【図１】
0003746457.tif 000138
【図２】
0003746457.tif 000139
【図３】
0003746457.tif 000140
【図４】
0003746457.tif 000141
【図５】
0003746457.tif 000142
【図６】
0003746457.tif 000143
【図７】
0003746457.tif 000144
【図８】
0003746457.tif 000145
【図９】
0003746457.tif 000146
【図１０】
0003746457.tif 000147
【図１１】
0003746457.tif 000148
【図１２】
0003746457.tif 000149
【図１３】
0003746457.tif 000150
【図１４】
0003746457.tif 000151
【図１５】
0003746457.tif 000152
【図１６】
0003746457.tif 000153
【図１７】
0003746457.tif 000154
【図１８】
0003746457.tif 000155
【図１９】
0003746457.tif 000156
【図２０】
0003746457.tif 000157
【図２１】
0003746457.tif 000158
【図２２】
0003746457.tif 000159
【図２３】
0003746457.tif 000160